(57)【特許請求の範囲】
【請求項１】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、２組の動力伝達部材から成る第１中間出力経路および該第１中間出力経路に対して減速回転させて出力する第２中間出力経路を介して、前記入力回転部材の回転を前記第２変速部へ伝達し、
前記第２変速部は、前記第２軸心に同心に且つ順次配設される、第１遊星歯車装置と第２遊星歯車装置と第３遊星歯車装置との３組の遊星歯車装置を備え、該３組の遊星歯車装置のサンギヤ、キャリア、およびリングギヤの一部が互いに連結されることによって５つの回転要素が構成されるとともに、該５つの回転要素の回転速度を直線上で表すことができる共線図上において該５つの回転要素を一端から他端へ向かって順番に第１回転要素、第２回転要素、第３回転要素、第４回転要素、および第５回転要素としたとき、該第１回転要素は第２クラッチを介して前記第２中間出力経路を該第２軸心側で構成する第２ドリブン部材に選択的に連結されるとともに第１ブレーキを介して非回転部材に選択的に連結され、該第２回転要素は第３クラッチを介して前記第１中間出力経路を前記第２軸心側で構成する第１ドリブン部材に選択的に連結されるとともに第２ブレーキを介して非回転部材に選択的に連結され、該第３回転要素は第４クラッチを介して前記第１ドリブン部材に選択的に連結され、該第４回転要素は前記出力回転部材に連結され、該第５回転要素は第１クラッチを介して前記第２ドリブン部材に選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項２】
前記第１遊星歯車装置は第１サンギヤ、第１キャリア、および第１リングギヤを備え、該第１キャリアによって回転可能に支持された第１遊星歯車を有するシングルピニオン型遊星歯車装置であり、前記第２遊星歯車装置は第２サンギヤ、第２キャリア、および第２リングギヤを備え、該第２キャリアによって回転可能に支持された互いに噛み合う一対の第２遊星歯車を有するダブルピニオン型遊星歯車装置であり、前記第３遊星歯車装置は第３サンギヤ、第３キャリア、および第３リングギヤを備え、該第３キャリアによって回転可能に支持された第３遊星歯車を有するシングルピニオン型遊星歯車装置であり、
前記第１回転要素は該第１サンギヤおよび該第２サンギヤであり、前記第２回転要素は該第３リングギヤであり、前記第３回転要素は該第２リングギヤおよび該第３キャリアであり、前記第４回転要素は該第１キャリア、該第２キャリアおよび該第３サンギヤであり、前記第５回転要素は該第１リングギヤである請求項１の車両用遊星歯車式多段変速機。
【請求項３】
前記第１遊星歯車装置は第１サンギヤ、第１キャリア、および第１リングギヤを備え、該第１キャリアによって回転可能に支持された互いに噛み合う一対の第１遊星歯車を有するダブルピニオン型遊星歯車装置であり、前記第２遊星歯車装置は第２サンギヤ、第２キャリア、および第２リングギヤを備え、該第２キャリアによって回転可能に支持された第２遊星歯車を有するシングルピニオン型遊星歯車装置であり、前記第３遊星歯車装置は第３サンギヤ、第３キャリア、および第３リングギヤを備え、該第３キャリアによって回転可能に支持された第３遊星歯車を有するシングルピニオン型遊星歯車装置であり、
前記第１回転要素は該第１サンギヤおよび該第２サンギヤであり、前記第２回転要素は該第１リングギヤおよび該第３リングギヤであり、前記第３回転要素は該第３キャリアであり、前記第４回転要素は該第２キャリアおよび該第３サンギヤであり、前記第５回転要素は該第１キャリアおよび該第２リングギヤである請求項１の車両用遊星歯車式多段変速機。
【請求項４】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、２組の動力伝達部材から成る第１中間出力経路および該第１中間出力経路に対して減速回転させて出力する第２中間出力経路を介して、前記入力回転部材の回転を前記第２変速部へ伝達し、
前記第２変速部は、前記第２軸心に同心に且つ順次配設される、第１サンギヤ、第１キャリア、および第１リングギヤを備え、該第１キャリアによって回転可能に支持された第１遊星歯車を有するシングルピニオン型の第１遊星歯車装置と、第２サンギヤ、第２キャリア、および第２リングギヤを備え、該第２キャリアによって回転可能に支持された互いに噛み合う一対の第２遊星歯車を有するダブルピニオン型の第２遊星歯車装置と、第３サンギヤ、第３キャリア、および第３リングギヤを備え、該第３キャリアによって回転可能に支持された第３遊星歯車を有するシングルピニオン型の第３遊星歯車装置とを含み、該第１サンギヤおよび該第２サンギヤは第２クラッチを介して前記第２中間出力経路を該第２軸心側で構成する第２ドリブン部材に選択的に連結されるとともに第１ブレーキを介して非回転部材に選択的に連結され、該第３リングギヤは第３クラッチを介して前記第１中間出力経路を前記第２軸心側で構成する第１ドリブン部材に選択的に連結されるとともに第２ブレーキを介して非回転部材に選択的に連結され、該第２リングギヤおよび該第３キャリアは第４クラッチを介して前記第１ドリブン部材に選択的に連結され、該第１キャリア、該第２キャリアおよび該第３サンギヤは前記出力回転部材に連結され、該第１リングギヤは第１クラッチを介して前記第２ドリブン部材に選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項５】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、２組の動力伝達部材から成る第１中間出力経路および該第１中間出力経路に対して減速回転させて出力する第２中間出力経路を介して、前記入力回転部材の回転を前記第２変速部へ伝達し、
前記第２変速部は、前記第２軸心に同心に且つ順次配設される、第１サンギヤ、第１キャリア、および第１リングギヤを備え、該第１キャリアによって回転可能に支持された互いに噛み合う一対の第１遊星歯車を有するダブルピニオン型の第１遊星歯車装置と、第２サンギヤ、第２キャリア、および第２リングギヤを備え、該第２キャリアによって回転可能に支持された第２遊星歯車を有するシングルピニオン型の第２遊星歯車装置と、第３サンギヤ、第３キャリア、および第３リングギヤを備え、該第３キャリアによって回転可能に支持された第３遊星歯車を有するシングルピニオン型の第３遊星歯車装置とを含み、該第１サンギヤおよび該第２サンギヤは第２クラッチを介して前記第２中間出力経路を該第２軸心側で構成する第２ドリブン部材に選択的に連結されるとともに第１ブレーキを介して非回転部材に選択的に連結され、該第１リングギヤおよび該第３リングギヤは第３クラッチを介して前記第１中間出力経路を前記第２軸心側で構成する第１ドリブン部材に選択的に連結されるとともに第２ブレーキを介して非回転部材に選択的に連結され、該第３キャリアは第４クラッチを介して前記第１ドリブン部材に選択的に連結され、該第２キャリアおよび該第３サンギヤは前記出力回転部材に連結され、該第１キャリアおよび該第２リングギヤは第１クラッチを介して前記第２ドリブン部材に選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項６】
前記第１キャリアと前記第２キャリアおよび前記第１サンギヤと前記第２サンギヤとはそれぞれ共通の部材で構成されるとともに、前記第１遊星歯車が互いに噛み合う一対の前記第２遊星歯車のいずれか１つを兼ねているものである請求項２または４の車両用遊星歯車式多段変速機。
【請求項７】
前記第１クラッチおよび前記第２ブレーキが係合させられることによって最も大きい変速比の第１変速段が成立させられ、前記第１クラッチおよび前記第１ブレーキが係合させられることによって前記第１変速段よりも変速比が小さい第２変速段が成立させられ、前記第１クラッチおよび前記第２クラッチが係合させられることによって前記第２変速段よりも変速比が小さい第３変速段が成立させられ、前記第１クラッチおよび前記第３クラッチが係合させられること、または前記第１クラッチおよび前記第４クラッチが係合させられることによって前記第３変速段よりも変速比が小さい第４変速段が成立させられ、前記第３クラッチおよび前記第４クラッチが係合させられることによって前記第４変速段よりも変速比が小さい第５変速段が成立させられ、前記第２クラッチおよび前記第４クラッチが係合させられることによって前記第５変速段よりも変速比が小さい第６変速段が成立させられ、前記第４クラッチおよび前記第１ブレーキが係合させられることによって前記第６変速段よりも変速比が小さい第７変速段が成立させられ、前記第３クラッチおよび前記第１ブレーキが係合させられることによって前記第７変速段よりも変速比が小さい第８変速段が成立させられるものである請求項１乃至６のいずれか１の車両用遊星歯車式多段変速機。
【請求項８】
前記第２クラッチおよび前記第２ブレーキが係合させられることによって後進変速段が成立させられるものである請求項１乃至７のいずれか１の車両用遊星歯車式多段変速機。
【請求項９】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、２組の動力伝達部材から成る第１中間出力経路および該第１中間出力経路に対して減速回転させて出力する第２中間出力経路を介して、前記入力回転部材の回転を前記第２変速部へ伝達し、
前記第２変速部は、前記第２軸心に同心に且つ順次配設される、第１遊星歯車装置と第２遊星歯車装置と第３遊星歯車装置との３組の遊星歯車装置を備え、該３組の遊星歯車装置のサンギヤ、キャリア、およびリングギヤの一部が互いに連結されることによって５つの回転要素が構成されるとともに、該５つの回転要素の回転速度を直線上で表すことができる共線図上において該５つの回転要素を一端から他端へ向かって順番に第１回転要素、第２回転要素、第３回転要素、第４回転要素、および第５回転要素としたとき、該第１回転要素は第２クラッチを介して前記第２中間出力経路を該第２軸心側で構成する第２ドリブン部材に選択的に連結されるとともに第１ブレーキを介して非回転部材に選択的に連結され、該第２回転要素は第３クラッチを介して前記第１中間出力経路を前記第２軸心側で構成する第１ドリブン部材に選択的に連結され、該第３回転要素は第４クラッチを介して前記第１ドリブン部材に選択的に連結されるとともに第２ブレーキを介して非回転部材に選択的に連結され、該第４回転要素は前記出力回転部材に連結され、該第５回転要素は第１クラッチを介して前記第２ドリブン部材に選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項１０】
前記第１遊星歯車装置は第１サンギヤ、第１キャリア、および第１リングギヤを備え、該第１キャリアによって回転可能に支持された互いに噛み合う一対の第１遊星歯車を有するダブルピニオン型遊星歯車装置であり、前記第２遊星歯車装置は第２サンギヤ、第２キャリア、および第２リングギヤを備え、該第２キャリアによって回転可能に支持された第２遊星歯車を有するシングルピニオン型遊星歯車装置であり、前記第３遊星歯車装置は第３サンギヤ、第３キャリア、および第３リングギヤを備え、該第３キャリアによって回転可能に支持された第３遊星歯車を有するシングルピニオン型遊星歯車装置であり、
前記第１回転要素は該第１サンギヤおよび該第３サンギヤであり、前記第２回転要素は該第２リングギヤであり、前記第３回転要素は該第１リングギヤ、該第２キャリアおよび該第３キャリアであり、前記第４回転要素は該第２サンギヤおよび該第３リングギヤであり、前記第５回転要素は該第１キャリアである請求項９の車両用遊星歯車式多段変速機。
【請求項１１】
前記第１遊星歯車装置は第１サンギヤ、第１キャリア、および第１リングギヤを備え、該第１キャリアによって回転可能に支持された第１遊星歯車を有するシングルピニオン型遊星歯車装置であり、前記第２遊星歯車装置は第２サンギヤ、第２キャリア、および第２リングギヤを備え、該第２キャリアによって回転可能に支持された互いに噛み合う一対の第２遊星歯車を有するダブルピニオン型遊星歯車装置であり、前記第３遊星歯車装置は第３サンギヤ、第３キャリア、および第３リングギヤを備え、該第３キャリアによって回転可能に支持された第３遊星歯車を有するシングルピニオン型遊星歯車装置であり、
前記第１回転要素は該第１サンギヤおよび該第２サンギヤであり、前記第２回転要素は該第３リングギヤであり、前記第３回転要素は該第２リングギヤおよび該第３キャリアであり、前記第４回転要素は該第１キャリア、該第２キャリアおよび該第３サンギヤであり、前記第５回転要素は該第１リングギヤである請求項９の車両用遊星歯車式多段変速機。
【請求項１２】
前記第１遊星歯車装置は第１サンギヤ、第１キャリア、および第１リングギヤを備え、該第１キャリアによって回転可能に支持された第１遊星歯車を有するシングルピニオン型遊星歯車装置であり、前記第２遊星歯車装置は第２サンギヤ、第２キャリア、および第２リングギヤを備え、該第２キャリアによって回転可能に支持された第２遊星歯車を有するシングルピニオン型遊星歯車装置であり、前記第３遊星歯車装置は第３サンギヤ、第３キャリア、および第３リングギヤを備え、該第３キャリアによって回転可能に支持された第３遊星歯車を有するシングルピニオン型遊星歯車装置であり、
前記第１回転要素は該第２サンギヤおよび該第３サンギヤであり、前記第２回転要素は該第１リングギヤであり、前記第３回転要素は該第１キャリアおよび該第２キャリアであり、前記第４回転要素は該第１サンギヤ、該第２リングギヤおよび該第３キャリアであり、前記第５回転要素は該第３リングギヤである請求項９の車両用遊星歯車式多段変速機。
【請求項１３】
前記第１遊星歯車装置は第１サンギヤ、第１キャリア、および第１リングギヤを備え、該第１キャリアによって回転可能に支持された第１遊星歯車を有するシングルピニオン型遊星歯車装置であり、前記第２遊星歯車装置は第２サンギヤ、第２キャリア、および第２リングギヤを備え、該第２キャリアによって回転可能に支持された互いに噛み合う一対の第２遊星歯車を有するダブルピニオン型遊星歯車装置であり、前記第３遊星歯車装置は第３サンギヤ、第３キャリア、および第３リングギヤを備え、該第３キャリアによって回転可能に支持された第３遊星歯車を有するシングルピニオン型遊星歯車装置であり、
前記第１回転要素は該第３サンギヤであり、前記第２回転要素は該第１リングギヤであり、前記第３回転要素は該第１キャリアおよび該第２サンギヤであり、前記第４回転要素は該第１サンギヤ、該第２リングギヤおよび該第３キャリアであり、前記第５回転要素は該第２キャリアおよび該第３リングギヤである請求項９の車両用遊星歯車式多段変速機。
【請求項１４】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、２組の動力伝達部材から成る第１中間出力経路および該第１中間出力経路に対して減速回転させて出力する第２中間出力経路を介して、前記入力回転部材の回転を前記第２変速部へ伝達し、
前記第２変速部は、前記第２軸心に同心に且つ順次配設される、第１サンギヤ、第１キャリア、および第１リングギヤを備え、該第１キャリアによって回転可能に支持された互いに噛み合う一対の第１遊星歯車を有するダブルピニオン型の第１遊星歯車装置と、第２サンギヤ、第２キャリア、および第２リングギヤを備え、該第２キャリアによって回転可能に支持された第２遊星歯車を有するシングルピニオン型の第２遊星歯車装置と、第３サンギヤ、第３キャリア、および第３リングギヤを備え、該第３キャリアによって回転可能に支持された第３遊星歯車を有するシングルピニオン型の第３遊星歯車装置とを含み、該第１サンギヤおよび該第３サンギヤは第２クラッチを介して前記第２中間出力経路を該第２軸心側で構成する第２ドリブン部材に選択的に連結されるとともに第１ブレーキを介して非回転部材に選択的に連結され、該第２リングギヤは第３クラッチを介して前記第１中間出力経路を前記第２軸心側で構成する第１ドリブン部材に選択的に連結され、該第１リングギヤ、該第２キャリアおよび該第３キャリアは第４クラッチを介して前記第１ドリブン部材に選択的に連結されるとともに第２ブレーキを介して非回転部材に選択的に連結され、該第２サンギヤおよび該第３リングギヤは前記出力回転部材に連結され、該第１キャリアは第１クラッチを介して前記第２ドリブン部材に選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項１５】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、２組の動力伝達部材から成る第１中間出力経路および該第１中間出力経路に対して減速回転させて出力する第２中間出力経路を介して、前記入力回転部材の回転を前記第２変速部へ伝達し、
前記第２変速部は、前記第２軸心に同心に且つ順次配設される、第１サンギヤ、第１キャリア、および第１リングギヤを備え、該第１キャリアによって回転可能に支持された第１遊星歯車を有するシングルピニオン型の第１遊星歯車装置と、第２サンギヤ、第２キャリア、および第２リングギヤを備え、該第２キャリアによって回転可能に支持された互いに噛み合う一対の第２遊星歯車を有するダブル型の第２遊星歯車装置と、第３サンギヤ、第３キャリア、および第３リングギヤを備え、該第３キャリアによって回転可能に支持された第３遊星歯車を有するシングルピニオン型の第３遊星歯車装置とを含み、該第１サンギヤおよび該第２サンギヤは第２クラッチを介して前記第２中間出力経路を該第２軸心側で構成する第２ドリブン部材に選択的に連結されるとともに第１ブレーキを介して非回転部材に選択的に連結され、該第３リングギヤは第３クラッチを介して前記第１中間出力経路を前記第２軸心側で構成する第１ドリブン部材に選択的に連結され、該第２リングギヤおよび該第３キャリアは第４クラッチを介して前記第１ドリブン部材に選択的に連結されるとともに第２ブレーキを介して非回転部材に選択的に連結され、該第１キャリア、該第２キャリアおよび該第３サンギヤは前記出力回転部材に連結され、該第１リングギヤは第１クラッチを介して前記第２ドリブン部材に選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項１６】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、２組の動力伝達部材から成る第１中間出力経路および該第１中間出力経路に対して減速回転させて出力する第２中間出力経路を介して、前記入力回転部材の回転を前記第２変速部へ伝達し、
前記第２変速部は、前記第２軸心に同心に且つ順次配設される、第１サンギヤ、第１キャリア、および第１リングギヤを備え、該第１キャリアによって回転可能に支持された第１遊星歯車を有するシングルピニオン型の第１遊星歯車装置と、第２サンギヤ、第２キャリア、および第２リングギヤを備え、該第２キャリアによって回転可能に支持された第２遊星歯車を有するシングルピニオン型の第２遊星歯車装置と、第３サンギヤ、第３キャリア、および第３リングギヤを備え、該第３キャリアによって回転可能に支持された第３遊星歯車を有するシングルピニオン型の第３遊星歯車装置とを含み、該第２サンギヤおよび該第３サンギヤは第２クラッチを介して前記第２中間出力経路を該第２軸心側で構成する第２ドリブン部材に選択的に連結されるとともに第１ブレーキを介して非回転部材に選択的に連結され、該第１リングギヤは第３クラッチを介して前記第１中間出力経路を前記第２軸心側で構成する第１ドリブン部材に選択的に連結され、該第１キャリアおよび該第２キャリアは第４クラッチを介して前記第１ドリブン部材に選択的に連結されるとともに第２ブレーキを介して非回転部材に選択的に連結され、該第１サンギヤ、該第２リングギヤおよび該第３キャリアは前記出力回転部材に連結され、該第３リングギヤは第１クラッチを介して前記第２ドリブン部材に選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項１７】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、２組の動力伝達部材から成る第１中間出力経路および該第１中間出力経路に対して減速回転させて出力する第２中間出力経路を介して、前記入力回転部材の回転を前記第２変速部へ伝達し、
前記第２変速部は、前記第２軸心に同心に且つ順次配設される、第１サンギヤ、第１キャリア、および第１リングギヤを備え、該第１キャリアによって回転可能に支持された第１遊星歯車を有するシングルピニオン型の第１遊星歯車装置と、第２サンギヤ、第２キャリア、および第２リングギヤを備え、該第２キャリアによって回転可能に支持された互いに噛み合う一対の第２遊星歯車を有するダブル型の第２遊星歯車装置と、第３サンギヤ、第３キャリア、および第３リングギヤを備え、該第３キャリアによって回転可能に支持された第３遊星歯車を有するシングルピニオン型の第３遊星歯車装置とを含み、該第３サンギヤは第２クラッチを介して前記第２中間出力経路を該第２軸心側で構成する第２ドリブン部材に選択的に連結されるとともに第１ブレーキを介して非回転部材に選択的に連結され、該第１リングギヤは第３クラッチを介して前記第１中間出力経路を前記第２軸心側で構成する第１ドリブン部材に選択的に連結され、該第１キャリアおよび該第２サンギヤは第４クラッチを介して前記第１ドリブン部材に選択的に連結されるとともに第２ブレーキを介して非回転部材に選択的に連結され、該第１サンギヤ、該第２リングギヤおよび該第３キャリアは前記出力回転部材に連結され、該第２キャリアおよび該第３リングギヤは第１クラッチを介して前記第２ドリブン部材に選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項１８】
前記第１キャリアと前記第２キャリアおよび前記第１サンギヤと前記第２サンギヤとはそれぞれ共通の部材で構成されるとともに、前記第１遊星歯車が互いに噛み合う一対の前記第２遊星歯車のいずれか１つを兼ねているものである請求項１１または１５の車両用遊星歯車式多段変速機。
【請求項１９】
前記第１クラッチおよび前記第２ブレーキが係合させられることによって最も大きい変速比の第１変速段が成立させられ、前記第１クラッチおよび前記第１ブレーキが係合させられることによって前記第１変速段よりも変速比が小さい第２変速段が成立させられ、前記第１クラッチおよび前記第２クラッチが係合させられることによって前記第２変速段よりも変速比が小さい第３変速段が成立させられ、前記第１クラッチおよび前記第３クラッチが係合させられること、または前記第１クラッチおよび前記第４クラッチが係合させられることによって前記第３変速段よりも変速比が小さい第４変速段が成立させられ、前記第３クラッチおよび前記第４クラッチが係合させられることによって前記第４変速段よりも変速比が小さい第５変速段が成立させられ、前記第２クラッチおよび前記第４クラッチが係合させられることによって前記第５変速段よりも変速比が小さい第６変速段が成立させられ、前記第４クラッチおよび前記第１ブレーキが係合させられることによって前記第６変速段よりも変速比が小さい第７変速段が成立させられ、前記第３クラッチおよび前記第１ブレーキが係合させられることによって前記第７変速段よりも変速比が小さい第８変速段が成立させられるものである請求項９乃至１８のいずれか１の車両用遊星歯車式多段変速機。
【請求項２０】
前記第２クラッチおよび前記第２ブレーキが係合させられることによって後進変速段が成立させられるものである請求項９乃至１９のいずれか１の車両用遊星歯車式多段変速機。
【請求項２１】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、２組の動力伝達部材から成る第１中間出力経路および該第１中間出力経路に対して減速回転させて出力する第２中間出力経路を介して、前記入力回転部材の回転を前記第２変速部へ伝達し、
前記第２変速部は、前記第２軸心に同心に且つ順次配設される、第１遊星歯車装置と第２遊星歯車装置と第３遊星歯車装置との３組の遊星歯車装置を備え、該３組の遊星歯車装置のサンギヤ、キャリア、およびリングギヤの一部が互いに連結されることによって５つの回転要素が構成されるとともに、該５つの回転要素の回転速度を直線上で表すことができる共線図上において該５つの回転要素を一端から他端へ向かって順番に第１回転要素、第２回転要素、第３回転要素、第４回転要素、および第５回転要素としたとき、該第１回転要素は第２クラッチを介して前記第２中間出力経路を該第２軸心側で構成する第２ドリブン部材に選択的に連結されるとともに第１ブレーキを介して非回転部材に選択的に連結され、該第２回転要素は第３クラッチを介して前記第１中間出力経路を前記第２軸心側で構成する第１ドリブン部材に選択的に連結されるとともに第２ブレーキを介して非回転部材に選択的に連結され、該第３回転要素は第３ブレーキを介して非回転部材に選択的に連結され、該第４回転要素は前記出力回転部材に連結され、該第５回転要素は第１クラッチを介して前記第２ドリブン部材に選択的に連結され、さらに第４クラッチを介して該第３回転要素と前記第１ドリブン部材とが或いは該第３回転要素と該第５回転要素とが或いは該第５回転要素と前記第１ドリブン部材とが或いは該第１回転要素と前記第１ドリブン部材とが選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項２２】
前記第１遊星歯車装置は第１サンギヤ、第１キャリア、および第１リングギヤを備え、該第１キャリアによって回転可能に支持された第１遊星歯車を有するシングルピニオン型遊星歯車装置であり、前記第２遊星歯車装置は第２サンギヤ、第２キャリア、および第２リングギヤを備え、該第２キャリアによって回転可能に支持された互いに噛み合う一対の第２遊星歯車を有するダブルピニオン型遊星歯車装置であり、前記第３遊星歯車装置は第３サンギヤ、第３キャリア、および第３リングギヤを備え、該第３キャリアによって回転可能に支持された第３遊星歯車を有するシングルピニオン型遊星歯車装置であり、
前記第１回転要素は該第３サンギヤであり、前記第２回転要素は該第１リングギヤであり、前記第３回転要素は該第１キャリアおよび該第２キャリアであり、前記第４回転要素は該第２リングギヤおよび該第３キャリアであり、前記第５回転要素は該第１サンギヤ、該第２サンギヤおよび該第３リングギヤである請求項２１の車両用遊星歯車式多段変速機。
【請求項２３】
前記第１遊星歯車装置は第１サンギヤ、第１キャリア、および第１リングギヤを備え、該第１キャリアによって回転可能に支持された互いに噛み合う一対の第１遊星歯車を有するダブルピニオン型遊星歯車装置であり、前記第２遊星歯車装置は第２サンギヤ、第２キャリア、および第２リングギヤを備え、該第２キャリアによって回転可能に支持された第２遊星歯車を有するシングルピニオン型遊星歯車装置であり、前記第３遊星歯車装置は第３サンギヤ、第３キャリア、および第３リングギヤを備え、該第３キャリアによって回転可能に支持された第３遊星歯車を有するシングルピニオン型遊星歯車装置であり、
前記第１回転要素は該第２サンギヤおよび該第３サンギヤであり、前記第２回転要素は該第１キャリアおよび該第２キャリアであり、前記第３回転要素は該第１リングギヤおよび該第２リングギヤであり、前記第４回転要素は該第１サンギヤおよび該第３キャリアであり、前記第５回転要素は該第３リングギヤである請求項２１の車両用遊星歯車式多段変速機。
【請求項２４】
前記第１遊星歯車装置は第１サンギヤ、第１キャリア、および第１リングギヤを備え、該第１キャリアによって回転可能に支持された第１遊星歯車を有するシングルピニオン型遊星歯車装置であり、前記第２遊星歯車装置は第２サンギヤ、第２キャリア、および第２リングギヤを備え、該第２キャリアによって回転可能に支持された互いに噛み合う一対の第２遊星歯車を有するダブルピニオン型遊星歯車装置であり、前記第３遊星歯車装置は第３サンギヤ、第３キャリア、および第３リングギヤを備え、該第３キャリアによって回転可能に支持された第３遊星歯車を有するシングルピニオン型遊星歯車装置であり、
前記第１回転要素は該第１サンギヤおよび該第３サンギヤであり、前記第２回転要素は該第１キャリアおよび該第２キャリアであり、前記第３回転要素は該第１リングギヤおよび該第２リングギヤであり、前記第４回転要素は該第２サンギヤおよび該第３キャリアであり、前記第５回転要素は該第３リングギヤである請求項２１の車両用遊星歯車式多段変速機。
【請求項２５】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、２組の動力伝達部材から成る第１中間出力経路および該第１中間出力経路に対して減速回転させて出力する第２中間出力経路を介して、前記入力回転部材の回転を前記第２変速部へ伝達し、
前記第２変速部は、前記第２軸心に同心に且つ順次配設される、第１サンギヤ、第１キャリア、および第１リングギヤを備え、該第１キャリアによって回転可能に支持された第１遊星歯車を有するシングルピニオン型の第１遊星歯車装置と、第２サンギヤ、第２キャリア、および第２リングギヤを備え、該第２キャリアによって回転可能に支持された互いに噛み合う一対の第２遊星歯車を有するダブルピニオン型の第２遊星歯車装置と、第３サンギヤ、第３キャリア、および第３リングギヤを備え、該第３キャリアによって回転可能に支持された第３遊星歯車を有するシングルピニオン型の第３遊星歯車装置とを含み、該第３サンギヤは第２クラッチを介して前記第２中間出力経路を該第２軸心側で構成する第２ドリブン部材に選択的に連結されるとともに第１ブレーキを介して非回転部材に選択的に連結され、該第１リングギヤは第３クラッチを介して前記第１中間出力経路を前記第２軸心側で構成する第１ドリブン部材に選択的に連結されるとともに第２ブレーキを介して非回転部材に選択的に連結され、該第１キャリアおよび該第２キャリアは第４クラッチを介して前記第１ドリブン部材に選択的に連結されるとともに第３ブレーキを介して非回転部材に選択的に連結され、該第２リングギヤおよび該第３キャリアは前記出力回転部材に連結され、該第１サンギヤ、該第２サンギヤおよび該第３リングギヤは第１クラッチを介して前記第２ドリブン部材に選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項２６】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、２組の動力伝達部材から成る第１中間出力経路および該第１中間出力経路に対して減速回転させて出力する第２中間出力経路を介して、前記入力回転部材の回転を前記第２変速部へ伝達し、
前記第２変速部は、前記第２軸心に同心に且つ順次配設される、第１サンギヤ、第１キャリア、および第１リングギヤを備え、該第１キャリアによって回転可能に支持された第１遊星歯車を有するシングルピニオン型の第１遊星歯車装置と、第２サンギヤ、第２キャリア、および第２リングギヤを備え、該第２キャリアによって回転可能に支持された互いに噛み合う一対の第２遊星歯車を有するダブルピニオン型の第２遊星歯車装置と、第３サンギヤ、第３キャリア、および第３リングギヤを備え、該第３キャリアによって回転可能に支持された第３遊星歯車を有するシングルピニオン型の第３遊星歯車装置とを含み、該第３サンギヤは第２クラッチを介して前記第２中間出力経路を該第２軸心側で構成する第２ドリブン部材に選択的に連結されるとともに第１ブレーキを介して非回転部材に選択的に連結され、該第１リングギヤは第３クラッチを介して前記第１中間出力経路を前記第２軸心側で構成する第１ドリブン部材に選択的に連結されるとともに第２ブレーキを介して非回転部材に選択的に連結され、該第１キャリアおよび該第２キャリアは第３ブレーキを介して非回転部材に選択的に連結され、該第２リングギヤおよび該第３キャリアは前記出力回転部材に連結され、該第１サンギヤ、該第２サンギヤおよび該第３リングギヤは第４クラッチを介して前記第１ドリブン部材に選択的に連結されるとともに第１クラッチを介して前記第２ドリブン部材に選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項２７】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、２組の動力伝達部材から成る第１中間出力経路および該第１中間出力経路に対して減速回転させて出力する第２中間出力経路を介して、前記入力回転部材の回転を前記第２変速部へ伝達し、
前記第２変速部は、前記第２軸心に同心に且つ順次配設される、第１サンギヤ、第１キャリア、および第１リングギヤを備え、該第１キャリアによって回転可能に支持された第１遊星歯車を有するシングルピニオン型の第１遊星歯車装置と、第２サンギヤ、第２キャリア、および第２リングギヤを備え、該第２キャリアによって回転可能に支持された互いに噛み合う一対の第２遊星歯車を有するダブルピニオン型の第２遊星歯車装置と、第３サンギヤ、第３キャリア、および第３リングギヤを備え、該第３キャリアによって回転可能に支持された第３遊星歯車を有するシングルピニオン型の第３遊星歯車装置とを含み、該第３サンギヤは第２クラッチを介して前記第２中間出力経路を該第２軸心側で構成する第２ドリブン部材に選択的に連結されるとともに第１ブレーキを介して非回転部材に選択的に連結され、該第１リングギヤは第３クラッチを介して前記第１中間出力経路を前記第２軸心側で構成する第１ドリブン部材に選択的に連結されるとともに第２ブレーキを介して非回転部材に選択的に連結され、該第１キャリアおよび該第２キャリアは第３ブレーキを介して非回転部材に選択的に連結され、該第２リングギヤおよび該第３キャリアは前記出力回転部材に連結され、該第１サンギヤ、該第２サンギヤおよび該第３リングギヤは第１クラッチを介して前記第２ドリブン部材に選択的に連結され、該第１キャリアおよび該第２キャリアと該第１サンギヤ、該第２サンギヤおよび該第３リングギヤとは第４クラッチを介して選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項２８】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、２組の動力伝達部材から成る第１中間出力経路および該第１中間出力経路に対して減速回転させて出力する第２中間出力経路を介して、前記入力回転部材の回転を前記第２変速部へ伝達し、
前記第２変速部は、前記第２軸心に同心に且つ順次配設される、第１サンギヤ、第１キャリア、および第１リングギヤを備え、該第１キャリアによって回転可能に支持された互いに噛み合う一対の第１遊星歯車を有するダブルピニオン型の第１遊星歯車装置と、第２サンギヤ、第２キャリア、および第２リングギヤを備え、該第２キャリアによって回転可能に支持された第２遊星歯車を有するシングルピニオン型の第２遊星歯車装置と、第３サンギヤ、第３キャリア、および第３リングギヤを備え、該第３キャリアによって回転可能に支持された第３遊星歯車を有するシングルピニオン型の第３遊星歯車装置とを含み、該第２サンギヤおよび該第３サンギヤは第２クラッチを介して前記第２中間出力経路を該第２軸心側で構成する第２ドリブン部材に選択的に連結されるとともに第１ブレーキを介して非回転部材に選択的に連結され、該第１キャリアおよび該第２キャリアは第３クラッチを介して前記第１ドリブン部材に選択的に連結されるとともに第２ブレーキを介して非回転部材に選択的に連結され、該第１リングギヤおよび該第２リングギヤは第４クラッチを介して前記第１中間出力経路を前記第２軸心側で構成する第１ドリブン部材に選択的に連結されるとともに第３ブレーキを介して非回転部材に選択的に連結され、該第１サンギヤおよび該第３キャリアは前記出力回転部材に連結され、該第３リングギヤは第１クラッチを介して前記第２ドリブン部材に選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項２９】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、２組の動力伝達部材から成る第１中間出力経路および該第１中間出力経路に対して減速回転させて出力する第２中間出力経路を介して、前記入力回転部材の回転を前記第２変速部へ伝達し、
前記第２変速部は、前記第２軸心に同心に且つ順次配設される、第１サンギヤ、第１キャリア、および第１リングギヤを備え、該第１キャリアによって回転可能に支持された第１遊星歯車を有するシングルピニオン型の第１遊星歯車装置と、第２サンギヤ、第２キャリア、および第２リングギヤを備え、該第２キャリアによって回転可能に支持された互いに噛み合う一対の第２遊星歯車を有するダブルピニオン型の第２遊星歯車装置と、第３サンギヤ、第３キャリア、および第３リングギヤを備え、該第３キャリアによって回転可能に支持された第３遊星歯車を有するシングルピニオン型の第３遊星歯車装置とを含み、該第１サンギヤおよび該第３サンギヤは第２クラッチを介して前記第２中間出力経路を該第２軸心側で構成する第２ドリブン部材に選択的に連結され、さらに第４クラッチを介して前記第１ドリブン部材に選択的に連結されるとともに第１ブレーキを介して非回転部材に選択的に連結され、該第１キャリアおよび該第２キャリアは第３クラッチを介して前記第１中間出力経路を前記第２軸心側で構成する第１ドリブン部材に選択的に連結されるとともに第２ブレーキを介して非回転部材に選択的に連結され、該第１リングギヤおよび該第２リングギヤは第３ブレーキを介して非回転部材に選択的に連結され、該第２サンギヤおよび該第３キャリアは前記出力回転部材に連結され、該第３リングギヤは第１クラッチを介して前記第２ドリブン部材に選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項３０】
前記第１キャリアと前記第２キャリアおよび前記第１サンギヤと前記第２サンギヤとはそれぞれ共通の部材で構成されるとともに、前記第１遊星歯車が互いに噛み合う一対の前記第２遊星歯車のいずれか１つを兼ねているものである請求項２２および請求項２５乃至２７のいずれか１の車両用遊星歯車式多段変速機。
【請求項３１】
前記第１クラッチおよび前記第３ブレーキが係合させられることによって最も大きい変速比の第１変速段が成立させられ、前記第１クラッチおよび前記第２ブレーキが係合させられることによって前記第１変速段よりも変速比が小さい第２変速段が成立させられ、前記第１クラッチおよび前記第１ブレーキが係合させられることによって前記第２変速段よりも変速比が小さい第３変速段が成立させられ、前記第１クラッチおよび前記第２クラッチが係合させられることによって前記第３変速段よりも変速比が小さい第４変速段が成立させられ、前記第１クラッチおよび前記第３クラッチが係合させられることによって前記第４変速段よりも変速比が小さい第５変速段が成立させられ、前記第３クラッチおよび前記第４クラッチが係合させられることによって前記第５変速段よりも変速比が小さい第６変速段が成立させられ、前記第２クラッチおよび前記第３クラッチが係合させられることによって前記第６変速段よりも変速比が小さい第７変速段が成立させられ、前記第３クラッチおよび前記第１ブレーキが係合させられることによって前記第７変速段よりも変速比が小さい第８変速段が成立させられるものである請求項２１乃至３０のいずれか１の車両用遊星歯車式多段変速機。
【請求項３２】
前記第２クラッチおよび前記第２ブレーキが係合させられることによって後進変速段が成立させられるか、或いは前記第２クラッチおよび前記第２ブレーキが係合させられることによって第１後進変速段が成立させられ、前記第４クラッチおよび前記第３ブレーキが係合させられることによって前記第１後進変速段よりも変速比が大きい第２後進変速段が成立させられるものである請求項２１乃至３１のいずれか１の車両用遊星歯車式多段変速機。
【請求項３３】
第１変速部および第２変速部を備え、駆動力源側に位置して該駆動力源により第１軸心まわりに回転駆動される入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、互いに並列に配置された２組の動力伝達部材から成る第１中間出力経路および該第１中間出力経路に対して増速回転させて出力する第２中間出力経路を介して、前記入力回転部材の回転を前記第２変速部へ伝達し、
前記第２変速部は、前記第２軸心に同心に且つ前記２組の動力伝達部材よりも前記駆動力源側に順次配設される、第１遊星歯車装置と第２遊星歯車装置と第３遊星歯車装置との３組の遊星歯車装置を備え、該３組の遊星歯車装置のサンギヤ、キャリア、およびリングギヤの一部が互いに連結されることによって５つの回転要素が構成されるとともに、該５つの回転要素の回転速度を直線上で表すことができる共線図上において該５つの回転要素を一端から他端へ向かって順番に第１回転要素、第２回転要素、第３回転要素、第４回転要素、および第５回転要素としたとき、該第１回転要素は第１クラッチを介して前記第１中間出力経路を前記第２軸心側で構成する第１ドリブン部材に選択的に連結されるとともに第３クラッチを介して前記第２中間出力経路を該第２軸心側で構成する第２ドリブン部材に選択的に連結され、該第２回転要素は第２クラッチを介して前記第１ドリブン部材に選択的に連結されるとともに第１ブレーキを介して非回転部材に選択的に連結され、該第３回転要素は前記出力回転部材に連結され、該第４回転要素は第２ブレーキを介して非回転部材に選択的に連結され、該第５回転要素は第４クラッチを介して前記第２ドリブン部材に選択的に連結されるものであり、
前記クラッチおよびブレーキの係合、解放状態を選択的に切り換えることにより前進多段の変速段が成立させられることを特徴とする車両用遊星歯車式多段変速機。
【請求項３４】
前記第１遊星歯車装置は第１サンギヤ、第１キャリア、および第１リングギヤを備え、該第１キャリアによって回転可能に支持された互いに噛み合う一対の第１遊星歯車を有するダブルピニオン型遊星歯車装置であり、前記第２遊星歯車装置は第２サンギヤ、第２キャリア、および第２リングギヤを備え、該第２キャリアによって回転可能に支持された第２遊星歯車を有するシングルピニオン型遊星歯車装置であり、前記第３遊星歯車装置は第３サンギヤ、第３キャリア、および第３リングギヤを備え、該第３キャリアによって回転可能に支持された第３遊星歯車を有するシングルピニオン型遊星歯車装置であり、
前記第１回転要素は該第２サンギヤであり、前記第２回転要素は該第１キャリア、該第２キャリアおよび該第３リングギヤであり、前記第３回転要素は該第１リングギヤ、該第２リングギヤおよび該第３キャリアであり、前記第４回転要素は該第１サンギヤであり、前記第５回転要素は該第３サンギヤである請求項３３の車両用遊星歯車式多段変速機。
【請求項３５】
前記第１遊星歯車装置は第１サンギヤ、第１キャリア、および第１リングギヤを備え、該第１キャリアによって回転可能に支持された第１遊星歯車を有するシングルピニオン型遊星歯車装置であり、前記第２遊星歯車装置は第２サンギヤ、第２キャリア、および第２リングギヤを備え、該第２キャリアによって回転可能に支持された互いに噛み合う一対の第２遊星歯車を有するダブルピニオン型遊星歯車装置であり、前記第３遊星歯車装置は第３サンギヤ、第３キャリア、および第３リングギヤを備え、該第３キャリアによって回転可能に支持された第３遊星歯車を有するシングルピニオン型遊星歯車装置であり、
前記第１回転要素は該第３サンギヤであり、前記第２回転要素は該第１サンギヤ、該第２キャリアおよび該第３キャリアであり、前記第３回転要素は該第２リングギヤおよび該第３リングギヤであり、前記第４回転要素は該第１キャリアであり、前記第５回転要素は該第１リングギヤおよび該第２サンギヤである請求項３３の車両用遊星歯車式多段変速機。
【請求項３６】
前記第１遊星歯車装置は第１サンギヤ、第１キャリア、および第１リングギヤを備え、該第１キャリアによって回転可能に支持された第１遊星歯車を有するシングルピニオン型遊星歯車装置であり、前記第２遊星歯車装置は第２サンギヤ、第２キャリア、および第２リングギヤを備え、該第２キャリアによって回転可能に支持された互いに噛み合う一対の第２遊星歯車を有するダブルピニオン型遊星歯車装置であり、前記第３遊星歯車装置は第３サンギヤ、第３キャリア、および第３リングギヤを備え、該第３キャリアによって回転可能に支持された第３遊星歯車を有するシングルピニオン型遊星歯車装置であり、
前記第１回転要素は該第３サンギヤであり、前記第２回転要素は該第２キャリアおよび該第３キャリアであり、前記第３回転要素は該第１サンギヤ、該第２リングギヤおよび該第３リングギヤであり、前記第４回転要素は該第１キャリアであり、前記第５回転要素は該第１リングギヤおよび該第２サンギヤである請求項３３の車両用遊星歯車式多段変速機。
【請求項３７】
前記第１遊星歯車装置は第１サンギヤ、第１キャリア、および第１リングギヤを備え、該第１キャリアによって回転可能に支持された第１遊星歯車を有するシングルピニオン型遊星歯車装置であり、前記第２遊星歯車装置は第２サンギヤ、第２キャリア、および第２リングギヤを備え、該第２キャリアによって回転可能に支持された第２遊星歯車を有するシングルピニオン型遊星歯車装置であり、前記第３遊星歯車装置は第３サンギヤ、第３キャリア、および第３リングギヤを備え、該第３キャリアによって回転可能に支持された第３遊星歯車を有するシングルピニオン型遊星歯車装置であり、
前記第１回転要素は該第２サンギヤおよび該第３サンギヤであり、前記第２回転要素は該第３キャリアであり、前記第３回転要素は該第１サンギヤ、該第２キャリアおよび該第３リングギヤであり、前記第４回転要素は該第１キャリアおよび該第２リングギヤであり、前記第５回転要素は該第１リングギヤである請求項３３の車両用遊星歯車式多段変速機。
【請求項３８】
前記第１遊星歯車装置は第１サンギヤ、第１キャリア、および第１リングギヤを備え、該第１キャリアによって回転可能に支持された互いに噛み合う一対の第１遊星歯車を有するダブルピニオン型遊星歯車装置であり、前記第２遊星歯車装置は第２サンギヤ、第２キャリア、および第２リングギヤを備え、該第２キャリアによって回転可能に支持された第２遊星歯車を有するシングルピニオン型遊星歯車装置であり、前記第３遊星歯車装置は第３サンギヤ、第３キャリア、および第３リングギヤを備え、該第３キャリアによって回転可能に支持された第３遊星歯車を有するシングルピニオン型遊星歯車装置であり、
前記第１回転要素は該第１サンギヤであり、前記第２回転要素は該第１リングギヤおよび該第２サンギヤであり、前記第３回転要素は該第３サンギヤであり、前記第４回転要素は該第１キャリア、該第２キャリアおよび該第３キャリアであり、前記第５回転要素は該第２リングギヤおよび該第３リングギヤである請求項３３の車両用遊星歯車式多段変速機。
【請求項３９】
前記第１遊星歯車装置は第１サンギヤ、第１キャリア、および第１リングギヤを備え、該第１キャリアによって回転可能に支持された互いに噛み合う一対の第１遊星歯車を有するダブルピニオン型遊星歯車装置であり、前記第２遊星歯車装置は第２サンギヤ、第２キャリア、および第２リングギヤを備え、該第２キャリアによって回転可能に支持された第２遊星歯車を有するシングルピニオン型遊星歯車装置であり、前記第３遊星歯車装置は第３サンギヤ、第３キャリア、および第３リングギヤを備え、該第３キャリアによって回転可能に支持された第３遊星歯車を有するシングルピニオン型遊星歯車装置であり、
前記第１回転要素は該第２サンギヤおよび該第３サンギヤであり、前記第２回転要素は該第１キャリアおよび該第２キャリアであり、前記第３回転要素は該第１リングギヤ、該第２リングギヤおよび該第３キャリアであり、前記第４回転要素は該第１サンギヤであり、前記第５回転要素は該第３リングギヤである請求項３３の車両用遊星歯車式多段変速機。
【請求項４０】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、２組の動力伝達部材から成る第１中間出力経路および該第１中間出力経路に対して増速回転させて出力する第２中間出力経路を介して、前記入力回転部材の回転を前記第２変速部へ伝達し、
前記第２変速部は、前記第２軸心に同心に且つ順次配設される、第１サンギヤ、第１キャリア、および第１リングギヤを備え、該第１キャリアによって回転可能に支持された互いに噛み合う一対の第１遊星歯車を有するダブルピニオン型の第１遊星歯車装置と、第２サンギヤ、第２キャリア、および第２リングギヤを備え、該第２キャリアによって回転可能に支持された第２遊星歯車を有するシングルピニオン型の第２遊星歯車装置と、第３サンギヤ、第３キャリア、および第３リングギヤを備え、該第３キャリアによって回転可能に支持された第３遊星歯車を有するシングルピニオン型の第３遊星歯車装置とを含み、該第２サンギヤは第１クラッチを介して前記第１中間出力経路を前記第２軸心側で構成する第１ドリブン部材に選択的に連結されるとともに第３クラッチを介して前記第２中間出力経路を該第２軸心側で構成する第２ドリブン部材に選択的に連結され、該第１キャリア、該第２キャリアおよび該第３リングギヤは第２クラッチを介して前記第１ドリブン部材に選択的に連結されるとともに第１ブレーキを介して非回転部材に選択的に連結され、該第１リングギヤ、該第２リングギヤおよび該第３キャリアは前記出力回転部材に連結され、該第１サンギヤは第２ブレーキを介して非回転部材に選択的に連結され、該第３サンギヤは第４クラッチを介して前記第２ドリブン部材に選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項４１】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、２組の動力伝達部材から成る第１中間出力経路および該第１中間出力経路に対して増速回転させて出力する第２中間出力経路を介して、前記入力回転部材の回転を前記第２変速部へ伝達し、
前記第２変速部は、前記第２軸心に同心に且つ順次配設される、第１サンギヤ、第１キャリア、および第１リングギヤを備え、該第１キャリアによって回転可能に支持された第１遊星歯車を有するシングルピニオン型の第１遊星歯車装置と、第２サンギヤ、第２キャリア、および第２リングギヤを備え、該第２キャリアによって回転可能に支持された互いに噛み合う一対の第２遊星歯車を有するダブルピニオン型の第２遊星歯車装置と、第３サンギヤ、第３キャリア、および第３リングギヤを備え、該第３キャリアによって回転可能に支持された第３遊星歯車を有するシングルピニオン型の第３遊星歯車装置とを含み、該第３サンギヤは第１クラッチを介して前記第１中間出力経路を前記第２軸心側で構成する第１ドリブン部材に選択的に連結されるとともに第３クラッチを介して前記第２中間出力経路を該第２軸心側で構成する第２ドリブン部材に選択的に連結され、該第１サンギヤ、該第２キャリアおよび該第３キャリアは第２クラッチを介して前記第１ドリブン部材に選択的に連結されるとともに第１ブレーキを介して非回転部材に選択的に連結され、該第２リングギヤおよび該第３リングギヤは前記出力回転部材に連結され、該第１キャリアは第２ブレーキを介して非回転部材に選択的に連結され、該第１リングギヤおよび該第２サンギヤは第４クラッチを介して前記第２ドリブン部材に選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項４２】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、２組の動力伝達部材から成る第１中間出力経路および該第１中間出力経路に対して増速回転させて出力する第２中間出力経路を介して、前記入力回転部材の回転を前記第２変速部へ伝達し、
前記第２変速部は、前記第２軸心に同心に且つ順次配設される、第１サンギヤ、第１キャリア、および第１リングギヤを備え、該第１キャリアによって回転可能に支持された第１遊星歯車を有するシングルピニオン型の第１遊星歯車装置と、第２サンギヤ、第２キャリア、および第２リングギヤを備え、該第２キャリアによって回転可能に支持された互いに噛み合う一対の第２遊星歯車を有するダブルピニオン型の第２遊星歯車装置と、第３サンギヤ、第３キャリア、および第３リングギヤを備え、該第３キャリアによって回転可能に支持された第３遊星歯車を有するシングルピニオン型の第３遊星歯車装置とを含み、該第３サンギヤは第１クラッチを介して前記第１中間出力経路を前記第２軸心側で構成する第１ドリブン部材に選択的に連結されるとともに第３クラッチを介して前記第２中間出力経路を該第２軸心側で構成する第２ドリブン部材に選択的に連結され、該第２キャリアおよび該第３キャリアは第２クラッチを介して前記第１ドリブン部材に選択的に連結されるとともに第１ブレーキを介して非回転部材に選択的に連結され、該第１サンギヤ、該第２リングギヤおよび該第３リングギヤは前記出力回転部材に連結され、該第１キャリアは第２ブレーキを介して非回転部材に選択的に連結され、該第１リングギヤおよび該第２サンギヤは第４クラッチを介して前記第２ドリブン部材に選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項４３】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、２組の動力伝達部材から成る第１中間出力経路および該第１中間出力経路に対して増速回転させて出力する第２中間出力経路を介して、前記入力回転部材の回転を前記第２変速部へ伝達し、
前記第２変速部は、前記第２軸心に同心に且つ順次配設される、第１サンギヤ、第１キャリア、および第１リングギヤを備え、該第１キャリアによって回転可能に支持された第１遊星歯車を有するシングルピニオン型の第１遊星歯車装置と、第２サンギヤ、第２キャリア、および第２リングギヤを備え、該第２キャリアによって回転可能に支持された第２遊星歯車を有するシングルピニオン型の第２遊星歯車装置と、第３サンギヤ、第３キャリア、および第３リングギヤを備え、該第３キャリアによって回転可能に支持された第３遊星歯車を有するシングルピニオン型の第３遊星歯車装置とを含み、該第２サンギヤおよび該第３サンギヤは第１クラッチを介して前記第１中間出力経路を前記第２軸心側で構成する第１ドリブン部材に選択的に連結されるとともに第３クラッチを介して前記第２中間出力経路を該第２軸心側で構成する第２ドリブン部材に選択的に連結され、該第３キャリアは第２クラッチを介して前記第１ドリブン部材に選択的に連結されるとともに第１ブレーキを介して非回転部材に選択的に連結され、該第１サンギヤ、該第２キャリアおよび該第３リングギヤは前記出力回転部材に連結され、該第１キャリアおよび該第２リングギヤは第２ブレーキを介して非回転部材に選択的に連結され、該第１リングギヤは第４クラッチを介して前記第２ドリブン部材に選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項４４】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、２組の動力伝達部材から成る第１中間出力経路および該第１中間出力経路に対して増速回転させて出力する第２中間出力経路を介して、前記入力回転部材の回転を前記第２変速部へ伝達し、
前記第２変速部は、前記第２軸心に同心に且つ順次配設される、第１サンギヤ、第１キャリア、および第１リングギヤを備え、該第１キャリアによって回転可能に支持された互いに噛み合う一対の第１遊星歯車を有するダブルピニオン型の第１遊星歯車装置と、第２サンギヤ、第２キャリア、および第２リングギヤを備え、該第２キャリアによって回転可能に支持された第２遊星歯車を有するシングルピニオン型の第２遊星歯車装置と、第３サンギヤ、第３キャリア、および第３リングギヤを備え、該第３キャリアによって回転可能に支持された第３遊星歯車を有するシングルピニオン型の第３遊星歯車装置とを含み、該第１サンギヤは第１クラッチを介して前記第１中間出力経路を前記第２軸心側で構成する第１ドリブン部材に選択的に連結されるとともに第３クラッチを介して前記第２中間出力経路を該第２軸心側で構成する第２ドリブン部材に選択的に連結され、該第１リングギヤおよび該第２サンギヤは第２クラッチを介して前記第１ドリブン部材に選択的に連結されるとともに第１ブレーキを介して非回転部材に選択的に連結され、該第３サンギヤは前記出力回転部材に連結され、該第１キャリア、該第２キャリアおよび該第３キャリアは第２ブレーキを介して非回転部材に選択的に連結され、該第２リングギヤおよび該第３リングギヤは第４クラッチを介して前記第２ドリブン部材に選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項４５】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、互いに並列に配置された２組の動力伝達部材から成る第１中間出力経路および該第１中間出力経路に対して増速回転させて出力する第２中間出力経路を介して、前記入力回転部材の回転を前記第２変速部へ伝達し、
前記第２変速部は、前記第２軸心に同心に且つ前記２組の動力伝達部材間に順次配設される、第１サンギヤ、第１キャリア、および第１リングギヤを備え、該第１キャリアによって回転可能に支持された互いに噛み合う一対の第１遊星歯車を有するダブルピニオン型の第１遊星歯車装置と、第２サンギヤ、第２キャリア、および第２リングギヤを備え、該第２キャリアによって回転可能に支持された第２遊星歯車を有するシングルピニオン型の第２遊星歯車装置と、第３サンギヤ、第３キャリア、および第３リングギヤを備え、該第３キャリアによって回転可能に支持された第３遊星歯車を有するシングルピニオン型の第３遊星歯車装置とを含み、該第２サンギヤおよび該第３サンギヤは第１クラッチを介して前記第１中間出力経路を前記第２軸心側で構成する第１ドリブン部材に選択的に連結されるとともに第３クラッチを介して前記第２中間出力経路を該第２軸心側で構成する第２ドリブン部材に選択的に連結され、該第１キャリアおよび該第２キャリアは第２クラッチを介して前記第１ドリブン部材に選択的に連結されるとともに第１ブレーキを介して非回転部材に選択的に連結され、該第１リングギヤ、該第２リングギヤおよび該第３キャリアは前記出力回転部材に連結され、該第１サンギヤは第２ブレーキを介して非回転部材に選択的に連結され、該第３リングギヤは第４クラッチを介して前記第２ドリブン部材に選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項４６】
前記第２キャリアと前記第３キャリアおよび前記第２リングギヤと前記第３リングギヤとはそれぞれ共通の部材で構成されるとともに、前記第３遊星歯車が互いに噛み合う一対の前記第２遊星歯車のいずれか１つを兼ねているものである請求項３５、３６、４１および請求項４２のいずれか１の車両用遊星歯車式多段変速機。
【請求項４７】
前記第１クラッチおよび前記第２ブレーキが係合させられることによって最も大きい変速比の第１変速段が成立させられ、前記第３クラッチおよび前記第２ブレーキが係合させられることによって前記第１変速段よりも変速比が小さい第２変速段が成立させられ、前記第２クラッチおよび前記第２ブレーキが係合させられることによって前記第２変速段よりも変速比が小さい第３変速段が成立させられ、前記第２クラッチおよび前記第３クラッチが係合させられることによって前記第３変速段よりも変速比が小さい第４変速段が成立させられ、前記第１クラッチおよび前記第２クラッチが係合させられることによって前記第４変速段よりも変速比が小さい第５変速段が成立させられ、前記第２クラッチおよび前記第４クラッチが係合させられることによって前記第５変速段よりも変速比が小さい第６変速段が成立させられ、前記第１クラッチおよび前記第４クラッチが係合させられることによって前記第６変速段よりも変速比が小さい第７変速段が成立させられ、前記第３クラッチおよび前記第４クラッチが係合させられることによって前記第７変速段よりも変速比が小さい第８変速段が成立させられるものである請求項３３乃至４６のいずれか１の車両用遊星歯車式多段変速機。
【請求項４８】
前記第１クラッチおよび前記第１ブレーキが係合させられることによって後進変速段が成立させられるものである請求項３３乃至４７のいずれか１の車両用遊星歯車式多段変速機。
【請求項４９】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、２組の動力伝達部材から成る第１中間出力経路および該第１中間出力経路に対して増速回転させて出力する第２中間出力経路を介して、前記入力回転部材の回転を前記第２変速部へ伝達し、
前記第２変速部は、前記第２軸心に同心に且つ順次配設される、第１遊星歯車装置と第２遊星歯車装置と第３遊星歯車装置との３組の遊星歯車装置を備え、該３組の遊星歯車装置のサンギヤ、キャリア、およびリングギヤの一部が互いに連結されることによって５つの回転要素が構成されるとともに、該５つの回転要素の回転速度を直線上で表すことができる共線図上において該５つの回転要素を一端から他端へ向かって順番に第１回転要素、第２回転要素、第３回転要素、第４回転要素、および第５回転要素としたとき、該第１回転要素は第１クラッチを介して前記第１中間出力経路を前記第２軸心側で構成する第１ドリブン部材に選択的に連結されるとともに第４クラッチを介して前記第２中間出力経路を該第２軸心側で構成する第２ドリブン部材に選択的に連結され、該第２回転要素は第２クラッチを介して前記第１ドリブン部材に選択的に連結され、該第３回転要素は第３クラッチを介して前記第１ドリブン部材に選択的に連結されるか、或いは第３クラッチを介して前記第１ドリブン部材に選択的に連結されるとともに第２ブレーキを介して非回転部材に選択的に連結され、該第４回転要素は前記出力回転部材に連結され、該第５回転要素は第５クラッチを介して前記第２ドリブン部材に選択的に連結されるとともに第１ブレーキを介して非回転部材に選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項５０】
前記第１遊星歯車装置は第１サンギヤ、第１キャリア、および第１リングギヤを備え、該第１キャリアによって回転可能に支持された第１遊星歯車を有するシングルピニオン型遊星歯車装置であり、前記第２遊星歯車装置は第２サンギヤ、第２キャリア、および第２リングギヤを備え、該第２キャリアによって回転可能に支持された第２遊星歯車を有するシングルピニオン型遊星歯車装置であり、前記第３遊星歯車装置は第３サンギヤ、第３キャリア、および第３リングギヤを備え、該第３キャリアによって回転可能に支持された第３遊星歯車を有するシングルピニオン型遊星歯車装置であり、
前記第１回転要素は該第１サンギヤおよび該第２サンギヤであり、前記第２回転要素は該第３サンギヤであり、前記第３回転要素は該第２キャリアであり、前記第４回転要素は該第１キャリア、該第２リングギヤおよび該第３キャリアであり、前記第５回転要素は該第１リングギヤおよび該第３リングギヤである請求項４９の車両用遊星歯車式多段変速機。
【請求項５１】
前記第１遊星歯車装置は第１サンギヤ、第１キャリア、および第１リングギヤを備え、該第１キャリアによって回転可能に支持された第１遊星歯車を有するシングルピニオン型遊星歯車装置であり、前記第２遊星歯車装置は第２サンギヤ、第２キャリア、および第２リングギヤを備え、該第２キャリアによって回転可能に支持された互いに噛み合う一対の第２遊星歯車を有するダブルピニオン型遊星歯車装置であり、前記第３遊星歯車装置は第３サンギヤ、第３キャリア、および第３リングギヤを備え、該第３キャリアによって回転可能に支持された第３遊星歯車を有するシングルピニオン型遊星歯車装置であり、
前記第１回転要素は該第１サンギヤであり、前記第２回転要素は該第２サンギヤおよび該第３サンギヤであり、前記第３回転要素は該第１キャリアおよび該第２リングギヤであり、前記第４回転要素は該第１リングギヤ、該第２キャリアおよび該第３キャリアであり、前記第５回転要素は該第３リングギヤである請求項４９の車両用遊星歯車式多段変速機。
【請求項５２】
前記第１遊星歯車装置は第１サンギヤ、第１キャリア、および第１リングギヤを備え、該第１キャリアによって回転可能に支持された互いに噛み合う一対の第１遊星歯車を有するダブルピニオン型遊星歯車装置であり、前記第２遊星歯車装置は第２サンギヤ、第２キャリア、および第２リングギヤを備え、該第２キャリアによって回転可能に支持された第２遊星歯車を有するシングルピニオン型遊星歯車装置であり、前記第３遊星歯車装置は第３サンギヤ、第３キャリア、および第３リングギヤを備え、該第３キャリアによって回転可能に支持された第３遊星歯車を有するシングルピニオン型遊星歯車装置であり、
前記第１回転要素は該第２サンギヤであり、前記第２回転要素は該第３サンギヤであり、前記第３回転要素は該第１キャリアおよび該第２キャリアであり、前記第４回転要素は該第１リングギヤ、該第２リングギヤおよび該第３キャリアであり、前記第５回転要素は該第１サンギヤおよび該第３リングギヤである請求項４９の車両用遊星歯車式多段変速機。
【請求項５３】
前記第１遊星歯車装置は第１サンギヤ、第１キャリア、および第１リングギヤを備え、該第１キャリアによって回転可能に支持された第１遊星歯車を有するシングルピニオン型遊星歯車装置であり、前記第２遊星歯車装置は第２サンギヤ、第２キャリア、および第２リングギヤを備え、該第２キャリアによって回転可能に支持された第２遊星歯車を有するシングルピニオン型遊星歯車装置であり、前記第３遊星歯車装置は第３サンギヤ、第３キャリア、および第３リングギヤを備え、該第３キャリアによって回転可能に支持された互いに噛み合う一対の第３遊星歯車を有するダブルピニオン型遊星歯車装置であり、
前記第１回転要素は該第１サンギヤであり、前記第２回転要素は該第２サンギヤおよび該第３サンギヤであり、前記第３回転要素は該第３リングギヤであり、前記第４回転要素は該第１キャリア、該第２キャリアおよび該第３キャリアであり、前記第５回転要素は該第１リングギヤおよび該第２リングギヤである請求項４９の車両用遊星歯車式多段変速機。
【請求項５４】
前記第１遊星歯車装置は第１サンギヤ、第１キャリア、および第１リングギヤを備え、該第１キャリアによって回転可能に支持された第１遊星歯車を有するシングルピニオン型遊星歯車装置であり、前記第２遊星歯車装置は第２サンギヤ、第２キャリア、および第２リングギヤを備え、該第２キャリアによって回転可能に支持された互いに噛み合う一対の第２遊星歯車を有するダブルピニオン型遊星歯車装置であり、前記第３遊星歯車装置は第３サンギヤ、第３キャリア、および第３リングギヤを備え、該第３キャリアによって回転可能に支持された第３遊星歯車を有するシングルピニオン型遊星歯車装置であり、
前記第１回転要素は該第１リングギヤであり、前記第２回転要素は該第１キャリア、該第２キャリアおよび該第３サンギヤであり、前記第３回転要素は該第２リングギヤであり、前記第４回転要素は該第３キャリアであり、前記第５回転要素は該第１サンギヤ、該第２サンギヤおよび該第３リングギヤである請求項４９の車両用遊星歯車式多段変速機。
【請求項５５】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、２組の動力伝達部材から成る第１中間出力経路および該第１中間出力経路に対して増速回転させて出力する第２中間出力経路を介して、前記入力回転部材の回転を前記第２変速部へ伝達し、
前記第２変速部は、前記第２軸心に同心に且つ順次配設される、第１サンギヤ、第１キャリア、および第１リングギヤを備え、該第１キャリアによって回転可能に支持された第１遊星歯車を有するシングルピニオン型の第１遊星歯車装置と、第２サンギヤ、第２キャリア、および第２リングギヤを備え、該第２キャリアによって回転可能に支持された第２遊星歯車を有するシングルピニオン型の第２遊星歯車装置と、第３サンギヤ、第３キャリア、および第３リングギヤを備え、該第３キャリアによって回転可能に支持された第３遊星歯車を有するシングルピニオン型の第３遊星歯車装置とを含み、該第１サンギヤおよび該第２サンギヤは第１クラッチを介して前記第１中間出力経路を前記第２軸心側で構成する第１ドリブン部材に選択的に連結されるとともに第４クラッチを介して前記第２中間出力経路を該第２軸心側で構成する第２ドリブン部材に選択的に連結され、該第３サンギヤは第２クラッチを介して前記第１ドリブン部材に選択的に連結され、該第２キャリアは第３クラッチを介して前記第１ドリブン部材に選択的に連結され、該第１キャリア、該第２リングギヤおよび該第３キャリアは前記出力回転部材に連結され、該第１リングギヤおよび該第３リングギヤは第５クラッチを介して前記第２ドリブン部材に選択的に連結されるとともに第１ブレーキを介して非回転部材に選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項５６】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、２組の動力伝達部材から成る第１中間出力経路および該第１中間出力経路に対して増速回転させて出力する第２中間出力経路を介して、前記入力回転部材の回転を前記第２変速部へ伝達し、
前記第２変速部は、前記第２軸心に同心に且つ順次配設される、第１サンギヤ、第１キャリア、および第１リングギヤを備え、該第１キャリアによって回転可能に支持された第１遊星歯車を有するシングルピニオン型の第１遊星歯車装置と、第２サンギヤ、第２キャリア、および第２リングギヤを備え、該第２キャリアによって回転可能に支持された互いに噛み合う一対の第２遊星歯車を有するダブルピニオン型の第２遊星歯車装置と、第３サンギヤ、第３キャリア、および第３リングギヤを備え、該第３キャリアによって回転可能に支持された第３遊星歯車を有するシングルピニオン型の第３遊星歯車装置とを含み、該第１サンギヤは第１クラッチを介して前記第１中間出力経路を前記第２軸心側で構成する第１ドリブン部材に選択的に連結されるとともに第４クラッチを介して前記第２中間出力経路を該第２軸心側で構成する第２ドリブン部材に選択的に連結され、該第２サンギヤおよび該第３サンギヤは第２クラッチを介して前記第１ドリブン部材に選択的に連結され、該第１キャリアおよび該第２リングギヤは第３クラッチを介して前記第１ドリブン部材に選択的に連結され、該第１リングギヤ、該第２キャリアおよび該第３キャリアは前記出力回転部材に連結され、該第３リングギヤは第５クラッチを介して前記第２ドリブン部材に選択的に連結されるとともに第１ブレーキを介して非回転部材に選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項５７】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、２組の動力伝達部材から成る第１中間出力経路および該第１中間出力経路に対して増速回転させて出力する第２中間出力経路を介して、前記入力回転部材の回転を前記第２変速部へ伝達し、
前記第２変速部は、前記第２軸心に同心に且つ順次配設される、第１サンギヤ、第１キャリア、および第１リングギヤを備え、該第１キャリアによって回転可能に支持された互いに噛み合う一対の第１遊星歯車を有するダブルピニオン型の第１遊星歯車装置と、第２サンギヤ、第２キャリア、および第２リングギヤを備え、該第２キャリアによって回転可能に支持された第２遊星歯車を有するシングルピニオン型の第２遊星歯車装置と、第３サンギヤ、第３キャリア、および第３リングギヤを備え、該第３キャリアによって回転可能に支持された第３遊星歯車を有するシングルピニオン型の第３遊星歯車装置とを含み、該第２サンギヤは第１クラッチを介して前記第１中間出力経路を前記第２軸心側で構成する第１ドリブン部材に選択的に連結されるとともに第４クラッチを介して前記第２中間出力経路を該第２軸心側で構成する第２ドリブン部材に選択的に連結され、該第３サンギヤは第２クラッチを介して前記第１ドリブン部材に選択的に連結され、該第１キャリアおよび該第２キャリアは第３クラッチを介して前記第１ドリブン部材に選択的に連結され、該第１リングギヤ、該第２リングギヤおよび該第３キャリアは前記出力回転部材に連結され、該第１サンギヤおよび該第３リングギヤは第５クラッチを介して前記第２ドリブン部材に選択的に連結されるとともに第１ブレーキを介して非回転部材に選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項５８】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、２組の動力伝達部材から成る第１中間出力経路および該第１中間出力経路に対して増速回転させて出力する第２中間出力経路を介して、前記入力回転部材の回転を前記第２変速部へ伝達し、
前記第２変速部は、前記第２軸心に同心に且つ順次配設される、第１サンギヤ、第１キャリア、および第１リングギヤを備え、該第１キャリアによって回転可能に支持された第１遊星歯車を有するシングルピニオン型の第１遊星歯車装置と、第２サンギヤ、第２キャリア、および第２リングギヤを備え、該第２キャリアによって回転可能に支持された第２遊星歯車を有するシングルピニオン型の第２遊星歯車装置と、第３サンギヤ、第３キャリア、および第３リングギヤを備え、該第３キャリアによって回転可能に支持された互いに噛み合う一対の第３遊星歯車を有するダブルピニオン型の第３遊星歯車装置とを含み、該第１サンギヤは第１クラッチを介して前記第１中間出力経路を前記第２軸心側で構成する第１ドリブン部材に選択的に連結されるとともに第４クラッチを介して前記第２中間出力経路を該第２軸心側で構成する第２ドリブン部材に選択的に連結され、該第２サンギヤおよび該第３サンギヤは第２クラッチを介して前記第１ドリブン部材に選択的に連結され、該第３リングギヤは第３クラッチを介して前記第１ドリブン部材に選択的に連結され、該第１キャリア、該第２キャリアおよび該第３キャリアは前記出力回転部材に連結され、該第１リングギヤおよび該第２リングギヤは第５クラッチを介して前記第２ドリブン部材に選択的に連結されるとともに第１ブレーキを介して非回転部材に選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項５９】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、２組の動力伝達部材から成る第１中間出力経路および該第１中間出力経路に対して増速回転させて出力する第２中間出力経路を介して、前記入力回転部材の回転を前記第２変速部へ伝達し、
前記第２変速部は、前記第２軸心に同心に且つ順次配設される、第１サンギヤ、第１キャリア、および第１リングギヤを備え、該第１キャリアによって回転可能に支持された第１遊星歯車を有するシングルピニオン型の第１遊星歯車装置と、第２サンギヤ、第２キャリア、および第２リングギヤを備え、該第２キャリアによって回転可能に支持された互いに噛み合う一対の第２遊星歯車を有するダブルピニオン型の第２遊星歯車装置と、第３サンギヤ、第３キャリア、および第３リングギヤを備え、該第３キャリアによって回転可能に支持された第３遊星歯車を有するシングルピニオン型の第３遊星歯車装置とを含み、該第１リングギヤは第１クラッチを介して前記第１中間出力経路を前記第２軸心側で構成する第１ドリブン部材に選択的に連結されるとともに第４クラッチを介して前記第２中間出力経路を該第２軸心側で構成する第２ドリブン部材に選択的に連結され、該第１キャリア、該第２キャリアおよび該第３サンギヤは第２クラッチを介して前記第１ドリブン部材に選択的に連結され、該第２リングギヤは第３クラッチを介して前記第１ドリブン部材に選択的に連結されるとともに第２ブレーキを介して非回転部材に選択的に連結され、該第３キャリアは前記出力回転部材に連結され、該第１サンギヤ、該第２サンギヤおよび該第３リングギヤは第５クラッチを介して前記第２ドリブン部材に選択的に連結されるとともに第１ブレーキを介して非回転部材に選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項６０】
前記第２キャリアと前記第３キャリアおよび前記第２サンギヤと前記第３サンギヤとはそれぞれ共通の部材で構成されるとともに、前記第３遊星歯車が互いに噛み合う一対の前記第２遊星歯車のいずれか１つを兼ねているものである請求項５１または５６の車両用遊星歯車式多段変速機。
【請求項６１】
前記第１キャリアと前記第２キャリアおよび前記第１リングギヤと前記第２リングギヤとはそれぞれ共通の部材で構成されるとともに、前記第２遊星歯車が互いに噛み合う一対の前記第１遊星歯車のいずれか１つを兼ねているものである請求項５２または５７の車両用遊星歯車式多段変速機。
【請求項６２】
前記第１キャリアと前記第２キャリアおよび前記第１サンギヤと前記第２サンギヤとはそれぞれ共通の部材で構成されるとともに、前記第１遊星歯車が互いに噛み合う一対の前記第２遊星歯車のいずれか１つを兼ねているものである請求項５４または５９の車両用遊星歯車式多段変速機。
【請求項６３】
前記第１クラッチおよび前記第１ブレーキが係合させられることによって最も大きい変速比の第１変速段が成立させられ、前記第２クラッチおよび前記第１ブレーキが係合させられることによって前記第１変速段よりも変速比が小さい第２変速段が成立させられ、前記第４クラッチおよび前記第１ブレーキが係合させられることによって前記第２変速段よりも変速比が小さい第３変速段が成立させられ、前記第３クラッチおよび前記第１ブレーキが係合させられることによって前記第３変速段よりも変速比が小さい第４変速段が成立させられ、前記第３クラッチおよび前記第４クラッチが係合させられることによって前記第４変速段よりも変速比が小さい第５変速段が成立させられ、前記第１クラッチおよび前記第３クラッチが係合させられることによって前記第５変速段よりも変速比が小さい第６変速段が成立させられ、前記第３クラッチおよび前記第５クラッチが係合させられることによって前記第６変速段よりも変速比が小さい第７変速段が成立させられ、前記第４クラッチおよび前記第５クラッチが係合させられることによって前記第７変速段よりも変速比が小さい第８変速段が成立させられるものである請求項４９乃至６２のいずれか１の車両用遊星歯車式多段変速機。
【請求項６４】
前記第２クラッチおよび前記第４クラッチが係合させられることによって後進変速段が成立させられるか、或いは前記第４クラッチおよび前記第２ブレーキが係合させられることによって後進変速段が成立させられるものである請求項４９乃至６３のいずれか１の車両用遊星歯車式多段変速機。
【請求項６５】
第１変速部および第２変速部を備え、駆動力源側に位置して該駆動力源により第１軸心まわりに回転駆動される入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、互いに並列に配置された２組の動力伝達部材から成る第１中間出力経路および該第１中間出力経路に対して減速回転させて出力する第２中間出力経路を介して、前記入力回転部材の回転を前記第２変速部へ伝達し、
前記第２変速部は、前記第２軸心に同心に且つ前記２組の動力伝達部材よりも前記駆動力源側に順次配設される、第１遊星歯車装置と第２遊星歯車装置と第３遊星歯車装置との３組の遊星歯車装置を備え、該３組の遊星歯車装置のサンギヤ、キャリア、およびリングギヤの一部が互いに連結されることによって５つの回転要素が構成されるとともに、該５つの回転要素の回転速度を直線上で表すことができる共線図上において該５つの回転要素を一端から他端へ向かって順番に第１回転要素、第２回転要素、第３回転要素、第４回転要素、および第５回転要素としたとき、該第１回転要素は第１クラッチを介して前記第２中間出力経路を該第２軸心側で構成する第２ドリブン部材に選択的に連結され、さらに第３クラッチを介して前記第１中間出力経路を前記第２軸心側で構成する第１ドリブン部材に選択的に連結されるとともに第１ブレーキを介して非回転部材に選択的に連結され、該第２回転要素は第２ブレーキを介して非回転部材に選択的に連結され、該第３回転要素は第４クラッチを介して前記第１ドリブン部材に選択的に連結されるとともに第３ブレーキを介して非回転部材に選択的に連結され、該第４回転要素は前記出力回転部材に連結され、該第５回転要素は第２クラッチを介して前記第２ドリブン部材に選択的に連結されるものであり、
前記クラッチおよびブレーキの係合、解放状態を選択的に切り換えることにより前進多段の変速段が成立させられることを特徴とする車両用遊星歯車式多段変速機。
【請求項６６】
前記第１遊星歯車装置は第１サンギヤ、第１キャリア、および第１リングギヤを備え、該第１キャリアによって回転可能に支持された互いに噛み合う一対の第１遊星歯車を有するダブルピニオン型遊星歯車装置であり、前記第２遊星歯車装置は第２サンギヤ、第２キャリア、および第２リングギヤを備え、該第２キャリアによって回転可能に支持された第２遊星歯車を有するシングルピニオン型遊星歯車装置であり、前記第３遊星歯車装置は第３サンギヤ、第３キャリア、および第３リングギヤを備え、該第３キャリアによって回転可能に支持された第３遊星歯車を有するシングルピニオン型遊星歯車装置であり、
前記第１回転要素は該第２サンギヤおよび該第３サンギヤであり、前記第２回転要素は該第１キャリアおよび該第２キャリアであり、前記第３回転要素は該第２リングギヤおよび該第３キャリアであり、前記第４回転要素は該第１リングギヤおよび該第３リングギヤであり、前記第５回転要素は該第１サンギヤである請求項６５の車両用遊星歯車式多段変速機。
【請求項６７】
第１変速部および第２変速部を備え、第１軸心まわりに回転可能な入力回転部材の回転を該第１変速部を介して該第１軸心に平行な第２軸心上の該第２変速部へ伝達し、該第２軸心まわりに回転する出力回転部材から出力する形式の車両用遊星歯車式多段変速機であって、
前記第１変速部は、互いに並列に配置された２組の動力伝達部材から成る第１中間出力経路および該第１中間出力経路に対して減速回転させて出力する第２中間出力経路を介して、前記入力回転部材の回転を前記第２変速部へ伝達し、
前記第２変速部は、前記第２軸心に同心に且つ前記２組の動力伝達部材間に順次配設される、第１サンギヤ、第１キャリア、および第１リングギヤを備え、該第１キャリアによって回転可能に支持された互いに噛み合う一対の第１遊星歯車を有するダブルピニオン型の第１遊星歯車装置と、第２サンギヤ、第２キャリア、および第２リングギヤを備え、該第２キャリアによって回転可能に支持された第２遊星歯車を有するシングルピニオン型の第２遊星歯車装置と、第３サンギヤ、第３キャリア、および第３リングギヤを備え、該第３キャリアによって回転可能に支持された第３遊星歯車を有するシングルピニオン型の第３遊星歯車装置とを含み、該第２サンギヤおよび該第３サンギヤは第１クラッチを介して前記第２中間出力経路を該第２軸心側で構成する第２ドリブン部材に選択的に連結され、さらに第３クラッチを介して前記第１中間出力経路を前記第２軸心側で構成する第１ドリブン部材に選択的に連結されるとともに第１ブレーキを介して非回転部材に選択的に連結され、該第１キャリアおよび該第２キャリアは第２ブレーキを介して非回転部材に選択的に連結され、該第２リングギヤおよび該第３キャリアは第４クラッチを介して前記第１ドリブン部材に選択的に連結されるとともに第３ブレーキを介して非回転部材に選択的に連結され、該第１リングギヤおよび該第３リングギヤは前記出力回転部材に連結され、該第１サンギヤは第２クラッチを介して前記第２ドリブン部材に選択的に連結されるものであり、
前記クラッチおよびブレーキの係合、解放状態を選択的に切り換えることにより少なくとも前進７速の変速段が成立させられることを特徴とする車両用遊星歯車式多段変速機。
【請求項６８】
前記第２クラッチおよび前記第３ブレーキが係合させられることによって最も大きい変速比の第１変速段が成立させられ、前記第２クラッチおよび前記第２ブレーキが係合させられることによって前記第１変速段よりも変速比が小さい第２変速段が成立させられ、前記第２クラッチおよび前記第１ブレーキが係合させられることによって前記第２変速段よりも変速比が小さい第３変速段が成立させられ、前記第１クラッチおよび前記第２クラッチが係合させられることによって前記第３変速段よりも変速比が小さい第４変速段が成立させられ、前記第２クラッチおよび前記第３クラッチが係合させられることによって前記第４変速段よりも変速比が小さい第５変速段が成立させられ、前記第２クラッチおよび前記第４クラッチが係合させられることによって前記第５変速段よりも変速比が小さい第６変速段が成立させられ、前記第３クラッチおよび前記第４クラッチが係合させられることによって前記第６変速段よりも変速比が小さい第７変速段が成立させられ、前記第１クラッチおよび前記第４クラッチが係合させられることによって前記第７変速段よりも変速比が小さい第８変速段が成立させられ、前記第４クラッチおよび前記第１ブレーキが係合させられることによって前記第８変速段よりも変速比が小さい第９変速段が成立させられるものである請求項６５乃至６７のいずれか１の車両用遊星歯車式多段変速機。
【請求項６９】
前記第１クラッチおよび前記第３ブレーキが係合させられることによって第１後進変速段が成立させられ、前記第１クラッチおよび前記第２ブレーキが係合させられることによって前記第１後進変速段よりも変速比が小さい第２後進変速段が成立させられるものである請求項６５乃至６８のいずれか１の車両用遊星歯車式多段変速機。
【請求項７０】
前記２組の動力伝達部材よりも前記駆動力源側となる前記第１軸心上の空き空間に前記車両用遊星歯車式多段変速機を構成する以外の部品を配置するものである請求項１乃至６９のいずれか１の車両用遊星歯車式多段変速機。
【請求項７１】
前記動力伝達部材は、前記第１軸心に配設されたドライブギヤ、および第２軸心に配設されて該ドライブギヤと噛み合わされたドリブンギヤにて構成されているカウンタギヤ対である請求項１乃至７０のいずれか１の車両用遊星歯車式多段変速機。
【請求項７２】
駆動力源の出力は、流体伝動装置を介して前記入力回転部材に入力されるものである請求項１乃至７１のいずれか１の車両用遊星歯車式多段変速機。
【発明の詳細な説明】
【技術分野】
【０００１】
本発明は、自動車などの車両において、原動機と駆動輪との間に設けられる車両用遊星歯車式多段変速機に関するものである。
【背景技術】
【０００２】
車両においては、予め定められた複数の変速比或いは変速段を選択するために複数の遊星歯車装置とそれらを構成する要素を結合するための係合要素たとえばクラッチおよびブレーキとを用いた遊星歯車式多段変速機が多用されている。たとえば、特許文献１に記載の自動変速機では、４組の遊星歯車装置を用いることで前進１２段の多段変速を達成している。
【０００３】
【特許文献１】特開２００２−２０６６０１号公報
【特許文献２】特開平８−１０５４９６号公報
【特許文献３】特開２０００−１９９５４９号公報
【特許文献４】特開２０００−２６６１３８号公報
【特許文献５】特開２００１−８２５５５号公報
【特許文献６】特開２００２−２２７９４０号公報
【特許文献７】特開２００２−２９５６０９号公報
【特許文献８】特許第２９５６１７３号公報
【発明の開示】
【発明が解決しようとする課題】
【０００４】
ところで、このような遊星歯車式多段変速機では、簡単に構成され且つ小型であって、変速段のより多段化および変速比幅を大きくとり得るものであるだけでなく、切り換えられる変速比ステップが等比またはそれに近い形で変化させられることが望まれる。上記特許文献１に記載の自動変速機は変速比ステップが使い勝手がよい設定での多段化になっていないという問題があった。たとえば、特許文献１の図５に示されているように第６変速段と第７変速段との変速比ステップは１．０５０と小さく、変速比ステップの並びも大小様々である。また、これら課題に対して、遊星歯車の数を増やすことが考えられるが、その分全長が長くなって車両搭載性が低下したり、遊星歯車装置を構成する要素を結合するための係合要素も増加する可能性があった。特に、ＦＦ（フロントエンジン・フロントドライブ）車両やＲＲ（リアエンジン・リアドライブ）車両において好適に用いられる自動変速機の軸長方向を車軸に対して平行に搭載する所謂横置きの場合には車幅によって規定される自動変速機の全長に対する制約が縦置きの場合に比較して大きいため搭載が困難となる可能性があった。
【０００５】
本発明は、以上の事情を背景として為されたものであり、その目的とするところは、変速比幅を大きくとることができ且つ変速比ステップも適切な前進７速以上が可能な、ＦＦ車両やＲＲ車両の横置きにも好適に用いられる小型の車両用遊星歯車式多段変速機を提供することにある。
【課題を解決するための手段】
【０００６】
かかる目的を達成するための第１発明の要旨とするところは、第１変速部および第２変速部を備え、第１軸心まわりに回転可能な入力回転部材の回転をその第１変速部を介してその第１軸心に平行な第２軸心上のその第２変速部へ伝達し、その第２軸心まわりに回転する出力回転部材から出力する形式の車両用遊星歯車式多段変速機であって、(a) 前記第１変速部は、２組の動力伝達部材から成る第１中間出力経路および第２中間出力経路を介して、前記入力回転部材の回転を前記第２変速部へ伝達し、(b) 前記第２変速部は、前記第２軸心に同心に且つ順次配設される、第１遊星歯車装置と第２遊星歯車装置と第３遊星歯車装置との３組の遊星歯車装置を備え、その３組の遊星歯車装置のサンギヤ、キャリア、およびリングギヤの一部が互いに連結されることによって５つの回転要素が構成され、その５つの回転要素がクラッチ或いはブレーキを介して前記第１中間出力経路を前記第２軸心側で構成する第１ドリブン部材、前記第２中間出力経路をその第２軸心側で構成する第２ドリブン部材、前記出力回転部材、および非回転部材の何れかに選択的に連結されるものであり、(c) 前記クラッチおよびブレーキの係合、解放状態を選択的に切り換えることにより少なくとも前進７速の変速段が成立させられることにある。
【０００７】
前記目的を達成するための第２発明の要旨とするところは、第１変速部および第２変速部を備え、駆動力源側に位置してその駆動力源により第１軸心まわりに回転駆動される入力回転部材の回転をその第１変速部を介してその第１軸心に平行な第２軸心上のその第２変速部へ伝達し、その第２軸心まわりに回転する出力回転部材から出力する形式の車両用遊星歯車式多段変速機であって、(a) 前記第１変速部は、互いに並列に配置された２組の動力伝達部材から成る第１中間出力経路および第２中間出力経路を介して、前記入力回転部材の回転を前記第２変速部へ伝達し、(b) 前記第２変速部は、前記第２軸心に同心に且つ前記２組の動力伝達部材よりも前記駆動力源側に順次配設される複数の遊星歯車装置を備え、その複数の遊星歯車装置のサンギヤ、キャリア、およびリングギヤの一部が互いに連結されることによって複数の回転要素が構成され、その複数の回転要素が前記第１中間出力経路を前記第２軸心側で構成する第１ドリブン部材、前記第２中間出力経路をその第２軸心側で構成する第２ドリブン部材、前記出力回転部材、および非回転部材の何れかにクラッチ或いはブレーキを介して選択的に或いは直接に連結されるものであり、(c) 前記クラッチおよびブレーキの係合、解放状態を選択的に切り換えることにより前進多段たとえば前進７速以上の変速段が成立させられ、(d) 前記第１中間出力経路は前記第２中間出力経路に対して減速又は増速回転させて出力するものであると共に、少なくとも一方の中間出力経路は２つの係合装置を介して前記第２変速部の異なる回転要素に連結可能とされていることにある。
【０００８】
第３発明は、第１発明または第２発明の車両用遊星歯車式多段変速機において、(a) 前記第１変速部は、２組の動力伝達部材から成る第１中間出力経路およびその第１中間出力経路に対して減速回転させて出力する第２中間出力経路を介して、前記入力回転部材の回転を前記第２変速部へ伝達し、(b) 前記第２変速部は、前記第２軸心に同心に且つ順次配設される、第１遊星歯車装置と第２遊星歯車装置と第３遊星歯車装置との３組の遊星歯車装置を備え、その３組の遊星歯車装置のサンギヤ、キャリア、およびリングギヤの一部が互いに連結されることによって５つの回転要素が構成されるとともに、その５つの回転要素の回転速度を直線上で表すことができる共線図上においてその５つの回転要素を一端から他端へ向かって順番に第１回転要素、第２回転要素、第３回転要素、第４回転要素、および第５回転要素としたとき、その第１回転要素は第２クラッチを介して前記第２ドリブン部材に選択的に連結されるとともに第１ブレーキを介して非回転部材に選択的に連結され、その第２回転要素は第３クラッチを介して前記第１ドリブン部材に選択的に連結されるとともに第２ブレーキを介して非回転部材に選択的に連結され、その第３回転要素は第４クラッチを介して前記第１ドリブン部材に選択的に連結され、その第４回転要素は前記出力回転部材に連結され、その第５回転要素は第１クラッチを介して前記第２ドリブン部材に選択的に連結されるものである。
【０００９】
第４発明は、第３発明の車両用遊星歯車式多段変速機において、(a) 前記第１遊星歯車装置は第１サンギヤ、第１キャリア、および第１リングギヤを備え、その第１キャリアによって回転可能に支持された第１遊星歯車を有するシングルピニオン型遊星歯車装置であり、前記第２遊星歯車装置は第２サンギヤ、第２キャリア、および第２リングギヤを備え、その第２キャリアによって回転可能に支持された互いに噛み合う一対の第２遊星歯車を有するダブルピニオン型遊星歯車装置であり、前記第３遊星歯車装置は第３サンギヤ、第３キャリア、および第３リングギヤを備え、その第３キャリアによって回転可能に支持された第３遊星歯車を有するシングルピニオン型遊星歯車装置であり、(b) 前記第１回転要素はその第１サンギヤおよびその第２サンギヤであり、前記第２回転要素はその第３リングギヤであり、前記第３回転要素はその第２リングギヤおよびその第３キャリアであり、前記第４回転要素はその第１キャリア、その第２キャリアおよびその第３サンギヤであり、前記第５回転要素はその第１リングギヤである。
【００１０】
第５発明は、第３発明の車両用遊星歯車式多段変速機において、(a) 前記第１遊星歯車装置は第１サンギヤ、第１キャリア、および第１リングギヤを備え、その第１キャリアによって回転可能に支持された互いに噛み合う一対の第１遊星歯車を有するダブルピニオン型遊星歯車装置であり、前記第２遊星歯車装置は第２サンギヤ、第２キャリア、および第２リングギヤを備え、その第２キャリアによって回転可能に支持された第２遊星歯車を有するシングルピニオン型遊星歯車装置であり、前記第３遊星歯車装置は第３サンギヤ、第３キャリア、および第３リングギヤを備え、その第３キャリアによって回転可能に支持された第３遊星歯車を有するシングルピニオン型遊星歯車装置であり、(b) 前記第１回転要素はその第１サンギヤおよびその第２サンギヤであり、前記第２回転要素はその第１リングギヤおよびその第３リングギヤであり、前記第３回転要素はその第３キャリアであり、前記第４回転要素はその第２キャリアおよびその第３サンギヤであり、前記第５回転要素はその第１キャリアおよびその第２リングギヤである。
【００１１】
前記目的を達成するための第６発明の要旨とするところは、第１変速部および第２変速部を備え、第１軸心まわりに回転可能な入力回転部材の回転をその第１変速部を介してその第１軸心に平行な第２軸心上のその第２変速部へ伝達し、その第２軸心まわりに回転する出力回転部材から出力する形式の車両用遊星歯車式多段変速機であって、(a) 前記第１変速部は、２組の動力伝達部材から成る第１中間出力経路およびその第１中間出力経路に対して減速回転させて出力する第２中間出力経路を介して、前記入力回転部材の回転を前記第２変速部へ伝達し、(b) 前記第２変速部は、前記第２軸心に同心に且つ順次配設される、第１サンギヤ、第１キャリア、および第１リングギヤを備え、その第１キャリアによって回転可能に支持された第１遊星歯車を有するシングルピニオン型の第１遊星歯車装置と、第２サンギヤ、第２キャリア、および第２リングギヤを備え、その第２キャリアによって回転可能に支持された互いに噛み合う一対の第２遊星歯車を有するダブルピニオン型の第２遊星歯車装置と、第３サンギヤ、第３キャリア、および第３リングギヤを備え、その第３キャリアによって回転可能に支持された第３遊星歯車を有するシングルピニオン型の第３遊星歯車装置とを含み、その第１サンギヤおよびその第２サンギヤは第２クラッチを介して前記第２ドリブン部材に選択的に連結されるとともに第１ブレーキを介して非回転部材に選択的に連結され、その第３リングギヤは第３クラッチを介して前記第１ドリブン部材に選択的に連結されるとともに第２ブレーキを介して非回転部材に選択的に連結され、その第２リングギヤおよびその第３キャリアは第４クラッチを介して前記第１ドリブン部材に選択的に連結され、その第１キャリア、その第２キャリアおよびその第３サンギヤは前記出力回転部材に連結され、その第１リングギヤは第１クラッチを介して前記第２ドリブン部材に選択的に連結されるものであり、(c) 前記クラッチおよびブレーキの係合、解放状態を選択的に切り換えることにより少なくとも前進７速の変速段が成立させられることにある。
【００１２】
前記目的を達成するための第７発明の要旨とするところは、第１変速部および第２変速部を備え、第１軸心まわりに回転可能な入力回転部材の回転をその第１変速部を介してその第１軸心に平行な第２軸心上のその第２変速部へ伝達し、その第２軸心まわりに回転する出力回転部材から出力する形式の車両用遊星歯車式多段変速機であって、(a) 前記第１変速部は、２組の動力伝達部材から成る第１中間出力経路およびその第１中間出力経路に対して減速回転させて出力する第２中間出力経路を介して、前記入力回転部材の回転を前記第２変速部へ伝達し、(b) 前記第２変速部は、前記第２軸心に同心に且つ順次配設される、第１サンギヤ、第１キャリア、および第１リングギヤを備え、その第１キャリアによって回転可能に支持された互いに噛み合う一対の第１遊星歯車を有するダブルピニオン型の第１遊星歯車装置と、第２サンギヤ、第２キャリア、および第２リングギヤを備え、その第２キャリアによって回転可能に支持された第２遊星歯車を有するシングルピニオン型の第２遊星歯車装置と、第３サンギヤ、第３キャリア、および第３リングギヤを備え、その第３キャリアによって回転可能に支持された第３遊星歯車を有するシングルピニオン型の第３遊星歯車装置とを含み、その第１サンギヤおよびその第２サンギヤは第２クラッチを介して前記第２ドリブン部材に選択的に連結されるとともに第１ブレーキを介して非回転部材に選択的に連結され、その第１リングギヤおよびその第３リングギヤは第３クラッチを介して前記第１ドリブン部材に選択的に連結されるとともに第２ブレーキを介して非回転部材に選択的に連結され、その第３キャリアは第４クラッチを介して前記第１ドリブン部材に選択的に連結され、その第２キャリアおよびその第３サンギヤは前記出力回転部材に連結され、その第１キャリアおよびその第２リングギヤは第１クラッチを介して前記第２ドリブン部材に選択的に連結されるものであり、(c) 前記クラッチおよびブレーキの係合、解放状態を選択的に切り換えることにより少なくとも前進７速の変速段が成立させられることにある。
【００１３】
第８発明は、第４発明または第６発明の車両用遊星歯車式多段変速機において、前記第１キャリアと前記第２キャリアおよび前記第１サンギヤと前記第２サンギヤとはそれぞれ共通の部材で構成されるとともに、前記第１遊星歯車が互いに噛み合う一対の前記第２遊星歯車のいずれか１つを兼ねているものである。
【００１４】
第９発明は、第３発明乃至第８発明のいずれかの車両用遊星歯車式多段変速機において、前記第１クラッチおよび前記第２ブレーキが係合させられることによって最も大きい変速比の第１変速段が成立させられ、前記第１クラッチおよび前記第１ブレーキが係合させられることによって前記第１変速段よりも変速比が小さい第２変速段が成立させられ、前記第１クラッチおよび前記第２クラッチが係合させられることによって前記第２変速段よりも変速比が小さい第３変速段が成立させられ、前記第１クラッチおよび前記第３クラッチが係合させられること、または前記第１クラッチおよび前記第４クラッチが係合させられることによって前記第３変速段よりも変速比が小さい第４変速段が成立させられ、前記第３クラッチおよび前記第４クラッチが係合させられることによって前記第４変速段よりも変速比が小さい第５変速段が成立させられ、前記第２クラッチおよび前記第４クラッチが係合させられることによって前記第５変速段よりも変速比が小さい第６変速段が成立させられ、前記第４クラッチおよび前記第１ブレーキが係合させられることによって前記第６変速段よりも変速比が小さい第７変速段が成立させられ、前記第３クラッチおよび前記第１ブレーキが係合させられることによって前記第７変速段よりも変速比が小さい第８変速段が成立させられるものである。
【００１５】
第１０発明は、第３発明乃至第９発明のいずれかの車両用遊星歯車式多段変速機において、前記第２クラッチおよび前記第２ブレーキが係合させられることによって後進変速段が成立させられるものである。
【００１６】
第１１発明は、第１発明または第２発明の車両用遊星歯車式多段変速機において、(a) 前記第１変速部は、２組の動力伝達部材から成る第１中間出力経路およびその第１中間出力経路に対して減速回転させて出力する第２中間出力経路を介して、前記入力回転部材の回転を前記第２変速部へ伝達し、(b) 前記第２変速部は、前記第２軸心に同心に且つ順次配設される、第１遊星歯車装置と第２遊星歯車装置と第３遊星歯車装置との３組の遊星歯車装置を備え、その３組の遊星歯車装置のサンギヤ、キャリア、およびリングギヤの一部が互いに連結されることによって５つの回転要素が構成されるとともに、その５つの回転要素の回転速度を直線上で表すことができる共線図上においてその５つの回転要素を一端から他端へ向かって順番に第１回転要素、第２回転要素、第３回転要素、第４回転要素、および第５回転要素としたとき、その第１回転要素は第２クラッチを介して前記第２ドリブン部材に選択的に連結されるとともに第１ブレーキを介して非回転部材に選択的に連結され、その第２回転要素は第３クラッチを介して前記第１ドリブン部材に選択的に連結され、その第３回転要素は第４クラッチを介して前記第１ドリブン部材に選択的に連結されるとともに第２ブレーキを介して非回転部材に選択的に連結され、その第４回転要素は前記出力回転部材に連結され、その第５回転要素は第１クラッチを介して前記第２ドリブン部材に選択的に連結されるものである。
【００１７】
第１２発明は、第１１発明の車両用遊星歯車式多段変速機において、(a) 前記第１遊星歯車装置は第１サンギヤ、第１キャリア、および第１リングギヤを備え、その第１キャリアによって回転可能に支持された互いに噛み合う一対の第１遊星歯車を有するダブルピニオン型遊星歯車装置であり、前記第２遊星歯車装置は第２サンギヤ、第２キャリア、および第２リングギヤを備え、その第２キャリアによって回転可能に支持された第２遊星歯車を有するシングルピニオン型遊星歯車装置であり、前記第３遊星歯車装置は第３サンギヤ、第３キャリア、および第３リングギヤを備え、その第３キャリアによって回転可能に支持された第３遊星歯車を有するシングルピニオン型遊星歯車装置であり、(b) 前記第１回転要素はその第１サンギヤおよびその第３サンギヤであり、前記第２回転要素はその第２リングギヤであり、前記第３回転要素はその第１リングギヤ、その第２キャリアおよびその第３キャリアであり、前記第４回転要素はその第２サンギヤおよびその第３リングギヤであり、前記第５回転要素はその第１キャリアである。
【００１８】
第１３発明は、第１１発明の車両用遊星歯車式多段変速機において、(a) 前記第１遊星歯車装置は第１サンギヤ、第１キャリア、および第１リングギヤを備え、その第１キャリアによって回転可能に支持された第１遊星歯車を有するシングルピニオン型遊星歯車装置であり、前記第２遊星歯車装置は第２サンギヤ、第２キャリア、および第２リングギヤを備え、その第２キャリアによって回転可能に支持された互いに噛み合う一対の第２遊星歯車を有するダブルピニオン型遊星歯車装置であり、前記第３遊星歯車装置は第３サンギヤ、第３キャリア、および第３リングギヤを備え、その第３キャリアによって回転可能に支持された第３遊星歯車を有するシングルピニオン型遊星歯車装置であり、(b) 前記第１回転要素はその第１サンギヤおよびその第２サンギヤであり、前記第２回転要素はその第３リングギヤであり、前記第３回転要素はその第２リングギヤおよびその第３キャリアであり、前記第４回転要素はその第１キャリア、その第２キャリアおよびその第３サンギヤであり、前記第５回転要素はその第１リングギヤである。
【００１９】
第１４発明は、第１１発明の車両用遊星歯車式多段変速機において、(a) 前記第１遊星歯車装置は第１サンギヤ、第１キャリア、および第１リングギヤを備え、その第１キャリアによって回転可能に支持された第１遊星歯車を有するシングルピニオン型遊星歯車装置であり、前記第２遊星歯車装置は第２サンギヤ、第２キャリア、および第２リングギヤを備え、その第２キャリアによって回転可能に支持された第２遊星歯車を有するシングルピニオン型遊星歯車装置であり、前記第３遊星歯車装置は第３サンギヤ、第３キャリア、および第３リングギヤを備え、その第３キャリアによって回転可能に支持された第３遊星歯車を有するシングルピニオン型遊星歯車装置であり、(b) 前記第１回転要素はその第２サンギヤおよびその第３サンギヤであり、前記第２回転要素はその第１リングギヤであり、前記第３回転要素はその第１キャリアおよびその第２キャリアであり、前記第４回転要素はその第１サンギヤ、その第２リングギヤおよびその第３キャリアであり、前記第５回転要素はその第３リングギヤである。
【００２０】
第１５発明は、第１１発明の車両用遊星歯車式多段変速機において、(a) 前記第１遊星歯車装置は第１サンギヤ、第１キャリア、および第１リングギヤを備え、その第１キャリアによって回転可能に支持された第１遊星歯車を有するシングルピニオン型遊星歯車装置であり、前記第２遊星歯車装置は第２サンギヤ、第２キャリア、および第２リングギヤを備え、その第２キャリアによって回転可能に支持された互いに噛み合う一対の第２遊星歯車を有するダブルピニオン型遊星歯車装置であり、前記第３遊星歯車装置は第３サンギヤ、第３キャリア、および第３リングギヤを備え、その第３キャリアによって回転可能に支持された第３遊星歯車を有するシングルピニオン型遊星歯車装置であり、(b) 前記第１回転要素はその第３サンギヤであり、前記第２回転要素はその第１リングギヤであり、前記第３回転要素はその第１キャリアおよびその第２サンギヤであり、前記第４回転要素はその第１サンギヤ、その第２リングギヤおよびその第３キャリアであり、前記第５回転要素はその第２キャリアおよびその第３リングギヤである。
【００２１】
前記目的を達成するための第１６発明の要旨とするところは、第１変速部および第２変速部を備え、第１軸心まわりに回転可能な入力回転部材の回転をその第１変速部を介してその第１軸心に平行な第２軸心上のその第２変速部へ伝達し、その第２軸心まわりに回転する出力回転部材から出力する形式の車両用遊星歯車式多段変速機であって、(a) 前記第１変速部は、２組の動力伝達部材から成る第１中間出力経路およびその第１中間出力経路に対して減速回転させて出力する第２中間出力経路を介して、前記入力回転部材の回転を前記第２変速部へ伝達し、(b) 前記第２変速部は、前記第２軸心に同心に且つ順次配設される、第１サンギヤ、第１キャリア、および第１リングギヤを備え、その第１キャリアによって回転可能に支持された互いに噛み合う一対の第１遊星歯車を有するダブルピニオン型の第１遊星歯車装置と、第２サンギヤ、第２キャリア、および第２リングギヤを備え、その第２キャリアによって回転可能に支持された第２遊星歯車を有するシングルピニオン型の第２遊星歯車装置と、第３サンギヤ、第３キャリア、および第３リングギヤを備え、その第３キャリアによって回転可能に支持された第３遊星歯車を有するシングルピニオン型の第３遊星歯車装置とを含み、その第１サンギヤおよびその第３サンギヤは第２クラッチを介して前記第２ドリブン部材に選択的に連結されるとともに第１ブレーキを介して非回転部材に選択的に連結され、その第２リングギヤは第３クラッチを介して前記第１ドリブン部材に選択的に連結され、その第１リングギヤ、その第２キャリアおよびその第３キャリアは第４クラッチを介して前記第１ドリブン部材に選択的に連結されるとともに第２ブレーキを介して非回転部材に選択的に連結され、その第２サンギヤおよびその第３リングギヤは前記出力回転部材に連結され、その第１キャリアは第１クラッチを介して前記第２ドリブン部材に選択的に連結されるものであり、(c) 前記クラッチおよびブレーキの係合、解放状態を選択的に切り換えることにより少なくとも前進７速の変速段が成立させられることにある。
【００２２】
前記目的を達成するための第１７発明の要旨とするところは、第１変速部および第２変速部を備え、第１軸心まわりに回転可能な入力回転部材の回転をその第１変速部を介してその第１軸心に平行な第２軸心上のその第２変速部へ伝達し、その第２軸心まわりに回転する出力回転部材から出力する形式の車両用遊星歯車式多段変速機であって、(a) 前記第１変速部は、２組の動力伝達部材から成る第１中間出力経路およびその第１中間出力経路に対して減速回転させて出力する第２中間出力経路を介して、前記入力回転部材の回転を前記第２変速部へ伝達し、(b) 前記第２変速部は、前記第２軸心に同心に且つ順次配設される、第１サンギヤ、第１キャリア、および第１リングギヤを備え、その第１キャリアによって回転可能に支持された第１遊星歯車を有するシングルピニオン型の第１遊星歯車装置と、第２サンギヤ、第２キャリア、および第２リングギヤを備え、その第２キャリアによって回転可能に支持された互いに噛み合う一対の第２遊星歯車を有するダブル型の第２遊星歯車装置と、第３サンギヤ、第３キャリア、および第３リングギヤを備え、その第３キャリアによって回転可能に支持された第３遊星歯車を有するシングルピニオン型の第３遊星歯車装置とを含み、その第１サンギヤおよびその第２サンギヤは第２クラッチを介して前記第２ドリブン部材に選択的に連結されるとともに第１ブレーキを介して非回転部材に選択的に連結され、その第３リングギヤは第３クラッチを介して前記第１ドリブン部材に選択的に連結され、その第２リングギヤおよびその第３キャリアは第４クラッチを介して前記第１ドリブン部材に選択的に連結されるとともに第２ブレーキを介して非回転部材に選択的に連結され、その第１キャリア、その第２キャリアおよびその第３サンギヤは前記出力回転部材に連結され、その第１リングギヤは第１クラッチを介して前記第２ドリブン部材に選択的に連結されるものであり、(c) 前記クラッチおよびブレーキの係合、解放状態を選択的に切り換えることにより少なくとも前進７速の変速段が成立させられることにある。
【００２３】
前記目的を達成するための第１８発明の要旨とするところは、第１変速部および第２変速部を備え、第１軸心まわりに回転可能な入力回転部材の回転をその第１変速部を介してその第１軸心に平行な第２軸心上のその第２変速部へ伝達し、その第２軸心まわりに回転する出力回転部材から出力する形式の車両用遊星歯車式多段変速機であって、(a) 前記第１変速部は、２組の動力伝達部材から成る第１中間出力経路およびその第１中間出力経路に対して減速回転させて出力する第２中間出力経路を介して、前記入力回転部材の回転を前記第２変速部へ伝達し、(b) 前記第２変速部は、前記第２軸心に同心に且つ順次配設される、第１サンギヤ、第１キャリア、および第１リングギヤを備え、その第１キャリアによって回転可能に支持された第１遊星歯車を有するシングルピニオン型の第１遊星歯車装置と、第２サンギヤ、第２キャリア、および第２リングギヤを備え、その第２キャリアによって回転可能に支持された第２遊星歯車を有するシングルピニオン型の第２遊星歯車装置と、第３サンギヤ、第３キャリア、および第３リングギヤを備え、その第３キャリアによって回転可能に支持された第３遊星歯車を有するシングルピニオン型の第３遊星歯車装置とを含み、その第２サンギヤおよびその第３サンギヤは第２クラッチを介して前記第２ドリブン部材に選択的に連結されるとともに第１ブレーキを介して非回転部材に選択的に連結され、その第１リングギヤは第３クラッチを介して前記第１ドリブン部材に選択的に連結され、その第１キャリアおよびその第２キャリアは第４クラッチを介して前記第１ドリブン部材に選択的に連結されるとともに第２ブレーキを介して非回転部材に選択的に連結され、その第１サンギヤ、その第２リングギヤおよびその第３キャリアは前記出力回転部材に連結され、その第３リングギヤは第１クラッチを介して前記第２ドリブン部材に選択的に連結されるものであり、(c) 前記クラッチおよびブレーキの係合、解放状態を選択的に切り換えることにより少なくとも前進７速の変速段が成立させられることにある。
【００２４】
前記目的を達成するための第１９発明の要旨とするところは、第１変速部および第２変速部を備え、第１軸心まわりに回転可能な入力回転部材の回転をその第１変速部を介してその第１軸心に平行な第２軸心上のその第２変速部へ伝達し、その第２軸心まわりに回転する出力回転部材から出力する形式の車両用遊星歯車式多段変速機であって、(a) 前記第１変速部は、２組の動力伝達部材から成る第１中間出力経路およびその第１中間出力経路に対して減速回転させて出力する第２中間出力経路を介して、前記入力回転部材の回転を前記第２変速部へ伝達し、(b) 前記第２変速部は、前記第２軸心に同心に且つ順次配設される、第１サンギヤ、第１キャリア、および第１リングギヤを備え、その第１キャリアによって回転可能に支持された第１遊星歯車を有するシングルピニオン型の第１遊星歯車装置と、第２サンギヤ、第２キャリア、および第２リングギヤを備え、その第２キャリアによって回転可能に支持された互いに噛み合う一対の第２遊星歯車を有するダブル型の第２遊星歯車装置と、第３サンギヤ、第３キャリア、および第３リングギヤを備え、その第３キャリアによって回転可能に支持された第３遊星歯車を有するシングルピニオン型の第３遊星歯車装置とを含み、その第３サンギヤは第２クラッチを介して前記第２ドリブン部材に選択的に連結されるとともに第１ブレーキを介して非回転部材に選択的に連結され、その第１リングギヤは第３クラッチを介して前記第１ドリブン部材に選択的に連結され、その第１キャリアおよびその第２サンギヤは第４クラッチを介して前記第１ドリブン部材に選択的に連結されるとともに第２ブレーキを介して非回転部材に選択的に連結され、その第１サンギヤ、その第２リングギヤおよびその第３キャリアは前記出力回転部材に連結され、その第２キャリアおよびその第３リングギヤは第１クラッチを介して前記第２ドリブン部材に選択的に連結されるものであり、(c) 前記クラッチおよびブレーキの係合、解放状態を選択的に切り換えることにより少なくとも前進７速の変速段が成立させられることにある。
【００２５】
第２０発明は、第１３発明または第１７発明の車両用遊星歯車式多段変速機において、前記第１キャリアと前記第２キャリアおよび前記第１サンギヤと前記第２サンギヤとはそれぞれ共通の部材で構成されるとともに、前記第１遊星歯車が互いに噛み合う一対の前記第２遊星歯車のいずれか１つを兼ねているものである。
【００２６】
第２１発明は、第１１発明乃至第２０発明のいずれかの車両用遊星歯車式多段変速機において、前記第１クラッチおよび前記第２ブレーキが係合させられることによって最も大きい変速比の第１変速段が成立させられ、前記第１クラッチおよび前記第１ブレーキが係合させられることによって前記第１変速段よりも変速比が小さい第２変速段が成立させられ、前記第１クラッチおよび前記第２クラッチが係合させられることによって前記第２変速段よりも変速比が小さい第３変速段が成立させられ、前記第１クラッチおよび前記第３クラッチが係合させられること、または前記第１クラッチおよび前記第４クラッチが係合させられることによって前記第３変速段よりも変速比が小さい第４変速段が成立させられ、前記第３クラッチおよび前記第４クラッチが係合させられることによって前記第４変速段よりも変速比が小さい第５変速段が成立させられ、前記第２クラッチおよび前記第４クラッチが係合させられることによって前記第５変速段よりも変速比が小さい第６変速段が成立させられ、前記第４クラッチおよび前記第１ブレーキが係合させられることによって前記第６変速段よりも変速比が小さい第７変速段が成立させられ、前記第３クラッチおよび前記第１ブレーキが係合させられることによって前記第７変速段よりも変速比が小さい第８変速段が成立させられるものである。
【００２７】
第２２発明は、第１１発明乃至第２１発明のいずれかの車両用遊星歯車式多段変速機において、前記第２クラッチおよび前記第２ブレーキが係合させられることによって後進変速段が成立させられるものである。
【００２８】
第２３発明は、第１発明または第２発明の車両用遊星歯車式多段変速機において、(a) 前記第１変速部は、２組の動力伝達部材から成る第１中間出力経路およびその第１中間出力経路に対して減速回転させて出力する第２中間出力経路を介して、前記入力回転部材の回転を前記第２変速部へ伝達し、(b) 前記第２変速部は、前記第２軸心に同心に且つ順次配設される、第１遊星歯車装置と第２遊星歯車装置と第３遊星歯車装置との３組の遊星歯車装置を備え、その３組の遊星歯車装置のサンギヤ、キャリア、およびリングギヤの一部が互いに連結されることによって５つの回転要素が構成されるとともに、その５つの回転要素の回転速度を直線上で表すことができる共線図上においてその５つの回転要素を一端から他端へ向かって順番に第１回転要素、第２回転要素、第３回転要素、第４回転要素、および第５回転要素としたとき、その第１回転要素は第２クラッチを介して前記第２ドリブン部材に選択的に連結されるとともに第１ブレーキを介して非回転部材に選択的に連結され、その第２回転要素は第３クラッチを介して前記第１ドリブン部材に選択的に連結されるとともに第２ブレーキを介して非回転部材に選択的に連結され、その第３回転要素は第３ブレーキを介して非回転部材に選択的に連結され、その第４回転要素は前記出力回転部材に連結され、その第５回転要素は第１クラッチを介して前記第２ドリブン部材に選択的に連結され、さらに第４クラッチを介してその第３回転要素と前記第１ドリブン部材とが或いはその第３回転要素とその第５回転要素とが或いはその第５回転要素と前記第１ドリブン部材とが或いはその第１回転要素と前記第１ドリブン部材とが選択的に連結されるものである。
【００２９】
第２４発明は、第２３発明の車両用遊星歯車式多段変速機において、(a) 前記第１遊星歯車装置は第１サンギヤ、第１キャリア、および第１リングギヤを備え、その第１キャリアによって回転可能に支持された第１遊星歯車を有するシングルピニオン型遊星歯車装置であり、前記第２遊星歯車装置は第２サンギヤ、第２キャリア、および第２リングギヤを備え、その第２キャリアによって回転可能に支持された互いに噛み合う一対の第２遊星歯車を有するダブルピニオン型遊星歯車装置であり、前記第３遊星歯車装置は第３サンギヤ、第３キャリア、および第３リングギヤを備え、その第３キャリアによって回転可能に支持された第３遊星歯車を有するシングルピニオン型遊星歯車装置であり、(b) 前記第１回転要素はその第３サンギヤであり、前記第２回転要素はその第１リングギヤであり、前記第３回転要素はその第１キャリアおよびその第２キャリアであり、前記第４回転要素はその第２リングギヤおよびその第３キャリアであり、前記第５回転要素はその第１サンギヤ、その第２サンギヤおよびその第３リングギヤである。
【００３０】
第２５発明は、第２３発明の車両用遊星歯車式多段変速機において、(a) 前記第１遊星歯車装置は第１サンギヤ、第１キャリア、および第１リングギヤを備え、その第１キャリアによって回転可能に支持された互いに噛み合う一対の第１遊星歯車を有するダブルピニオン型遊星歯車装置であり、前記第２遊星歯車装置は第２サンギヤ、第２キャリア、および第２リングギヤを備え、その第２キャリアによって回転可能に支持された第２遊星歯車を有するシングルピニオン型遊星歯車装置であり、前記第３遊星歯車装置は第３サンギヤ、第３キャリア、および第３リングギヤを備え、その第３キャリアによって回転可能に支持された第３遊星歯車を有するシングルピニオン型遊星歯車装置であり、(b) 前記第１回転要素はその第２サンギヤおよびその第３サンギヤであり、前記第２回転要素はその第１キャリアおよびその第２キャリアであり、前記第３回転要素はその第１リングギヤおよびその第２リングギヤであり、前記第４回転要素はその第１サンギヤおよびその第３キャリアであり、前記第５回転要素はその第３リングギヤである。
【００３１】
第２６発明は、第２３発明の車両用遊星歯車式多段変速機において、(a) 前記第１遊星歯車装置は第１サンギヤ、第１キャリア、および第１リングギヤを備え、その第１キャリアによって回転可能に支持された第１遊星歯車を有するシングルピニオン型遊星歯車装置であり、前記第２遊星歯車装置は第２サンギヤ、第２キャリア、および第２リングギヤを備え、その第２キャリアによって回転可能に支持された互いに噛み合う一対の第２遊星歯車を有するダブルピニオン型遊星歯車装置であり、前記第３遊星歯車装置は第３サンギヤ、第３キャリア、および第３リングギヤを備え、その第３キャリアによって回転可能に支持された第３遊星歯車を有するシングルピニオン型遊星歯車装置であり、(b) 前記第１回転要素はその第１サンギヤおよびその第３サンギヤであり、前記第２回転要素はその第１キャリアおよびその第２キャリアであり、前記第３回転要素はその第１リングギヤおよびその第２リングギヤであり、前記第４回転要素はその第２サンギヤおよびその第３キャリアであり、前記第５回転要素はその第３リングギヤである。
【００３２】
前記目的を達成するための第２７発明の要旨とするところは、第１変速部および第２変速部を備え、第１軸心まわりに回転可能な入力回転部材の回転をその第１変速部を介してその第１軸心に平行な第２軸心上のその第２変速部へ伝達し、その第２軸心まわりに回転する出力回転部材から出力する形式の車両用遊星歯車式多段変速機であって、(a) 前記第１変速部は、２組の動力伝達部材から成る第１中間出力経路およびその第１中間出力経路に対して減速回転させて出力する第２中間出力経路を介して、前記入力回転部材の回転を前記第２変速部へ伝達し、(b) 前記第２変速部は、前記第２軸心に同心に且つ順次配設される、第１サンギヤ、第１キャリア、および第１リングギヤを備え、その第１キャリアによって回転可能に支持された第１遊星歯車を有するシングルピニオン型の第１遊星歯車装置と、第２サンギヤ、第２キャリア、および第２リングギヤを備え、その第２キャリアによって回転可能に支持された互いに噛み合う一対の第２遊星歯車を有するダブルピニオン型の第２遊星歯車装置と、第３サンギヤ、第３キャリア、および第３リングギヤを備え、その第３キャリアによって回転可能に支持された第３遊星歯車を有するシングルピニオン型の第３遊星歯車装置とを含み、その第３サンギヤは第２クラッチを介して前記第２ドリブン部材に選択的に連結されるとともに第１ブレーキを介して非回転部材に選択的に連結され、その第１リングギヤは第３クラッチを介して前記第１ドリブン部材に選択的に連結されるとともに第２ブレーキを介して非回転部材に選択的に連結され、その第１キャリアおよびその第２キャリアは第４クラッチを介して前記第１ドリブン部材に選択的に連結されるとともに第３ブレーキを介して非回転部材に選択的に連結され、その第２リングギヤおよびその第３キャリアは前記出力回転部材に連結され、その第１サンギヤ、その第２サンギヤおよびその第３リングギヤは第１クラッチを介して前記第２ドリブン部材に選択的に連結されるものであり、(c) 前記クラッチおよびブレーキの係合、解放状態を選択的に切り換えることにより少なくとも前進７速の変速段が成立させられることにある。
【００３３】
前記目的を達成するための第２８発明の要旨とするところは、第１変速部および第２変速部を備え、第１軸心まわりに回転可能な入力回転部材の回転をその第１変速部を介してその第１軸心に平行な第２軸心上のその第２変速部へ伝達し、その第２軸心まわりに回転する出力回転部材から出力する形式の車両用遊星歯車式多段変速機であって、(a) 前記第１変速部は、２組の動力伝達部材から成る第１中間出力経路およびその第１中間出力経路に対して減速回転させて出力する第２中間出力経路を介して、前記入力回転部材の回転を前記第２変速部へ伝達し、(b) 前記第２変速部は、前記第２軸心に同心に且つ順次配設される、第１サンギヤ、第１キャリア、および第１リングギヤを備え、その第１キャリアによって回転可能に支持された第１遊星歯車を有するシングルピニオン型の第１遊星歯車装置と、第２サンギヤ、第２キャリア、および第２リングギヤを備え、その第２キャリアによって回転可能に支持された互いに噛み合う一対の第２遊星歯車を有するダブルピニオン型の第２遊星歯車装置と、第３サンギヤ、第３キャリア、および第３リングギヤを備え、その第３キャリアによって回転可能に支持された第３遊星歯車を有するシングルピニオン型の第３遊星歯車装置とを含み、その第３サンギヤは第２クラッチを介して前記第２ドリブン部材に選択的に連結されるとともに第１ブレーキを介して非回転部材に選択的に連結され、その第１リングギヤは第３クラッチを介して前記第１ドリブン部材に選択的に連結されるとともに第２ブレーキを介して非回転部材に選択的に連結され、その第１キャリアおよびその第２キャリアは第３ブレーキを介して非回転部材に選択的に連結され、その第２リングギヤおよびその第３キャリアは前記出力回転部材に連結され、その第１サンギヤ、その第２サンギヤおよびその第３リングギヤは第４クラッチを介して前記第１ドリブン部材に選択的に連結されるとともに第１クラッチを介して前記第２ドリブン部材に選択的に連結されるものであり、(c) 前記クラッチおよびブレーキの係合、解放状態を選択的に切り換えることにより少なくとも前進７速の変速段が成立させられることにある。
【００３４】
前記目的を達成するための第２９発明の要旨とするところは、第１変速部および第２変速部を備え、第１軸心まわりに回転可能な入力回転部材の回転をその第１変速部を介してその第１軸心に平行な第２軸心上のその第２変速部へ伝達し、その第２軸心まわりに回転する出力回転部材から出力する形式の車両用遊星歯車式多段変速機であって、(a) 前記第１変速部は、２組の動力伝達部材から成る第１中間出力経路およびその第１中間出力経路に対して減速回転させて出力する第２中間出力経路を介して、前記入力回転部材の回転を前記第２変速部へ伝達し、(b) 前記第２変速部は、前記第２軸心に同心に且つ順次配設される、第１サンギヤ、第１キャリア、および第１リングギヤを備え、その第１キャリアによって回転可能に支持された第１遊星歯車を有するシングルピニオン型の第１遊星歯車装置と、第２サンギヤ、第２キャリア、および第２リングギヤを備え、その第２キャリアによって回転可能に支持された互いに噛み合う一対の第２遊星歯車を有するダブルピニオン型の第２遊星歯車装置と、第３サンギヤ、第３キャリア、および第３リングギヤを備え、その第３キャリアによって回転可能に支持された第３遊星歯車を有するシングルピニオン型の第３遊星歯車装置とを含み、その第３サンギヤは第２クラッチを介して前記第２ドリブン部材に選択的に連結されるとともに第１ブレーキを介して非回転部材に選択的に連結され、その第１リングギヤは第３クラッチを介して前記第１ドリブン部材に選択的に連結されるとともに第２ブレーキを介して非回転部材に選択的に連結され、その第１キャリアおよびその第２キャリアは第３ブレーキを介して非回転部材に選択的に連結され、その第２リングギヤおよびその第３キャリアは前記出力回転部材に連結され、その第１サンギヤ、その第２サンギヤおよびその第３リングギヤは第１クラッチを介して前記第２ドリブン部材に選択的に連結され、その第１キャリアおよびその第２キャリアとその第１サンギヤ、その第２サンギヤおよびその第３リングギヤとは第４クラッチを介して選択的に連結されるものであり、(c) 前記クラッチおよびブレーキの係合、解放状態を選択的に切り換えることにより少なくとも前進７速の変速段が成立させられることにある。
【００３５】
前記目的を達成するための第３０発明の要旨とするところは、第１変速部および第２変速部を備え、第１軸心まわりに回転可能な入力回転部材の回転をその第１変速部を介してその第１軸心に平行な第２軸心上のその第２変速部へ伝達し、その第２軸心まわりに回転する出力回転部材から出力する形式の車両用遊星歯車式多段変速機であって、(a) 前記第１変速部は、２組の動力伝達部材から成る第１中間出力経路およびその第１中間出力経路に対して減速回転させて出力する第２中間出力経路を介して、前記入力回転部材の回転を前記第２変速部へ伝達し、(b) 前記第２変速部は、前記第２軸心に同心に且つ順次配設される、第１サンギヤ、第１キャリア、および第１リングギヤを備え、その第１キャリアによって回転可能に支持された互いに噛み合う一対の第１遊星歯車を有するダブルピニオン型の第１遊星歯車装置と、第２サンギヤ、第２キャリア、および第２リングギヤを備え、その第２キャリアによって回転可能に支持された第２遊星歯車を有するシングルピニオン型の第２遊星歯車装置と、第３サンギヤ、第３キャリア、および第３リングギヤを備え、その第３キャリアによって回転可能に支持された第３遊星歯車を有するシングルピニオン型の第３遊星歯車装置とを含み、その第２サンギヤおよびその第３サンギヤは第２クラッチを介して前記第２ドリブン部材に選択的に連結されるとともに第１ブレーキを介して非回転部材に選択的に連結され、その第１キャリアおよびその第２キャリアは第３クラッチを介して前記第１ドリブン部材に選択的に連結されるとともに第２ブレーキを介して非回転部材に選択的に連結され、その第１リングギヤおよびその第２リングギヤは第４クラッチを介して前記第１ドリブン部材に選択的に連結されるとともに第３ブレーキを介して非回転部材に選択的に連結され、その第１サンギヤおよびその第３キャリアは前記出力回転部材に連結され、その第３リングギヤは第１クラッチを介して前記第２ドリブン部材に選択的に連結されるものであり、(c) 前記クラッチおよびブレーキの係合、解放状態を選択的に切り換えることにより少なくとも前進７速の変速段が成立させられることにある。
【００３６】
前記目的を達成するための第３１発明の要旨とするところは、第１変速部および第２変速部を備え、第１軸心まわりに回転可能な入力回転部材の回転をその第１変速部を介してその第１軸心に平行な第２軸心上のその第２変速部へ伝達し、その第２軸心まわりに回転する出力回転部材から出力する形式の車両用遊星歯車式多段変速機であって、(a) 前記第１変速部は、２組の動力伝達部材から成る第１中間出力経路およびその第１中間出力経路に対して減速回転させて出力する第２中間出力経路を介して、前記入力回転部材の回転を前記第２変速部へ伝達し、(b) 前記第２変速部は、前記第２軸心に同心に且つ順次配設される、第１サンギヤ、第１キャリア、および第１リングギヤを備え、その第１キャリアによって回転可能に支持された第１遊星歯車を有するシングルピニオン型の第１遊星歯車装置と、第２サンギヤ、第２キャリア、および第２リングギヤを備え、その第２キャリアによって回転可能に支持された互いに噛み合う一対の第２遊星歯車を有するダブルピニオン型の第２遊星歯車装置と、第３サンギヤ、第３キャリア、および第３リングギヤを備え、その第３キャリアによって回転可能に支持された第３遊星歯車を有するシングルピニオン型の第３遊星歯車装置とを含み、その第１サンギヤおよびその第３サンギヤは第２クラッチを介して前記第２ドリブン部材に選択的に連結され、さらに第４クラッチを介して前記第１ドリブン部材に選択的に連結されるとともに第１ブレーキを介して非回転部材に選択的に連結され、その第１キャリアおよびその第２キャリアは第３クラッチを介して前記第１ドリブン部材に選択的に連結されるとともに第２ブレーキを介して非回転部材に選択的に連結され、その第１リングギヤおよびその第２リングギヤは第３ブレーキを介して非回転部材に選択的に連結され、その第２サンギヤおよびその第３キャリアは前記出力回転部材に連結され、その第３リングギヤは第１クラッチを介して前記第２ドリブン部材に選択的に連結されるものであり、(c) 前記クラッチおよびブレーキの係合、解放状態を選択的に切り換えることにより少なくとも前進７速の変速段が成立させられることにある。
【００３７】
第３２発明は、第２４発明および第２７発明乃至第２９発明のいずれかの車両用遊星歯車式多段変速機において、前記第１キャリアと前記第２キャリアおよび前記第１サンギヤと前記第２サンギヤとはそれぞれ共通の部材で構成されるとともに、前記第１遊星歯車が互いに噛み合う一対の前記第２遊星歯車のいずれか１つを兼ねているものである。
【００３８】
第３３発明は、第２３発明乃至第３２発明のいずれかの車両用遊星歯車式多段変速機において、前記第１クラッチおよび前記第３ブレーキが係合させられることによって最も大きい変速比の第１変速段が成立させられ、前記第１クラッチおよび前記第２ブレーキが係合させられることによって前記第１変速段よりも変速比が小さい第２変速段が成立させられ、前記第１クラッチおよび前記第１ブレーキが係合させられることによって前記第２変速段よりも変速比が小さい第３変速段が成立させられ、前記第１クラッチおよび前記第２クラッチが係合させられることによって前記第３変速段よりも変速比が小さい第４変速段が成立させられ、前記第１クラッチおよび前記第３クラッチが係合させられることによって前記第４変速段よりも変速比が小さい第５変速段が成立させられ、前記第３クラッチおよび前記第４クラッチが係合させられることによって前記第５変速段よりも変速比が小さい第６変速段が成立させられ、前記第２クラッチおよび前記第３クラッチが係合させられることによって前記第６変速段よりも変速比が小さい第７変速段が成立させられ、前記第３クラッチおよび前記第１ブレーキが係合させられることによって前記第７変速段よりも変速比が小さい第８変速段が成立させられるものである。
【００３９】
第３４発明は、第２３発明乃至第３３発明のいずれかの車両用遊星歯車式多段変速機において、前記第２クラッチおよび前記第２ブレーキが係合させられることによって後進変速段が成立させられるか、或いは前記第２クラッチおよび前記第２ブレーキが係合させられることによって第１後進変速段が成立させられ、前記第４クラッチおよび前記第３ブレーキが係合させられることによって前記第１後進変速段よりも変速比が大きい第２後進変速段が成立させられるものである。
【００４０】
第３５発明は、第１発明または第２発明の車両用遊星歯車式多段変速機において、(a) 前記第１変速部は、２組の動力伝達部材から成る第１中間出力経路およびその第１中間出力経路に対して増速回転させて出力する第２中間出力経路を介して、前記入力回転部材の回転を前記第２変速部へ伝達し、(b) 前記第２変速部は、前記第２軸心に同心に且つ順次配設される、第１遊星歯車装置と第２遊星歯車装置と第３遊星歯車装置との３組の遊星歯車装置を備え、その３組の遊星歯車装置のサンギヤ、キャリア、およびリングギヤの一部が互いに連結されることによって５つの回転要素が構成されるとともに、その５つの回転要素の回転速度を直線上で表すことができる共線図上においてその５つの回転要素を一端から他端へ向かって順番に第１回転要素、第２回転要素、第３回転要素、第４回転要素、および第５回転要素としたとき、その第１回転要素は第１クラッチを介して前記第１ドリブン部材に選択的に連結されるとともに第３クラッチを介して前記第２ドリブン部材に選択的に連結され、その第２回転要素は第２クラッチを介して前記第１ドリブン部材に選択的に連結されるとともに第１ブレーキを介して非回転部材に選択的に連結され、その第３回転要素は前記出力回転部材に連結され、その第４回転要素は第２ブレーキを介して非回転部材に選択的に連結され、その第５回転要素は第４クラッチを介して前記第２ドリブン部材に選択的に連結されるものである。
【００４１】
第３６発明は、第３５発明の車両用遊星歯車式多段変速機において、(a) 前記第１遊星歯車装置は第１サンギヤ、第１キャリア、および第１リングギヤを備え、その第１キャリアによって回転可能に支持された互いに噛み合う一対の第１遊星歯車を有するダブルピニオン型遊星歯車装置であり、前記第２遊星歯車装置は第２サンギヤ、第２キャリア、および第２リングギヤを備え、その第２キャリアによって回転可能に支持された第２遊星歯車を有するシングルピニオン型遊星歯車装置であり、前記第３遊星歯車装置は第３サンギヤ、第３キャリア、および第３リングギヤを備え、その第３キャリアによって回転可能に支持された第３遊星歯車を有するシングルピニオン型遊星歯車装置であり、(b) 前記第１回転要素はその第２サンギヤであり、前記第２回転要素はその第１キャリア、その第２キャリアおよびその第３リングギヤであり、前記第３回転要素はその第１リングギヤ、その第２リングギヤおよびその第３キャリアであり、前記第４回転要素はその第１サンギヤであり、前記第５回転要素はその第３サンギヤである。
【００４２】
第３７発明は、第３５発明の車両用遊星歯車式多段変速機において、(a) 前記第１遊星歯車装置は第１サンギヤ、第１キャリア、および第１リングギヤを備え、その第１キャリアによって回転可能に支持された第１遊星歯車を有するシングルピニオン型遊星歯車装置であり、前記第２遊星歯車装置は第２サンギヤ、第２キャリア、および第２リングギヤを備え、その第２キャリアによって回転可能に支持された互いに噛み合う一対の第２遊星歯車を有するダブルピニオン型遊星歯車装置であり、前記第３遊星歯車装置は第３サンギヤ、第３キャリア、および第３リングギヤを備え、その第３キャリアによって回転可能に支持された第３遊星歯車を有するシングルピニオン型遊星歯車装置であり、(b) 前記第１回転要素はその第３サンギヤであり、前記第２回転要素はその第１サンギヤ、その第２キャリアおよびその第３キャリアであり、前記第３回転要素はその第２リングギヤおよびその第３リングギヤであり、前記第４回転要素はその第１キャリアであり、前記第５回転要素はその第１リングギヤおよびその第２サンギヤである。
【００４３】
第３８発明は、第３５発明の車両用遊星歯車式多段変速機において、(a) 前記第１遊星歯車装置は第１サンギヤ、第１キャリア、および第１リングギヤを備え、その第１キャリアによって回転可能に支持された第１遊星歯車を有するシングルピニオン型遊星歯車装置であり、前記第２遊星歯車装置は第２サンギヤ、第２キャリア、および第２リングギヤを備え、その第２キャリアによって回転可能に支持された互いに噛み合う一対の第２遊星歯車を有するダブルピニオン型遊星歯車装置であり、前記第３遊星歯車装置は第３サンギヤ、第３キャリア、および第３リングギヤを備え、その第３キャリアによって回転可能に支持された第３遊星歯車を有するシングルピニオン型遊星歯車装置であり、(b) 前記第１回転要素はその第３サンギヤであり、前記第２回転要素はその第２キャリアおよびその第３キャリアであり、前記第３回転要素はその第１サンギヤ、その第２リングギヤおよびその第３リングギヤであり、前記第４回転要素はその第１キャリアであり、前記第５回転要素はその第１リングギヤおよびその第２サンギヤである。
【００４４】
第３９発明は、第３５発明の車両用遊星歯車式多段変速機において、(a) 前記第１遊星歯車装置は第１サンギヤ、第１キャリア、および第１リングギヤを備え、その第１キャリアによって回転可能に支持された第１遊星歯車を有するシングルピニオン型遊星歯車装置であり、前記第２遊星歯車装置は第２サンギヤ、第２キャリア、および第２リングギヤを備え、その第２キャリアによって回転可能に支持された第２遊星歯車を有するシングルピニオン型遊星歯車装置であり、前記第３遊星歯車装置は第３サンギヤ、第３キャリア、および第３リングギヤを備え、その第３キャリアによって回転可能に支持された第３遊星歯車を有するシングルピニオン型遊星歯車装置であり、(b) 前記第１回転要素はその第２サンギヤおよびその第３サンギヤであり、前記第２回転要素はその第３キャリアであり、前記第３回転要素はその第１サンギヤ、その第２キャリアおよびその第３リングギヤであり、前記第４回転要素はその第１キャリアおよびその第２リングギヤであり、前記第５回転要素はその第１リングギヤである。
【００４５】
第４０発明は、第３５発明の車両用遊星歯車式多段変速機において、(a) 前記第１遊星歯車装置は第１サンギヤ、第１キャリア、および第１リングギヤを備え、その第１キャリアによって回転可能に支持された互いに噛み合う一対の第１遊星歯車を有するダブルピニオン型遊星歯車装置であり、前記第２遊星歯車装置は第２サンギヤ、第２キャリア、および第２リングギヤを備え、その第２キャリアによって回転可能に支持された第２遊星歯車を有するシングルピニオン型遊星歯車装置であり、前記第３遊星歯車装置は第３サンギヤ、第３キャリア、および第３リングギヤを備え、その第３キャリアによって回転可能に支持された第３遊星歯車を有するシングルピニオン型遊星歯車装置であり、(b) 前記第１回転要素はその第１サンギヤであり、前記第２回転要素はその第１リングギヤおよびその第２サンギヤであり、前記第３回転要素はその第３サンギヤであり、前記第４回転要素はその第１キャリア、その第２キャリアおよびその第３キャリアであり、前記第５回転要素はその第２リングギヤおよびその第３リングギヤである。
【００４６】
第４１発明は、第３５発明の車両用遊星歯車式多段変速機において、(a) 前記第１遊星歯車装置は第１サンギヤ、第１キャリア、および第１リングギヤを備え、その第１キャリアによって回転可能に支持された互いに噛み合う一対の第１遊星歯車を有するダブルピニオン型遊星歯車装置であり、前記第２遊星歯車装置は第２サンギヤ、第２キャリア、および第２リングギヤを備え、その第２キャリアによって回転可能に支持された第２遊星歯車を有するシングルピニオン型遊星歯車装置であり、前記第３遊星歯車装置は第３サンギヤ、第３キャリア、および第３リングギヤを備え、その第３キャリアによって回転可能に支持された第３遊星歯車を有するシングルピニオン型遊星歯車装置であり、(b) 前記第１回転要素はその第２サンギヤおよびその第３サンギヤであり、前記第２回転要素はその第１キャリアおよびその第２キャリアであり、前記第３回転要素はその第１リングギヤ、その第２リングギヤおよびその第３キャリアであり、前記第４回転要素はその第１サンギヤであり、前記第５回転要素はその第３リングギヤである。
【００４７】
前記目的を達成するための第４２発明の要旨とするところは、第１変速部および第２変速部を備え、第１軸心まわりに回転可能な入力回転部材の回転をその第１変速部を介してその第１軸心に平行な第２軸心上のその第２変速部へ伝達し、その第２軸心まわりに回転する出力回転部材から出力する形式の車両用遊星歯車式多段変速機であって、(a) 前記第１変速部は、２組の動力伝達部材から成る第１中間出力経路およびその第１中間出力経路に対して増速回転させて出力する第２中間出力経路を介して、前記入力回転部材の回転を前記第２変速部へ伝達し、(b) 前記第２変速部は、前記第２軸心に同心に且つ順次配設される、第１サンギヤ、第１キャリア、および第１リングギヤを備え、その第１キャリアによって回転可能に支持された互いに噛み合う一対の第１遊星歯車を有するダブルピニオン型の第１遊星歯車装置と、第２サンギヤ、第２キャリア、および第２リングギヤを備え、その第２キャリアによって回転可能に支持された第２遊星歯車を有するシングルピニオン型の第２遊星歯車装置と、第３サンギヤ、第３キャリア、および第３リングギヤを備え、その第３キャリアによって回転可能に支持された第３遊星歯車を有するシングルピニオン型の第３遊星歯車装置とを含み、その第２サンギヤは第１クラッチを介して前記第１ドリブン部材に選択的に連結されるとともに第３クラッチを介して前記第２ドリブン部材に選択的に連結され、その第１キャリア、その第２キャリアおよびその第３リングギヤは第２クラッチを介して前記第１ドリブン部材に選択的に連結されるとともに第１ブレーキを介して非回転部材に選択的に連結され、その第１リングギヤ、その第２リングギヤおよびその第３キャリアは前記出力回転部材に連結され、その第１サンギヤは第２ブレーキを介して非回転部材に選択的に連結され、その第３サンギヤは第４クラッチを介して前記第２ドリブン部材に選択的に連結されるものであり、(c) 前記クラッチおよびブレーキの係合、解放状態を選択的に切り換えることにより少なくとも前進７速の変速段が成立させられることにある。
【００４８】
前記目的を達成するための第４３発明の要旨とするところは、第１変速部および第２変速部を備え、第１軸心まわりに回転可能な入力回転部材の回転をその第１変速部を介してその第１軸心に平行な第２軸心上のその第２変速部へ伝達し、その第２軸心まわりに回転する出力回転部材から出力する形式の車両用遊星歯車式多段変速機であって、(a) 前記第１変速部は、２組の動力伝達部材から成る第１中間出力経路およびその第１中間出力経路に対して増速回転させて出力する第２中間出力経路を介して、前記入力回転部材の回転を前記第２変速部へ伝達し、(b) 前記第２変速部は、前記第２軸心に同心に且つ順次配設される、第１サンギヤ、第１キャリア、および第１リングギヤを備え、その第１キャリアによって回転可能に支持された第１遊星歯車を有するシングルピニオン型の第１遊星歯車装置と、第２サンギヤ、第２キャリア、および第２リングギヤを備え、その第２キャリアによって回転可能に支持された互いに噛み合う一対の第２遊星歯車を有するダブルピニオン型の第２遊星歯車装置と、第３サンギヤ、第３キャリア、および第３リングギヤを備え、その第３キャリアによって回転可能に支持された第３遊星歯車を有するシングルピニオン型の第３遊星歯車装置とを含み、その第３サンギヤは第１クラッチを介して前記第１ドリブン部材に選択的に連結されるとともに第３クラッチを介して前記第２ドリブン部材に選択的に連結され、その第１サンギヤ、その第２キャリアおよびその第３キャリアは第２クラッチを介して前記第１ドリブン部材に選択的に連結されるとともに第１ブレーキを介して非回転部材に選択的に連結され、その第２リングギヤおよびその第３リングギヤは前記出力回転部材に連結され、その第１キャリアは第２ブレーキを介して非回転部材に選択的に連結され、その第１リングギヤおよびその第２サンギヤは第４クラッチを介して前記第２ドリブン部材に選択的に連結されるものであり、(c) 前記クラッチおよびブレーキの係合、解放状態を選択的に切り換えることにより少なくとも前進７速の変速段が成立させられることにある。
【００４９】
前記目的を達成するための第４４発明の要旨とするところは、第１変速部および第２変速部を備え、第１軸心まわりに回転可能な入力回転部材の回転をその第１変速部を介してその第１軸心に平行な第２軸心上のその第２変速部へ伝達し、その第２軸心まわりに回転する出力回転部材から出力する形式の車両用遊星歯車式多段変速機であって、(a) 前記第１変速部は、２組の動力伝達部材から成る第１中間出力経路およびその第１中間出力経路に対して増速回転させて出力する第２中間出力経路を介して、前記入力回転部材の回転を前記第２変速部へ伝達し、(b) 前記第２変速部は、前記第２軸心に同心に且つ順次配設される、第１サンギヤ、第１キャリア、および第１リングギヤを備え、その第１キャリアによって回転可能に支持された第１遊星歯車を有するシングルピニオン型の第１遊星歯車装置と、第２サンギヤ、第２キャリア、および第２リングギヤを備え、その第２キャリアによって回転可能に支持された互いに噛み合う一対の第２遊星歯車を有するダブルピニオン型の第２遊星歯車装置と、第３サンギヤ、第３キャリア、および第３リングギヤを備え、その第３キャリアによって回転可能に支持された第３遊星歯車を有するシングルピニオン型の第３遊星歯車装置とを含み、その第３サンギヤは第１クラッチを介して前記第１ドリブン部材に選択的に連結されるとともに第３クラッチを介して前記第２ドリブン部材に選択的に連結され、その第２キャリアおよびその第３キャリアは第２クラッチを介して前記第１ドリブン部材に選択的に連結されるとともに第１ブレーキを介して非回転部材に選択的に連結され、その第１サンギヤ、その第２リングギヤおよびその第３リングギヤは前記出力回転部材に連結され、その第１キャリアは第２ブレーキを介して非回転部材に選択的に連結され、その第１リングギヤおよびその第２サンギヤは第４クラッチを介して前記第２ドリブン部材に選択的に連結されるものであり、(c) 前記クラッチおよびブレーキの係合、解放状態を選択的に切り換えることにより少なくとも前進７速の変速段が成立させられることにある。
【００５０】
前記目的を達成するための第４５発明の要旨とするところは、第１変速部および第２変速部を備え、第１軸心まわりに回転可能な入力回転部材の回転をその第１変速部を介してその第１軸心に平行な第２軸心上のその第２変速部へ伝達し、その第２軸心まわりに回転する出力回転部材から出力する形式の車両用遊星歯車式多段変速機であって、(a) 前記第１変速部は、２組の動力伝達部材から成る第１中間出力経路およびその第１中間出力経路に対して増速回転させて出力する第２中間出力経路を介して、前記入力回転部材の回転を前記第２変速部へ伝達し、(b) 前記第２変速部は、前記第２軸心に同心に且つ順次配設される、第１サンギヤ、第１キャリア、および第１リングギヤを備え、その第１キャリアによって回転可能に支持された第１遊星歯車を有するシングルピニオン型の第１遊星歯車装置と、第２サンギヤ、第２キャリア、および第２リングギヤを備え、その第２キャリアによって回転可能に支持された第２遊星歯車を有するシングルピニオン型の第２遊星歯車装置と、第３サンギヤ、第３キャリア、および第３リングギヤを備え、その第３キャリアによって回転可能に支持された第３遊星歯車を有するシングルピニオン型の第３遊星歯車装置とを含み、その第２サンギヤおよびその第３サンギヤは第１クラッチを介して前記第１ドリブン部材に選択的に連結されるとともに第３クラッチを介して前記第２ドリブン部材に選択的に連結され、その第３キャリアは第２クラッチを介して前記第１ドリブン部材に選択的に連結されるとともに第１ブレーキを介して非回転部材に選択的に連結され、その第１サンギヤ、その第２キャリアおよびその第３リングギヤは前記出力回転部材に連結され、その第１キャリアおよびその第２リングギヤは第２ブレーキを介して非回転部材に選択的に連結され、その第１リングギヤは第４クラッチを介して前記第２ドリブン部材に選択的に連結されるものであり、(c) 前記クラッチおよびブレーキの係合、解放状態を選択的に切り換えることにより少なくとも前進７速の変速段が成立させられることにある。
【００５１】
前記目的を達成するための第４６発明の要旨とするところは、第１変速部および第２変速部を備え、第１軸心まわりに回転可能な入力回転部材の回転をその第１変速部を介してその第１軸心に平行な第２軸心上のその第２変速部へ伝達し、その第２軸心まわりに回転する出力回転部材から出力する形式の車両用遊星歯車式多段変速機であって、(a) 前記第１変速部は、２組の動力伝達部材から成る第１中間出力経路およびその第１中間出力経路に対して増速回転させて出力する第２中間出力経路を介して、前記入力回転部材の回転を前記第２変速部へ伝達し、(b) 前記第２変速部は、前記第２軸心に同心に且つ順次配設される、第１サンギヤ、第１キャリア、および第１リングギヤを備え、その第１キャリアによって回転可能に支持された互いに噛み合う一対の第１遊星歯車を有するダブルピニオン型の第１遊星歯車装置と、第２サンギヤ、第２キャリア、および第２リングギヤを備え、その第２キャリアによって回転可能に支持された第２遊星歯車を有するシングルピニオン型の第２遊星歯車装置と、第３サンギヤ、第３キャリア、および第３リングギヤを備え、その第３キャリアによって回転可能に支持された第３遊星歯車を有するシングルピニオン型の第３遊星歯車装置とを含み、その第１サンギヤは第１クラッチを介して前記第１ドリブン部材に選択的に連結されるとともに第３クラッチを介して前記第２ドリブン部材に選択的に連結され、その第１リングギヤおよびその第２サンギヤは第２クラッチを介して前記第１ドリブン部材に選択的に連結されるとともに第１ブレーキを介して非回転部材に選択的に連結され、その第３サンギヤは前記出力回転部材に連結され、その第１キャリア、その第２キャリアおよびその第３キャリアは第２ブレーキを介して非回転部材に選択的に連結され、その第２リングギヤおよびその第３リングギヤは第４クラッチを介して前記第２ドリブン部材に選択的に連結されるものであり、(c) 前記クラッチおよびブレーキの係合、解放状態を選択的に切り換えることにより少なくとも前進７速の変速段が成立させられることにある。
【００５２】
前記目的を達成するための第４７発明の要旨とするところは、第１変速部および第２変速部を備え、第１軸心まわりに回転可能な入力回転部材の回転をその第１変速部を介してその第１軸心に平行な第２軸心上のその第２変速部へ伝達し、その第２軸心まわりに回転する出力回転部材から出力する形式の車両用遊星歯車式多段変速機であって、(a) 前記第１変速部は、２組の動力伝達部材から成る第１中間出力経路およびその第１中間出力経路に対して増速回転させて出力する第２中間出力経路を介して、前記入力回転部材の回転を前記第２変速部へ伝達し、(b) 前記第２変速部は、前記第２軸心に同心に且つ順次配設される、第１サンギヤ、第１キャリア、および第１リングギヤを備え、その第１キャリアによって回転可能に支持された互いに噛み合う一対の第１遊星歯車を有するダブルピニオン型の第１遊星歯車装置と、第２サンギヤ、第２キャリア、および第２リングギヤを備え、その第２キャリアによって回転可能に支持された第２遊星歯車を有するシングルピニオン型の第２遊星歯車装置と、第３サンギヤ、第３キャリア、および第３リングギヤを備え、その第３キャリアによって回転可能に支持された第３遊星歯車を有するシングルピニオン型の第３遊星歯車装置とを含み、その第２サンギヤおよびその第３サンギヤは第１クラッチを介して前記第１ドリブン部材に選択的に連結されるとともに第３クラッチを介して前記第２ドリブン部材に選択的に連結され、その第１キャリアおよびその第２キャリアは第２クラッチを介して前記第１ドリブン部材に選択的に連結されるとともに第１ブレーキを介して非回転部材に選択的に連結され、その第１リングギヤ、その第２リングギヤおよびその第３キャリアは前記出力回転部材に連結され、その第１サンギヤは第２ブレーキを介して非回転部材に選択的に連結され、その第３リングギヤは第４クラッチを介して前記第２ドリブン部材に選択的に連結されるものであり、(c) 前記クラッチおよびブレーキの係合、解放状態を選択的に切り換えることにより少なくとも前進７速の変速段が成立させられることにある。
【００５３】
第４８発明は、第３７発明、第３８発明、第４３発明および第４４発明のいずれかの車両用遊星歯車式多段変速機において、前記第２キャリアと前記第３キャリアおよび前記第２リングギヤと前記第３リングギヤとはそれぞれ共通の部材で構成されるとともに、前記第３遊星歯車が互いに噛み合う一対の前記第２遊星歯車のいずれか１つを兼ねているものである。
【００５４】
第４９発明は、第３５発明乃至第４８発明のいずれかの車両用遊星歯車式多段変速機において、前記第１クラッチおよび前記第２ブレーキが係合させられることによって最も大きい変速比の第１変速段が成立させられ、前記第３クラッチおよび前記第２ブレーキが係合させられることによって前記第１変速段よりも変速比が小さい第２変速段が成立させられ、前記第２クラッチおよび前記第２ブレーキが係合させられることによって前記第２変速段よりも変速比が小さい第３変速段が成立させられ、前記第２クラッチおよび前記第３クラッチが係合させられることによって前記第３変速段よりも変速比が小さい第４変速段が成立させられ、前記第１クラッチおよび前記第２クラッチが係合させられることによって前記第４変速段よりも変速比が小さい第５変速段が成立させられ、前記第２クラッチおよび前記第４クラッチが係合させられることによって前記第５変速段よりも変速比が小さい第６変速段が成立させられ、前記第１クラッチおよび前記第４クラッチが係合させられることによって前記第６変速段よりも変速比が小さい第７変速段が成立させられ、前記第３クラッチおよび前記第４クラッチが係合させられることによって前記第７変速段よりも変速比が小さい第８変速段が成立させられるものである。
【００５５】
第５０発明は、第３５発明乃至第４９発明のいずれかの車両用遊星歯車式多段変速機において、前記第１クラッチおよび前記第１ブレーキが係合させられることによって後進変速段が成立させられるものである。
【００５６】
第５１発明は、第１発明または第２発明の車両用遊星歯車式多段変速機において、(a) 前記第１変速部は、２組の動力伝達部材から成る第１中間出力経路およびその第１中間出力経路に対して増速回転させて出力する第２中間出力経路を介して、前記入力回転部材の回転を前記第２変速部へ伝達し、(b) 前記第２変速部は、前記第２軸心に同心に且つ順次配設される、第１遊星歯車装置と第２遊星歯車装置と第３遊星歯車装置との３組の遊星歯車装置を備え、その３組の遊星歯車装置のサンギヤ、キャリア、およびリングギヤの一部が互いに連結されることによって５つの回転要素が構成されるとともに、その５つの回転要素の回転速度を直線上で表すことができる共線図上においてその５つの回転要素を一端から他端へ向かって順番に第１回転要素、第２回転要素、第３回転要素、第４回転要素、および第５回転要素としたとき、その第１回転要素は第１クラッチを介して前記第１ドリブン部材に選択的に連結されるとともに第４クラッチを介して前記第２ドリブン部材に選択的に連結され、その第２回転要素は第２クラッチを介して前記第１ドリブン部材に選択的に連結され、その第３回転要素は第３クラッチを介して前記第１ドリブン部材に選択的に連結されるか、或いは第３クラッチを介して前記第１ドリブン部材に選択的に連結されるとともに第２ブレーキを介して非回転部材に選択的に連結され、その第４回転要素は前記出力回転部材に連結され、その第５回転要素は第５クラッチを介して前記第２ドリブン部材に選択的に連結されるとともに第１ブレーキを介して非回転部材に選択的に連結されるものである。
【００５７】
第５２発明は、第５１発明の車両用遊星歯車式多段変速機において、(a) 前記第１遊星歯車装置は第１サンギヤ、第１キャリア、および第１リングギヤを備え、その第１キャリアによって回転可能に支持された第１遊星歯車を有するシングルピニオン型遊星歯車装置であり、前記第２遊星歯車装置は第２サンギヤ、第２キャリア、および第２リングギヤを備え、その第２キャリアによって回転可能に支持された第２遊星歯車を有するシングルピニオン型遊星歯車装置であり、前記第３遊星歯車装置は第３サンギヤ、第３キャリア、および第３リングギヤを備え、その第３キャリアによって回転可能に支持された第３遊星歯車を有するシングルピニオン型遊星歯車装置であり、(b) 前記第１回転要素はその第１サンギヤおよびその第２サンギヤであり、前記第２回転要素はその第３サンギヤであり、前記第３回転要素はその第２キャリアであり、前記第４回転要素はその第１キャリア、その第２リングギヤおよびその第３キャリアであり、前記第５回転要素はその第１リングギヤおよびその第３リングギヤである。
【００５８】
第５３発明は、第５１発明の車両用遊星歯車式多段変速機において、(a) 前記第１遊星歯車装置は第１サンギヤ、第１キャリア、および第１リングギヤを備え、その第１キャリアによって回転可能に支持された第１遊星歯車を有するシングルピニオン型遊星歯車装置であり、前記第２遊星歯車装置は第２サンギヤ、第２キャリア、および第２リングギヤを備え、その第２キャリアによって回転可能に支持された互いに噛み合う一対の第２遊星歯車を有するダブルピニオン型遊星歯車装置であり、前記第３遊星歯車装置は第３サンギヤ、第３キャリア、および第３リングギヤを備え、その第３キャリアによって回転可能に支持された第３遊星歯車を有するシングルピニオン型遊星歯車装置であり、(b) 前記第１回転要素はその第１サンギヤであり、前記第２回転要素はその第２サンギヤおよびその第３サンギヤであり、前記第３回転要素はその第１キャリアおよびその第２リングギヤであり、前記第４回転要素はその第１リングギヤ、その第２キャリアおよびその第３キャリアであり、前記第５回転要素はその第３リングギヤである。
【００５９】
第５４発明は、第５１発明の車両用遊星歯車式多段変速機において、(a) 前記第１遊星歯車装置は第１サンギヤ、第１キャリア、および第１リングギヤを備え、その第１キャリアによって回転可能に支持された互いに噛み合う一対の第１遊星歯車を有するダブルピニオン型遊星歯車装置であり、前記第２遊星歯車装置は第２サンギヤ、第２キャリア、および第２リングギヤを備え、その第２キャリアによって回転可能に支持された第２遊星歯車を有するシングルピニオン型遊星歯車装置であり、前記第３遊星歯車装置は第３サンギヤ、第３キャリア、および第３リングギヤを備え、その第３キャリアによって回転可能に支持された第３遊星歯車を有するシングルピニオン型遊星歯車装置であり、(b) 前記第１回転要素はその第２サンギヤであり、前記第２回転要素はその第３サンギヤであり、前記第３回転要素はその第１キャリアおよびその第２キャリアであり、前記第４回転要素はその第１リングギヤ、その第２リングギヤおよびその第３キャリアであり、前記第５回転要素はその第１サンギヤおよびその第３リングギヤである。
【００６０】
第５５発明は、第５１発明の車両用遊星歯車式多段変速機において、(a) 前記第１遊星歯車装置は第１サンギヤ、第１キャリア、および第１リングギヤを備え、その第１キャリアによって回転可能に支持された第１遊星歯車を有するシングルピニオン型遊星歯車装置であり、前記第２遊星歯車装置は第２サンギヤ、第２キャリア、および第２リングギヤを備え、その第２キャリアによって回転可能に支持された第２遊星歯車を有するシングルピニオン型遊星歯車装置であり、前記第３遊星歯車装置は第３サンギヤ、第３キャリア、および第３リングギヤを備え、その第３キャリアによって回転可能に支持された互いに噛み合う一対の第３遊星歯車を有するダブルピニオン型遊星歯車装置であり、(b) 前記第１回転要素はその第１サンギヤであり、前記第２回転要素はその第２サンギヤおよびその第３サンギヤであり、前記第３回転要素はその第３リングギヤであり、前記第４回転要素はその第１キャリア、その第２キャリアおよびその第３キャリアであり、前記第５回転要素はその第１リングギヤおよびその第２リングギヤである。
【００６１】
第５６発明は、第５１発明の車両用遊星歯車式多段変速機において、(a) 前記第１遊星歯車装置は第１サンギヤ、第１キャリア、および第１リングギヤを備え、その第１キャリアによって回転可能に支持された第１遊星歯車を有するシングルピニオン型遊星歯車装置であり、前記第２遊星歯車装置は第２サンギヤ、第２キャリア、および第２リングギヤを備え、その第２キャリアによって回転可能に支持された互いに噛み合う一対の第２遊星歯車を有するダブルピニオン型遊星歯車装置であり、前記第３遊星歯車装置は第３サンギヤ、第３キャリア、および第３リングギヤを備え、その第３キャリアによって回転可能に支持された第３遊星歯車を有するシングルピニオン型遊星歯車装置であり、(b) 前記第１回転要素はその第１リングギヤであり、前記第２回転要素はその第１キャリア、その第２キャリアおよびその第３サンギヤであり、前記第３回転要素はその第２リングギヤであり、前記第４回転要素はその第３キャリアであり、前記第５回転要素はその第１サンギヤ、その第２サンギヤおよびその第３リングギヤである。
【００６２】
前記目的を達成するための第５７発明の要旨とするところは、第１変速部および第２変速部を備え、第１軸心まわりに回転可能な入力回転部材の回転をその第１変速部を介してその第１軸心に平行な第２軸心上のその第２変速部へ伝達し、その第２軸心まわりに回転する出力回転部材から出力する形式の車両用遊星歯車式多段変速機であって、(a) 前記第１変速部は、２組の動力伝達部材から成る第１中間出力経路およびその第１中間出力経路に対して増速回転させて出力する第２中間出力経路を介して、前記入力回転部材の回転を前記第２変速部へ伝達し、(b) 前記第２変速部は、前記第２軸心に同心に且つ順次配設される、第１サンギヤ、第１キャリア、および第１リングギヤを備え、その第１キャリアによって回転可能に支持された第１遊星歯車を有するシングルピニオン型の第１遊星歯車装置と、第２サンギヤ、第２キャリア、および第２リングギヤを備え、その第２キャリアによって回転可能に支持された第２遊星歯車を有するシングルピニオン型の第２遊星歯車装置と、第３サンギヤ、第３キャリア、および第３リングギヤを備え、その第３キャリアによって回転可能に支持された第３遊星歯車を有するシングルピニオン型の第３遊星歯車装置とを含み、その第１サンギヤおよびその第２サンギヤは第１クラッチを介して前記第１ドリブン部材に選択的に連結されるとともに第４クラッチを介して前記第２ドリブン部材に選択的に連結され、その第３サンギヤは第２クラッチを介して前記第１ドリブン部材に選択的に連結され、その第２キャリアは第３クラッチを介して前記第１ドリブン部材に選択的に連結され、その第１キャリア、その第２リングギヤおよびその第３キャリアは前記出力回転部材に連結され、その第１リングギヤおよびその第３リングギヤは第５クラッチを介して前記第２ドリブン部材に選択的に連結されるとともに第１ブレーキを介して非回転部材に選択的に連結されるものであり、(c) 前記クラッチおよびブレーキの係合、解放状態を選択的に切り換えることにより少なくとも前進７速の変速段が成立させられることにある。
【００６３】
前記目的を達成するための第５８発明の要旨とするところは、第１変速部および第２変速部を備え、第１軸心まわりに回転可能な入力回転部材の回転をその第１変速部を介してその第１軸心に平行な第２軸心上のその第２変速部へ伝達し、その第２軸心まわりに回転する出力回転部材から出力する形式の車両用遊星歯車式多段変速機であって、(a) 前記第１変速部は、２組の動力伝達部材から成る第１中間出力経路およびその第１中間出力経路に対して増速回転させて出力する第２中間出力経路を介して、前記入力回転部材の回転を前記第２変速部へ伝達し、(b) 前記第２変速部は、前記第２軸心に同心に且つ順次配設される、第１サンギヤ、第１キャリア、および第１リングギヤを備え、その第１キャリアによって回転可能に支持された第１遊星歯車を有するシングルピニオン型の第１遊星歯車装置と、第２サンギヤ、第２キャリア、および第２リングギヤを備え、その第２キャリアによって回転可能に支持された互いに噛み合う一対の第２遊星歯車を有するダブルピニオン型の第２遊星歯車装置と、第３サンギヤ、第３キャリア、および第３リングギヤを備え、その第３キャリアによって回転可能に支持された第３遊星歯車を有するシングルピニオン型の第３遊星歯車装置とを含み、その第１サンギヤは第１クラッチを介して前記第１ドリブン部材に選択的に連結されるとともに第４クラッチを介して前記第２ドリブン部材に選択的に連結され、その第２サンギヤおよびその第３サンギヤは第２クラッチを介して前記第１ドリブン部材に選択的に連結され、その第１キャリアおよびその第２リングギヤは第３クラッチを介して前記第１ドリブン部材に選択的に連結され、その第１リングギヤ、その第２キャリアおよびその第３キャリアは前記出力回転部材に連結され、その第３リングギヤは第５クラッチを介して前記第２ドリブン部材に選択的に連結されるとともに第１ブレーキを介して非回転部材に選択的に連結されるものであり、(c) 前記クラッチおよびブレーキの係合、解放状態を選択的に切り換えることにより少なくとも前進７速の変速段が成立させられることにある。
【００６４】
前記目的を達成するための第５９発明の要旨とするところは、第１変速部および第２変速部を備え、第１軸心まわりに回転可能な入力回転部材の回転をその第１変速部を介してその第１軸心に平行な第２軸心上のその第２変速部へ伝達し、その第２軸心まわりに回転する出力回転部材から出力する形式の車両用遊星歯車式多段変速機であって、(a) 前記第１変速部は、２組の動力伝達部材から成る第１中間出力経路およびその第１中間出力経路に対して増速回転させて出力する第２中間出力経路を介して、前記入力回転部材の回転を前記第２変速部へ伝達し、(b) 前記第２変速部は、前記第２軸心に同心に且つ順次配設される、第１サンギヤ、第１キャリア、および第１リングギヤを備え、その第１キャリアによって回転可能に支持された互いに噛み合う一対の第１遊星歯車を有するダブルピニオン型の第１遊星歯車装置と、第２サンギヤ、第２キャリア、および第２リングギヤを備え、その第２キャリアによって回転可能に支持された第２遊星歯車を有するシングルピニオン型の第２遊星歯車装置と、第３サンギヤ、第３キャリア、および第３リングギヤを備え、その第３キャリアによって回転可能に支持された第３遊星歯車を有するシングルピニオン型の第３遊星歯車装置とを含み、その第２サンギヤは第１クラッチを介して前記第１ドリブン部材に選択的に連結されるとともに第４クラッチを介して前記第２ドリブン部材に選択的に連結され、その第３サンギヤは第２クラッチを介して前記第１ドリブン部材に選択的に連結され、その第１キャリアおよびその第２キャリアは第３クラッチを介して前記第１ドリブン部材に選択的に連結され、その第１リングギヤ、その第２リングギヤおよびその第３キャリアは前記出力回転部材に連結され、その第１サンギヤおよびその第３リングギヤは第５クラッチを介して前記第２ドリブン部材に選択的に連結されるとともに第１ブレーキを介して非回転部材に選択的に連結されるものであり、(c) 前記クラッチおよびブレーキの係合、解放状態を選択的に切り換えることにより少なくとも前進７速の変速段が成立させられることにある。
【００６５】
前記目的を達成するための第６０発明の要旨とするところは、第１変速部および第２変速部を備え、第１軸心まわりに回転可能な入力回転部材の回転をその第１変速部を介してその第１軸心に平行な第２軸心上のその第２変速部へ伝達し、その第２軸心まわりに回転する出力回転部材から出力する形式の車両用遊星歯車式多段変速機であって、(a) 前記第１変速部は、２組の動力伝達部材から成る第１中間出力経路およびその第１中間出力経路に対して増速回転させて出力する第２中間出力経路を介して、前記入力回転部材の回転を前記第２変速部へ伝達し、(b) 前記第２変速部は、前記第２軸心に同心に且つ順次配設される、第１サンギヤ、第１キャリア、および第１リングギヤを備え、その第１キャリアによって回転可能に支持された第１遊星歯車を有するシングルピニオン型の第１遊星歯車装置と、第２サンギヤ、第２キャリア、および第２リングギヤを備え、その第２キャリアによって回転可能に支持された第２遊星歯車を有するシングルピニオン型の第２遊星歯車装置と、第３サンギヤ、第３キャリア、および第３リングギヤを備え、その第３キャリアによって回転可能に支持された互いに噛み合う一対の第３遊星歯車を有するダブルピニオン型の第３遊星歯車装置とを含み、その第１サンギヤは第１クラッチを介して前記第１ドリブン部材に選択的に連結されるとともに第４クラッチを介して前記第２ドリブン部材に選択的に連結され、その第２サンギヤおよびその第３サンギヤは第２クラッチを介して前記第１ドリブン部材に選択的に連結され、その第３リングギヤは第３クラッチを介して前記第１ドリブン部材に選択的に連結され、その第１キャリア、その第２キャリアおよびその第３キャリアは前記出力回転部材に連結され、その第１リングギヤおよびその第２リングギヤは第５クラッチを介して前記第２ドリブン部材に選択的に連結されるとともに第１ブレーキを介して非回転部材に選択的に連結されるものであり、(c) 前記クラッチおよびブレーキの係合、解放状態を選択的に切り換えることにより少なくとも前進７速の変速段が成立させられることにある。
【００６６】
前記目的を達成するための第６１発明の要旨とするところは、第１変速部および第２変速部を備え、第１軸心まわりに回転可能な入力回転部材の回転をその第１変速部を介してその第１軸心に平行な第２軸心上のその第２変速部へ伝達し、その第２軸心まわりに回転する出力回転部材から出力する形式の車両用遊星歯車式多段変速機であって、(a) 前記第１変速部は、２組の動力伝達部材から成る第１中間出力経路およびその第１中間出力経路に対して増速回転させて出力する第２中間出力経路を介して、前記入力回転部材の回転を前記第２変速部へ伝達し、(b) 前記第２変速部は、前記第２軸心に同心に且つ順次配設される、第１サンギヤ、第１キャリア、および第１リングギヤを備え、その第１キャリアによって回転可能に支持された第１遊星歯車を有するシングルピニオン型の第１遊星歯車装置と、第２サンギヤ、第２キャリア、および第２リングギヤを備え、その第２キャリアによって回転可能に支持された互いに噛み合う一対の第２遊星歯車を有するダブルピニオン型の第２遊星歯車装置と、第３サンギヤ、第３キャリア、および第３リングギヤを備え、その第３キャリアによって回転可能に支持された第３遊星歯車を有するシングルピニオン型の第３遊星歯車装置とを含み、その第１リングギヤは第１クラッチを介して前記第１ドリブン部材に選択的に連結されるとともに第４クラッチを介して前記第２ドリブン部材に選択的に連結され、その第１キャリア、その第２キャリアおよびその第３サンギヤは第２クラッチを介して前記第１ドリブン部材に選択的に連結され、その第２リングギヤは第３クラッチを介して前記第１ドリブン部材に選択的に連結されるとともに第２ブレーキを介して非回転部材に選択的に連結され、その第３キャリアは前記出力回転部材に連結され、その第１サンギヤ、その第２サンギヤおよびその第３リングギヤは第５クラッチを介して前記第２ドリブン部材に選択的に連結されるとともに第１ブレーキを介して非回転部材に選択的に連結されるものであり、(c) 前記クラッチおよびブレーキの係合、解放状態を選択的に切り換えることにより少なくとも前進７速の変速段が成立させられることにある。
【００６７】
第６２発明は、第５３発明または第５８発明の車両用遊星歯車式多段変速機において、前記第２キャリアと前記第３キャリアおよび前記第２サンギヤと前記第３サンギヤとはそれぞれ共通の部材で構成されるとともに、前記第３遊星歯車が互いに噛み合う一対の前記第２遊星歯車のいずれか１つを兼ねているものである。
【００６８】
第６３発明は、第５４発明または第５９発明の車両用遊星歯車式多段変速機において、前記第１キャリアと前記第２キャリアおよび前記第１リングギヤと前記第２リングギヤとはそれぞれ共通の部材で構成されるとともに、前記第２遊星歯車が互いに噛み合う一対の前記第１遊星歯車のいずれか１つを兼ねているものである。
【００６９】
第６４発明は、第５６発明または第６１発明の車両用遊星歯車式多段変速機において、前記第１キャリアと前記第２キャリアおよび前記第１サンギヤと前記第２サンギヤとはそれぞれ共通の部材で構成されるとともに、前記第１遊星歯車が互いに噛み合う一対の前記第２遊星歯車のいずれか１つを兼ねているものである。
【００７０】
第６５発明は、第５１発明乃至第６４発明のいずれかの車両用遊星歯車式多段変速機において、前記第１クラッチおよび前記第１ブレーキが係合させられることによって最も大きい変速比の第１変速段が成立させられ、前記第２クラッチおよび前記第１ブレーキが係合させられることによって前記第１変速段よりも変速比が小さい第２変速段が成立させられ、前記第４クラッチおよび前記第１ブレーキが係合させられることによって前記第２変速段よりも変速比が小さい第３変速段が成立させられ、前記第３クラッチおよび前記第１ブレーキが係合させられることによって前記第３変速段よりも変速比が小さい第４変速段が成立させられ、前記第３クラッチおよび前記第４クラッチが係合させられることによって前記第４変速段よりも変速比が小さい第５変速段が成立させられ、前記第１クラッチおよび前記第３クラッチが係合させられることによって前記第５変速段よりも変速比が小さい第６変速段が成立させられ、前記第３クラッチおよび前記第５クラッチが係合させられることによって前記第６変速段よりも変速比が小さい第７変速段が成立させられ、前記第４クラッチおよび前記第５クラッチが係合させられることによって前記第７変速段よりも変速比が小さい第８変速段が成立させられるものである。
【００７１】
第６６発明は、第５１発明乃至第６５発明のいずれかの車両用遊星歯車式多段変速機において、前記第２クラッチおよび前記第４クラッチが係合させられることによって後進変速段が成立させられるか、或いは前記第４クラッチおよび前記第２ブレーキが係合させられることによって後進変速段が成立させられるものである。
【００７２】
第６７発明は、第１発明または第２発明の車両用遊星歯車式多段変速機において、(a) 前記第１変速部は、２組の動力伝達部材から成る第１中間出力経路およびその第１中間出力経路に対して減速回転させて出力する第２中間出力経路を介して、前記入力回転部材の回転を前記第２変速部へ伝達し、(b) 前記第２変速部は、前記第２軸心に同心に且つ順次配設される、第１遊星歯車装置と第２遊星歯車装置と第３遊星歯車装置との３組の遊星歯車装置を備え、その３組の遊星歯車装置のサンギヤ、キャリア、およびリングギヤの一部が互いに連結されることによって５つの回転要素が構成されるとともに、その５つの回転要素の回転速度を直線上で表すことができる共線図上においてその５つの回転要素を一端から他端へ向かって順番に第１回転要素、第２回転要素、第３回転要素、第４回転要素、および第５回転要素としたとき、その第１回転要素は第１クラッチを介して前記第２ドリブン部材に選択的に連結され、さらに第３クラッチを介して前記第１ドリブン部材に選択的に連結されるとともに第１ブレーキを介して非回転部材に選択的に連結され、その第２回転要素は第２ブレーキを介して非回転部材に選択的に連結され、その第３回転要素は第４クラッチを介して前記第１ドリブン部材に選択的に連結されるとともに第３ブレーキを介して非回転部材に選択的に連結され、その第４回転要素は前記出力回転部材に連結され、その第５回転要素は第２クラッチを介して前記第２ドリブン部材に選択的に連結されるものである。
【００７３】
第６８発明は、第６７発明の車両用遊星歯車式多段変速機において、(a) 前記第１遊星歯車装置は第１サンギヤ、第１キャリア、および第１リングギヤを備え、その第１キャリアによって回転可能に支持された互いに噛み合う一対の第１遊星歯車を有するダブルピニオン型遊星歯車装置であり、前記第２遊星歯車装置は第２サンギヤ、第２キャリア、および第２リングギヤを備え、その第２キャリアによって回転可能に支持された第２遊星歯車を有するシングルピニオン型遊星歯車装置であり、前記第３遊星歯車装置は第３サンギヤ、第３キャリア、および第３リングギヤを備え、その第３キャリアによって回転可能に支持された第３遊星歯車を有するシングルピニオン型遊星歯車装置であり、(b) 前記第１回転要素はその第２サンギヤおよびその第３サンギヤであり、前記第２回転要素はその第１キャリアおよびその第２キャリアであり、前記第３回転要素はその第２リングギヤおよびその第３キャリアであり、前記第４回転要素はその第１リングギヤおよびその第３リングギヤであり、前記第５回転要素はその第１サンギヤである。
【００７４】
前記目的を達成するための第６９発明の要旨とするところは、第１変速部および第２変速部を備え、第１軸心まわりに回転可能な入力回転部材の回転をその第１変速部を介してその第１軸心に平行な第２軸心上のその第２変速部へ伝達し、その第２軸心まわりに回転する出力回転部材から出力する形式の車両用遊星歯車式多段変速機であって、(a) 前記第１変速部は、２組の動力伝達部材から成る第１中間出力経路およびその第１中間出力経路に対して減速回転させて出力する第２中間出力経路を介して、前記入力回転部材の回転を前記第２変速部へ伝達し、(b) 前記第２変速部は、前記第２軸心に同心に且つ順次配設される、第１サンギヤ、第１キャリア、および第１リングギヤを備え、その第１キャリアによって回転可能に支持された互いに噛み合う一対の第１遊星歯車を有するダブルピニオン型の第１遊星歯車装置と、第２サンギヤ、第２キャリア、および第２リングギヤを備え、その第２キャリアによって回転可能に支持された第２遊星歯車を有するシングルピニオン型の第２遊星歯車装置と、第３サンギヤ、第３キャリア、および第３リングギヤを備え、その第３キャリアによって回転可能に支持された第３遊星歯車を有するシングルピニオン型の第３遊星歯車装置とを含み、その第２サンギヤおよびその第３サンギヤは第１クラッチを介して前記第２ドリブン部材に選択的に連結され、さらに第３クラッチを介して前記第１ドリブン部材に選択的に連結されるとともに第１ブレーキを介して非回転部材に選択的に連結され、その第１キャリアおよびその第２キャリアは第２ブレーキを介して非回転部材に選択的に連結され、その第２リングギヤおよびその第３キャリアは第４クラッチを介して前記第１ドリブン部材に選択的に連結されるとともに第３ブレーキを介して非回転部材に選択的に連結され、その第１リングギヤおよびその第３リングギヤは前記出力回転部材に連結され、その第１サンギヤは第２クラッチを介して前記第２ドリブン部材に選択的に連結されるものであり、(c) 前記クラッチおよびブレーキの係合、解放状態を選択的に切り換えることにより少なくとも前進７速の変速段が成立させられることにある。
【００７５】
第７０発明は、第６７発明乃至第６９発明のいずれかの車両用遊星歯車式多段変速機において、前記第２クラッチおよび前記第３ブレーキが係合させられることによって最も大きい変速比の第１変速段が成立させられ、前記第２クラッチおよび前記第２ブレーキが係合させられることによって前記第１変速段よりも変速比が小さい第２変速段が成立させられ、前記第２クラッチおよび前記第１ブレーキが係合させられることによって前記第２変速段よりも変速比が小さい第３変速段が成立させられ、前記第１クラッチおよび前記第２クラッチが係合させられることによって前記第３変速段よりも変速比が小さい第４変速段が成立させられ、前記第２クラッチおよび前記第３クラッチが係合させられることによって前記第４変速段よりも変速比が小さい第５変速段が成立させられ、前記第２クラッチおよび前記第４クラッチが係合させられることによって前記第５変速段よりも変速比が小さい第６変速段が成立させられ、前記第３クラッチおよび前記第４クラッチが係合させられることによって前記第６変速段よりも変速比が小さい第７変速段が成立させられ、前記第１クラッチおよび前記第４クラッチが係合させられることによって前記第７変速段よりも変速比が小さい第８変速段が成立させられ、前記第４クラッチおよび前記第１ブレーキが係合させられることによって前記第８変速段よりも変速比が小さい第９変速段が成立させられるものである。
【００７６】
第７１発明は、第６７発明乃至第７０発明のいずれかの車両用遊星歯車式多段変速機において、前記第１クラッチおよび前記第３ブレーキが係合させられることによって第１後進変速段が成立させられ、前記第１クラッチおよび前記第２ブレーキが係合させられることによって前記第１後進変速段よりも変速比が小さい第２後進変速段が成立させられるものである。
【００７７】
第７２発明は、第１発明または第２発明の車両用遊星歯車式多段変速機において、前記第１変速部は、前記第１中間出力経路および前記第２中間出力経路を介して、互いに異なる回転で前記入力回転部材の回転を前記第２変速部へ伝達するものである。
【００７８】
第７３発明は、第１発明乃至第７２発明のいずれかの車両用遊星歯車式多段変速機において、前記第１軸心上において、前記２組の動力伝達部材よりも前記駆動力源側の空き空間に前記車両用遊星歯車式多段変速機を構成する以外の部品を配置するものである。
【００７９】
第７４発明は、第１発明乃至第７３発明のいずれかの車両用遊星歯車式多段変速機において、前記動力伝達部材は、前記第１軸心に配設されたドライブギヤ、および第２軸心に配設されてそのドライブギヤと噛み合わされたドリブンギヤにて構成されているカウンタギヤ対である。
【００８０】
第７５発明は、第１発明乃至第７４発明のいずれかの車両用遊星歯車式多段変速機において、駆動力源の出力は、流体伝動装置を介して前記入力回転部材に入力されるものである。
【発明の効果】
【００８１】
本発明の車両用遊星歯車式多段変速機は、第１軸心まわりに回転可能な入力回転部材の回転を２組の動力伝達部材から成る第１中間出力経路および第２中間出力経路を介してその第１軸心に平行な第２軸心上の第２変速部へ伝達する第１変速部と、その第２変速部を構成する前記第２軸心に同心に順次配設される複数の遊星歯車装置たとえば第１遊星歯車装置、第２遊星歯車装置および第３遊星歯車装置の３組の遊星歯車装置とによって、変速比幅を大きくとることができ且つ変速比ステップも適切な前進多段たとえば前進７速以上が可能な車両用遊星歯車式多段変速機が得られる。また、３つの遊星歯車装置を用いるだけであるので、第１変速部が遊星歯車装置であるような４つの遊星歯車装置が一軸心上に配設される場合に比較して全長すなわち軸方向の寸法を短縮できてＦＦ車両やＲＲ車両の横置きに好適に用いることができる。
【００８２】
また、第９発明、第２１発明、第３３発明、第４９発明、第６５発明では、第１変速部と第１遊星歯車装置、第２遊星歯車装置および第３遊星歯車装置の３組の遊星歯車装置とによって、変速比幅を大きくとることができ且つ変速比ステップも適切な前進８速が可能な小型の車両用遊星歯車式多段変速機が得られる。
【００８３】
また、第７０発明では、第１変速部と第１遊星歯車装置、第２遊星歯車装置および第３遊星歯車装置の３組の遊星歯車装置とによって、変速比幅を大きくとることができ且つ変速比ステップも適切な前進９速が可能な小型の車両用遊星歯車式多段変速機が得られる。また、第１変速段乃至第９変速段のうちの所望の変速比が得られる変速段を選択することで前進７速或いは前進８速等の多段変速機が得られる。たとえば、第１変速段乃至第７変速段或いは第２変速段乃至第８変速段を用いることで前進７速の多段変速機が得られ、また第１変速段乃至第８変速段或いは第２変速段乃至第９変速段を用いることで前進８速の多段変速機が得られる。
【００８４】
また、第８発明、第２０発明、第３２発明、第４８発明、第６２発明、第６３発明、第６４発明では、部品点数や軸長を一層低減できる。
【００８５】
また、第１０発明、第２２発明、第３４発明、第５０発明、第６６発明、第７１発明では、前進７段以上と後進１段の変速ギヤ段が得られる。また、第３４発明、第７１発明では、後進２段の変速ギヤ段を選択することが可能である。たとえば駆動力がより必要な場合たとえば登坂路の後進走行時のような場合には変速比のより大きな後進変速段を使用し、平地等の後進走行時のような場合には変速比のより小さな後進変速段を使用すれば燃費の向上に効果がある。
【００８６】
また、第７３発明では、車両用遊星歯車式多段変速機の軸長をコンパクトに保ちつつ、第１変速部とトルクコンバータとの間の第１軸心上の空き空間にオイルポンプや油圧式摩擦係合装置の油圧制御回路の弁本体等を配置することができて、車両用遊星歯車式多段変速機の油路の連結が容易になる。また、駆動力源によって回転駆動される機械式オイルポンプが駆動力源の近くに配置されると、その機械式オイルポンプの作動が有利になる（効率がよくなる）。
【００８７】
また、第７４発明では、カウンタギヤ対を用いることで入力回転部材から第２変速部へ的確に動力（回転）が伝達され、またギヤ比の設定だけで適切な回転速度が簡単に得られる。
【００８８】
また、第７５発明では、コンパクトな自動変速機の設計が可能となる。
【発明を実施するための最良の形態】
【００８９】
以下、本発明の実施例を図面を参照しつつ詳細に説明する。
【００９０】
図１は、車両用自動変速装置として好適な車両用遊星歯車式多段変速機（以下、変速機という）１０の構成を説明する骨子図である。図１において、変速機１０は車体に取り付けられるトランスミッションケース１２内において、そのトランスミッションケース１２に回転可能に固定され且つ互いに平行に配置される第１軸３２および第２軸３４と２組の動力伝達部材としての第１カウンタギヤ対ＣＧ１と第２カウンタギヤ対ＣＧ２である２組のカウンタギヤ対を主体として構成されている第１変速部３６および第１遊星歯車装置２０と第２遊星歯車装置２２と第３遊星歯車装置２４とを主体として構成されている第２変速部３８とを備え、上記第１軸３２の回転中心である第１軸心３２ｃには駆動力源たとえばエンジン８側から順次流体伝動装置としてのロックアップクラッチ１３付のトルクコンバータ１４、このトルクコンバータ１４に連結された入力軸１６、その入力軸１６に連結された第１軸３２に固定された上記第１カウンタギヤ対ＣＧ１の一方であるドライブギヤＣＧ１Ａおよび上記第２カウンタギヤ対ＣＧ２の一方であるドライブギヤＣＧ２Ａが同心に配設され、上記第２軸３４の回転中心である第２軸心３４ｃには第２軸３４まわりに回転可能に備えられた上記第１カウンタギヤ対ＣＧ１の他方であるドリブンギヤＣＧ１Ｂ、上記第２カウンタギヤ対ＣＧ２の他方であるドリブンギヤＣＧ２Ｂ、上記第１遊星歯車装置２０、上記第２遊星歯車装置２２、上記第３遊星歯車装置２４および出力軸２６が同心に配設されている。この変速機１０は、車両において特に横置きされるＦＦ用或いはＲＲ用自動変速機として好適に用いられるものであり、エンジン８と図示しない駆動輪との間に設けられ、エンジン８の出力を駆動輪に伝達する。本実施例では、上記入力軸１６および出力軸２６が入力回転部材および出力回転部材に対応し、上記トランスミッションケース１２が非回転部材に対応している。また、入力軸１６と入力軸１６に連結される第１軸３２とは実質的には同一のものであり、第１軸３２の回転は入力回転部材である入力軸１６の回転であるともいえる。また、上記トルクコンバータ１４はエンジン８のクランク軸９に作動的に連結され、エンジン８の動力を入力軸１６へ出力する。すなわちトルクコンバータ１４の出力側回転部材であるタービン軸に連結される入力軸１６はエンジン８により第１軸心３２ｃまわりに回転駆動されることになり、このトルクコンバータ１４のタービン軸も入力回転部材に相当することになる。また、上記出力軸２６はたとえば差動歯車装置３０等を介して左右の駆動輪を回転駆動する。
【００９１】
ここで、図１を参照して変速機１０を構成する各装置の配置（レイアウト）を詳しく説明する。第１変速部３６は第１カウンタギヤ対ＣＧ１と第２カウンタギヤ対ＣＧ２とが可及的に隣接するように並列に、且つ第１軸心３２ｃおよび第２軸心３４ｃ上において第１遊星歯車装置２０、第２遊星歯車装置２２および第３遊星歯車装置２４よりもエンジン８に遠い位置に配置される。すなわち前記トルクコンバータ１４、第２軸３４よりも大幅に短い入力軸１６および第２変速部３８は第１軸心３２ｃ或いは第２軸心３４上において第１変速部３６よりもエンジン８側となる位置に配置される。また、この第１変速部３６を構成する第１カウンタギヤ対ＣＧ１は第２カウンタギヤ対ＣＧ２よりエンジン側に配置され、第２変速部３８においては第２軸心３４ｃに第１変速部３６からエンジン側へ順次第１遊星歯車装置２０、第２遊星歯車装置２２、第３遊星歯車装置２４さらに出力軸２６となるように配置されている。また、クラッチＣ１乃至クラッチＣ４の各係合装置が第２変速部３８と第１カウンタギヤ対ＣＧ１或いは第２カウンタギヤ対ＣＧ２との間に配置されている。このようにすると、一軸心上に４つの遊星歯車装置を用いる場合に比較して変速機１０の軸方向の寸法が短くなりＦＦ車両或いはＲＲ車両の横置きでの搭載が有利になる。また、本実施例ではクラッチＣ１乃至クラッチＣ４およびブレーキＢ１、Ｂ２が第２軸心３４ｃの軸端或いはトランスミッションケース１２の外側に集中しているので油圧経路の取り回しがし易い。特に、クラッチＣ１乃至クラッチＣ４と第１変速部３６との連結が容易になる。
【００９２】
上記第１変速部３６を構成している第１カウンタギヤ対ＣＧ１および第２カウンタギヤ対ＣＧ２は、よく知られた平行軸式変速機のカウンターギヤと同様に第１軸３２上に第１ドライブギヤＣＧ１Ａおよび第２ドライブギヤＣＧ２Ａ、第２軸心３４ｃ上に第１ドリブンギヤＣＧ１Ｂおよび第２ドリブンギヤＣＧ２Ｂを備え、第１ドライブギヤＣＧ１Ａと第１ドリブンギヤＣＧ１Ｂとが、および第２ドライブギヤＣＧ２Ａと第２ドリブンギヤＣＧ２Ｂとが常時噛み合わされたギヤ対から構成されている。そしてこれら２組のカウンタギヤ対は第１軸に入力された入力回転部材の回転を第２軸心３４ｃ上の第２変速部３８へ伝達する２組の動力伝達部材として機能するものであり、第１カウンタギヤ対ＣＧ１によってドライブ−ドリブン経路である第１中間出力経路Ｍ１、および第２カウンタギヤ対ＣＧ２によって同じくドライブ−ドリブン経路である第２中間出力経路Ｍ２が構成され、第１変速部３６はその２つの出力経路である第１中間出力経路Ｍ１および第２中間出力経路Ｍ２を介して互いに異なる２つの回転を第２変速部３８へ伝達するものである。これら第１ドライブギヤＣＧ１Ａおよび第２ドライブギヤＣＧ２Ａはそれぞれ第１中間出力経路Ｍ１を第１軸３２側で構成する第１ドライブ部材および前記第２中間出力経路Ｍ２を第１軸３２側で構成する第２ドライブ部材であり、第１ドリブンギヤＣＧ１Ｂおよび第２ドリブンギヤＣＧ２Ｂはそれぞれ第１中間出力経路Ｍ１を第２軸心３４ｃ側で構成する第１ドリブン部材および第２中間出力経路Ｍ２を第２軸心３４ｃ側で構成する第２ドリブン部材である。たとえば、第１カウンタギヤ対ＣＧ１の減速比（＝ドライブギヤＣＧ１Ａの回転速度／ドリブンギヤＣＧ１Ｂの回転速度）を「１．０００」程度、第２カウンタギヤ対ＣＧ２の減速比（＝ドライブギヤＣＧ２Ａの回転速度／ドリブンギヤＣＧ２Ｂの回転速度）を「１．８０２」程度とすれば、第１変速部３６は入力軸１６すなわち第１軸３２の回転を上記第１中間出力経路Ｍ１とその第１中間出力経路に対して減速回転となる上記第２中間出力経路Ｍ２とで第２変速部３８へ伝達（出力）することになる。本実施例では、第１カウンタギヤ対ＣＧ１の減速比を「１．０００」程度として第１中間出力経路Ｍ１は入力軸１６の回転速度とされたが、この第１中間出力経路Ｍ１は必ずしも入力軸１６の回転速度とされる必要はない。
【００９３】
前記第２変速部３８を構成している第１遊星歯車装置２０および第３遊星歯車装置２４はそれぞれシングルピニオン型の遊星歯車装置から構成されており、第２遊星歯車装置２２はダブルピニオン型の遊星歯車装置から構成されている。この第１遊星歯車装置２０は、第１サンギヤＳ１、第１遊星歯車Ｐ１、その第１遊星歯車Ｐ１を自転および公転可能に支持する第１キャリヤＣＡ１、第１遊星歯車Ｐ１を介して第１サンギヤＳ１と噛み合う第１リングギヤＲ１を備えており、たとえば「０．３９２」程度の所定のギヤ比ρ１を有している。第２遊星歯車装置２２は、第２サンギヤＳ２、互いに噛み合う複数対の第２遊星歯車Ｐ２、その第２遊星歯車Ｐ２を自転および公転可能に支持する第２キャリヤＣＡ２、第２遊星歯車Ｐ２を介して第２サンギヤＳ２と噛み合う第２リングギヤＲ２を備えており、たとえば「０．３１０」程度の所定のギヤ比ρ２を有している。第３遊星歯車装置２４は、第３サンギヤＳ３、第３遊星歯車Ｐ３、その第３遊星歯車Ｐ３を自転および公転可能に支持する第３キャリヤＣＡ３、第３遊星歯車Ｐ３を介して第３サンギヤＳ３と噛み合う第３リングギヤＲ３を備えており、たとえば「０．３２９」程度の所定のギヤ比ρ３を有している。上記３組の遊星歯車装置の一部は第２軸３４に連結されている。この第２軸３４は連続した１つの軸とは限らずその３組の遊星歯車装置との連結状態によっては複数に分割される場合もある。第１サンギヤＳ１の歯数をＺS1、第１リングギヤＲ１の歯数をＺR1、第２サンギヤＳ２の歯数をＺS2、第２リングギヤＲ２の歯数をＺR2、第３サンギヤＳ３の歯数をＺS3、第３リングギヤＲ３の歯数をＺR3とすると、上記ギヤ比ρ１はＺS1／ＺR1、上記ギヤ比ρ２はＺS2／ＺR2、上記ギヤ比ρ３はＺS2／ＺR2である。
【００９４】
また、上記第１遊星歯車装置２０および第２遊星歯車装置２２は、第１キャリヤＣＡ１および第２キャリヤＣＡ２が共通の部品にて構成されているとともに、第１サンギヤＳ１および第２サンギヤＳ２が共通の部品にて構成されており、且つ第１遊星歯車Ｐ１が互いに噛み合う一対の第２遊星歯車Ｐ２のいずれか１つを兼ねている遊星歯車列とされている。なお、これら共通の部品で構成されているものはそれぞれ別々の部品で構成されてもよい。
【００９５】
上記第２変速部３８においては、第１サンギヤＳ１と第２サンギヤＳ２とが一体的に連結されて第２クラッチＣ２を介して第２ドリブンギヤＣＧ２Ｂに選択的に連結されるとともに第１ブレーキＢ１を介して前記非回転部材としてのトランスミッションケース１２に選択的に連結され、第３リングギヤＲ３は第３クラッチＣ３を介して第１ドリブンギヤＣＧ１Ｂに選択的に連結されるとともに第２ブレーキＢ２を介してトランスミッションケース１２に選択的に連結され、第２リングギヤＲ２と第３キャリアＣＡ３とが一体的に連結されて第４クラッチＣ４を介して第１ドリブンギヤＣＧ１Ｂに選択的に連結され、第１キャリアＣＡ１と第２キャリアＣＡ２と第３サンギヤＳ３とが一体的に連結されて前記出力回転部材としての出力軸２６に連結され、第１リングギヤＲ１は第１クラッチＣ１を介して第２ドリブンギヤＣＧ２Ｂに選択的に連結されている。
【００９６】
上記第１クラッチＣ１、第２クラッチＣ２、第３クラッチＣ３、第４クラッチＣ４、第１ブレーキＢ１、第２ブレーキＢ２は、従来の車両用自動変速機においてよく用いられている油圧式摩擦係合装置であって、互いに重ねられた複数枚の摩擦板が油圧アクチュエータにより押圧される湿式多板型や、回転するドラムの外周面に巻き付けられた１本または２本のバンドの一端が油圧アクチュエータによって引き締められるバンドブレーキなどにより構成され、それが介そうされている両側の部材を選択的に連結するためのものである。
【００９７】
以上のように構成された変速機１０では、たとえば、図２の係合作動表に示されるように、前記第１クラッチＣ１、第２クラッチＣ２、第３クラッチＣ３、第４クラッチＣ４、第１ブレーキＢ１、第２ブレーキＢ２のうちから選択された２つが同時に係合作動させられることにより、第１速ギヤ段（第１変速段）乃至第８速ギヤ段（第８変速段）のいずれか或いは後進ギヤ段（後進変速段）が選択的に成立させられ、略等比的に変化する変速比γ（＝入力軸回転速度ＮIN／出力軸回転速度ＮOUT ）が各ギヤ段毎に得られるようになっている。
【００９８】
すなわち、図２に示すように、第１クラッチＣ１および第２ブレーキＢ２の係合により、第１リングギヤＲ１と第２ドリブンギヤＣＧ２Ｂとの間、第３リングギヤＲ３とトランスミッションケース１２との間がそれぞれ連結されることにより、変速比γ１が最大値たとえば「３．５１８」である第１速ギヤ段が成立させられる。また、第１クラッチＣ１および第１ブレーキＢ１の係合により、第１リングギヤＲ１と第２ドリブンギヤＣＧ２Ｂとの間、第１サンギヤＳ１および第２サンギヤＳ２とトランスミッションケース１２との間がそれぞれ連結されることにより、変速比γ２が第１速ギヤ段よりも小さい値たとえば「２．５０８」程度である第２速ギヤ段が成立させられる。また、第１クラッチＣ１および第２クラッチＣ２の係合により、第１リングギヤＲ１と第２ドリブンギヤＣＧ２Ｂとの間、第１サンギヤＳ１および第２サンギヤＳ２と第２ドリブンギヤＣＧ２Ｂとの間がそれぞれ連結されることにより、変速比γ３が第２速ギヤ段よりも小さい値たとえば「１．８０２」程度である第３速ギヤ段が成立させられる。また、第１クラッチＣ１および第３クラッチＣ３の係合により、第１リングギヤＲ１と第２ドリブンギヤＣＧ２Ｂとの間、第３リングギヤＲ３と第１ドリブンギヤＣＧ１Ｂとの間がそれぞれ連結されることにより、変速比γ４が第３速ギヤ段よりも小さい値たとえば「１．２９５」程度である第４速ギヤ段が成立させられる。また、第３クラッチＣ３および第４クラッチＣ４の係合により、第３リングギヤＲ３と第１ドリブンギヤＣＧ１Ｂとの間、第２リングギヤＲ２および第３キャリアＣＡ３と第１ドリブンギヤＣＧ１Ｂとの間がそれぞれ連結されることにより、変速比γ５が第４速ギヤ段よりも小さい値たとえば「１．０００」程度である第５速ギヤ段が成立させられる。また、第２クラッチＣ２および第４クラッチＣ４の係合により、第１サンギヤＳ１および第２サンギヤＳ２と第２ドリブンギヤＣＧ２Ｂとの間、第２リングギヤＲ２および第３キャリアＣＡ３と第１ドリブンギヤＣＧ１Ｂとの間がそれぞれ連結されることにより、変速比γ６が第５速ギヤ段よりも小さい値たとえば「０．８３４」程度である第６速ギヤ段が成立させられる。また、第４クラッチＣ４および第１ブレーキＢ１の係合により、第２リングギヤＲ２および第３キャリアＣＡ３と第１ドリブンギヤＣＧ１Ｂとの間、第１サンギヤＳ１および第２サンギヤＳ２とトランスミッションケース１２との間がそれぞれ連結されることにより、変速比γ７が第６速ギヤ段よりも小さい値たとえば「０．６９０」である第７速ギヤ段が成立させられる。また、第３クラッチＣ３および第１ブレーキＢ１の係合により、第３リングギヤＲ３と第１ドリブンギヤＣＧ１Ｂとの間、第１サンギヤＳ１および第２サンギヤＳ２とトランスミッションケース１２との間がそれぞれ連結されることにより、変速比γ８が第７速ギヤ段よりも小さい値たとえば「０．５８８」である第８速ギヤ段が成立させられる。
【００９９】
また、第２クラッチＣ２および第２ブレーキＢ２の係合により、第１サンギヤＳ１および第２サンギヤＳ２と第２ドリブンギヤＣＧ２Ｂとの間、第３リングギヤＲ３とトランスミッションケース１２との間がそれぞれ連結されることにより、変速比γＲが第１速ギヤ段と第２速ギヤ段との間の値たとえば「２．５７４」である後進ギヤ段が成立させられる。前記第１カウンタギヤ対ＣＧ１の減速比、第２カウンタギヤ対ＣＧ２の減速比、第１遊星歯車装置２０のギヤ比ρ１、第２遊星歯車装置２２のギヤ比ρ２、第３遊星歯車装置２４のギヤ比ρ３は、上記のような変速比が得られるように設定されているのである。
【０１００】
上記変速機１０において、第１速ギヤ段の変速比γ１と第２速ギヤ段の変速比γ２との比（＝γ１／γ２）が「１．４０２」とされ、第２速ギヤ段の変速比γ２と第３速ギヤ段の変速比γ３との比（＝γ２／γ３）が「１．３９２」とされ、第３速ギヤ段の変速比γ３と第４速ギヤ段の変速比γ４との比（＝γ３／γ４）が「１．３９１」とされ、第４速ギヤ段の変速比γ４と第５速ギヤ段の変速比γ５との比（＝γ４／γ５）が「１．２９５」とされ、第５速ギヤ段の変速比γ５と第６速ギヤ段の変速比γ６との比（＝γ５／γ６）が「１．２００」とされ、第６速ギヤ段の変速比γ６と第７速ギヤ段の変速比γ７との比（＝γ６／γ７）が「１．２０８」とされ、第７速ギヤ段の変速比γ７と第８速ギヤ段の変速比γ８との比（＝γ７／γ８）が「１．１７３」とされ、各変速比γが略等比的に変化させられている。また、上記変速機１０において、第１速ギヤ段の変速比γ１と第８速ギヤ段の変速比γ８との比である変速比幅（＝γ１／γ８）が比較的大きな値すなわち「５．９８０」とされている。
【０１０１】
図３は、上記変速機１０において、ギヤ段毎に連結状態が異なる各回転要素の回転速度の相対関係を直線上で表すことができる共線図を示している。図３の共線図は、横軸方向において各遊星歯車装置２０、２２、２４のギヤ比ρの関係を示し、縦軸方向において相対的回転速度を示す二次元座標であり、３本の横線のうちの下側の横線ＸＺが回転速度零を示し、上側の横線Ｘ１が回転速度「１．０」すなわち第１中間出力経路Ｍ１の回転速度を示し、中間の横線Ｘ２が第２カウンタギヤ対ＣＧ２の減速比に応じて第１中間出力経路Ｍ１に対して減速回転させられる所定の回転速度「Ｎx2」すなわち第２中間出力経路Ｍ２の回転速度を示している。また、第２変速部３８の５本の縦線Ｙ１乃至Ｙ５は、左から順に、第１回転要素ＲＥ１に対応し且つ相互に連結されたサンギヤＳ１およびサンギヤＳ２を、第２回転要素ＲＥ２に対応するリングギヤＲ３を、第３回転要素ＲＥ３に対応し且つ相互に連結されたリングギヤＲ２およびキャリヤＣＡ３を、第４回転要素ＲＥ４に対応し且つ相互に連結されたキャリヤＣＡ１、キャリヤＣＡ２およびサンギヤＳ３を、第５回転要素ＲＥ５に対応するリングギヤＲ１をそれぞれ表し、それらの間隔は遊星歯車装置２０、２２、２４のギヤ比ρ１、ρ２、ρ３、に応じてそれぞれ定められている。共線図の縦軸間においてサンギヤとキャリヤとの間が「１」に対応する間隔とされるとキャリヤとリングギヤとの間がρに対応する間隔とされる関係とされ、図３の第２変速部３８では、縦線Ｙ４と縦線Ｙ５との間が「１」に対応する間隔に設定されて他の縦軸間の間隔は上記関係に基づいてそれぞれ設定されている。上記に示すように第２変速部３８の回転要素としては、第１遊星歯車装置２０のサンギヤＳ１、キャリヤＣＡ１、およびリングギヤＲ１、第２遊星歯車装置２２のサンギヤＳ２、キャリヤＣＡ２、およびリングギヤＲ２、第３遊星歯車装置２４のサンギヤＳ３、キャリヤＣＡ３、およびリングギヤＲ３の一部が単独で或いは互いに連結されることにより、共線図において一（左）端から他（右）端に向かって順番に５つの第１回転要素ＲＥ１、第２回転要素ＲＥ２、第３回転要素ＲＥ３、第４回転要素ＲＥ４、第５回転要素ＲＥ５が構成されている。
【０１０２】
上記共線図を利用して表現すれば、本実施例の変速機１０は、第１変速部３６において、入力軸１６の回転（第１軸３２の回転）を第１中間出力経路Ｍ１とその第１中間出力経路Ｍ１に対して減速回転させられる上記第２中間出力経路Ｍ２とを介して第２変速部３８へ出力するように構成され、第２変速部３８において、上記第１回転要素ＲＥ１（Ｓ１、Ｓ２）は第２クラッチＣ２を介して第２ドリブンギヤＣＧ２Ｂに選択的に連結されるとともに第１ブレーキＢ１を介して前記非回転部材としてのトランスミッションケース１２に選択的に連結され、上記第２回転要素ＲＥ２（Ｒ３）は第３クラッチＣ３を介して第１ドリブンギヤＣＧ１Ｂに選択的に連結されるとともに第２ブレーキＢ２を介してトランスミッションケース１２に選択的に連結され、上記第３回転要素ＲＥ３（Ｒ２、ＣＡ３）は第４クラッチＣ４を介して第１ドリブンギヤＣＧ１Ｂに選択的に連結され、上記第４回転要素ＲＥ４（ＣＡ１、ＣＡ２、Ｓ３）は前記出力回転部材としての出力軸２６に連結され、上記第５回転要素ＲＥ５（Ｒ１）は第１クラッチＣ１を介して第２ドリブンギヤＣＧ２Ｂに選択的に連結されるように構成されている。
【０１０３】
上記図３の共線図において、第１速ギヤ段では、第５回転要素ＲＥ５はクラッチＣ１の係合により第２ドリブンギヤＣＧ２Ｂに連結されて回転速度「Ｎx2」とされ、第２回転要素ＲＥ２はブレーキＢ２の係合によりトランスミッションケース１２に連結されて回転速度「０」とされるので、縦線Ｙ５と横線Ｘ２との交点と縦線Ｙ２と横線ＸＺとの交点とを結ぶ直線が縦線Ｙ４と交差する点（１st）により、出力軸２６の回転速度が示される。第２速ギヤ段では、第５回転要素ＲＥ５はクラッチＣ１の係合により第２ドリブンギヤＣＧ２Ｂに連結されて回転速度「Ｎx2」とされ、第１回転要素ＲＥ１はブレーキＢ１の係合によりトランスミッションケース１２に連結されて回転速度「０」とされるので、縦線Ｙ５と横線Ｘ２との交点と縦線Ｙ１と横線ＸＺとの交点とを結ぶ直線が縦線Ｙ４と交差する点（２nd）により、出力軸２６の回転速度が示される。第３速ギヤ段では、第５回転要素ＲＥ５はクラッチＣ１の係合により第２ドリブンギヤＣＧ２Ｂに連結されて回転速度「Ｎx2」とされ、第１回転要素ＲＥ１はクラッチＣ２の係合により第２ドリブンギヤＣＧ２Ｂに連結されて回転速度「Ｎx2」とされるので、縦線Ｙ５と横線Ｘ２との交点と縦線Ｙ１と横線Ｘ２との交点とを結ぶ直線が縦線Ｙ４と交差する点（３rd）により、出力軸２６の回転速度が示される。第４速ギヤ段では、第５回転要素ＲＥ５はクラッチＣ１の係合により第２ドリブンギヤＣＧ２Ｂに連結されて回転速度「Ｎx2」とされ、第２回転要素ＲＥ２はクラッチＣ３の係合により第１ドリブンギヤＣＧ１Ｂに連結されて回転速度「１」とされるので、縦線Ｙ５と横線Ｘ２との交点と縦線Ｙ２と横線Ｘ１との交点とを結ぶ直線が縦線Ｙ４と交差する点（４th-1）により、出力軸２６の回転速度が示される。第５速ギヤ段では、第２回転要素ＲＥ２はクラッチＣ３の係合により第１ドリブンギヤＣＧ１Ｂに連結されて回転速度「１」とされ、第３回転要素ＲＥ３はクラッチＣ４の係合により第１ドリブンギヤＣＧ１Ｂに連結されて回転速度「１」とされるので、縦線Ｙ２と横線Ｘ１との交点と縦線Ｙ３と横線Ｘ１との交点とを結ぶ直線が縦線Ｙ４と交差する点（５th）により、出力軸２６の回転速度が示される。第６速ギヤ段では、第１回転要素ＲＥ１はクラッチＣ２の係合により第２ドリブンギヤＣＧ２Ｂに連結されて回転速度「Ｎx2」とされ、第３回転要素ＲＥ３はクラッチＣ４の係合により第１ドリブンギヤＣＧ１Ｂに連結されて回転速度「１」とされるので、縦線Ｙ１と横線Ｘ２との交点と縦線Ｙ３と横線Ｘ１との交点とを結ぶ直線が縦線Ｙ４と交差する点（６th）により、出力軸２６の回転速度が示される。第７速ギヤ段では、第３回転要素ＲＥ３はクラッチＣ４の係合により第１ドリブンギヤＣＧ１Ｂに連結されて回転速度「１」とされ、第１回転要素ＲＥ１はブレーキＢ１の係合によりトランスミッションケース１２に連結されて回転速度「０」とされるので、縦線Ｙ３と横線Ｘ１との交点と縦線Ｙ１と横線ＸＺとの交点とを結ぶ直線が縦線Ｙ４と交差する点（７th）により、出力軸２６の回転速度が示される。第８速ギヤ段では、第２回転要素ＲＥ２はクラッチＣ３の係合により第１ドリブンギヤＣＧ１Ｂに連結されて回転速度「１」とされ、第１回転要素ＲＥ１��ブレーキＢ１の係合によりトランスミッションケース１２に連結されて回転速度「０」とされるので、縦線Ｙ２と横線Ｘ１との交点と縦線Ｙ１と横線ＸＺとの交点とを結ぶ直線が縦線Ｙ４と交差する点（８th）により、出力軸２６の回転速度が示される。後進ギヤ段では、第１回転要素ＲＥ１はクラッチＣ２の係合により第２ドリブンギヤＣＧ２Ｂに連結されて回転速度「Ｎx2」とされ、第２回転要素ＲＥ２はブレーキＢ２の係合によりトランスミッションケース１２に連結されて回転速度「０」とされるので、縦線Ｙ１と横線Ｘ２との交点と縦線Ｙ２と横線ＸＺとの交点とを結ぶ直線が縦線Ｙ４と交差する点（Ｒev）により、出力軸２６の負の回転速度が示される。
【０１０４】
上述のように、本実施例によれば、第１変速部３６と第１遊星歯車装置２０、第２遊星歯車装置２２および第３遊星歯車装置２４の３組の遊星歯車装置とによって、変速比幅を大きくとることができ且つ変速比ステップも適切な前進７速以上が可能な車両用遊星歯車式多段変速機１０が得られる。すなわち、各変速比γが略等比的に変化させられ、ギヤ段の切り換えによる優れた増速特性或いは加速特性が得られるとともに、変速機１０の変速比幅（＝γ１／γ８）が比較的大きな値たとえば「５．９８０」とされているので、たとえば高速走行と登坂発進性能とが両立できる小型の車両用遊星歯車式多段変速機１０が得られる。また、３つの遊星歯車装置を用いるだけであるので、第１変速部が遊星歯車装置であるような４つの遊星歯車装置を用いる場合に比較して全長すなわち軸方向の寸法を短縮できてＦＦ車両やＲＲ車両の横置きに好適に用いることができる。
【０１０５】
また、本実施例によれば、第１カウンタギヤ対ＣＧ１および第２カウンタギヤ対ＣＧ２を用いることで入力軸１６から第２変速部３８へ的確に動力（回転）が伝達され、またカウンタギヤ対の減速比（ギヤ比）の設定だけで適切な回転速度が簡単に得られる。
【０１０６】
また、本実施例によれば、第２クラッチＣ２および第２ブレーキＢ２が係合させられることによって後進変速段が成立させられるので、前進７段以上と後進１段の変速ギヤ段が得られる。
【０１０７】
また、本実施例によれば、第１遊星歯車装置２０および第２遊星歯車装置２２は、第１キャリヤＣＡ１および第２キャリヤＣＡ２、第１サンギヤＳ１および第２サンギヤＳ２が共通の部品にて構成されており、且つ第１遊星歯車Ｐ１が互いに噛み合う一対の第２遊星歯車Ｐ２のいずれか１つを兼ねている遊星歯車列とされているので、変速機１０の部品点数や軸長が一層低減される。
【０１０８】
また、本実施例によれば、第１遊星歯車装置２０、第２遊星歯車装置２２、第３遊星歯車装置２４は第２軸心３４ｃ上に第１変速部３６と出力軸２６との間において順次配置され、エンジン８の出力はトルクコンバータ１４を介して変速機１０の入力軸１６に入力されるようにトルクコンバータ１４は第１軸３２上に第１変速部３６に対してエンジン８側に配置されるので、コンパクトな自動変速機の設計が可能となる。
【０１０９】
また、本実施例によれば、第１クラッチＣ１、第２クラッチＣ２、第３クラッチＣ３、第４クラッチＣ４および第１ブレーキＢ１、第２ブレーキＢ２が第２軸３４の軸端或いはトランスミッションケース１２側すなわち外側に集中しているので、油圧回路の取りまわしが容易となる。
【０１１０】
つぎに、本発明の他の実施例を説明する。なお、以下の説明において前述の実施例と共通する部分には同一の符号を付して説明を省略する。
【０１１１】
図４は図１に示す変速機１０の油圧式摩擦係合装置の図２に示す係合作動の他の実施例であり、図５は変速機１０の図３に示す共線図の他の実施例である。図４と図２との違いは第４速ギヤ段が成立させられるために必要な油圧式摩擦係合装置の作動がクラッチＣ１およびクラッチＣ３の係合からクラッチＣ１およびクラッチＣ４の係合に換わったことである。この結果、変速比γ４は「１．２４４」程度となり、第３速ギヤ段の変速比γ３と第４速ギヤ段の変速比γ４との比（＝γ３／γ４）が「１．４４８」とされ、第４速ギヤ段の変速比γ４と第５速ギヤ段の変速比γ５との比（＝γ４／γ５）が「１．２４４」とされる。
【０１１２】
また、図５における第４速ギヤ段では、第５回転要素ＲＥ５はクラッチＣ１の係合により第２ドリブンギヤＣＧ２Ｂに連結されて回転速度「Ｎx2」とされ、第３回転要素ＲＥ３はクラッチＣ４の係合により第１ドリブンギヤＣＧ１Ｂに連結されて回転速度「１」とされるので、縦線Ｙ５と横線Ｘ２との交点と縦線Ｙ３と横線Ｘ１との交点とを結ぶ直線が縦線Ｙ４と交差する点（４th-2）により出力軸２６の回転速度が示される。
【０１１３】
図６は本発明の他の実施例の変速機４０の構成を説明する骨子図であり、図７はその変速機４０の変速ギヤ段とそれを成立させるために必要な油圧式摩擦係合装置の作動との関係を示す図表であり、図８は各ギヤ段における回転要素の回転速度を示す共線図である。本実施例においては、トルクコンバータ１４およびブレーキＢ１の配置、また出力回転部材が出力歯車２８に換わったことが相違するが、他の構成および係合作動は上記図１乃至図３に示す実施例と同様であり、その図１乃至図３に示す実施例と同様の効果が得られる。以下に、その相違する部分のトルクコンバータ１４の配置について説明する。また、図７および図８は図２および図３と同様であるのでそれらの説明を割愛する。
【０１１４】
本実施例の変速機４０では、図６に示すように入力軸１６の軸長が変速機１０に比較して十分長く、たとえば入力軸１６と第１軸３２とを合わせた軸長が第２軸３４の軸長程度とされて第１変速部３６とトルクコンバータとの間が図１の変速機１０に比較して広くされている。このようにすれば、変速機４０の軸長を変速機１０と同様にコンパクトに保ちつつ、第１変速部３６とトルクコンバータとの間の第１軸心３２ｃ上の空き空間にオイルポンプや油圧式摩擦係合装置の油圧制御回路の弁本体等を配置することができて、変速機４０の油路の連結が容易になる。また、エンジン８によって回転駆動される機械式オイルポンプがエンジン８の近くに配置されることになるので、その機械式オイルポンプの作動が有利になる（効率がよくなる）。
【０１１５】
図９は図６に示す変速機４０の油圧式摩擦係合装置の図７に示す係合作動の他の実施例であり、図１０は変速機４０の図８に示す共線図の他の実施例である。図９と図７との違いは図４と図２との違いと同様であり、また図１０と図８との違いは図５と図３との違いと同様であるのでそれらの説明を割愛する。
【０１１６】
図１１は本発明の他の実施例の変速機５０の構成を説明する骨子図であり、図１２はその変速機５０の変速ギヤ段とそれを成立させるために必要な油圧式摩擦係合装置の作動との関係を示す図表であり、図１３は各ギヤ段における回転要素の回転速度を示す共線図である。本実施例は、第２変速部５８の各装置の構成および第１変速部５６の配置が相違する点を除けば図６に示した変速機４０と同様であり、図６乃至図８に示す実施例と同様の効果が得られる。以下に、変速機５０と変速機４０との相違する部分について説明する。
【０１１７】
本実施例の変速機５０では、図１１に示すように第１変速部５６を構成する第１カウンタギヤ対ＣＧ１と第２カウンタギヤ対ＣＧ２とが第２変速部５８を挟むように配置される。このようにすれば、変速機５０の軸長を変速機１０と同様にコンパクトに保ちつつ、第１カウンタギヤ対ＣＧ１と第２カウンタギヤ対ＣＧ２との間の第１軸心３２ｃ上の空き空間にオイルポンプや油圧式摩擦係合装置の油圧制御回路の弁本体等を配置することができて、変速機５０の油路の連結が容易になる。
【０１１８】
本実施例では、上記図１１に示す変速機５０の第２変速部５８を構成している第１遊星歯車装置２０はダブルピニオン型の遊星歯車装置から構成されており、第２遊星歯車装置２２および第３遊星歯車装置２４はそれぞれシングルピニオン型の遊星歯車装置から構成されている。この第１遊星歯車装置２０は、第１サンギヤＳ１、互いに噛み合う複数対の第１遊星歯車Ｐ１、その第１遊星歯車Ｐ１を自転および公転可能に支持する第１キャリヤＣＡ１、第１遊星歯車Ｐ１を介して第１サンギヤＳ１と噛み合う第１リングギヤＲ１を備えており、たとえば「０．５７７」程度の所定のギヤ比ρ１を有している。第２遊星歯車装置２２は、第２サンギヤＳ２、第２遊星歯車Ｐ２、その第２遊星歯車Ｐ２を自転および公転可能に支持する第２キャリヤＣＡ２、第２遊星歯車Ｐ２を介して第２サンギヤＳ２と噛み合う第２リングギヤＲ２を備えており、たとえば「０．３９２」程度の所定のギヤ比ρ２を有している。第３遊星歯車装置２４は、第３サンギヤＳ３、第３遊星歯車Ｐ３、その第３遊星歯車Ｐ３を自転および公転可能に支持する第３キャリヤＣＡ３、第３遊星歯車Ｐ３を介して第３サンギヤＳ３と噛み合う第３リングギヤＲ３を備えており、たとえば「０．３２９」程度の所定のギヤ比ρ３を有している。
【０１１９】
上記第２変速部５８においては、第１サンギヤＳ１と第２サンギヤＳ２とが一体的に連結されて第２クラッチＣ２を介して第２ドリブンギヤＣＧ２Ｂに選択的に連結されるとともに第１ブレーキＢ１を介してトランスミッションケース１２に選択的に連結され、第１リングギヤＲ１と第３リングギヤＲ３とが一体的に連結されて第３クラッチＣ３を介して第１ドリブンギヤＣＧ１Ｂに選択的に連結されるとともに第２ブレーキＢ２を介してトランスミッションケース１２に選択的に連結され、第３キャリアＣＡ３は第４クラッチＣ４を介して第１ドリブンギヤＣＧ１Ｂに選択的に連結され、第２キャリアＣＡ２と第３サンギヤＳ３とが一体的に連結されて前記出力回転部材としての出力歯車２８に連結され、第１キャリアＣＡ１と第２リングギヤＲ２とが一体的に連結されて第１クラッチＣ１を介して第２ドリブンギヤＣＧ２Ｂに選択的に連結されている。
【０１２０】
以上のように構成された変速機５０では、たとえば、図７の係合作動表と同様である図１２に示されるように、前記第１クラッチＣ１、第２クラッチＣ２、第３クラッチＣ３、第４クラッチＣ４、第１ブレーキＢ１、第２ブレーキＢ２のうちから選択された２つが同時に係合作動させられることにより、第１速ギヤ段（第１変速段）乃至第８速ギヤ段（第８変速段）のいずれか或いは後進ギヤ段（後進変速段）が選択的に成立させられ、図６乃至図８に示す実施例と同様に略等比的に変化する変速比γ（＝入力軸回転速度ＮIN／出力軸回転速度ＮOUT ）が各ギヤ段毎に得られるようになっている。また、第１速ギヤ段の変速比γ１と第８速ギヤ段の変速比γ８との比である変速比幅（＝γ１／γ８）が比較的大きな値とされている。前記第１カウンタギヤ対ＣＧ１の減速比、第２カウンタギヤ対ＣＧ２の減速比、第１遊星歯車装置２０のギヤ比ρ１、第２遊星歯車装置２２のギヤ比ρ２、第３遊星歯車装置２４のギヤ比ρ３は、上記のような変速比が得られるように設定されているのである。
【０１２１】
図１３は、前記変速機４０の共線図である図８に相当する上記変速機５０における共線図を示している。図１３の第２変速部５８の５本の縦線Ｙ１乃至Ｙ５は、左から順に、第１回転要素ＲＥ１に対応し且つ相互に連結されたサンギヤＳ１およびサンギヤＳ２を、第２回転要素ＲＥ２に対応し且つ相互に連結されたリングギヤＲ１およびリングギヤＲ３を、第３回転要素ＲＥ３に対応するキャリアＣＡ３を、第４回転要素ＲＥ４に対応し且つ相互に連結されたキャリアＣＡ２およびサンギヤＳ３を、第５回転要素ＲＥ５に対応し且つ相互に連結されたキャリアＣＡ１およびリングギヤＲ２をそれぞれ表している。従って、これら回転要素を基にすれば、図１３と図８とは各回転要素の構成において相違するのみであり共線図としては同様であるので、この図１３の共線図の説明は割愛する。
【０１２２】
図１４は図１１に示す変速機５０の油圧式摩擦係合装置の図１２に示す係合作動の他の実施例であり、図１５は変速機５０の図１３に示す共線図の他の実施例である。図１４と図１２との違いは図９と図７との違いと同様であり、また図１５と図１３との違いは図１０と図８との違いと同様であるのでそれらの説明を割愛する。
【０１２３】
図１６は本発明の他の実施例の変速機６０の構成を説明する骨子図であり、図１７はその変速機６０の変速ギヤ段とそれを成立させるために必要な油圧式摩擦係合装置の作動との関係を示す図表であり、図１８は各ギヤ段における回転要素の回転速度を示す共線図である。本実施例の変速機６０を構成する各装置の配置は、図１に示した変速機１０と同様であり、図１乃至図３に示す実施例と同様の効果が得られる。以下に、変速機６０と変速機１０との相違する部分について説明する。
【０１２４】
上記図１６に示す変速機６０の第１変速部６６を構成している第１カウンタギヤ対ＣＧ１および第２カウンタギヤ対ＣＧ２は、たとえば第１カウンタギヤ対ＣＧ１の減速比が「１．０００」程度、第２カウンタギヤ対ＣＧ２の減速比が「１．８１８」程度とされ、第１変速部６６は入力軸１６すなわち第１軸３２の回転を第１中間出力経路Ｍ１とその第１中間出力経路Ｍ１に対して減速回転させられる第２中間出力経路Ｍ２とで第２変速部６８へ伝達（出力）する。
【０１２５】
本実施例では、上記図１６に示す変速機６０の第２変速部６８を構成している第１遊星歯車装置２０はダブルピニオン型の遊星歯車装置から構成されており、第２遊星歯車装置２２および第３遊星歯車装置２４はそれぞれシングルピニオン型の遊星歯車装置から構成されている。この第１遊星歯車装置２０は、第１サンギヤＳ１、互いに噛み合う複数対の第１遊星歯車Ｐ１、その第１遊星歯車Ｐ１を自転および公転可能に支持する第１キャリヤＣＡ１、第１遊星歯車Ｐ１を介して第１サンギヤＳ１と噛み合う第１リングギヤＲ１を備えており、たとえば「０．５３２」程度の所定のギヤ比ρ１を有している。第２遊星歯車装置２２は、第２サンギヤＳ２、第２遊星歯車Ｐ２、その第２遊星歯車Ｐ２を自転および公転可能に支持する第２キャリヤＣＡ２、第２遊星歯車Ｐ２を介して第２サンギヤＳ２と噛み合う第２リングギヤＲ２を備えており、たとえば「０．２８６」程度の所定のギヤ比ρ２を有している。第３遊星歯車装置２４は、第３サンギヤＳ３、第３遊星歯車Ｐ３、その第３遊星歯車Ｐ３を自転および公転可能に支持する第３キャリヤＣＡ３、第３遊星歯車Ｐ３を介して第３サンギヤＳ３と噛み合う第３リングギヤＲ３を備えており、たとえば「０．５８３」程度の所定のギヤ比ρ３を有している。
【０１２６】
上記第２変速部６８においては、第１サンギヤＳ１と第３サンギヤＳ３とが一体的に連結されて第２クラッチＣ２を介して第２ドリブンギヤＣＧ２Ｂに選択的に連結されるとともに第１ブレーキＢ１を介して前記非回転部材としてのトランスミッションケース１２に選択的に連結され、第２リングギヤＲ２は第３クラッチＣ３を介して第１ドリブンギヤＣＧ１Ｂに選択的に連結され、第１リングギヤＲ１と第２キャリアＣＡ２と第３キャリアＣＡ３とが一体的に連結されて第４クラッチＣ４を介して第１ドリブンギヤＣＧ１Ｂに選択的に連結されるとともに第２ブレーキＢ２を介してトランスミッションケース１２に選択的に連結され、第２サンギヤＳ２と第３リングギヤＲ３とが一体的に連結されて前記出力回転部材としての出力軸２６に連結され、第１キャリアＣＡ１は第１クラッチＣ１を介して第２ドリブンギヤＣＧ２Ｂに選択的に連結されている。
【０１２７】
以上のように構成された変速機６０では、たとえば、図１７の係合作動表に示されるように、前記第１クラッチＣ１、第２クラッチＣ２、第３クラッチＣ３、第４クラッチＣ４、第１ブレーキＢ１、第２ブレーキＢ２のうちから選択された２つが同時に係合作動させられることにより、第１速ギヤ段（第１変速段）乃至第８速ギヤ段（第８変速段）のいずれか或いは後進ギヤ段（後進変速段）が選択的に成立させられ、略等比的に変化する変速比γ（＝入力軸回転速度ＮIN／出力軸回転速度ＮOUT ）が各ギヤ段毎に得られるようになっている。
【０１２８】
すなわち、図１７に示すように、第１クラッチＣ１および第２ブレーキＢ２の係合により、第１キャリアＣＡ１と第２ドリブンギヤＣＧ２Ｂとの間、第１リングギヤＲ１、第２キャリアＣＡ２および第３キャリアＣＡ３とトランスミッションケース１２との間がそれぞれ連結されることにより、変速比γ１が最大値たとえば「３．５５０」である第１速ギヤ段が成立させられる。また、第１クラッチＣ１および第１ブレーキＢ１の係合により、第１キャリアＣＡ１と第２ドリブンギヤＣＧ２Ｂとの間、第１サンギヤＳ１および第３サンギヤＳ３とトランスミッションケース１２との間がそれぞれ連結されることにより、変速比γ２が第１速ギヤ段よりも小さい値たとえば「２．４５６」程度である第２速ギヤ段が成立させられる。また、第１クラッチＣ１および第２クラッチＣ２の係合により、第１キャリアＣＡ１と第２ドリブンギヤＣＧ２Ｂとの間、第１サンギヤＳ１および第３サンギヤＳ３と第２ドリブンギヤＣＧ２Ｂとの間がそれぞれ連結されることにより、変速比γ３が第２速ギヤ段よりも小さい値たとえば「１．８１８」程度である第３速ギヤ段が成立させられる。また、第１クラッチＣ１および第３クラッチＣ３の係合により、第１キャリアＣＡ１と第２ドリブンギヤＣＧ２Ｂとの間、第２リングギヤＲ２と第１ドリブンギヤＣＧ１Ｂとの間がそれぞれ連結されることにより、変速比γ４が第３速ギヤ段よりも小さい値たとえば「１．３４９」程度である第４速ギヤ段が成立させられる。また、第３クラッチＣ３および第４クラッチＣ４の係合により、第２リングギヤＲ２と第１ドリブンギヤＣＧ１Ｂとの間、第１リングギヤＲ１、第２キャリアＣＡ２および第３キャリアＣＡ３と第１ドリブンギヤＣＧ１Ｂとの間がそれぞれ連結されることにより、変速比γ５が第４速ギヤ段よりも小さい値たとえば「１．０００」程度である第５速ギヤ段が成立させられる。また、第２クラッチＣ２および第４クラッチＣ４の係合により、第１サンギヤＳ１および第３サンギヤＳ３と第２ドリブンギヤＣＧ２Ｂとの間、第１リングギヤＲ１、第２キャリアＣＡ２および第３キャリアＣＡ３と第１ドリブンギヤＣＧ１Ｂとの間がそれぞれ連結されることにより、変速比γ６が第５速ギヤ段よりも小さい値たとえば「０．７９２」程度である第６速ギヤ段が成立させられる。また、第４クラッチＣ４および第１ブレーキＢ１の係合により、第１リングギヤＲ１、第２キャリアＣＡ２および第３キャリアＣＡ３と第１ドリブンギヤＣＧ１Ｂとの間、第１サンギヤＳ１および第３サンギヤＳ３とトランスミッションケース１２との間がそれぞれ連結されることにより、変速比γ７が第６速ギヤ段よりも小さい値たとえば「０．６３２」である第７速ギヤ段が成立させられる。また、第３クラッチＣ３および第１ブレーキＢ１の係合により、第２リングギヤＲ２と第１ドリブンギヤＣＧ１Ｂとの間、第１サンギヤＳ１および第３サンギヤＳ３とトランスミッションケース１２との間がそれぞれ連結されることにより、変速比γ８が第７速ギヤ段よりも小さい値たとえば「０．５２６」である第８速ギヤ段が成立させられる。
【０１２９】
また、第２クラッチＣ２および第２ブレーキＢ２の係合により、第１サンギヤＳ１および第３サンギヤＳ３と第２ドリブンギヤＣＧ２Ｂとの間、第１リングギヤＲ１、第２キャリアＣＡ２および第３キャリアＣＡ３とトランスミッションケース１２との間がそれぞれ連結されることにより、変速比γＲが第１速ギヤ段と第２速ギヤ段との間の値たとえば「２．５９７」である後進ギヤ段が成立させられる。前記第１カウンタギヤ対ＣＧ１の減速比、第２カウンタギヤ対ＣＧ２の減速比、第１遊星歯車装置２０のギヤ比ρ１、第２遊星歯車装置２２のギヤ比ρ２、第３遊星歯車装置２４のギヤ比ρ３は、上記のような変速比が得られるように設定されているのである。
【０１３０】
上記変速機６０において、第１速ギヤ段の変速比γ１と第２速ギヤ段の変速比γ２との比（＝γ１／γ２）が「１．４４５」とされ、第２速ギヤ段の変速比γ２と第３速ギヤ段の変速比γ３との比（＝γ２／γ３）が「１．３５１」とされ、第３速ギヤ段の変速比γ３と第４速ギヤ段の変速比γ４との比（＝γ３／γ４）が「１．３４８」とされ、第４速ギヤ段の変速比γ４と第５速ギヤ段の変速比γ５との比（＝γ４／γ５）が「１．３４９」とされ、第５速ギヤ段の変速比γ５と第６速ギヤ段の変速比γ６との比（＝γ５／γ６）が「１．２６３」とされ、第６速ギヤ段の変速比γ６と第７速ギヤ段の変速比γ７との比（＝γ６／γ７）が「１．２５４」とされ、第７速ギヤ段の変速比γ７と第８速ギヤ段の変速比γ８との比（＝γ７／γ８）が「１．２００」とされ、各変速比γが略等比的に変化させられている。また、上記変速機６０において、第１速ギヤ段の変速比γ１と第８速ギヤ段の変速比γ８との比である変速比幅（＝γ１／γ８）が比較的大きな値すなわち「６．７４５」とされている。
【０１３１】
図１８は、前記変速機１０の共線図である図３に相当する上記変速機６０における共線図を示している。第２変速部６８の５本の縦線Ｙ１乃至Ｙ５は、左から順に、第１回転要素ＲＥ１に対応し且つ相互に連結されたサンギヤＳ１およびサンギヤＳ３を、第２回転要素ＲＥ２に対応するリングギヤＲ２を、第３回転要素ＲＥ３に対応し且つ相互に連結されたリングギヤＲ１、キャリヤＣＡ２およびキャリヤＣＡ３を、第４回転要素ＲＥ４に対応し且つ相互に連結されたサンギヤＳ２およびリングギヤＲ３を、第５回転要素ＲＥ５に対応するキャリヤＣＡ１をそれぞれ表している。
【０１３２】
上記共線図を利用して表現すれば、本実施例の変速機６０は、第１変速部６６において、入力軸１６の回転（第１軸３２の回転）を第１中間出力経路Ｍ１とその第１中間出力経路Ｍ１に対して減速回転させられる上記第２中間出力経路Ｍ２とを介して第２変速部６８へ出力するように構成され、第２変速部６８において、上記第１回転要素ＲＥ１（Ｓ１、Ｓ３）は第２クラッチＣ２を介して第２ドリブンギヤＣＧ２Ｂに選択的に連結されるとともに第１ブレーキＢ１を介して前記非回転部材としてのトランスミッションケース１２に選択的に連結され、上記第２回転要素ＲＥ２（Ｒ２）は第３クラッチＣ３を介して第１ドリブンギヤＣＧ１Ｂに選択的に連結され、上記第３回転要素ＲＥ３（Ｒ１、ＣＡ２、ＣＡ３）は第４クラッチＣ４を介して第１ドリブンギヤＣＧ１Ｂに選択的に連結されるとともに第２ブレーキＢ２を介してトランスミッションケース１２に選択的に連結され、上記第４回転要素ＲＥ４（Ｓ２、Ｒ３）は前記出力回転部材としての出力軸２６に連結され、上記第５回転要素ＲＥ５（ＣＡ１）は第１クラッチＣ１を介して第２ドリブンギヤＣＧ２Ｂに選択的に連結されるように構成されている。
【０１３３】
上記図１８の共線図において、第１速ギヤ段では、第５回転要素ＲＥ５はクラッチＣ１の係合により第２ドリブンギヤＣＧ２Ｂに連結されて回転速度「Ｎx2」とされ、第３回転要素ＲＥ３はブレーキＢ２の係合によりトランスミッションケース１２に連結されて回転速度「０」とされるので、縦線Ｙ５と横線Ｘ２との交点と縦線Ｙ３と横線ＸＺとの交点とを結ぶ直線が縦線Ｙ４と交差する点（１st）により、出力軸２６の回転速度が示される。第２速ギヤ段では、第５回転要素ＲＥ５はクラッチＣ１の係合により第２ドリブンギヤＣＧ２Ｂに連結されて回転速度「Ｎx2」とされ、第１回転要素ＲＥ１はブレーキＢ１の係合によりトランスミッションケース１２に連結されて回転速度「０」とされるので、縦線Ｙ５と横線Ｘ２との交点と縦線Ｙ１と横線ＸＺとの交点とを結ぶ直線が縦線Ｙ４と交差する点（２nd）により、出力軸２６の回転速度が示される。第３速ギヤ段では、第５回転要素ＲＥ５はクラッチＣ１の係合により第２ドリブンギヤＣＧ２Ｂに連結されて回転速度「Ｎx2」とされ、第１回転要素ＲＥ１はクラッチＣ２の係合により第２ドリブンギヤＣＧ２Ｂに連結されて回転速度「Ｎx2」とされるので、縦線Ｙ５と横線Ｘ２との交点と縦線Ｙ１と横線Ｘ２との交点とを結ぶ直線が縦線Ｙ４と交差する点（３rd）により、出力軸２６の回転速度が示される。第４速ギヤ段では、第５回転要素ＲＥ５はクラッチＣ１の係合により第２ドリブンギヤＣＧ２Ｂに連結されて回転速度「Ｎx2」とされ、第２回転要素ＲＥ２はクラッチＣ３の係合により第１ドリブンギヤＣＧ１Ｂに連結されて回転速度「１」とされるので、縦線Ｙ５と横線Ｘ２との交点と縦線Ｙ２と横線Ｘ１との交点とを結ぶ直線が縦線Ｙ４と交差する点（４th-1）により、出力軸２６の回転速度が示される。第５速ギヤ段では、第２回転要素ＲＥ２はクラッチＣ３の係合により第１ドリブンギヤＣＧ１Ｂに連結されて回転速度「１」とされ、第３回転要素ＲＥ３はクラッチＣ４の係合により第１ドリブンギヤＣＧ１Ｂに連結されて回転速度「１」とされるので、縦線Ｙ２と横線Ｘ１との交点と縦線Ｙ３と横線Ｘ１との交点とを結ぶ直線が縦線Ｙ４と交差する点（５th）により、出力軸２６の回転速度が示される。第６速ギヤ段では、第１回転要素ＲＥ１はクラッチＣ２の係合により第２ドリブンギヤＣＧ２Ｂに連結されて回転速度「Ｎx2」とされ、第３回転要素ＲＥ３はクラッチＣ４の係合により第１ドリブンギヤＣＧ１Ｂに連結されて回転速度「１」とされるので、縦線Ｙ１と横線Ｘ２との交点と縦線Ｙ３と横線Ｘ１との交点とを結ぶ直線が縦線Ｙ４と交差する点（６th）により、出力軸２６の回転速度が示される。第７速ギヤ段では、第３回転要素ＲＥ３はクラッチＣ４の係合により第１ドリブンギヤＣＧ１Ｂに連結されて回転速度「１」とされ、第１回転要素ＲＥ１はブレーキＢ１の係合によりトランスミッションケース１２に連結されて回転速度「０」とされるので、縦線Ｙ３と横線Ｘ１との交点と縦線Ｙ１と横線ＸＺとの交点とを結ぶ直線が縦線Ｙ４と交差する点（７th）により、出力軸２６の回転速度が示される。第８速ギヤ段では、第２回転要素ＲＥ２はクラッチＣ３の係合により第１ドリブンギヤＣＧ１Ｂに連結されて回転速度「１」とされ、第１回転要素ＲＥ��はブレーキＢ１の係合によりトランスミッションケース１２に連結されて回転速度「０」とされるので、縦線Ｙ２と横線Ｘ１との交点と縦線Ｙ１と横線ＸＺとの交点とを結ぶ直線が縦線Ｙ４と交差する点（８th）により、出力軸２６の回転速度が示される。後進ギヤ段では、第１回転要素ＲＥ１はクラッチＣ２の係合により第２ドリブンギヤＣＧ２Ｂに連結されて回転速度「Ｎx2」とされ、第３回転要素ＲＥ３はブレーキＢ２の係合によりトランスミッションケース１２に連結されて回転速度「０」とされるので、縦線Ｙ１と横線Ｘ２との交点と縦線Ｙ３と横線ＸＺとの交点とを結ぶ直線が縦線Ｙ４と交差する点（Ｒev）により、出力軸２６の負の回転速度が示される。
【０１３４】
図１９は図１６に示す変速機６０の油圧式摩擦係合装置の図１７に示す係合作動の他の実施例であり、図２０は変速機６０の図１８に示す共線図の他の実施例である。図１９と図１７との違いは第４速ギヤ段が成立させられるために必要な油圧式摩擦係合装置の作動がクラッチＣ１およびクラッチＣ３の係合からクラッチＣ１およびクラッチＣ４の係合に換わったことである。この結果、変速比γ４は「１．３００」程度となり、第３速ギヤ段の変速比γ３と第４速ギヤ段の変速比γ４との比（＝γ３／γ４）が「１．３９８」とされ、第４速ギヤ段の変速比γ４と第５速ギヤ段の変速比γ５との比（＝γ４／γ５）が「１．３００」とされる。
【０１３５】
また、図２０における第４速ギヤ段では、第５回転要素ＲＥ５はクラッチＣ１の係合により第２ドリブンギヤＣＧ２Ｂに連結されて回転速度「Ｎx2」とされ、第３回転要素ＲＥ３はクラッチＣ４の係合により第１ドリブンギヤＣＧ１Ｂに連結されて回転速度「１」とされるので、縦線Ｙ５と横線Ｘ２との交点と縦線Ｙ３と横線Ｘ１との交点とを結ぶ直線が縦線Ｙ４と交差する点（４th-2）により出力軸２６の回転速度が示される。
【０１３６】
図２１は本発明の他の実施例の変速機７０の構成を説明する骨子図であり、図２２はその変速機７０の変速ギヤ段とそれを成立させるために必要な油圧式摩擦係合装置の作動との関係を示す図表であり、図２３は各ギヤ段における回転要素の回転速度を示す共線図である。本実施例においては、トルクコンバータ１４およびブレーキＢ１の配置、また出力回転部材が出力歯車２８に換わったことが相違するが、他の構成および係合作動は上記図１６乃至図１８に示す実施例と同様であり、その図１６乃至図１８に示す実施例と同様の効果が得られる。そのトルクコンバータ１４の配置は図６に示す変速機４０と同様であり、また図２２および図２３は図１７および図１８と同様であるのでそれらの説明を割愛する。
【０１３７】
図２４は図２１に示す変速機７０の油圧式摩擦係合装置の図２２に示す係合作動の他の実施例であり、図２５は変速機７０の図２３に示す共線図の他の実施例である。図２４と図２２との違いは図１９と図１７との違いと同様であり、また図２５と図２３との違いは図２０と図１８との違いと同様であるのでそれらの説明を割愛する。
【０１３８】
図２６は本発明の他の実施例の変速機８０の構成を説明する骨子図であり、図２７はその変速機８０の変速ギヤ段とそれを成立させるために必要な油圧式摩擦係合装置の作動との関係を示す図表であり、図２８は各ギヤ段における回転要素の回転速度を示す共線図である。本実施例は、第２変速部８８の各装置の構成が相違する点を除けば図２１に示した変速機７０と同様であり、図２１乃至図２３に示す実施例と同様の効果が得られる。以下に、変速機８０と変速機７０との相違する部分について説明する。
【０１３９】
本実施例では、上記図２６に示す変速機８０の第２変速部８８を構成している第１遊星歯車装置２０および第３遊星歯車装置２４はそれぞれシングルピニオン型の遊星歯車装置から構成されており、第２遊星歯車装置２２はダブルピニオン型の遊星歯車装置から構成されている。この第１遊星歯車装置２０は、第１サンギヤＳ１、第１遊星歯車Ｐ１、その第１遊星歯車Ｐ１を自転および公転可能に支持する第１キャリヤＣＡ１、第１遊星歯車Ｐ１を介して第１サンギヤＳ１と噛み合う第１リングギヤＲ１を備えており、たとえば「０．３５１」程度の所定のギヤ比ρ１を有している。第２遊星歯車装置２２は、第２サンギヤＳ２、互いに噛み合う複数対の第２遊星歯車Ｐ２、その第２遊星歯車Ｐ２を自転および公転可能に支持する第２キャリヤＣＡ２、第２遊星歯車Ｐ２を介して第２サンギヤＳ２と噛み合う第２リングギヤＲ２を備えており、たとえば「０．３６８」程度の所定のギヤ比ρ２を有している。第３遊星歯車装置２４は、第３サンギヤＳ３、第３遊星歯車Ｐ３、その第３遊星歯車Ｐ３を自転および公転可能に支持する第３キャリヤＣＡ３、第３遊星歯車Ｐ３を介して第３サンギヤＳ３と噛み合う第３リングギヤＲ３を備えており、たとえば「０．２８６」程度の所定のギヤ比ρ３を有している。
【０１４０】
また、上記第１遊星歯車装置２０および第２遊星歯車装置２２は、第１キャリヤＣＡ１および第２キャリヤＣＡ２が共通の部品にて構成されているとともに、第１サンギヤＳ１および第２サンギヤＳ２が共通の部品にて構成されており、且つ第１遊星歯車Ｐ１が互いに噛み合う一対の第２遊星歯車Ｐ２のいずれか１つを兼ねている遊星歯車列とされている。なお、これら共通の部品で構成されているものはそれぞれ別々の部品で構成されてもよい。
【０１４１】
上記第２変速部８８においては、第１サンギヤＳ１と第２サンギヤＳ２とが一体的に連結されて第２クラッチＣ２を介して第２ドリブンギヤＣＧ２Ｂに選択的に連結されるとともに第１ブレーキＢ１を介してトランスミッションケース１２に選択的に連結され、第３リングギヤＲ３は第３クラッチＣ３を介して第１ドリブンギヤＣＧ１Ｂに選択的に連結され、第２リングギヤＲ２と第３キャリアＣＡ３とが一体的に連結されて第４クラッチＣ４を介して第１ドリブンギヤＣＧ１Ｂに選択的に連結されるとともに第２ブレーキＢ２を介してトランスミッションケース１２に選択的に連結され、第１キャリアＣＡ１と第２キャリアＣＡ２と第３サンギヤＳ３とが一体的に連結されて前記出力回転部材としての出力歯車２８に連結され、第１リングギヤＲ１は第１クラッチＣ１を介して第２ドリブンギヤＣＧ２Ｂに選択的に連結されている。
【０１４２】
以上のように構成された変速機８０では、たとえば、図２２の係合作動表と同様である図２７に示されるように、前記第１クラッチＣ１、第２クラッチＣ２、第３クラッチＣ３、第４クラッチＣ４、第１ブレーキＢ１、第２ブレーキＢ２のうちから選択された２つが同時に係合作動させられることにより、第１速ギヤ段（第１変速段）乃至第８速ギヤ段（第８変速段）のいずれか或いは後進ギヤ段（後進変速段）が選択的に成立させられ、図２１乃至図２３に示す実施例と同様に略等比的に変化する変速比γ（＝入力軸回転速度ＮIN／出力軸回転速度ＮOUT ）が各ギヤ段毎に得られるようになっている。また、第１速ギヤ段の変速比γ１と第８速ギヤ段の変速比γ８との比である変速比幅（＝γ１／γ８）が比較的大きな値とされている。前記第１カウンタギヤ対ＣＧ１の減速比、第２カウンタギヤ対ＣＧ２の減速比、第１遊星歯車装置２０のギヤ比ρ１、第２遊星歯車装置２２のギヤ比ρ２、第３遊星歯車装置２４のギヤ比ρ３は、上記のような変速比が得られるように設定されているのである。
【０１４３】
図２８は、前記変速機７０の共線図である図２３に相当する上記変速機８０における共線図を示している。図２８の第２変速部８８の５本の縦線Ｙ１乃至Ｙ５は、左から順に、第１回転要素ＲＥ１に対応し且つ相互に連結されたサンギヤＳ１およびサンギヤＳ２を、第２回転要素ＲＥ２に対応するリングギヤＲ３を、第３回転要素ＲＥ３に対応し且つ相互に連結されたリングギヤＲ２およびキャリアＣＡ３を、第４回転要素ＲＥ４に対応し且つ相互に連結されたキャリアＣＡ１、キャリアＣＡ２およびサンギヤＳ３を、第５回転要素ＲＥ５に対応するリングギヤＲ１をそれぞれ表している。従って、これら回転要素を基にすれば、図２８と図２３とは各回転要素の構成において相違するのみであり共線図としては同様であるので、この図２８の共線図の説明は割愛する。
【０１４４】
図２９は図２６と同様の本発明の他の実施例の変速機８０の構成を説明する骨子図であり、図３０はその変速機８０の油圧式摩擦係合装置の図２７に示す係合作動の他の実施例であり、図３１は変速機８０の図２８に示す共線図の他の実施例である。図３０と図２７との違いは図２４と図２２との違いと同様であり、また図３１と図２８との違いは図２５と図２３との違いと同様であるのでそれらの説明を割愛する。
【０１４５】
図３２は本発明の他の実施例の変速機９０の構成を説明する骨子図であり、図３３はその変速機９０の変速ギヤ段とそれを成立させるために必要な油圧式摩擦係合装置の作動との関係を示す図表であり、図３４は各ギヤ段における回転要素の回転速度を示す共線図である。本実施例は、第２変速部９８の各装置の構成および第１変速部９６の配置が相違する点を除けば図２１に示した変速機７０と同様であり、図２１乃至図２３に示す実施例と同様の効果が得られる。以下に、変速機９０と変速機７０との相違する部分について説明する。
【０１４６】
本実施例の変速機９０では、図３２に示すように第１変速部９６を構成する第１カウンタギヤ対ＣＧ１と第２カウンタギヤ対ＣＧ２とが第２変速部９８を挟むように配置される。このようにすれば、変速機９０の軸長を変速機７０と同様にコンパクトに保ちつつ、第１カウンタギヤ対ＣＧ１と第２カウンタギヤ対ＣＧ２との間の第１軸心３２ｃ上の空き空間にオイルポンプや油圧式摩擦係合装置の油圧制御回路の弁本体等を配置することができて、変速機９０の油路の連結が容易になる。
【０１４７】
本実施例では、上記図３２に示す変速機９０の第２変速部９８を構成している第１遊星歯車装置２０、第２遊星歯車装置２２および第３遊星歯車装置２４はそれぞれシングルピニオン型の遊星歯車装置から構成されている。この第１遊星歯車装置２０は、第１サンギヤＳ１、第１遊星歯車Ｐ１、その第１遊星歯車Ｐ１を自転および公転可能に支持する第１キャリヤＣＡ１、第１遊星歯車Ｐ１を介して第１サンギヤＳ１と噛み合う第１リングギヤＲ１を備えており、たとえば「０．２８６」程度の所定のギヤ比ρ１を有している。第２遊星歯車装置２２は、第２サンギヤＳ２、第２遊星歯車Ｐ２、その第２遊星歯車Ｐ２を自転および公転可能に支持する第２キャリヤＣＡ２、第２遊星歯車Ｐ２を介して第２サンギヤＳ２と噛み合う第２リングギヤＲ２を備えており、たとえば「０．５８３」程度の所定のギヤ比ρ２を有している。第３遊星歯車装置２４は、第３サンギヤＳ３、第３遊星歯車Ｐ３、その第３遊星歯車Ｐ３を自転および公転可能に支持する第３キャリヤＣＡ３、第３遊星歯車Ｐ３を介して第３サンギヤＳ３と噛み合う第３リングギヤＲ３を備えており、たとえば「０．３５１」程度の所定のギヤ比ρ３を有している。
【０１４８】
上記第２変速部９８においては、第２サンギヤＳ２と第３サンギヤＳ３とが一体的に連結されて第２クラッチＣ２を介して第２ドリブンギヤＣＧ２Ｂに選択的に連結されるとともに第１ブレーキＢ１を介してトランスミッションケース１２に選択的に連結され、第１リングギヤＲ１は第３クラッチＣ３を介して第１ドリブンギヤＣＧ１Ｂに選択的に連結され、第１キャリアＣＡ１と第２キャリアＣＡ２とが一体的に連結されて第４クラッチＣ４を介して第１ドリブンギヤＣＧ１Ｂに選択的に連結されるとともに第２ブレーキＢ２を介してトランスミッションケース１２に選択的に連結され、第１サンギヤＳ１と第２リングギヤＲ２と第３キャリアＣＡ３とが一体的に連結されて前記出力回転部材としての出力歯車２８に連結され、第３リングギヤＲ３は第１クラッチＣ１を介して第２ドリブンギヤＣＧ２Ｂに選択的に連結されている。
【０１４９】
以上のように構成された変速機９０では、たとえば、図２２の係合作動表と同様である図３３に示されるように、前記第１クラッチＣ１、第２クラッチＣ２、第３クラッチＣ３、第４クラッチＣ４、第１ブレーキＢ１、第２ブレーキＢ２のうちから選択された２つが同時に係合作動させられることにより、第１速ギヤ段（第１変速段）乃至第８速ギヤ段（第８変速段）のいずれか或いは後進ギヤ段（後進変速段）が選択的に成立させられ、図２１乃至図２３に示す実施例と同様に略等比的に変化する変速比γ（＝入力軸回転速度ＮIN／出力軸回転速度ＮOUT ）が各ギヤ段毎に得られるようになっている。また、第１速ギヤ段の変速比γ１と第８速ギヤ段の変速比γ８との比である変速比幅（＝γ１／γ８）が比較的大きな値とされている。前記第１カウンタギヤ対ＣＧ１の減速比、第２カウンタギヤ対ＣＧ２の減速比、第１遊星歯車装置２０のギヤ比ρ１、第２遊星歯車装置２２のギヤ比ρ２、第３遊星歯車装置２４のギヤ比ρ３は、上記のような変速比が得られるように設定されているのである。
【０１５０】
図３４は、前記変速機７０の共線図である図２３に相当する上記変速機９０における共線図を示している。図３４の第２変速部９８の５本の縦線Ｙ１乃至Ｙ５は、左から順に、第１回転要素ＲＥ１に対応し且つ相互に連結されたサンギヤＳ２およびサンギヤＳ３を、第２回転要素ＲＥ２に対応するリングギヤＲ１を、第３回転要素ＲＥ３に対応し且つ相互に連結されたキャリアＣＡ１およびキャリアＣＡ２を、第４回転要素ＲＥ４に対応し且つ相互に連結されたサンギヤＳ１、リングギヤＲ２およびキャリアＣＡ３を、第５回転要素ＲＥ５に対応するリングギヤＲ３をそれぞれ表している。従って、これら回転要素を基にすれば、図３４と図２３とは各回転要素の構成において相違するのみであり共線図としては同様であるので、この図３４の共線図の説明は割愛する。
【０１５１】
図３５はその変速機９０の油圧式摩擦係合装置の図３３に示す係合作動の他の実施例であり、図３６は変速機９０の図３４に示す共線図の他の実施例である。図３５と図３３との違いは図２４と図２２との違いと同様であり、また図３６と図３４との違いは図２５と図２３との違いと同様であるのでそれらの説明を割愛する。
【０１５２】
図３７は本発明の他の実施例の変速機１００の構成を説明する骨子図であり、図３８はその変速機１００の変速ギヤ段とそれを成立させるために必要な油圧式摩擦係合装置の作動との関係を示す図表であり、図３９は各ギヤ段における回転要素の回転速度を示す共線図である。本実施例は、第２変速部１０８の各装置の構成および第１変速部１０６の配置が相違する点を除けば図２１に示した変速機７０と同様であり、図２１乃至図２３に示す実施例と同様の効果が得られる。以下に、変速機１００と変速機７０との相違する部分について説明する。
【０１５３】
本実施例の変速機１００では、図３７に示すように第１変速部１０６を構成する第１カウンタギヤ対ＣＧ１と第２カウンタギヤ対ＣＧ２とが第２変速部１０８を構成する第２遊星歯車装置２２および第３遊星歯車装置２４を挟むように配置される。このようにすれば、変速機１００の軸長を変速機７０と同様にコンパクトに保ちつつ、第１カウンタギヤ対ＣＧ１と第２カウンタギヤ対ＣＧ２との間の第１軸心３２ｃ上の空き空間にオイルポンプや油圧式摩擦係合装置の油圧制御回路の弁本体等を配置することができて、変速機１００の油路の連結が容易になる。
【０１５４】
本実施例では、上記図３７に示す変速機１００の第２変速部１０８を構成している第１遊星歯車装置２０および第３遊星歯車装置２４はそれぞれシングルピニオン型の遊星歯車装置から構成されており、第２遊星歯車装置２２はダブルピニオン型の遊星歯車装置から構成されている。この第１遊星歯車装置２０は、第１サンギヤＳ１、第１遊星歯車Ｐ１、その第１遊星歯車Ｐ１を自転および公転可能に支持する第１キャリヤＣＡ１、第１遊星歯車Ｐ１を介して第１サンギヤＳ１と噛み合う第１リングギヤＲ１を備えており、たとえば「０．２８６」程度の所定のギヤ比ρ１を有している。第２遊星歯車装置２２は、第２サンギヤＳ２、互いに噛み合う複数対の第２遊星歯車Ｐ２、その第２遊星歯車Ｐ２を自転および公転可能に支持する第２キャリヤＣＡ２、第２遊星歯車Ｐ２を介して第２サンギヤＳ２と噛み合う第２リングギヤＲ２を備えており、たとえば「０．４８８」程度の所定のギヤ比ρ２を有している。第３遊星歯車装置２４は、第３サンギヤＳ３、第３遊星歯車Ｐ３、その第３遊星歯車Ｐ３を自転および公転可能に支持する第３キャリヤＣＡ３、第３遊星歯車Ｐ３を介して第３サンギヤＳ３と噛み合う第３リングギヤＲ３を備えており、たとえば「０．３５１」程度の所定のギヤ比ρ３を有している。
【０１５５】
上記第２変速部１０８においては、第３サンギヤＳ３は第２クラッチＣ２を介して第２ドリブンギヤＣＧ２Ｂに選択的に連結されるとともに第１ブレーキＢ１を介してトランスミッションケース１２に選択的に連結され、第１リングギヤＲ１は第３クラッチＣ３を介して第１ドリブンギヤＣＧ１Ｂに選択的に連結され、第１キャリアＣＡ１と第２サンギヤＳ２とが一体的に連結されて第４クラッチＣ４を介して第１ドリブンギヤＣＧ１Ｂに選択的に連結されるとともに第２ブレーキＢ２を介してトランスミッションケース１２に選択的に連結され、第１サンギヤＳ１と第２リングギヤＲ２と第３キャリアＣＡ３とが一体的に連結されて前記出力回転部材としての出力歯車２８に連結され、第２キャリアＣＡ２と第３リングギヤＲ３とが一体的に連結されて第１クラッチＣ１を介して第２ドリブンギヤＣＧ２Ｂに選択的に連結されている。
【０１５６】
以上のように構成された変速機１００では、たとえば、図２２の係合作動表と同様である図３８に示されるように、前記第１クラッチＣ１、第２クラッチＣ２、第３クラッチＣ３、第４クラッチＣ４、第１ブレーキＢ１、第２ブレーキＢ２のうちから選択された２つが同時に係合作動させられることにより、第１速ギヤ段（第１変速段）乃至第８速ギヤ段（第８変速段）のいずれか或いは後進ギヤ段（後進変速段）が選択的に成立させられ、図２１乃至図２３に示す実施例と同様に略等比的に変化する変速比γ（＝入力軸回転速度ＮIN／出力軸回転速度ＮOUT ）が各ギヤ段毎に得られるようになっている。また、第１速ギヤ段の変速比γ１と第８速ギヤ段の変速比γ８との比である変速比幅（＝γ１／γ８）が比較的大きな値とされている。前記第１カウンタギヤ対ＣＧ１の減速比、第２カウンタギヤ対ＣＧ２の減速比、第１遊星歯車装置２０のギヤ比ρ１、第２遊星歯車装置２２のギヤ比ρ２、第３遊星歯車装置２４のギヤ比ρ３は、上記のような変速比が得られるように設定されているのである。
【０１５７】
図３９は、前記変速機７０の共線図である図２３に相当する上記変速機１００における共線図を示している。図３９の第２変速部１０８の５本の縦線Ｙ１乃至Ｙ５は、左から順に、第１回転要素ＲＥ１に対応するサンギヤＳ３を、第２回転要素ＲＥ２に対応するリングギヤＲ１を、第３回転要素ＲＥ３に対応し且つ相互に連結されたキャリアＣＡ１およびサンギヤＳ２を、第４回転要素ＲＥ４に対応し且つ相互に連結されたサンギヤＳ１、リングギヤＲ２およびキャリアＣＡ３を、第５回転要素ＲＥ５に対応し且つ相互に連結されたキャリアＣＡ２およびリングギヤＲ３をそれぞれ表している。従って、これら回転要素を基にすれば、図３９と図２３とは各回転要素の構成において相違するのみであり共線図としては同様であるので、この図３９の共線図の説明は割愛する。
【０１５８】
図４０はその変速機１００の油圧式摩擦係合装置の図３８に示す係合作動の他の実施例であり、図４１は変速機１００の図３９に示す共線図の他の実施例である。図４０と図３８との違いは図２４と図２２との違いと同様であり、また図４１と図３９との違いは図２５と図２３との違いと同様であるのでそれらの説明を割愛する。
【０１５９】
図４２は本発明の他の実施例の変速機１１０の構成を説明する骨子図であり、図４３はその変速機１１０の変速ギヤ段とそれを成立させるために必要な油圧式摩擦係合装置の作動との関係を示す図表であり、図４４は各ギヤ段における回転要素の回転速度を示す共線図である。本実施例の変速機１１０を構成する各装置の配置は、図１に示した変速機１０と同様であり、図１乃至図３に示す実施例と同様の効果が得られる。以下に、変速機１１０と変速機１０との相違する部分について説明する。
【０１６０】
上記図４２に示す変速機１１０の第１変速部１１６を構成している第１カウンタギヤ対ＣＧ１および第２カウンタギヤ対ＣＧ２は、たとえば第１カウンタギヤ対ＣＧ１の減速比が「１．０００」程度、第２カウンタギヤ対ＣＧ２の減速比が「１．７４５」程度とされ、第１変速部１１６は入力軸１６すなわち第１軸３２の回転を第１中間出力経路Ｍ１とその第１中間出力経路Ｍ１に対して減速回転させられる第２中間出力経路Ｍ２とで第２変速部１１８へ伝達（出力）する。
【０１６１】
本実施例では、上記図４２に示す変速機１１０の第２変速部１１８を構成している第１遊星歯車装置２０および第３遊星歯車装置２４はそれぞれシングルピニオン型の遊星歯車装置から構成されており、第２遊星歯車装置２２はダブルピニオン型の遊星歯車装置から構成されている。この第１遊星歯車装置２０は、第１サンギヤＳ１、第１遊星歯車Ｐ１、その第１遊星歯車Ｐ１を自転および公転可能に支持する第１キャリヤＣＡ１、第１遊星歯車Ｐ１を介して第１サンギヤＳ１と噛み合う第１リングギヤＲ１を備えており、たとえば「０．３４９」程度の所定のギヤ比ρ１を有している。第２遊星歯車装置２２は、第２サンギヤＳ２、互いに噛み合う複数対の第２遊星歯車Ｐ２、その第２遊星歯車Ｐ２を自転および公転可能に支持する第２キャリヤＣＡ２、第２遊星歯車Ｐ２を介して第２サンギヤＳ２と噛み合う第２リングギヤＲ２を備えており、たとえば「０．４１９」程度の所定のギヤ比ρ２を有している。第３遊星歯車装置２４は、第３サンギヤＳ３、第３遊星歯車Ｐ３、その第３遊星歯車Ｐ３を自転および公転可能に支持する第３キャリヤＣＡ３、第３遊星歯車Ｐ３を介して第３サンギヤＳ３と噛み合う第３リングギヤＲ３を備えており、たとえば「０．３０１」程度の所定のギヤ比ρ３を有している。
【０１６２】
また、上記第１遊星歯車装置２０および第２遊星歯車装置２２は、第１キャリヤＣＡ１および第２キャリヤＣＡ２が共通の部品にて構成されているとともに、第１サンギヤＳ１および第２サンギヤＳ２が共通の部品にて構成されており、且つ第１遊星歯車Ｐ１が互いに噛み合う一対の第２遊星歯車Ｐ２のいずれか１つを兼ねている遊星歯車列とされている。なお、これら共通の部品で構成されているものはそれぞれ別々の部品で構成されてもよい。また、上記第１遊星歯車Ｐ１は第１遊星歯車装置２０側と第２遊星歯車装置２２側とで異なる径（歯数）であってもよい。
【０１６３】
上記第２変速部１１８においては、第３サンギヤＳ３は第２クラッチＣ２を介して第２ドリブンギヤＣＧ２Ｂに選択的に連結されるとともに第１ブレーキＢ１を介して前記非回転部材としてのトランスミッションケース１２に選択的に連結され、第１リングギヤＲ１は第３クラッチＣ３を介して第１ドリブンギヤＣＧ１Ｂに選択的に連結されるとともに第２ブレーキＢ２を介してトランスミッションケース１２に選択的に連結され、第１キャリアＣＡ１と第２キャリアＣＡ２とが一体的に連結されて第４クラッチＣ４を介して第１ドリブンギヤＣＧ１Ｂに選択的に連結されるとともに第３ブレーキＢ３を介してトランスミッションケース１２に選択的に連結され、第２リングギヤＲ２と第３キャリアＣＡ３とが一体的に連結されて前記出力回転部材としての出力軸２６に連結され、第１サンギヤＳ１と第２サンギヤＳ２と第３リングギヤＲ３とが一体的に連結されて第１クラッチＣ１を介して第２ドリブンギヤＣＧ２Ｂに選択的に連結されている。
【０１６４】
以上のように構成された変速機１１０では、たとえば、図４３の係合作動表に示されるように、前記第１クラッチＣ１、第２クラッチＣ２、第３クラッチＣ３、第４クラッチＣ４、第１ブレーキＢ１、第２ブレーキＢ２、第３ブレーキＢ３のうちから選択された２つが同時に係合作動させられることにより、第１速ギヤ段（第１変速段）乃至第８速ギヤ段（第８変速段）のいずれか或いは後進ギヤ段（後進変速段）が選択的に成立させられ、略等比的に変化する変速比γ（＝入力軸回転速度ＮIN／出力軸回転速度ＮOUT ）が各ギヤ段毎に得られるようになっている。
【０１６５】
すなわち、図４３に示すように、第１クラッチＣ１および第３ブレーキＢ３の係合により、第１サンギヤＳ１、第２サンギヤＳ２および第３リングギヤＲ３と第２ドリブンギヤＣＧ２Ｂとの間、第１キャリアＣＡ１および第２キャリアＣＡ２とトランスミッションケース１２との間がそれぞれ連結されることにより、変速比γ１が最大値たとえば「４．１６９」である第１速ギヤ段が成立させられる。また、第１クラッチＣ１および第２ブレーキＢ２の係合により、第１サンギヤＳ１、第２サンギヤＳ２および第３リングギヤＲ３と第２ドリブンギヤＣＧ２Ｂとの間、第１リングギヤＲ１とトランスミッションケース１２との間がそれぞれ連結されることにより、変速比γ２が第１速ギヤ段よりも小さい値たとえば「３．０６７」程度である第２速ギヤ段が成立させられる。また、第１クラッチＣ１および第１ブレーキＢ１の係合により、第１サンギヤＳ１、第２サンギヤＳ２および第３リングギヤＲ３と第２ドリブンギヤＣＧ２Ｂとの間、第３サンギヤＳ３とトランスミッションケース１２との間がそれぞれ連結されることにより、変速比γ３が第２速ギヤ段よりも小さい値たとえば「２．２７１」程度である第３速ギヤ段が成立させられる。また、第１クラッチＣ１および第２クラッチＣ２の係合により、第１サンギヤＳ１、第２サンギヤＳ２および第３リングギヤＲ３と第２ドリブンギヤＣＧ２Ｂとの間、第３サンギヤＳ３と第２ドリブンギヤＣＧ２Ｂとの間がそれぞれ連結されることにより、変速比γ４が第３速ギヤ段よりも小さい値たとえば「１．７４５」程度である第４速ギヤ段が成立させられる。また、第１クラッチＣ１および第３クラッチＣ３の係合により、第１サンギヤＳ１、第２サンギヤＳ２および第３リングギヤＲ３と第２ドリブンギヤＣＧ２Ｂとの間、第１リングギヤＲ１と第１ドリブンギヤＣＧ１Ｂとの間がそれぞれ連結されることにより、変速比γ５が第４速ギヤ段よりも小さい値たとえば「１．３２１」程度である第５速ギヤ段が成立させられる。また、第３クラッチＣ３および第４クラッチＣ４の係合により、第１リングギヤＲ１と第１ドリブンギヤＣＧ１Ｂとの間、第１キャリアＣＡ１および第２キャリアＣＡ２と第１ドリブンギヤＣＧ１Ｂとの間がそれぞれ連結されることにより、変速比γ６が第５速ギヤ段よりも小さい値たとえば「１．０００」程度である第６速ギヤ段が成立させられる。また、第２クラッチＣ２および第３クラッチＣ３の係合により、第３サンギヤＳ３と第２ドリブンギヤＣＧ２Ｂとの間、第１リングギヤＲ１と第１ドリブンギヤＣＧ１Ｂとの間がそれぞれ連結されることにより、変速比γ７が第６速ギヤ段よりも小さい値たとえば「０．７８０」である第７速ギヤ段が成立させられる。また、第３クラッチＣ３および第１ブレーキＢ１の係合により、第１リングギヤＲ１と第１ドリブンギヤＣＧ１Ｂとの間、第３サンギヤＳ３とトランスミッションケース１２との間がそれぞれ連結されることにより、変速比γ８が第７速ギヤ段よりも小さい値たとえば「０．６０２」である第８速ギヤ段が成立させられる。
【０１６６】
また、第２クラッチＣ２および第２ブレーキＢ２の係合により、第３サンギヤＳ３と第２ドリブンギヤＣＧ２Ｂとの間、第１リングギヤＲ１とトランスミッションケース１２との間がそれぞれ連結されることにより、変速比γＲが第２速ギヤ段と第３速ギヤ段との間の値たとえば「２．６４４」程度である後進ギヤ段が成立させられる。前記第１カウンタギヤ対ＣＧ１の減速比、第２カウンタギヤ対ＣＧ２の減速比、第１遊星歯車装置２０のギヤ比ρ１、第２遊星歯車装置２２のギヤ比ρ２、第３遊星歯車装置２４のギヤ比ρ３は、上記のような変速比が得られるように設定されているのである。
【０１６７】
上記変速機１１０において、第１速ギヤ段の変速比γ１と第２速ギヤ段の変速比γ２との比（＝γ１／γ２）が「１．３５９」とされ、第２速ギヤ段の変速比γ２と第３速ギヤ段の変速比γ３との比（＝γ２／γ３）が「１．３５１」とされ、第３速ギヤ段の変速比γ３と第４速ギヤ段の変速比γ４との比（＝γ３／γ４）が「１．３０１」とされ、第４速ギヤ段の変速比γ４と第５速ギヤ段の変速比γ５との比（＝γ４／γ５）が「１．３２１」とされ、第５速ギヤ段の変速比γ５と第６速ギヤ段の変速比γ６との比（＝γ５／γ６）が「１．３２１」とされ、第６速ギヤ段の変速比γ６と第７速ギヤ段の変速比γ７との比（＝γ６／γ７）が「１．２８２」とされ、第７速ギヤ段の変速比γ７と第８速ギヤ段の変速比γ８との比（＝γ７／γ８）が「１．２９５」とされ、各変速比γが略等比的に変化させられている。また、上記変速機１１０において、第１速ギヤ段の変速比γ１と第８速ギヤ段の変速比γ８との比である変速比幅（＝γ１／γ８）が比較的大きな値すなわち「６．９２１」とされている。
【０１６８】
図４４は、前記変速機１０の共線図である図３に相当する上記変速機１１０における共線図を示している。第２変速部１１８の５本の縦線Ｙ１乃至Ｙ５は、左から順に、第１回転要素ＲＥ１に対応するサンギヤＳ３を、第２回転要素ＲＥ２に対応するリングギヤＲ１を、第３回転要素ＲＥ３に対応し且つ相互に連結されたキャリヤＣＡ１およびキャリヤＣＡ２を、第４回転要素ＲＥ４に対応し且つ相互に連結されたリングギヤＲ２およびキャリヤＣＡ３を、第５回転要素ＲＥ５に対応し且つ相互に連結されたサンギヤＳ１、サンギヤＳ２およびリングギヤＲ３をそれぞれ表している。
【０１６９】
上記共線図を利用して表現すれば、本実施例の変速機１１０は、第１変速部１１６において、入力軸１６の回転（第１軸３２の回転）を第１中間出力経路Ｍ１とその第１中間出力経路Ｍ１に対して減速回転させられる上記第２中間出力経路Ｍ２とを介して第２変速部１１８へ出力するように構成され、第２変速部１１８において、上記第１回転要素ＲＥ１（Ｓ３）は第２クラッチＣ２を介して第２ドリブンギヤＣＧ２Ｂに選択的に連結されるとともに第１ブレーキＢ１を介して前記非回転部材としてのトランスミッションケース１２に選択的に連結され、上記第２回転要素ＲＥ２（Ｒ１）は第３クラッチＣ３を介して第１ドリブンギヤＣＧ１Ｂに選択的に連結されるとともに第２ブレーキＢ２を介してトランスミッションケース１２に選択的に連結され、上記第３回転要素ＲＥ３（ＣＡ１、ＣＡ２）は第４クラッチＣ４を介して第１ドリブンギヤＣＧ１Ｂに選択的に連結されるとともに第３ブレーキＢ３を介してトランスミッションケース１２に選択的に連結され、上記第４回転要素ＲＥ４（Ｒ２、ＣＡ３）は前記出力回転部材としての出力軸２６に連結され、上記第５回転要素ＲＥ５（Ｓ１、Ｓ２、Ｒ３）は第１クラッチＣ１を介して第２ドリブンギヤＣＧ２Ｂに選択的に連結されるように構成されている。
【０１７０】
上記図４４の共線図において、第１速ギヤ段では、第５回転要素ＲＥ５はクラッチＣ１の係合により第２ドリブンギヤＣＧ２Ｂに連結されて回転速度「Ｎx2」とされ、第３回転要素ＲＥ３はブレーキＢ３の係合によりトランスミッションケース１２に連結されて回転速度「０」とされるので、縦線Ｙ５と横線Ｘ２との交点と縦線Ｙ３と横線ＸＺとの交点とを結ぶ直線が縦線Ｙ４と交差する点（１st）により、出力軸２６の回転速度が示される。第２速ギヤ段では、第５回転要素ＲＥ５はクラッチＣ１の係合により第２ドリブンギヤＣＧ２Ｂに連結されて回転速度「Ｎx2」とされ、第２回転要素ＲＥ２はブレーキＢ２の係合によりトランスミッションケース１２に連結されて回転速度「０」とされるので、縦線Ｙ５と横線Ｘ２との交点と縦線Ｙ２と横線ＸＺとの交点とを結ぶ直線が縦線Ｙ４と交差する点（２nd）により、出力軸２６の回転速度が示される。第３速ギヤ段では、第５回転要素ＲＥ５はクラッチＣ１の係合により第２ドリブンギヤＣＧ２Ｂに連結されて回転速度「Ｎx2」とされ、第１回転要素ＲＥ１はブレーキＢ１の係合によりトランスミッションケース１２に連結されて回転速度「０」とされるので、縦線Ｙ５と横線Ｘ２との交点と縦線Ｙ１と横線ＸＺとの交点とを結ぶ直線が縦線Ｙ４と交差する点（３rd）により、出力軸２６の回転速度が示される。第４速ギヤ段では、第５回転要素ＲＥ５はクラッチＣ１の係合により第２ドリブンギヤＣＧ２Ｂに連結されて回転速度「Ｎx2」とされ、第１回転要素ＲＥ１はクラッチＣ２の係合により第２ドリブンギヤＣＧ２Ｂに連結されて回転速度「Ｎx2」とされるので、縦線Ｙ５と横線Ｘ２との交点と縦線Ｙ１と横線Ｘ２との交点とを結ぶ直線が縦線Ｙ４と交差する点（４th）により、出力軸２６の回転速度が示される。第５速ギヤ段では、第５回転要素ＲＥ５はクラッチＣ１の係合により第２ドリブンギヤＣＧ２Ｂに連結されて回転速度「Ｎx2」とされ、第２回転要素ＲＥ２はクラッチＣ３の係合により第１ドリブンギヤＣＧ１Ｂに連結されて回転速度「１」とされるので、縦線Ｙ５と横線Ｘ２との交点と縦線Ｙ２と横線Ｘ１との交点とを結ぶ直線が縦線Ｙ４と交差する点（５th）により、出力軸２６の回転速度が示される。第６速ギヤ段では、第２回転要素ＲＥ２はクラッチＣ３の係合により第１ドリブンギヤＣＧ１Ｂに連結されて回転速度「１」とされ、第３回転要素ＲＥ３はクラッチＣ４の係合により第１ドリブンギヤＣＧ１Ｂに連結されて回転速度「１」とされるので、縦線Ｙ２と横線Ｘ１との交点と縦線Ｙ３と横線Ｘ１との交点とを結ぶ直線が縦線Ｙ４と交差する点（６th）により、出力軸２６の回転速度が示される。第７速ギヤ段では、第１回転要素ＲＥ１はクラッチＣ２の係合により第２ドリブンギヤＣＧ２Ｂに連結されて回転速度「Ｎx2」とされ、第２回転要素ＲＥ２はクラッチＣ３の係合により第１ドリブンギヤＣＧ１Ｂに連結されて回転速度「１」とされるので、縦線Ｙ１と横線Ｘ２との交点と縦線Ｙ２と横線Ｘ１との交点とを結ぶ直線が縦線Ｙ４と交差する点（７th）により、出力軸２６の回転速度が示される。第８速ギヤ段では、第２回転要素ＲＥ２はクラッチＣ３の係合により第１ドリブンギヤＣＧ１Ｂに連結されて回転速度「１」とされ、第１回転要素ＲＥ��はブレーキＢ１の係合によりトランスミッションケース１２に連結されて回転速度「０」とされるので、縦線Ｙ２と横線Ｘ１との交点と縦線Ｙ１と横線ＸＺとの交点とを結ぶ直線が縦線Ｙ４と交差する点（８th）により、出力軸２６の回転速度が示される。後進ギヤ段では、第１回転要素ＲＥ１はクラッチＣ２の係合により第２ドリブンギヤＣＧ２Ｂに連結されて回転速度「Ｎx2」とされ、第２回転要素ＲＥ２はブレーキＢ２の係合によりトランスミッションケース１２に連結されて回転速度「０」とされるので、縦線Ｙ１と横線Ｘ２との交点と縦線Ｙ２と横線ＸＺとの交点とを結ぶ直線が縦線Ｙ４と交差する点（Ｒev1）により、出力軸２６の負の回転速度が示される。
【０１７１】
図４５は本発明の他の実施例の変速機１２０の構成を説明する骨子図であり、図４６はその変速機１２０の変速ギヤ段とそれを成立させるために必要な油圧式摩擦係合装置の作動との関係を示す図表であり、図４７は各ギヤ段における回転要素の回転速度を示す共線図である。本実施例においては、トルクコンバータ１４およびブレーキＢ１の配置、また出力回転部材が出力歯車２８に換わったことが相違するが、他の構成および係合作動は上記図４２乃至図４４に示す実施例と同様であり、その図４２乃至図４４に示す実施例と同様の効果が得られる。そのトルクコンバータ１４の配置は図６に示す変速機４０と同様であり、また図４６および図４７は図４３および図４４と同様であるのでそれらの説明を割愛する。
【０１７２】
図４８は本発明の他の実施例の変速機１３０の構成を説明する骨子図であり、図４９はその変速機１３０の変速ギヤ段とそれを成立させるために必要な油圧式摩擦係合装置の作動との関係を示す図表であり、図５０は各ギヤ段における回転要素の回転速度を示す共線図である。本実施例は、クラッチＣ４と変速機１３０の各装置との接続関係が相違する点を除けば図４５に示した変速機１２０と同様であり、図４５乃至図４７に示す実施例と同様の効果が得られる。以下に、変速機１３０と変速機１２０との相違する部分について説明する。
【０１７３】
前記変速機１２０においてはクラッチＣ４は第３回転要素ＲＥ３に対応し且つ相互に連結された第１キャリアＣＡ１と第２キャリアＣＡ２とを第１ドリブンギヤＣＧ１Ｂに選択的に連結するように配置されていたが、本実施例の変速機１３０においてはクラッチＣ４は第５回転要素ＲＥ５に対応し且つ相互に連結された第１サンギヤＳ１と第２サンギヤＳ２と第３リングギヤＲ３とを第１ドリブンギヤＣＧ１Ｂに選択的に連結するように配置されている。
【０１７４】
すなわち第２変速部１３８においては、第３サンギヤＳ３は第２クラッチＣ２を介して第２ドリブンギヤＣＧ２Ｂに選択的に連結されるとともに第１ブレーキＢ１を介して前記非回転部材としてのトランスミッションケース１２に選択的に連結され、第１リングギヤＲ１は第３クラッチＣ３を介して第１ドリブンギヤＣＧ１Ｂに選択的に連結されるとともに第２ブレーキＢ２を介してトランスミッションケース１２に選択的に連結され、第１キャリアＣＡ１と第２キャリアＣＡ２とが一体的に連結されて第３ブレーキＢ３を介してトランスミッションケース１２に選択的に連結され、第２リングギヤＲ２と第３キャリアＣＡ３とが一体的に連結されて前記出力回転部材としての出力歯車２８に連結され、第１サンギヤＳ１と第２サンギヤＳ２と第３リングギヤＲ３とが一体的に連結されて第４クラッチＣ４を介して第１ドリブンギヤＣＧ１Ｂに選択的に連結されるとともに第１クラッチＣ１を介して第２ドリブンギヤＣＧ２Ｂに選択的に連結されている。
【０１７５】
以上のように構成された変速機１３０では、たとえば、図４６の係合作動表と同様である図４９に示されるように、前記第１クラッチＣ１、第２クラッチＣ２、第３クラッチＣ３、第４クラッチＣ４、第１ブレーキＢ１、第２ブレーキＢ２、第３ブレーキＢ３のうちから選択された２つが同時に係合作動させられることにより、第１速ギヤ段（第１変速段）乃至第８速ギヤ段（第８変速段）のいずれか或いは後進ギヤ段（後進変速段）が選択的に成立させられ、図４５乃至図４７に示す実施例と同様に略等比的に変化する変速比γ（＝入力軸回転速度ＮIN／出力軸回転速度ＮOUT ）が各ギヤ段毎に得られるようになっている。また、第１速ギヤ段の変速比γ１と第８速ギヤ段の変速比γ８との比である変速比幅（＝γ１／γ８）が比較的大きな値とされている。前記第１カウンタギヤ対ＣＧ１の減速比、第２カウンタギヤ対ＣＧ２の減速比、第１遊星歯車装置２０のギヤ比ρ１、第２遊星歯車装置２２のギヤ比ρ２、第３遊星歯車装置２４のギヤ比ρ３は、上記のような変速比が得られるように設定されているのである。
【０１７６】
図５０は、前記変速機１２０の共線図である図４７に相当する上記変速機１３０における共線図を示している。上述したようにクラッチＣ４は第５回転要素ＲＥ５（サンギヤＳ１、サンギヤＳ２、リングギヤＲ３）を第１ドリブンギヤＣＧ１Ｂに選択的に連結するように配置されている。したがって、第６速ギヤ段では、第２回転要素ＲＥ２はクラッチＣ３の係合により第１ドリブンギヤＣＧ１Ｂに連結されて回転速度「１」とされ、第５回転要素ＲＥ５はクラッチＣ４の係合により第１ドリブンギヤＣＧ１Ｂに連結されて回転速度「１」とされるので、縦線Ｙ２と横線Ｘ１との交点と縦線Ｙ５と横線Ｘ１との交点とを結ぶ直線が縦線Ｙ４と交差する点（６th）により、出力歯車２８の回転速度が示される。この点を除けば図５０と図４７とは共線図としては同様であるので、この図５０の共線図のそれ以外の部分についての説明は割愛する。
【０１７７】
図５１は本発明の他の実施例の変速機１４０の構成を説明する骨子図であり、図５２はその変速機１４０の変速ギヤ段とそれを成立させるために必要な油圧式摩擦係合装置の作動との関係を示す図表であり、図５３は各ギヤ段における回転要素の回転速度を示す共線図である。本実施例は、クラッチＣ４と変速機１４０の各装置との接続関係が相違する点を除けば図４５に示した変速機１２０と同様であり、図４５乃至図４７に示す実施例と同様の効果が得られる。以下に、変速機１４０と変速機１２０との相違する部分について説明する。
【０１７８】
前記変速機１２０においてはクラッチＣ４は第３回転要素ＲＥ３に対応し且つ相互に連結された第１キャリアＣＡ１と第２キャリアＣＡ２とを第１ドリブンギヤＣＧ１Ｂに選択的に連結するように配置されていたが、本実施例の変速機１４０においてはクラッチＣ４は第３回転要素ＲＥ３に対応し且つ相互に連結された第１キャリアＣＡ１および第２キャリアＣＡ２と第５回転要素ＲＥ５に対応し且つ相互に連結された第１サンギヤＳ１、第２サンギヤＳ２および第３リングギヤＲ３とを選択的に連結するように配置されている。
【０１７９】
すなわち第２変速部１４８においては、第３サンギヤＳ３は第２クラッチＣ２を介して第２ドリブンギヤＣＧ２Ｂに選択的に連結されるとともに第１ブレーキＢ１を介して前記非回転部材としてのトランスミッションケース１２に選択的に連結され、第１リングギヤＲ１は第３クラッチＣ３を介して第１ドリブンギヤＣＧ１Ｂに選択的に連結されるとともに第２ブレーキＢ２を介してトランスミッションケース１２に選択的に連結され、第１キャリアＣＡ１と第２キャリアＣＡ２とが一体的に連結されて第３ブレーキＢ３を介してトランスミッションケース１２に選択的に連結され、第２リングギヤＲ２と第３キャリアＣＡ３とが一体的に連結されて前記出力回転部材としての出力歯車２８に連結され、第１サンギヤＳ１と第２サンギヤＳ２と第３リングギヤＲ３とが一体的に連結されて第１クラッチＣ１を介して第２ドリブンギヤＣＧ２Ｂに選択的に連結されている。さらに、一体的に連結された第１キャリアＣＡ１および第２キャリアＣＡ２と一体的に連結された第１サンギヤＳ１、第２サンギヤＳ２および第３リングギヤＲ３とが第４クラッチＣ４を介して選択的に連結されている。
【０１８０】
以上のように構成された変速機１４０では、たとえば、図４６の係合作動表と同様である図５２に示されるように、前記第１クラッチＣ１、第２クラッチＣ２、第３クラッチＣ３、第４クラッチＣ４、第１ブレーキＢ１、第２ブレーキＢ２、第３ブレーキＢ３のうちから選択された２つが同時に係合作動させられることにより、第１速ギヤ段（第１変速段）乃至第８速ギヤ段（第８変速段）のいずれか或いは後進ギヤ段（後進変速段）が選択的に成立させられ、図４５乃至図４７に示す実施例と同様に略等比的に変化する変速比γ（＝入力軸回転速度ＮIN／出力軸回転速度ＮOUT ）が各ギヤ段毎に得られるようになっている。また、第１速ギヤ段の変速比γ１と第８速ギヤ段の変速比γ８との比である変速比幅（＝γ１／γ８）が比較的大きな値とされている。前記第１カウンタギヤ対ＣＧ１の減速比、第２カウンタギヤ対ＣＧ２の減速比、第１遊星歯車装置２０のギヤ比ρ１、第２遊星歯車装置２２のギヤ比ρ２、第３遊星歯車装置２４のギヤ比ρ３は、上記のような変速比が得られるように設定されているのである。
【０１８１】
図５３は、前記変速機１２０の共線図である図４７に相当する上記変速機１４０における共線図を示している。上述したようにクラッチＣ４は第３回転要素ＲＥ３（キャリアＣＡ１、キャリアＣＡ２）と第５回転要素ＲＥ５（サンギヤＳ１、サンギヤＳ２、リングギヤＲ３）とを選択的に連結するように配置されている。したがって、第６速ギヤ段では、第２回転要素ＲＥ２はクラッチＣ３の係合により第１ドリブンギヤＣＧ１Ｂに連結されて回転速度「１」とされ、第３回転要素ＲＥ３と第５回転要素ＲＥ５とがクラッチＣ４の係合により連結（直結）されて第１遊星歯車装置２０、第２遊星歯車装置２２、第３遊星歯車装置２４は回転速度「１」で一体回転させられることになり、縦線Ｙ４上の点（６th）により出力歯車２８の回転速度が示される。この点を除けば図５３と図４７とは共線図としては同様であるので、この図５３の共線図のそれ以外の部分についての説明は割愛する。
【０１８２】
図５４は本発明の他の実施例の変速機１５０の構成を説明する骨子図であり、図５５はその変速機１５０の変速ギヤ段とそれを成立させるために必要な油圧式摩擦係合装置の作動との関係を示す図表であり、図５６は各ギヤ段における回転要素の回転速度を示す共線図である。本実施例は、第２変速部１５８の各装置の構成および第１変速部１５６の配置が相違する点を除けば図４５に示した変速機１２０と同様であり、図４５乃至図４７に示す実施例と同様の効果が得られる。以下に、変速機１５０と変速機１２０との相違する部分について説明する。
【０１８３】
本実施例の変速機１５０では、図５４に示すように第１変速部１５６を構成する第１カウンタギヤ対ＣＧ１と第２カウンタギヤ対ＣＧ２とが第２変速部１５８を構成する第１遊星歯車装置２０および第２遊星歯車装置２２を挟むように配置される。このようにすれば、変速機１５０の軸長を変速機１２０と同様にコンパクトに保ちつつ、第１カウンタギヤ対ＣＧ１と第２カウンタギヤ対ＣＧ２との間の第１軸心３２ｃ上の空き空間にオイルポンプや油圧式摩擦係合装置の油圧制御回路の弁本体等を配置することができて、変速機１５０の油路の連結が容易になる。
【０１８４】
本実施例では、上記図５４に示す変速機１５０の第２変速部１５８を構成している第１遊星歯車装置２０はダブルピニオン型の遊星歯車装置から構成されており、第２遊星歯車装置２２および第３遊星歯車装置２４はそれぞれシングルピニオン型の遊星歯車装置から構成されている。この第１遊星歯車装置２０は、第１サンギヤＳ１、互いに噛み合う複数対の第１遊星歯車Ｐ１、その第１遊星歯車Ｐ１を自転および公転可能に支持する第１キャリヤＣＡ１、第１遊星歯車Ｐ１を介して第１サンギヤＳ１と噛み合う第１リングギヤＲ１を備えており、たとえば「０．４５５」程度の所定のギヤ比ρ１を有している。第２遊星歯車装置２２は、第２サンギヤＳ２、第２遊星歯車Ｐ２、その第２遊星歯車Ｐ２を自転および公転可能に支持する第２キャリヤＣＡ２、第２遊星歯車Ｐ２を介して第２サンギヤＳ２と噛み合う第２リングギヤＲ２を備えており、たとえば「０．３００」程度の所定のギヤ比ρ２を有している。第３遊星歯車装置２４は、第３サンギヤＳ３、第３遊星歯車Ｐ３、その第３遊星歯車Ｐ３を自転および公転可能に支持する第３キャリヤＣＡ３、第３遊星歯車Ｐ３を介して第３サンギヤＳ３と噛み合う第３リングギヤＲ３を備えており、たとえば「０．３０１」程度の所定のギヤ比ρ３を有している。
【０１８５】
また、上記第１遊星歯車装置２０および第２遊星歯車装置２２は、第１キャリヤＣＡ１および第２キャリヤＣＡ２が共通の部品にて構成されているとともに、第１リングギヤＲ１および第２リングギヤＲ２が共通の部品にて構成され、且つ第２遊星歯車Ｐ２が互いに噛み合う一対の第１遊星歯車Ｐ１のいずれか１つを兼ねているラビニヨ型の遊星歯車列とされてもよい。また、上記第２遊星歯車Ｐ２は第１遊星歯車装置２０側と第２遊星歯車装置２２側とで異なる径（歯数）であってもよい。
【０１８６】
上記第２変速部１５８においては、第２サンギヤＳ２と第３サンギヤＳ３とが一体的に連結されて第２クラッチＣ２を介して第２ドリブンギヤＣＧ２Ｂに選択的に連結されるとともに第１ブレーキＢ１を介して前記非回転部材としてのトランスミッションケース１２に選択的に連結され、第１キャリアＣＡ１と第２キャリアＣＡ２とが一体的に連結されて第３クラッチＣ３を介して第１ドリブンギヤＣＧ１Ｂに選択的に連結されるとともに第２ブレーキＢ２を介してトランスミッションケース１２に選択的に連結され、第１リングギヤＲ１と第２リングギヤＲ２とが一体的に連結されて第４クラッチＣ４を介して第１ドリブンギヤＣＧ１Ｂに選択的に連結されるとともに第３ブレーキＢ３を介してトランスミッションケース１２に選択的に連結され、第１サンギヤＳ１と第３キャリアＣＡ３とが一体的に連結されて前記出力回転部材としての出力歯車２８に連結され、第３リングギヤＲ３は第１クラッチＣ１を介して第２ドリブンギヤＣＧ２Ｂに選択的に連結されている。
【０１８７】
以上のように構成された変速機１５０では、たとえば、図４６の係合作動表と同様である図５５に示されるように、前記第１クラッチＣ１、第２クラッチＣ２、第３クラッチＣ３、第４クラッチＣ４、第１ブレーキＢ１、第２ブレーキＢ２、第３ブレーキＢ３のうちから選択された２つが同時に係合作動させられることにより、第１速ギヤ段（第１変速段）乃至第８速ギヤ段（第８変速段）のいずれか或いは後進ギヤ段（後進変速段）が選択的に成立させられ、図４５乃至図４７に示す実施例と同様に略等比的に変化する変速比γ（＝入力軸回転速度ＮIN／出力軸回転速度ＮOUT ）が各ギヤ段毎に得られるようになっている。また、第１速ギヤ段の変速比γ１と第８速ギヤ段の変速比γ８との比である変速比幅（＝γ１／γ８）が比較的大きな値とされている。前記第１カウンタギヤ対ＣＧ１の減速比、第２カウンタギヤ対ＣＧ２の減速比、第１遊星歯車装置２０のギヤ比ρ１、第２遊星歯車装置２２のギヤ比ρ２、第３遊星歯車装置２４のギヤ比ρ３は、上記のような変速比が得られるように設定されているのである。
【０１８８】
図５６は、前記変速機１２０の共線図である図４７に相当する上記変速機１５０における共線図を示している。図５６の第２変速部１５８の５本の縦線Ｙ１乃至Ｙ５は、左から順に、第１回転要素ＲＥ１に対応し且つ相互に連結されたサンギヤＳ２およびサンギヤＳ３を、第２回転要素ＲＥ２に対応し且つ相互に連結されたキャリアＣＡ１およびキャリアＣＡ２を、第３回転要素ＲＥ３に対応し且つ相互に連結されたリングギヤＲ１およびリングギヤＲ２を、第４回転要素ＲＥ４に対応し且つ相互に連結されたサンギヤＳ１およびキャリアＣＡ３を、第５回転要素ＲＥ５に対応するリングギヤＲ３をそれぞれ表している。従って、これら回転要素を基にすれば、図５６と図４７とは各回転要素の構成において相違するのみであり共線図としては同様であるので、この図５６の共線図の説明は割愛する。
【０１８９】
図５７は本発明の他の実施例の変速機１６０の構成を説明する骨子図であり、図５８はその変速機１６０の変速ギヤ段とそれを成立させるために必要な油圧式摩擦係合装置の作動との関係を示す図表であり、図５９は各ギヤ段における回転要素の回転速度を示す共線図である。本実施例は、クラッチＣ４と変速機１６０の各装置との接続関係、第２変速部１６８の各装置の構成および第１変速部１６６の配置が相違する点を除けば図４５に示した変速機１２０と同様であり、図４５乃至図４７に示す実施例と同様の効果が得られる。以下に、変速機１３０と変速機１２０との相違する部分について説明する。
【０１９０】
本実施例の変速機１６０では、図５７に示すように第１変速部１６６を構成する第１カウンタギヤ対ＣＧ１と第２カウンタギヤ対ＣＧ２とが第２変速部１６８を挟むように配置される。このようにすれば、変速機１６０の軸長を変速機１２０と同様にコンパクトに保ちつつ、第１カウンタギヤ対ＣＧ１と第２カウンタギヤ対ＣＧ２との間の第１軸心３２ｃ上の空き空間にオイルポンプや油圧式摩擦係合装置の油圧制御回路の弁本体等を配置することができて、変速機１６０の油路の連結が容易になる。
【０１９１】
本実施例では、上記図５７に示す変速機１６０の第２変速部１６８を構成している第１遊星歯車装置２０および第３遊星歯車装置２４はそれぞれシングルピニオン型の遊星歯車装置から構成されており、第２遊星歯車装置２２はダブルピニオン型の遊星歯車装置から構成されている。この第１遊星歯車装置２０は、第１サンギヤＳ１、第１遊星歯車Ｐ１、その第１遊星歯車Ｐ１を自転および公転可能に支持する第１キャリヤＣＡ１、第１遊星歯車Ｐ１を介して第１サンギヤＳ１と噛み合う第１リングギヤＲ１を備えており、たとえば「０．３００」程度の所定のギヤ比ρ１を有している。第２遊星歯車装置２２は、第２サンギヤＳ２、互いに噛み合う複数対の第２遊星歯車Ｐ２、その第２遊星歯車Ｐ２を自転および公転可能に支持する第２キャリヤＣＡ２、第２遊星歯車Ｐ２を介して第２サンギヤＳ２と噛み合う第２リングギヤＲ２を備えており、たとえば「０．４５５」程度の所定のギヤ比ρ２を有している。第３遊星歯車装置２４は、第３サンギヤＳ３、第３遊星歯車Ｐ３、その第３遊星歯車Ｐ３を自転および公転可能に支持する第３キャリヤＣＡ３、第３遊星歯車Ｐ３を介して第３サンギヤＳ３と噛み合う第３リングギヤＲ３を備えており、たとえば「０．３０１」程度の所定のギヤ比ρ３を有している。
【０１９２】
また、上記第１遊星歯車装置２０および第２遊星歯車装置２２は、第１キャリヤＣＡ１および第２キャリヤＣＡ２が共通の部品にて構成されているとともに、第１リングギヤＲ１および第２リングギヤＲ２が共通の部品にて構成され、且つ第１遊星歯車Ｐ１が互いに噛み合う一対の第２遊星歯車Ｐ２のいずれか１つを兼ねているラビニヨ型の遊星歯車列とされてもよい。また、上記第１遊星歯車Ｐ１は第１遊星歯車装置２０側と第２遊星歯車装置２２側とで異なる径（歯数）であってもよい。
【０１９３】
上記第２変速部１６８においては、第１サンギヤＳ１と第３サンギヤＳ３とが一体的に連結されて第２クラッチＣ２を介して第２ドリブンギヤＣＧ２Ｂに選択的に連結され、さらに第４クラッチＣ４を介して第１ドリブンギヤＣＧ１Ｂに選択的に連結されるとともに第１ブレーキＢ１を介して前記非回転部材としてのトランスミッションケース１２に選択的に連結され、第１キャリアＣＡ１と第２キャリアＣＡ２とが一体的に連結されて第３クラッチＣ３を介して第１ドリブンギヤＣＧ１Ｂに選択的に連結されるとともに第２ブレーキＢ２を介してトランスミッションケース１２に選択的に連結され、第１リングギヤＲ１と第２リングギヤＲ２とが一体的に連結されて第３ブレーキＢ３を介してトランスミッションケース１２に選択的に連結され、第２サンギヤＳ２と第３キャリアＣＡ３とが一体的に連結されて前記出力回転部材としての出力歯車２８に連結され、第３リングギヤＲ３は第１クラッチＣ１を介して第２ドリブンギヤＣＧ２Ｂに選択的に連結されている。
【０１９４】
以上のように構成された変速機１６０では、たとえば、図４６の係合作動表に第２後進ギヤ段を加えた図５８に示されるように、前記第１クラッチＣ１、第２クラッチＣ２、第３クラッチＣ３、第４クラッチＣ４、第１ブレーキＢ１、第２ブレーキＢ２、第３ブレーキＢ３のうちから選択された２つが同時に係合作動させられることにより、第１速ギヤ段（第１変速段）乃至第８速ギヤ段（第８変速段）のいずれか或いは第１後進ギヤ段（第１後進変速段）および第２後進ギヤ段（第２後進変速段）のいずれかが選択的に成立させられ、図４５乃至図４７に示す実施例と同様に略等比的に変化する変速比γ（＝入力軸回転速度ＮIN／出力軸回転速度ＮOUT ）が各ギヤ段毎に得られるようになっている。また、第１速ギヤ段の変速比γ１と第８速ギヤ段の変速比γ８との比である変速比幅（＝γ１／γ８）が比較的大きな値とされている。追加された後進ギヤ段について説明すると、第２クラッチＣ２および第２ブレーキＢ２の係合により、第１サンギヤＳ１および第３サンギヤＳ３と第２ドリブンギヤＣＧ２Ｂとの間、第１キャリアＣＡ１および第２キャリアＣＡ２とトランスミッションケース１２との間がそれぞれ連結されることにより、変速比γＲ１が第２速ギヤ段と第３速ギヤ段との間の値たとえば「２．６４４」程度である第１後進ギヤ段が成立させられる。また、第４クラッチＣ４および第３ブレーキＢ３の係合により、第１サンギヤＳ１および第３サンギヤＳ３と第１ドリブンギヤＣＧ１Ｂとの間、第１リングギヤＲ１および第２リングギヤＲ２とトランスミッションケース１２との間がそれぞれ連結されることにより、変速比γＲ２が第１後進変速段よりも大きく、第１速ギヤ段と第２速ギヤ段との間の値たとえば「３．６１１」程度である第２後進ギヤ段が成立させられる。前記第１カウンタギヤ対ＣＧ１の減速比、第２カウンタギヤ対ＣＧ２の減速比、第１遊星歯車装置２０のギヤ比ρ１、第２遊星歯車装置２２のギヤ比ρ２、第３遊星歯車装置２４のギヤ比ρ３は、上記のような変速比が得られるように設定されているのである。
【０１９５】
図５９は、前記変速機１２０の共線図である図４７に相当する上記変速機１６０における共線図を示している。図５９の第２変速部１６８の５本の縦線Ｙ１乃至Ｙ５は、左から順に、第１回転要素ＲＥ１に対応し且つ相互に連結されたサンギヤＳ１およびサンギヤＳ３を、第２回転要素ＲＥ２に対応し且つ相互に連結されたキャリアＣＡ１およびキャリアＣＡ２を、第３回転要素ＲＥ３に対応し且つ相互に連結されたリングギヤＲ１およびリングギヤＲ２を、第４回転要素ＲＥ４に対応し且つ相互に連結されたサンギヤＳ２およびキャリアＣＡ３を、第５回転要素ＲＥ５に対応するリングギヤＲ３をそれぞれ表している。図４７との主な違いはクラッチＣ４と各回転要素との連結関係および第２後進ギヤ段が示されている点である。このクラッチＣ４は第１回転要素ＲＥ１（サンギヤＳ１、サンギヤＳ３）を第１ドリブンギヤＣＧ１Ｂに選択的に連結するように配置されている。したがって、第６速ギヤ段では、第２回転要素ＲＥ２はクラッチＣ３の係合により第１ドリブンギヤＣＧ１Ｂに連結されて回転速度「１」とされ、第１回転要素ＲＥ１はクラッチＣ４の係合により第１ドリブンギヤＣＧ１Ｂに連結されて回転速度「１」とされるので、縦線Ｙ２と横線Ｘ１との交点と縦線Ｙ１と横線Ｘ１との交点とを結ぶ直線が縦線Ｙ４と交差する点（６th）により、出力歯車２８の回転速度が示される。また、第１後進ギヤ段では、第１回転要素ＲＥ１はクラッチＣ２の係合により第２ドリブンギヤＣＧ２Ｂに連結されて回転速度「Ｎx2」とされ、第２回転要素ＲＥ２はブレーキＢ２の係合によりトランスミッションケース１２に連結されて回転速度「０」とされるので、縦線Ｙ１と横線Ｘ２との交点と縦線Ｙ２と横線ＸＺとの交点とを結ぶ直線が縦線Ｙ４と交差する点（Ｒev1）により、出力歯車２８の負の回転速度が示される。第２後進ギヤ段では、第１回転要素ＲＥ１はクラッチＣ４の係合により第１ドリブンギヤＣＧ１Ｂに連結されて回転速度「１」とされ、第３回転要素ＲＥ３はブレーキＢ３の係合によりトランスミッションケース１２に連結されて回転速度「０」とされるので、縦線Ｙ１と横線Ｘ１との交点と縦線Ｙ３と横線ＸＺとの交点とを結ぶ直線が縦線Ｙ４と交差する点（Ｒev2）により、出力歯車２８の負の回転速度が示される。この点を除けば図５９と図４７とは共線図としては同様であるので、この図５９の共線図のそれ以外の部分についての説明は割愛する。
【０１９６】
上述のように、本実施例によれば、図４５乃至図４７に示す実施例と同様の効果が得られる他に、第２クラッチＣ２および第２ブレーキＢ２が係合させられることによって第１後進変速段が成立させられ、第４クラッチＣ４および第３ブレーキＢ３が係合させられることによって第１後進変速段よりも変速比が大きい第２後進変速段が成立させられるので、前進７段以上と後進２段の変速ギヤ段が得られる。たとえば駆動力がより必要な場合たとえば登坂路の後進走行時のような場合には変速比の大きな第２後進変速段を使用し、平地等の後進走行時のような場合には第２後進変速段よりも変速比が小さい第１後進変速段を使用すれば燃費の向上に効果がある。
【０１９７】
図６０は本発明の他の実施例の変速機１７０の構成を説明する骨子図であり、図６１はその変速機１７０の変速ギヤ段とそれを成立させるために必要な油圧式摩擦係合装置の作動との関係を示す図表であり、図６２は各ギヤ段における回転要素の回転速度を示す共線図である。本実施例は、第２変速部１７８の各装置の構成および第１変速部１７６を構成する第１カウンタギヤ対ＣＧ１と第２カウンタギヤ対ＣＧ２との回転速度の関係が反対となっている点を除けば図６に示した変速機４０と同様であり、図６乃至図８に示す実施例と同様の効果が得られる。以下に、変速機１７０と変速機４０との相違する部分について説明する。
【０１９８】
上記図６０に示す変速機１７０の第１変速部１７６を構成している第１カウンタギヤ対ＣＧ１および第２カウンタギヤ対ＣＧ２は、たとえば第１カウンタギヤ対ＣＧ１の減速比が「１．０００」程度、第２カウンタギヤ対ＣＧ２の減速比が「０．６３０」程度とされ、第１変速部１７６は入力軸１６すなわち第１軸３２の回転を第１中間出力経路Ｍ１とその第１中間出力経路Ｍ１に対して増速回転させられる第２中間出力経路Ｍ２とで第２変速部１７８へ伝達（出力）する。
【０１９９】
本実施例では、上記図６０に示す変速機１７０の第２変速部１７８を構成している第１遊星歯車装置２０はダブルピニオン型の遊星歯車装置から構成されており、第２遊星歯車装置２２および第３遊星歯車装置２４はそれぞれシングルピニオン型の遊星歯車装置から構成されている。この第１遊星歯車装置２０は、第１サンギヤＳ１、互いに噛み合う複数対の第１遊星歯車Ｐ１、その第１遊星歯車Ｐ１を自転および公転可能に支持する第１キャリヤＣＡ１、第１遊星歯車Ｐ１を介して第１サンギヤＳ１と噛み合う第１リングギヤＲ１を備えており、たとえば「０．４１２」程度の所定のギヤ比ρ１を有している。第２遊星歯車装置２２は、第２サンギヤＳ２、第２遊星歯車Ｐ２、その第２遊星歯車Ｐ２を自転および公転可能に支持する第２キャリヤＣＡ２、第２遊星歯車Ｐ２を介して第２サンギヤＳ２と噛み合う第２リングギヤＲ２を備えており、たとえば「０．３５０」程度の所定のギヤ比ρ２を有している。第３遊星歯車装置２４は、第３サンギヤＳ３、第３遊星歯車Ｐ３、その第３遊星歯車Ｐ３を自転および公転可能に支持する第３キャリヤＣＡ３、第３遊星歯車Ｐ３を介して第３サンギヤＳ３と噛み合う第３リングギヤＲ３を備えており、たとえば「０．４６７」程度の所定のギヤ比ρ３を有している。
【０２００】
上記第２変速部１７８においては、第２サンギヤＳ２は第１クラッチＣ１を介して第１ドリブンギヤＣＧ１Ｂに選択的に連結されるとともに第３クラッチＣ３を介して第２ドリブンギヤＣＧ２Ｂに選択的に連結され、第１キャリアＣＡ１と第２キャリアＣＡ２と第３リングギヤＲ３とが一体的に連結されて第２クラッチＣ２を介して第１ドリブンギヤＣＧ１Ｂに選択的に連結されるとともに第１ブレーキＢ１を介して前記非回転部材としてのトランスミッションケース１２に選択的に連結され、第１リングギヤＲ１と第２リングギヤＲ２と第３キャリアＣＡ３とが一体的に連結されて前記出力回転部材としての出力歯車２８に連結され、第１サンギヤＳ１は第２ブレーキＢ２を介して前記非回転部材としてのトランスミッションケース１２に選択的に連結され、第３サンギヤＳ３は第４クラッチＣ４を介して第２ドリブンギヤＣＧ２Ｂに選択的に連結されている。
【０２０１】
以上のように構成された変速機１７０では、たとえば、図６１の係合作動表に示されるように、前記第１クラッチＣ１、第２クラッチＣ２、第３クラッチＣ３、第４クラッチＣ４、第１ブレーキＢ１、第２ブレーキＢ２のうちから選択された２つが同時に係合作動させられることにより、第１速ギヤ段（第１変速段）乃至第８速ギヤ段（第８変速段）のいずれか或いは後進ギヤ段（後進変速段）が選択的に成立させられ、略等比的に変化する変速比γ（＝入力軸回転速度ＮIN／出力軸回転速度ＮOUT ）が各ギヤ段毎に得られるようになっている。
【０２０２】
すなわち、図６１に示すように、第１クラッチＣ１および第２ブレーキＢ２の係合により、第２サンギヤＳ２と第１ドリブンギヤＣＧ１Ｂとの間、第１サンギヤＳ１とトランスミッションケース１２との間がそれぞれ連結されることにより、変速比γ１が最大値たとえば「３．７００」である第１速ギヤ段が成立させられる。また、第３クラッチＣ３および第２ブレーキＢ２の係合により、第２サンギヤＳ２と第２ドリブンギヤＣＧ２Ｂとの間、第１サンギヤＳ１とトランスミッションケース１２との間がそれぞれ連結されることにより、変速比γ２が第１速ギヤ段よりも小さい値たとえば「２．３３０」程度である第２速ギヤ段が成立させられる。また、第２クラッチＣ２および第２ブレーキＢ２の係合により、第１キャリアＣＡ１、第２キャリアＣＡ２および第３リングギヤＲ３と第１ドリブンギヤＣＧ１Ｂとの間、第１サンギヤＳ１とトランスミッションケース１２との間がそれぞれ連結されることにより、変速比γ３が第２速ギヤ段よりも小さい値たとえば「１．７００」程度である第３速ギヤ段が成立させられる。また、第２クラッチＣ２および第３クラッチＣ３の係合により、第１キャリアＣＡ１、第２キャリアＣＡ２および第３リングギヤＲ３と第１ドリブンギヤＣＧ１Ｂとの間、第２サンギヤＳ２と第２ドリブンギヤＣＧ２Ｂとの間がそれぞれ連結されることにより、変速比γ４が第３速ギヤ段よりも小さい値たとえば「１．２５９」程度である第４速ギヤ段が成立させられる。また、第１クラッチＣ１および第２クラッチＣ２の係合により、第２サンギヤＳ２と第１ドリブンギヤＣＧ１Ｂとの間、第１キャリアＣＡ１、第２キャリアＣＡ２および第３リングギヤＲ３と第１ドリブンギヤＣＧ１Ｂとの間がそれぞれ連結されることにより、変速比γ５が第４速ギヤ段よりも小さい値たとえば「１．０００」程度である第５速ギヤ段が成立させられる。また、第２クラッチＣ２および第４クラッチＣ４の係合により、第１キャリアＣＡ１、第２キャリアＣＡ２および第３リングギヤＲ３と第１ドリブンギヤＣＧ１Ｂとの間、第３サンギヤＳ３と第２ドリブンギヤＣＧ２Ｂとの間がそれぞれ連結されることにより、変速比γ６が第５速ギヤ段よりも小さい値たとえば「０．８４２」程度である第６速ギヤ段が成立させられる。また、第１クラッチＣ１および第４クラッチＣ４の係合により、第２サンギヤＳ２と第１ドリブンギヤＣＧ１Ｂとの間、第３サンギヤＳ３と第２ドリブンギヤＣＧ２Ｂとの間がそれぞれ連結されることにより、変速比γ７が第６速ギヤ段よりも小さい値たとえば「０．７２６」である第７速ギヤ段が成立させられる。また、第３クラッチＣ３および第４クラッチＣ４の係合により、第２サンギヤＳ２と第２ドリブンギヤＣＧ２Ｂとの間、第３サンギヤＳ３と第２ドリブンギヤＣＧ２Ｂとの間がそれぞれ連結されることにより、変速比γ８が第７速ギヤ段よりも小さい値たとえば「０．６３０」である第８速ギヤ段が成立させられる。
【０２０３】
また、第１クラッチＣ１および第１ブレーキＢ１の係合により、第２サンギヤＳ２と第１ドリブンギヤＣＧ１Ｂとの間、第１キャリアＣＡ１、第２キャリアＣＡ２および第３リングギヤＲ３とトランスミッションケース１２との間がそれぞれ連結されることにより、変速比γＲが第１速ギヤ段と第２速ギヤ段との間の値たとえば「２．８５７」である後進ギヤ段が成立させられる。前記第１カウンタギヤ対ＣＧ１の減速比、第２カウンタギヤ対ＣＧ２の減速比、第１遊星歯車装置２０のギヤ比ρ１、第２遊星歯車装置２２のギヤ比ρ２、第３遊星歯車装置２４のギヤ比ρ３は、上記のような変速比が得られるように設定されているのである。
【０２０４】
上記変速機１７０において、第１速ギヤ段の変速比γ１と第２速ギヤ段の変速比γ２との比（＝γ１／γ２）が「１．５８８」とされ、第２速ギヤ段の変速比γ２と第３速ギヤ段の変速比γ３との比（＝γ２／γ３）が「１．３７０」とされ、第３速ギヤ段の変速比γ３と第４速ギヤ段の変速比γ４との比（＝γ３／γ４）が「１．３５０」とされ、第４速ギヤ段の変速比γ４と第５速ギヤ段の変速比γ５との比（＝γ４／γ５）が「１．２５９」とされ、第５速ギヤ段の変速比γ５と第６速ギヤ段の変速比γ６との比（＝γ５／γ６）が「１．１８７」とされ、第６速ギヤ段の変速比γ６と第７速ギヤ段の変速比γ７との比（＝γ６／γ７）が「１．１６１」とされ、第７速ギヤ段の変速比γ７と第８速ギヤ段の変速比γ８との比（＝γ７／γ８）が「１．１５２」とされ、各変速比γが略等比的に変化させられている。また、上記変速機１７０において、第１速ギヤ段の変速比γ１と第８速ギヤ段の変速比γ８との比である変速比幅（＝γ１／γ８）が比較的大きな値すなわち「５．８７６」とされている。
【０２０５】
図６２は、前記変速機４０の共線図である図８に相当する上記変速機１７０における共線図を示している。図６２の共線図の３本の横線のうちの下側の横線ＸＺが回転速度零を示し、その上側の横線Ｘ１が回転速度「１．０」すなわち第１中間出力経路Ｍ１の回転速度を示し、さらにその上側の横線Ｘ２が第２カウンタギヤ対ＣＧ２の減速比に応じて第１中間出力経路Ｍ１に対して増速回転させられる所定の回転速度「Ｎx2」すなわち第２中間出力経路Ｍ２の回転速度を示している。また、第２変速部１７８の５本の縦線Ｙ１乃至Ｙ５は、左から順に、第１回転要素ＲＥ１に対応するサンギヤＳ２を、第２回転要素ＲＥ２に対応し且つ相互に連結されたキャリアＣＡ１、キャリアＣＡ２およびリングギヤＲ３を、第３回転要素ＲＥ３に対応し且つ相互に連結されたリングギヤＲ１、リングギヤＲ２およびキャリアＣＡ３を、第４回転要素ＲＥ４に対応するサンギヤＳ１を、第５回転要素ＲＥ５に対応するサンギヤＳ３をそれぞれ表している。
【０２０６】
上記共線図を利用して表現すれば、本実施例の変速機１７０は、第１変速部１７６において、入力軸１６の回転（第１軸３２の回転）を第１中間出力経路Ｍ１とその第１中間出力経路Ｍ１に対して増速回転させられる上記第２中間出力経路Ｍ２とを介して第２変速部１７８へ出力するように構成され、第２変速部１７８において、上記第１回転要素ＲＥ１（Ｓ２）は第１クラッチＣ１を介して第１ドリブンギヤＣＧ１Ｂに選択的に連結されるとともに第３クラッチＣ３を介して第２ドリブンギヤＣＧ２Ｂに選択的に連結され、上記第２回転要素ＲＥ２（ＣＡ１、ＣＡ２、Ｒ３）は第２クラッチＣ２を介して第１ドリブンギヤＣＧ１Ｂに選択的に連結されるとともに第１ブレーキＢ１を介して前記非回転部材としてのトランスミッションケース１２に選択的に連結され、上記第３回転要素ＲＥ３（Ｒ１、Ｒ２、ＣＡ３）は前記出力回転部材としての出力歯車２８に連結され、上記第４回転要素ＲＥ４（Ｓ１）は第２ブレーキＢ２を介して前記非回転部材としてのトランスミッションケース１２に選択的に連結され、上記第５回転要素ＲＥ５（Ｓ３）は第４クラッチＣ４を介して第２ドリブンギヤＣＧ２Ｂに選択的に連結されている。
【０２０７】
上記図６２の共線図において、第１速ギヤ段では、第１回転要素ＲＥ１はクラッチＣ１の係合により第１ドリブンギヤＣＧ１Ｂに連結されて回転速度「１」とされ、第４回転要素ＲＥ４はブレーキＢ２の係合によりトランスミッションケース１２に連結されて回転速度「０」とされるので、縦線Ｙ１と横線Ｘ１との交点と縦線Ｙ４と横線ＸＺとの交点とを結ぶ直線が縦線Ｙ３と交差する点（１st）により、出力歯車２８の回転速度が示される。第２速ギヤ段では、第１回転要素ＲＥ１はクラッチＣ３の係合により第２ドリブンギヤＣＧ２Ｂに連結されて回転速度「Ｎx2」とされ、第４回転要素ＲＥ４はブレーキＢ２の係合によりトランスミッションケース１２に連結されて回転速度「０」とされるので、縦線Ｙ１と横線Ｘ２との交点と縦線Ｙ４と横線ＸＺとの交点とを結ぶ直線が縦線Ｙ３と交差する点（２nd）により、出力歯車２８の回転速度が示される。第３速ギヤ段では、第２回転要素ＲＥ２はクラッチＣ２の係合により第１ドリブンギヤＣＧ１Ｂに連結されて回転速度「１」とされ、第４回転要素ＲＥ４はブレーキＢ２の係合によりトランスミッションケース１２に連結されて回転速度「０」とされるので、縦線Ｙ２と横線Ｘ１との交点と縦線Ｙ４と横線ＸＺとの交点とを結ぶ直線が縦線Ｙ３と交差する点（３rd）により、出力歯車２８の回転速度が示される。第４速ギヤ段では、第２回転要素ＲＥ２はクラッチＣ２の係合により第１ドリブンギヤＣＧ１Ｂに連結されて回転速度「１」とされ、第１回転要素ＲＥ１はクラッチＣ３の係合により第２ドリブンギヤＣＧ２Ｂに連結されて回転速度「Ｎx2」とされるので、縦線Ｙ２と横線Ｘ１との交点と縦線Ｙ１と横線Ｘ２との交点とを結ぶ直線が縦線Ｙ３と交差する点（４th）により、出力歯車２８の回転速度が示される。第５速ギヤ段では、第１回転要素ＲＥ１はクラッチＣ１の係合により第１ドリブンギヤＣＧ１Ｂに連結されて回転速度「１」とされ、第２回転要素ＲＥ２はクラッチＣ２の係合により第１ドリブンギヤＣＧ１Ｂに連結されて回転速度「１」とされるので、縦線Ｙ１と横線Ｘ１との交点と縦線Ｙ２と横線Ｘ１との交点とを結ぶ直線が縦線Ｙ３と交差する点（５th）により、出力歯車２８の回転速度が示される。第６速ギヤ段では、第２回転要素ＲＥ２はクラッチＣ２の係合により第１ドリブンギヤＣＧ１Ｂに連結されて回転速度「１」とされ、第５回転要素ＲＥ５はクラッチＣ４の係合により第２ドリブンギヤＣＧ２Ｂに連結されて回転速度「Ｎx2」とされるので、縦線Ｙ２と横線Ｘ１との交点と縦線Ｙ５と横線Ｘ２との交点とを結ぶ直線が縦線Ｙ３と交差する点（６th）により、出力歯車２８の回転速度が示される。第７速ギヤ段では、第１回転要素ＲＥ１はクラッチＣ１の係合により第１ドリブンギヤＣＧ１Ｂに連結されて回転速度「１」とされ、第５回転要素ＲＥ５はクラッチＣ４の係合により第２ドリブンギヤＣＧ２Ｂに連結されて回転速度「Ｎx2」とされるので、縦線Ｙ１と横線Ｘ１との交点と縦線Ｙ５と横線Ｘ２との交点とを結ぶ直線が縦線Ｙ３と交差する点（７th）により、出力歯車２８の回転速度が示される。第８速ギヤ段では、第１回転要素ＲＥ１はクラッチＣ３の係合により第２ドリブンギヤＣＧ２Ｂに連結されて回転速度「Ｎx2」とされ、第５回転要素ＲＥ５はクラッチＣ４の係合により第２ドリブンギヤＣＧ２Ｂに連結されて回転速度「Ｎx2」とされるので、縦線Ｙ１と横線Ｘ２との交点と縦線Ｙ５と横線Ｘ２との交点とを結ぶ直線が縦線Ｙ３と交差する点（８th）により、出力歯車２８の回転速度が示される。後進ギヤ段では、第１回転要素ＲＥ１はクラッチＣ１の係合により第１ドリブンギヤＣＧ１Ｂに連結されて回転速度「１」とされ、第２回転要素ＲＥ２はブレーキＢ１の係合によりトランスミッションケース１２に連結されて回転速度「０」とされるので、縦線Ｙ１と横線Ｘ１との交点と縦線Ｙ２と横線ＸＺとの交点とを結ぶ直線が縦線Ｙ３と交差する点（Ｒev）により、出力歯車２８の負の回転速度が示される。
【０２０８】
図６３は本発明の他の実施例の変速機１８０の構成を説明する骨子図であり、図６４はその変速機１８０の変速ギヤ段とそれを成立させるために必要な油圧式摩擦係合装置の作動との関係を示す図表であり、図６５は各ギヤ段における回転要素の回転速度を示す共線図である。本実施例は、第２変速部１８８の各装置の構成およびトルクコンバータ１４の配置、第１変速部１８６を構成する第１カウンタギヤ対ＣＧ１と第２カウンタギヤ対ＣＧ２とが反対となるように配置が相違する点を除けば図６０に示した変速機１７０と同様であり、図６０乃至図６２に示す実施例と同様の効果が得られる。以下に、変速機１８０と変速機１７０との相違する部分について説明する。なお、そのトルクコンバータ１４の配置は図１に示す変速機１０と同様であるのでその説明を割愛する。
【０２０９】
本実施例では、上記図６３に示す変速機１８０の第２変速部１８８を構成している第１遊星歯車装置２０および第３遊星歯車装置２４はそれぞれシングルピニオン型の遊星歯車装置から構成されており、第２遊星歯車装置２２はダブルピニオン型の遊星歯車装置から構成されている。この第１遊星歯車装置２０は、第１サンギヤＳ１、第１遊星歯車Ｐ１、その第１遊星歯車Ｐ１を自転および公転可能に支持する第１キャリヤＣＡ１、第１遊星歯車Ｐ１を介して第１サンギヤＳ１と噛み合う第１リングギヤＲ１を備えており、たとえば「０．２９４」程度の所定のギヤ比ρ１を有している。第２遊星歯車装置２２は、第２サンギヤＳ２、互いに噛み合う複数対の第２遊星歯車Ｐ２、その第２遊星歯車Ｐ２を自転および公転可能に支持する第２キャリヤＣＡ２、第２遊星歯車Ｐ２を介して第２サンギヤＳ２と噛み合う第２リングギヤＲ２を備えており、たとえば「０．３１８」程度の所定のギヤ比ρ２を有している。第３遊星歯車装置２４は、第３サンギヤＳ３、第３遊星歯車Ｐ３、その第３遊星歯車Ｐ３を自転および公転可能に支持する第３キャリヤＣＡ３、第３遊星歯車Ｐ３を介して第３サンギヤＳ３と噛み合う第３リングギヤＲ３を備えており、たとえば「０．３５０」程度の所定のギヤ比ρ３を有している。
【０２１０】
また、上記第２遊星歯車装置２２および第３遊星歯車装置２４は、第２キャリヤＣＡ２および第３キャリヤＣＡ３が共通の部品にて構成されているとともに、第２リングギヤＳ２および第３リングギヤＳ３が共通の部品にて構成されており、且つ第３遊星歯車Ｐ３が互いに噛み合う一対の第２遊星歯車Ｐ２のいずれか１つを兼ねている所謂ラビニヨ型の遊星歯車列とされている。これによって、変速機１８０の部品点数や軸長が一層低減される。なお、これら共通の部品で構成されているものはそれぞれ別々の部品で構成されてもよい。
【０２１１】
上記第２変速部１８８においては、第３サンギヤＳ３は第１クラッチＣ１を介して第１ドリブンギヤＣＧ１Ｂに選択的に連結されるとともに第３クラッチＣ３を介して第２ドリブンギヤＣＧ２Ｂに選択的に連結され、第１サンギヤＳ１と第２キャリアＣＡ２と第３キャリアＣＡ３とが一体的に連結されて第２クラッチＣ２を介して第１ドリブンギヤＣＧ１Ｂに選択的に連結されるとともに第１ブレーキＢ１を介して前記非回転部材としてのトランスミッションケース１２に選択的に連結され、第２リングギヤＲ２と第３リングギヤＲ３とが一体的に連結されて前記出力回転部材としての出力歯車２８に連結され、第１キャリアＣＡ１は第２ブレーキＢ２を介して前記非回転部材としてのトランスミッションケース１２に選択的に連結され、第１リングギヤＲ１と第２サンギヤＳ２とが一体的に連結されて第４クラッチＣ４を介して第２ドリブンギヤＣＧ２Ｂに選択的に連結されている。
【０２１２】
以上のように構成された変速機１８０では、たとえば、図６１の係合作動表と同様である図６４に示されるように、前記第１クラッチＣ１、第２クラッチＣ２、第３クラッチＣ３、第４クラッチＣ４、第１ブレーキＢ１、第２ブレーキＢ２のうちから選択された２つが同時に係合作動させられることにより、第１速ギヤ段（第１変速段）乃至第８速ギヤ段（第８変速段）のいずれか或いは後進ギヤ段（後進変速段）が選択的に成立させられ、図６０乃至図６２に示す実施例と同様に略等比的に変化する変速比γ（＝入力軸回転速度ＮIN／出力軸回転速度ＮOUT ）が各ギヤ段毎に得られるようになっている。また、第１速ギヤ段の変速比γ１と第８速ギヤ段の変速比γ８との比である変速比幅（＝γ１／γ８）が比較的大きな値とされている。前記第１カウンタギヤ対ＣＧ１の減速比、第２カウンタギヤ対ＣＧ２の減速比、第１遊星歯車装置２０のギヤ比ρ１、第２遊星歯車装置２２のギヤ比ρ２、第３遊星歯車装置２４のギヤ比ρ３は、上記のような変速比が得られるように設定されているのである。
【０２１３】
図６５は、前記変速機１７０の共線図である図６２に相当する上記変速機１８０における共線図を示している。図６５の第２変速部１８８の５本の縦線Ｙ１乃至Ｙ５は、左から順に、第１回転要素ＲＥ１に対応するサンギヤＳ３を、第２回転要素ＲＥ２に対応し且つ相互に連結されたサンギヤＳ１、キャリアＣＡ２およびキャリアＣＡ３を、第３回転要素ＲＥ３に対応し且つ相互に連結されたリングギヤＲ２およびリングギヤＲ３を、第４回転要素ＲＥ４に対応するキャリアＣＡ１を、第５回転要素ＲＥ５に対応し且つ相互に連結されたリングギヤＲ１およびサンギヤＳ２をそれぞれ表している。従って、これら回転要素を基にすれば、図６５と図６２とは各回転要素の構成において相違するのみであり共線図としては同様であるので、この図６５の共線図の説明は割愛する。
【０２１４】
図６６は本発明の他の実施例の変速機１９０の構成を説明する骨子図であり、図６７はその変速機１９０の変速ギヤ段とそれを成立させるために必要な油圧式摩擦係合装置の作動との関係を示す図表であり、図６８は各ギヤ段における回転要素の回転速度を示す共線図である。本実施例は、第２変速部１９８の各装置の構成および第１カウンタギヤ対ＣＧ１と第２カウンタギヤ対ＣＧ２とが反対となるように配置が相違する点を除けば図６０に示した変速機１７０と同様であり、図６０乃至図６２に示す実施例と同様の効果が得られる。以下に、変速機１９０と変速機１７０との相違する部分について説明する。
【０２１５】
本実施例では、上記図６６に示す変速機１９０の第２変速部１９８を構成している第１遊星歯車装置２０および第３遊星歯車装置２４はそれぞれシングルピニオン型の遊星歯車装置から構成されており、第２遊星歯車装置２２はダブルピニオン型の遊星歯車装置から構成されている。この第１遊星歯車装置２０は、第１サンギヤＳ１、第１遊星歯車Ｐ１、その第１遊星歯車Ｐ１を自転および公転可能に支持する第１キャリヤＣＡ１、第１遊星歯車Ｐ１を介して第１サンギヤＳ１と噛み合う第１リングギヤＲ１を備えており、たとえば「０．５００」程度の所定のギヤ比ρ１を有している。第２遊星歯車装置２２は、第２サンギヤＳ２、互いに噛み合う複数対の第２遊星歯車Ｐ２、その第２遊星歯車Ｐ２を自転および公転可能に支持する第２キャリヤＣＡ２、第２遊星歯車Ｐ２を介して第２サンギヤＳ２と噛み合う第２リングギヤＲ２を備えており、たとえば「０．３１８」程度の所定のギヤ比ρ２を有している。第３遊星歯車装置２４は、第３サンギヤＳ３、第３遊星歯車Ｐ３、その第３遊星歯車Ｐ３を自転および公転可能に支持する第３キャリヤＣＡ３、第３遊星歯車Ｐ３を介して第３サンギヤＳ３と噛み合う第３リングギヤＲ３を備えており、たとえば「０．３５０」程度の所定のギヤ比ρ３を有している。
【０２１６】
また、上記第２遊星歯車装置２２および第３遊星歯車装置２４は、第２キャリヤＣＡ２および第３キャリヤＣＡ３が共通の部品にて構成されているとともに、第２リングギヤＳ２および第３リングギヤＳ３が共通の部品にて構成されており、且つ第３遊星歯車Ｐ３が互いに噛み合う一対の第２遊星歯車Ｐ２のいずれか１つを兼ねている所謂ラビニヨ型の遊星歯車列とされている。これによって、変速機１９０の部品点数や軸長が一層低減される。なお、これら共通の部品で構成されているものはそれぞれ別々の部品で構成されてもよい。
【０２１７】
上記第２変速部１９８においては、第３サンギヤＳ３は第１クラッチＣ１を介して第１ドリブンギヤＣＧ１Ｂに選択的に連結されるとともに第３クラッチＣ３を介して第２ドリブンギヤＣＧ２Ｂに選択的に連結され、第２キャリアＣＡ２と第３キャリアＣＡ３とが一体的に連結されて第２クラッチＣ２を介して第１ドリブンギヤＣＧ１Ｂに選択的に連結されるとともに第１ブレーキＢ１を介して前記非回転部材としてのトランスミッションケース１２に選択的に連結され、第１サンギヤＳ１と第２リングギヤＲ２と第３リングギヤＲ３とが一体的に連結されて前記出力回転部材としての出力歯車２８に連結され、第１キャリアＣＡ１は第２ブレーキＢ２を介して前記非回転部材としてのトランスミッションケース１２に選択的に連結され、第１リングギヤＲ１と第２サンギヤＳ２とが一体的に連結されて第４クラッチＣ４を介して第２ドリブンギヤＣＧ２Ｂに選択的に連結されている。
【０２１８】
以上のように構成された変速機１９０では、たとえば、図６１の係合作動表と同様である図６７に示されるように、前記第１クラッチＣ１、第２クラッチＣ２、第３クラッチＣ３、第４クラッチＣ４、第１ブレーキＢ１、第２ブレーキＢ２のうちから選択された２つが同時に係合作動させられることにより、第１速ギヤ段（第１変速段）乃至第８速ギヤ段（第８変速段）のいずれか或いは後進ギヤ段（後進変速段）が選択的に成立させられ、図６０乃至図６２に示す実施例と同様に略等比的に変化する変速比γ（＝入力軸回転速度ＮIN／出力軸回転速度ＮOUT ）が各ギヤ段毎に得られるようになっている。また、第１速ギヤ段の変速比γ１と第８速ギヤ段の変速比γ８との比である変速比幅（＝γ１／γ８）が比較的大きな値とされている。前記第１カウンタギヤ対ＣＧ１の減速比、第２カウンタギヤ対ＣＧ２の減速比、第１遊星歯車装置２０のギヤ比ρ１、第２遊星歯車装置２２のギヤ比ρ２、第３遊星歯車装置２４のギヤ比ρ３は、上記のような変速比が得られるように設定されているのである。
【０２１９】
図６８は、前記変速機１７０の共線図である図６２に相当する上記変速機１９０における共線図を示している。図６８の第２変速部１９８の５本の縦線Ｙ１乃至Ｙ５は、左から順に、第１回転要素ＲＥ１に対応するサンギヤＳ３を、第２回転要素ＲＥ２に対応し且つ相互に連結されたキャリアＣＡ２およびキャリアＣＡ３を、第３回転要素ＲＥ３に対応し且つ相互に連結されたサンギヤＳ１、リングギヤＲ２およびリングギヤＲ３を、第４回転要素ＲＥ４に対応するキャリアＣＡ１を、第５回転要素ＲＥ５に対応し且つ相互に連結されたリングギヤＲ１およびサンギヤＳ２をそれぞれ表している。従って、これら回転要素を基にすれば、図６８と図６２とは各回転要素の構成において相違するのみであり共線図としては同様であるので、この図６８の共線図の説明は割愛する。
【０２２０】
図６９は本発明の他の実施例の変速機２００の構成を説明する骨子図であり、図７０はその変速機２００の変速ギヤ段とそれを成立させるために必要な油圧式摩擦係合装置の作動との関係を示す図表であり、図７１は各ギヤ段における回転要素の回転速度を示す共線図である。本実施例は、第２変速部２０８の各装置の構成および第１カウンタギヤ対ＣＧ１と第２カウンタギヤ対ＣＧ２とが反対となるように配置が相違する点を除けば図６０に示した変速機１７０と同様であり、図６０乃至図６２に示す実施例と同様の効果が得られる。以下に、変速機２００と変速機１７０との相違する部分について説明する。
【０２２１】
本実施例では、上記図６９に示す変速機２００の第２変速部２０８を構成している第１遊星歯車装置２０、第２遊星歯車装置２２および第３遊星歯車装置２４はそれぞれシングルピニオン型の遊星歯車装置から構成されている。この第１遊星歯車装置２０は、第１サンギヤＳ１、第１遊星歯車Ｐ１、その第１遊星歯車Ｐ１を自転および公転可能に支持する第１キャリヤＣＡ１、第１遊星歯車Ｐ１を介して第１サンギヤＳ１と噛み合う第１リングギヤＲ１を備えており、たとえば「０．５００」程度の所定のギヤ比ρ１を有している。第２遊星歯車装置２２は、第２サンギヤＳ２、第２遊星歯車Ｐ２、その第２遊星歯車Ｐ２を自転および公転可能に支持する第２キャリヤＣＡ２、第２遊星歯車Ｐ２を介して第２サンギヤＳ２と噛み合う第２リングギヤＲ２を備えており、たとえば「０．３７０」程度の所定のギヤ比ρ２を有している。第３遊星歯車装置２４は、第３サンギヤＳ３、第３遊星歯車Ｐ３、その第３遊星歯車Ｐ３を自転および公転可能に支持する第３キャリヤＣＡ３、第３遊星歯車Ｐ３を介して第３サンギヤＳ３と噛み合う第３リングギヤＲ３を備えており、たとえば「０．３５０」程度の所定のギヤ比ρ３を有している。
【０２２２】
上記第２変速部２０８においては、第２サンギヤＳ２と第３サンギヤＳ３とが一体的に連結されて第１クラッチＣ１を介して第１ドリブンギヤＣＧ１Ｂに選択的に連結されるとともに第３クラッチＣ３を介して第２ドリブンギヤＣＧ２Ｂに選択的に連結され、第３キャリアＣＡ３は第２クラッチＣ２を介して第１ドリブンギヤＣＧ１Ｂに選択的に連結されるとともに第１ブレーキＢ１を介して前記非回転部材としてのトランスミッションケース１２に選択的に連結され、第１サンギヤＳ１と第２キャリアＣＡ２と第３リングギヤＲ３とが一体的に連結されて前記出力回転部材としての出力歯車２８に連結され、第１キャリアＣＡ１と第２リングギヤＲ２とが一体的に連結されて第２ブレーキＢ２を介して前記非回転部材としてのトランスミッションケース１２に選択的に連結され、第１リングギヤＲ１は第４クラッチＣ４を介して第２ドリブンギヤＣＧ２Ｂに選択的に連結されている。
【０２２３】
以上のように構成された変速機２００では、たとえば、図６１の係合作動表と同様である図７０に示されるように、前記第１クラッチＣ１、第２クラッチＣ２、第３クラッチＣ３、第４クラッチＣ４、第１ブレーキＢ１、第２ブレーキＢ２のうちから選択された２つが同時に係合作動させられることにより、第１速ギヤ段（第１変速段）乃至第８速ギヤ段（第８変速段）のいずれか或いは後進ギヤ段（後進変速段）が選択的に成立させられ、図６０乃至図６２に示す実施例と同様に略等比的に変化する変速比γ（＝入力軸回転速度ＮIN／出力軸回転速度ＮOUT ）が各ギヤ段毎に得られるようになっている。また、第１速ギヤ段の変速比γ１と第８速ギヤ段の変速比γ８との比である変速比幅（＝γ１／γ８）が比較的大きな値とされている。前記第１カウンタギヤ対ＣＧ１の減速比、第２カウンタギヤ対ＣＧ２の減速比、第１遊星歯車装置２０のギヤ比ρ１、第２遊星歯車装置２２のギヤ比ρ２、第３遊星歯車装置２４のギヤ比ρ３は、上記のような変速比が得られるように設定されているのである。
【０２２４】
図７１は、前記変速機１７０の共線図である図６２に相当する上記変速機２００における共線図を示している。図７１の第２変速部２０８の５本の縦線Ｙ１乃至Ｙ５は、左から順に、第１回転要素ＲＥ１に対応し且つ相互に連結されたサンギヤＳ２およびサンギヤＳ３を、第２回転要素ＲＥ２に対応するキャリアＣＡ３を、第３回転要素ＲＥ３に対応し且つ相互に連結されたサンギヤＳ１、キャリアＣＡ２およびリングギヤＲ３を、第４回転要素ＲＥ４に対応し且つ相互に連結されたキャリアＣＡ１およびリングギヤＲ２を、第５回転要素ＲＥ５に対応するリングギヤＲ１をそれぞれ表している。従って、これら回転要素を基にすれば、図７１と図６２とは各回転要素の構成において相違するのみであり共線図としては同様であるので、この図７１の共線図の説明は割愛する。
【０２２５】
図７２は本発明の他の実施例の変速機２１０の構成を説明する骨子図であり、図７３はその変速機２１０の変速ギヤ段とそれを成立させるために必要な油圧式摩擦係合装置の作動との関係を示す図表であり、図７４は各ギヤ段における回転要素の回転速度を示す共線図である。本実施例は、第２変速部２１８の各装置の構成および第１カウンタギヤ対ＣＧ１および第２カウンタギヤ対ＣＧ２の配置が相違する点を除けば図６０に示した変速機１７０と同様であり、図６０乃至図６２に示す実施例と同様の効果が得られる。以下に、変速機２１０と変速機１７０との相違する部分について説明する。
【０２２６】
本実施例の変速機２１０では、図７２に示すように第１カウンタギヤ対ＣＧ１および第２カウンタギヤ対ＣＧ２が第１遊星歯車装置２０と第２遊星歯車装置２２に挟まれた形となるように配置されている。このようにすれば、変速機２１０の軸長を変速機１７０と同様にコンパクトに保ちつつ、第１カウンタギヤ対ＣＧ１と第２カウンタギヤ対ＣＧ２との間の第１軸心３２ｃ上の空き空間にオイルポンプや油圧式摩擦係合装置の油圧制御回路の弁本体等を配置することができて、変速機２１０の油路の連結が容易になる。
【０２２７】
本実施例では、上記図７２に示す変速機２１０の第２変速部２１８を構成している第１遊星歯車装置２０はダブルピニオン型の遊星歯車装置から構成されており、第２遊星歯車装置２２および第３遊星歯車装置２４はそれぞれシングルピニオン型の遊星歯車装置から構成されている。この第１遊星歯車装置２０は、第１サンギヤＳ１、互いに噛み合う複数対の第１遊星歯車Ｐ１、その第１遊星歯車Ｐ１を自転および公転可能に支持する第１キャリヤＣＡ１、第１遊星歯車Ｐ１を介して第１サンギヤＳ１と噛み合う第１リングギヤＲ１を備えており、たとえば「０．４５９」程度の所定のギヤ比ρ１を有している。第２遊星歯車装置２２は、第２サンギヤＳ２、第２遊星歯車Ｐ２、その第２遊星歯車Ｐ２を自転および公転可能に支持する第２キャリヤＣＡ２、第２遊星歯車Ｐ２を介して第２サンギヤＳ２と噛み合う第２リングギヤＲ２を備えており、たとえば「０．２９４」程度の所定のギヤ比ρ２を有している。第３遊星歯車装置２４は、第３サンギヤＳ３、第３遊星歯車Ｐ３、その第３遊星歯車Ｐ３を自転および公転可能に支持する第３キャリヤＣＡ３、第３遊星歯車Ｐ３を介して第３サンギヤＳ３と噛み合う第３リングギヤＲ３を備えており、たとえば「０．５００」程度の所定のギヤ比ρ３を有している。
【０２２８】
上記第２変速部２１８においては、第１サンギヤＳ１は第１クラッチＣ１を介して第１ドリブンギヤＣＧ１Ｂに選択的に連結されるとともに第３クラッチＣ３を介して第２ドリブンギヤＣＧ２Ｂに選択的に連結され、第１リングギヤＲ１と第２サンギヤＳ２とが一体的に連結されて第２クラッチＣ２を介して第１ドリブンギヤＣＧ１Ｂに選択的に連結されるとともに第１ブレーキＢ１を介して前記非回転部材としてのトランスミッションケース１２に選択的に連結され、第３サンギヤＳ３は前記出力回転部材としての出力歯車２８に連結され、第１キャリアＣＡ１と第２キャリアＣＡ２と第３キャリアＣＡ３とが一体的に連結されて第２ブレーキＢ２を介して前記非回転部材としてのトランスミッションケース１２に選択的に連結され、第２リングギヤＲ２と第３リングギヤＲ３とが一体的に連結されて第４クラッチＣ４を介して第２ドリブンギヤＣＧ２Ｂに選択的に連結されている。
【０２２９】
以上のように構成された変速機２１０では、たとえば、図６１の係合作動表と同様である図７３に示されるように、前記第１クラッチＣ１、第２クラッチＣ２、第３クラッチＣ３、第４クラッチＣ４、第１ブレーキＢ１、第２ブレーキＢ２のうちから選択された２つが同時に係合作動させられることにより、第１速ギヤ段（第１変速段）乃至第８速ギヤ段（第８変速段）のいずれか或いは後進ギヤ段（後進変速段）が選択的に成立させられ、図６０乃至図６２に示す実施例と同様に略等比的に変化する変速比γ（＝入力軸回転速度ＮIN／出力軸回転速度ＮOUT ）が各ギヤ段毎に得られるようになっている。また、第１速ギヤ段の変速比γ１と第８速ギヤ段の変速比γ８との比である変速比幅（＝γ１／γ８）が比較的大きな値とされている。前記第１カウンタギヤ対ＣＧ１の減速比、第２カウンタギヤ対ＣＧ２の減速比、第１遊星歯車装置２０のギヤ比ρ１、第２遊星歯車装置２２のギヤ比ρ２、第３遊星歯車装置２４のギヤ比ρ３は、上記のような変速比が得られるように設定されているのである。
【０２３０】
図７４は、前記変速機１７０の共線図である図６２に相当する上記変速機２１０における共線図を示している。図７４の第２変速部２１８の５本の縦線Ｙ１乃至Ｙ５は、左から順に、第１回転要素ＲＥ１に対応するサンギヤＳ１を、第２回転要素ＲＥ２に対応し且つ相互に連結されたリングギヤＲ１およびサンギヤＳ２を、第３回転要素ＲＥ３に対応するサンギヤＳ３を、第４回転要素ＲＥ４に対応し且つ相互に連結されたキャリアＣＡ１、キャリアＣＡ２およびキャリアＣＡ３を、第５回転要素ＲＥ５に対応し且つ相互に連結されたリングギヤＲ２およびリングギヤＲ３をそれぞれ表している。従って、これら回転要素を基にすれば、図７４と図６２とは各回転要素の構成において相違するのみであり共線図としては同様であるので、この図７４の共線図の説明は割愛する。
【０２３１】
図７５は本発明の他の実施例の変速機２２０の構成を説明する骨子図であり、図７６はその変速機２２０の変速ギヤ段とそれを成立させるために必要な油圧式摩擦係合装置の作動との関係を示す図表であり、図７７は各ギヤ段における回転要素の回転速度を示す共線図である。本実施例は、第２変速部２２８の各装置の構成および第１カウンタギヤ対ＣＧ１と第２カウンタギヤ対ＣＧ２との配置が相違する点を除けば図６０に示した変速機１７０と同様であり、図６０乃至図６２に示す実施例と同様の効果が得られる。以下に、変速機２２０と変速機１７０との相違する部分について説明する。
【０２３２】
本実施例の変速機２２０では、図７５に示すように第１カウンタギヤ対ＣＧ１と第２カウンタギヤ対ＣＧ２とが第２変速部２２８を挟むように配置される。このようにすれば、変速機２２０の軸長を変速機１７０と同様にコンパクトに保ちつつ、第１カウンタギヤ対ＣＧ１と第２カウンタギヤ対ＣＧ２との間の第１軸心３２ｃ上の空き空間にオイルポンプや油圧式摩擦係合装置の油圧制御回路の弁本体等を配置することができて、変速機２２０の油路の連結が容易になる。
【０２３３】
本実施例では、上記図７５に示す変速機２２０の第２変速部２２８を構成している第１遊星歯車装置２０はダブルピニオン型の遊星歯車装置から構成されており、第２遊星歯車装置２２および第３遊星歯車装置２４はそれぞれシングルピニオン型の遊星歯車装置から構成されている。この第１遊星歯車装置２０は、第１サンギヤＳ１、互いに噛み合う複数対の第１遊星歯車Ｐ１、その第１遊星歯車Ｐ１を自転および公転可能に支持する第１キャリヤＣＡ１、第１遊星歯車Ｐ１を介して第１サンギヤＳ１と噛み合う第１リングギヤＲ１を備えており、たとえば「０．４１２」程度の所定のギヤ比ρ１を有している。第２遊星歯車装置２２は、第２サンギヤＳ２、第２遊星歯車Ｐ２、その第２遊星歯車Ｐ２を自転および公転可能に支持する第２キャリヤＣＡ２、第２遊星歯車Ｐ２を介して第２サンギヤＳ２と噛み合う第２リングギヤＲ２を備えており、たとえば「０．３５０」程度の所定のギヤ比ρ２を有している。第３遊星歯車装置２４は、第３サンギヤＳ３、第３遊星歯車Ｐ３、その第３遊星歯車Ｐ３を自転および公転可能に支持する第３キャリヤＣＡ３、第３遊星歯車Ｐ３を介して第３サンギヤＳ３と噛み合う第３リングギヤＲ３を備えており、たとえば「０．５５６」程度の所定のギヤ比ρ３を有している。
【０２３４】
上記第２変速部２２８においては、第２サンギヤＳ２と第３サンギヤＳ３とが一体的に連結されて第１クラッチＣ１を介して第１ドリブンギヤＣＧ１Ｂに選択的に連結されるとともに第３クラッチＣ３を介して第２ドリブンギヤＣＧ２Ｂに選択的に連結され、第１キャリアＣＡ１と第２キャリアＣＡ２とが一体的に連結されて第２クラッチＣ２を介して第１ドリブンギヤＣＧ１Ｂに選択的に連結されるとともに第１ブレーキＢ１を介して前記非回転部材としてのトランスミッションケース１２に選択的に連結され、第１リングギヤＲ１と第２リングギヤＲ２と第３キャリアＣＡ３とが一体的に連結されて前記出力回転部材としての出力歯車２８に連結され、第１サンギヤＳ１は第２ブレーキＢ２を介して前記非回転部材としてのトランスミッションケース１２に選択的に連結され、第３リングギヤＲ３は第４クラッチＣ４を介して第２ドリブンギヤＣＧ２Ｂに選択的に連結されている。
【０２３５】
以上のように構成された変速機２２０では、たとえば、図６１の係合作動表と同様である図７６に示されるように、前記第１クラッチＣ１、第２クラッチＣ２、第３クラッチＣ３、第４クラッチＣ４、第１ブレーキＢ１、第２ブレーキＢ２のうちから選択された２つが同時に係合作動させられることにより、第１速ギヤ段（第１変速段）乃至第８速ギヤ段（第８変速段）のいずれか或いは後進ギヤ段（後進変速段）が選択的に成立させられ、図６０乃至図６２に示す実施例と同様に略等比的に変化する変速比γ（＝入力軸回転速度ＮIN／出力軸回転速度ＮOUT ）が各ギヤ段毎に得られるようになっている。また、第１速ギヤ段の変速比γ１と第８速ギヤ段の変速比γ８との比である変速比幅（＝γ１／γ８）が比較的大きな値とされている。前記第１カウンタギヤ対ＣＧ１の減速比、第２カウンタギヤ対ＣＧ２の減速比、第１遊星歯車装置２０のギヤ比ρ１、第２遊星歯車装置２２のギヤ比ρ２、第３遊星歯車装置２４のギヤ比ρ３は、上記のような変速比が得られるように設定されているのである。
【０２３６】
図７７は、前記変速機１７０の共線図である図６２に相当する上記変速機２２０における共線図を示している。図７７の第２変速部２２８の５本の縦線Ｙ１乃至Ｙ５は、左から順に、第１回転要素ＲＥ１に対応し且つ相互に連結されたサンギヤＳ２およびサンギヤＳ３を、第２回転要素ＲＥ２に対応し且つ相互に連結されたキャリアＣＡ１およびキャリアＣＡ２を、第３回転要素ＲＥ３に対応し且つ相互に連結されたリングギヤＲ１、リングギヤＲ２およびキャリアＣＡ３を、第４回転要素ＲＥ４に対応するサンギヤＳ１を、第５回転要素ＲＥ５に対応するリングギヤＲ３をそれぞれ表している。従って、これら回転要素を基にすれば、図７７と図６２とは各回転要素の構成において相違するのみであり共線図としては同様であるので、この図７７の共線図の説明は割愛する。
【０２３７】
図７８は本発明の他の実施例の変速機２３０の構成を説明する骨子図であり、図７９はその変速機２３０の変速ギヤ段とそれを成立させるために必要な油圧式摩擦係合装置の作動との関係を示す図表であり、図８０は各ギヤ段における回転要素の回転速度を示す共線図である。本実施例は、第２変速部２３８の各装置の構成が相違する点および変速機２３０を構成する各装置の配置において第１変速部２３６を構成する第１カウンタギヤ対ＣＧ１と第２カウンタギヤ対ＣＧ２とが反対となるように配置が相違する点を除けば図６に示した変速機４０と同様であり、図６乃至図８に示す実施例と同様の効果が得られる。以下に、変速機２３０と変速機４０との相違する部分について説明する。
【０２３８】
上記図７８に示す変速機２３０の第１変速部２３６を構成している第１カウンタギヤ対ＣＧ１および第２カウンタギヤ対ＣＧ２は、変速機４０の第１変速部３６と異なり第２カウンタギヤ対ＣＧ２の減速比が第１カウンタギヤ対ＣＧ１の減速比より小さくされて、たとえば第１カウンタギヤ対ＣＧ１の減速比が「１．０００」程度、第２カウンタギヤ対ＣＧ２の減速比が「０．５７８」程度とされ、第１変速部２３６は入力軸１６すなわち第１軸３２の回転を第１中間出力経路Ｍ１とその第１中間出力経路Ｍ１に対して増速回転させられる第２中間出力経路Ｍ２とで第２変速部２３８へ伝達（出力）する。
【０２３９】
本実施例では、上記図７８に示す変速機２３０の第２変速部２３８を構成している第１遊星歯車装置２０、第２遊星歯車装置２２および第３遊星歯車装置２４はそれぞれシングルピニオン型の遊星歯車装置から構成されている。この第１遊星歯車装置２０は、第１サンギヤＳ１、第１遊星歯車Ｐ１、その第１遊星歯車Ｐ１を自転および公転可能に支持する第１キャリヤＣＡ１、第１遊星歯車Ｐ１を介して第１サンギヤＳ１と噛み合う第１リングギヤＲ１を備えており、たとえば「０．３２８」程度の所定のギヤ比ρ１を有している。第２遊星歯車装置２２は、第２サンギヤＳ２、第２遊星歯車Ｐ２、その第２遊星歯車Ｐ２を自転および公転可能に支持する第２キャリヤＣＡ２、第２遊星歯車Ｐ２を介して第２サンギヤＳ２と噛み合う第２リングギヤＲ２を備えており、たとえば「０．３５６」程度の所定のギヤ比ρ２を有している。第３遊星歯車装置２４は、第３サンギヤＳ３、第３遊星歯車Ｐ３、その第３遊星歯車Ｐ３を自転および公転可能に支持する第３キャリヤＣＡ３、第３遊星歯車Ｐ３を介して第３サンギヤＳ３と噛み合う第３リングギヤＲ３を備えており、たとえば「０．５００」程度の所定のギヤ比ρ３を有している。
【０２４０】
上記第２変速部２３８においては、第１サンギヤＳ１と第２サンギヤＳ２とが一体的に連結されて第１クラッチＣ１を介して第１ドリブンギヤＣＧ１Ｂに選択的に連結されるとともに第４クラッチＣ４を介して第２ドリブンギヤＣＧ２Ｂに選択的に連結され、第３サンギヤＳ３は第２クラッチＣ２を介して第１ドリブンギヤＣＧ１Ｂに選択的に連結され、第２キャリアＣＡ２は第３クラッチＣ３を介して第１ドリブンギヤＣＧ１Ｂに選択的に連結され、第１キャリアＣＡ１と第２リングギヤＲ２と第３キャリアＣＡ３とが一体的に連結されて前記出力回転部材としての出力歯車２８に連結され、第１リングギヤＲ１と第３リングギヤＲ３とが一体的に連結されて第５クラッチＣ５を介して第２ドリブンギヤＣＧ２Ｂに選択的に連結されるとともに第１ブレーキＢ１を介して前記非回転部材としてのトランスミッションケース１２に選択的に連結されている。
【０２４１】
以上のように構成された変速機２３０では、たとえば、図７９の係合作動表に示されるように、前記第１クラッチＣ１、第２クラッチＣ２、第３クラッチＣ３、第４クラッチＣ４、第５クラッチＣ５、第１ブレーキＢ１のうちから選択された２つが同時に係合作動させられることにより、第１速ギヤ段（第１変速段）乃至第８速ギヤ段（第８変速段）のいずれか或いは後進ギヤ段（後進変速段）が選択的に成立させられ、略等比的に変化する変速比γ（＝入力軸回転速度ＮIN／出力軸回転速度ＮOUT ）が各ギヤ段毎に得られるようになっている。
【０２４２】
すなわち、図７９に示すように、第１クラッチＣ１および第１ブレーキＢ１の係合により、第１サンギヤＳ１および第２サンギヤＳ２と第１ドリブンギヤＣＧ１Ｂとの間、第１リングギヤＲ１および第３リングギヤＲ３とトランスミッションケース１２との間がそれぞれ連結されることにより、変速比γ１が最大値たとえば「４．０５０」である第１速ギヤ段が成立させられる。また、第２クラッチＣ２および第１ブレーキＢ１の係合により、第３サンギヤＳ３と第１ドリブンギヤＣＧ１Ｂとの間、第１リングギヤＲ１および第３リングギヤＲ３とトランスミッションケース１２との間がそれぞれ連結されることにより、変速比γ２が第１速ギヤ段よりも小さい値たとえば「３．０００」程度である第２速ギヤ段が成立させられる。また、第４クラッチＣ４および第１ブレーキＢ１の係合により、第１サンギヤＳ１および第２サンギヤＳ２と第２ドリブンギヤＣＧ２Ｂとの間、第１リングギヤＲ１および第３リングギヤＲ３とトランスミッションケース１２との間がそれぞれ連結されることにより、変速比γ３が第２速ギヤ段よりも小さい値たとえば「２．３４１」程度である第３速ギヤ段が成立させられる。また、第３クラッチＣ３および第１ブレーキＢ１の係合により、第２キャリアＣＡ２と第１ドリブンギヤＣＧ１Ｂとの間、第１リングギヤＲ１および第３リングギヤＲ３とトランスミッションケース１２との間がそれぞれ連結されることにより、変速比γ４が第３速ギヤ段よりも小さい値たとえば「１．８００」程度である第４速ギヤ段が成立させられる。また、第３クラッチＣ３および第４クラッチＣ４の係合により、第２キャリアＣＡ２と第１ドリブンギヤＣＧ１Ｂとの間、第１サンギヤＳ１および第２サンギヤＳ２と第２ドリブンギヤＣＧ２Ｂとの間がそれぞれ連結されることにより、変速比γ５が第４速ギヤ段よりも小さい値たとえば「１．３５０」程度である第５速ギヤ段が成立させられる。また、第１クラッチＣ１および第３クラッチＣ３の係合により、第１サンギヤＳ１および第２サンギヤＳ２と第１ドリブンギヤＣＧ１Ｂとの間、第２キャリアＣＡ２と第１ドリブンギヤＣＧ１Ｂとの間がそれぞれ連結されることにより、変速比γ６が第５速ギヤ段よりも小さい値たとえば「１．０００」程度である第６速ギヤ段が成立させられる。また、第３クラッチＣ３および第５クラッチＣ５の係合により、第２キャリアＣＡ２と第１ドリブンギヤＣＧ１Ｂとの間、第１リングギヤＲ１および第３リングギヤＲ３と第２ドリブンギヤＣＧ２Ｂとの間がそれぞれ連結されることにより、変速比γ７が第６速ギヤ段よりも小さい値たとえば「０．７５５」である第７速ギヤ段が成立させられる。また、第４クラッチＣ４および第５クラッチＣ５の係合により、第１サンギヤＳ１および第２サンギヤＳ２と第２ドリブンギヤＣＧ２Ｂとの間、第１リングギヤＲ１および第３リングギヤＲ３と第２ドリブンギヤＣＧ２Ｂとの間がそれぞれ連結されることにより、変速比γ８が第７速ギヤ段よりも小さい値たとえば「０．５７８」である第８速ギヤ段が成立させられる。
【０２４３】
また、第２クラッチＣ２および第４クラッチＣ４の係合により、第３サンギヤＳ３と第１ドリブンギヤＣＧ１Ｂとの間、第１サンギヤＳ１および第２サンギヤＳ２と第２ドリブンギヤＣＧ２Ｂとの間がそれぞれ連結されることにより、変速比γＲが第２速ギヤ段と第３速ギヤ段との間の値たとえば「２．５６２」である後進ギヤ段が成立させられる。前記第１カウンタギヤ対ＣＧ１の減速比、第２カウンタギヤ対ＣＧ２の減速比、第１遊星歯車装置２０のギヤ比ρ１、第２遊星歯車装置２２のギヤ比ρ２、第３遊星歯車装置２４のギヤ比ρ３は、上記のような変速比が得られるように設定されているのである。
【０２４４】
上記変速機２３０において、第１速ギヤ段の変速比γ１と第２速ギヤ段の変速比γ２との比（＝γ１／γ２）が「１．３５０」とされ、第２速ギヤ段の変速比γ２と第３速ギヤ段の変速比γ３との比（＝γ２／γ３）が「１．２８１」とされ、第３速ギヤ段の変速比γ３と第４速ギヤ段の変速比γ４との比（＝γ３／γ４）が「１．３０１」とされ、第４速ギヤ段の変速比γ４と第５速ギヤ段の変速比γ５との比（＝γ４／γ５）が「１．３３３」とされ、第５速ギヤ段の変速比γ５と第６速ギヤ段の変速比γ６との比（＝γ５／γ６）が「１．３５０」とされ、第６速ギヤ段の変速比γ６と第７速ギヤ段の変速比γ７との比（＝γ６／γ７）が「１．３２４」とされ、第７速ギヤ段の変速比γ７と第８速ギヤ段の変速比γ８との比（＝γ７／γ８）が「１．３０６」とされ、各変速比γが略等比的に変化させられている。また、上記変速機２３０において、第１速ギヤ段の変速比γ１と第８速ギヤ段の変速比γ８との比である変速比幅（＝γ１／γ８）が比較的大きな値すなわち「７．００６」とされている。
【０２４５】
図８０は、前記変速機４０の共線図である図８に相当する上記変速機２３０における共線図を示している。図８０の共線図の３本の横線のうちの下側の横線ＸＺが回転速度零を示し、その上側の横線Ｘ１が回転速度「１．０」すなわち第１中間出力経路Ｍ１の回転速度を示し、さらにその上側の横線Ｘ２が第２カウンタギヤ対ＣＧ２の減速比に応じて第１中間出力経路Ｍ１に対して増速回転させられる所定の回転速度「Ｎx2」すなわち第２中間出力経路Ｍ２の回転速度を示している。また、第２変速部２３８の５本の縦線Ｙ１乃至Ｙ５は、左から順に、第１回転要素ＲＥ１に対応し且つ相互に連結されたサンギヤＳ１およびサンギヤＳ２を、第２回転要素ＲＥ２に対応するサンギヤＳ３を、第３回転要素ＲＥ３に対応するキャリアＣＡ２を、第４回転要素ＲＥ４に対応し且つ相互に連結されたキャリアＣＡ１、リングギヤＲ２およびキャリアＣＡ３を、第５回転要素ＲＥ５に対応し且つ相互に連結されたリングギヤＲ１およびリングギヤＲ３をそれぞれ表している。
【０２４６】
上記共線図を利用して表現すれば、本実施例の変速機２３０は、第１変速部２３６において、入力軸１６の回転（第１軸３２の回転）を第１中間出力経路Ｍ１とその第１中間出力経路Ｍ１に対して増速回転させられる上記第２中間出力経路Ｍ２とを介して第２変速部２３８へ出力するように構成され、第２変速部２３８において、上記第１回転要素ＲＥ１（Ｓ１、Ｓ２）は第１クラッチＣ１を介して第１ドリブンギヤＣＧ１Ｂに選択的に連結されるとともに第４クラッチＣ４を介して第２ドリブンギヤＣＧ２Ｂに選択的に連結され、上記第２回転要素ＲＥ２（Ｓ３）は第２クラッチＣ２を介して第１ドリブンギヤＣＧ１Ｂに選択的に連結され、上記第３回転要素ＲＥ３（ＣＡ２）は第３クラッチＣ３を介して第１ドリブンギヤＣＧ１Ｂに選択的に連結され、上記第４回転要素ＲＥ４（ＣＡ１、Ｒ２、ＣＡ３）は前記出力回転部材としての出力歯車２８に連結され、上記第５回転要素ＲＥ５（Ｒ１、Ｒ３）は第５クラッチＣ５を介して第２ドリブンギヤＣＧ２Ｂに選択的に連結されるとともに第１ブレーキＢ１を介して前記非回転部材としてのトランスミッションケース１２に選択的に連結されている。
【０２４７】
上記図８０の共線図において、第１速ギヤ段では、第１回転要素ＲＥ１はクラッチＣ１の係合により第１ドリブンギヤＣＧ１Ｂに連結されて回転速度「１」とされ、第５回転要素ＲＥ５はブレーキＢ１の係合によりトランスミッションケース１２に連結されて回転速度「０」とされるので、縦線Ｙ１と横線Ｘ１との交点と縦線Ｙ５と横線ＸＺとの交点とを結ぶ直線が縦線Ｙ４と交差する点（１st）により、出力歯車２８の回転速度が示される。第２速ギヤ段では、第２回転要素ＲＥ２はクラッチＣ２の係合により第１ドリブンギヤＣＧ１Ｂに連結されて回転速度「１」とされ、第５回転要素ＲＥ５はブレーキＢ１の係合によりトランスミッションケース１２に連結されて回転速度「０」とされるので、縦線Ｙ２と横線Ｘ１との交点と縦線Ｙ５と横線ＸＺとの交点とを結ぶ直線が縦線Ｙ４と交差する点（２nd）により、出力歯車２８の回転速度が示される。第３速ギヤ段では、第１回転要素ＲＥ１はクラッチＣ４の係合により第２ドリブンギヤＣＧ２Ｂに連結されて回転速度「Ｎx2」とされ、第５回転要素ＲＥ５はブレーキＢ１の係合によりトランスミッションケース１２に連結されて回転速度「０」とされるので、縦線Ｙ１と横線Ｘ２との交点と縦線Ｙ５と横線ＸＺとの交点とを結ぶ直線が縦線Ｙ４と交差する点（３rd）により、出力歯車２８の回転速度が示される。第４速ギヤ段では、第３回転要素ＲＥ３はクラッチＣ３の係合により第１ドリブンギヤＣＧ１Ｂに連結されて回転速度「１」とされ、第５回転要素ＲＥ５はブレーキＢ１の係合によりトランスミッションケース１２に連結されて回転速度「０」とされるので、縦線Ｙ３と横線Ｘ１との交点と縦線Ｙ５と横線ＸＺとの交点とを結ぶ直線が縦線Ｙ４と交差する点（４th）により、出力歯車２８の回転速度が示される。第５速ギヤ段では、第３回転要素ＲＥ３はクラッチＣ３の係合により第１ドリブンギヤＣＧ１Ｂに連結されて回転速度「１」とされ、第１回転要素ＲＥ１はクラッチＣ４の係合により第２ドリブンギヤＣＧ２Ｂに連結されて回転速度「Ｎx2」とされるので、縦線Ｙ３と横線Ｘ１との交点と縦線Ｙ１と横線Ｘ２との交点とを結ぶ直線が縦線Ｙ４と交差する点（５th）により、出力歯車２８の回転速度が示される。第６速ギヤ段では、第１回転要素ＲＥ１はクラッチＣ１の係合により第１ドリブンギヤＣＧ１Ｂに連結されて回転速度「１」とされ、第３回転要素ＲＥ３はクラッチＣ３の係合により第１ドリブンギヤＣＧ１Ｂに連結されて回転速度「１」とされるので、縦線Ｙ１と横線Ｘ１との交点と縦線Ｙ３と横線Ｘ１との交点とを結ぶ直線が縦線Ｙ４と交差する点（６th）により、出力歯車２８の回転速度が示される。第７速ギヤ段では、第３回転要素ＲＥ３はクラッチＣ３の係合により第１ドリブンギヤＣＧ１Ｂに連結されて回転速度「１」とされ、第５回転要素ＲＥ５はクラッチＣ５の係合により第２ドリブンギヤＣＧ２Ｂに連結されて回転速度「Ｎx2」とされるので、縦線Ｙ３と横線Ｘ１との交点と縦線Ｙ５と横線Ｘ２との交点とを結ぶ直線が縦線Ｙ４と交差する点（７th）により、出力歯車２８の回転速度が示される。第８速ギヤ段では、第１回転要素ＲＥ１はクラッチＣ４の係合により第２ドリブンギヤＣＧ２Ｂに連結されて回転速度「Ｎx2」とされ、第��回転要素ＲＥ５はクラッチＣ５の係合により第２ドリブンギヤＣＧ２Ｂに連結されて回転速度「Ｎx2」とされるので、縦線Ｙ１と横線Ｘ２との交点と縦線Ｙ５と横線Ｘ２との交点とを結ぶ直線が縦線Ｙ４と交差する点（８th）により、出力歯車２８の回転速度が示される。後進ギヤ段では、第２回転要素ＲＥ２はクラッチＣ２の係合により第１ドリブンギヤＣＧ１Ｂに連結されて回転速度「１」とされ、第１回転要素ＲＥ１はクラッチＣ４の係合により第２ドリブンギヤＣＧ２Ｂに連結されて回転速度「Ｎx2」とされるので、縦線Ｙ２と横線Ｘ１との交点と縦線Ｙ１と横線Ｘ２との交点とを結ぶ直線が縦線Ｙ４と交差する点（Ｒev）により、出力歯車２８の負の回転速度が示される。
【０２４８】
図８１は本発明の他の実施例の変速機２４０の構成を説明する骨子図であり、図８２はその変速機２４０の変速ギヤ段とそれを成立させるために必要な油圧式摩擦係合装置の作動との関係を示す図表であり、図８３は各ギヤ段における回転要素の回転速度を示す共線図である。本実施例は、第２変速部２４８の各装置の構成およびトルクコンバータ１４の配置が相違する点を除けば図７８に示した変速機２３０と同様であり、図７８乃至図８０に示す実施例と同様の効果が得られる。以下に、変速機２４０と変速機２３０との相違する部分について説明する。なお、そのトルクコンバータ１４の配置は図１に示す変速機１０と同様であるのでその説明を割愛する。
【０２４９】
本実施例では、上記図８１に示す変速機２４０の第２変速部２４８を構成している第１遊星歯車装置２０および第３遊星歯車装置２４はそれぞれシングルピニオン型の遊星歯車装置から構成されており、第２遊星歯車装置２２はダブルピニオン型の遊星歯車装置から構成されている。この第１遊星歯車装置２０は、第１サンギヤＳ１、第１遊星歯車Ｐ１、その第１遊星歯車Ｐ１を自転および公転可能に支持する第１キャリヤＣＡ１、第１遊星歯車Ｐ１を介して第１サンギヤＳ１と噛み合う第１リングギヤＲ１を備えており、たとえば「０．３５６」程度の所定のギヤ比ρ１を有している。第２遊星歯車装置２２は、第２サンギヤＳ２、互いに噛み合う複数対の第２遊星歯車Ｐ２、その第２遊星歯車Ｐ２を自転および公転可能に支持する第２キャリヤＣＡ２、第２遊星歯車Ｐ２を介して第２サンギヤＳ２と噛み合う第２リングギヤＲ２を備えており、たとえば「０．４００」程度の所定のギヤ比ρ２を有している。第３遊星歯車装置２４は、第３サンギヤＳ３、第３遊星歯車Ｐ３、その第３遊星歯車Ｐ３を自転および公転可能に支持する第３キャリヤＣＡ３、第３遊星歯車Ｐ３を介して第３サンギヤＳ３と噛み合う第３リングギヤＲ３を備えており、たとえば「０．５００」程度の所定のギヤ比ρ３を有している。
【０２５０】
また、上記第２遊星歯車装置２２および第３遊星歯車装置２４は、第２キャリヤＣＡ２および第３キャリヤＣＡ３が共通の部品にて構成されているとともに、第２サンギヤＳ２および第３サンギヤＳ３が共通の部品にて構成されており、且つ第３遊星歯車Ｐ３が互いに噛み合う一対の第２遊星歯車Ｐ２のいずれか１つを兼ねている遊星歯車列とされている。これによって、変速機２４０の部品点数や軸長が一層低減される。なお、これら共通の部品で構成されているものはそれぞれ別々の部品で構成されてもよい。
【０２５１】
上記第２変速部２４８においては、第１サンギヤＳ１は第１クラッチＣ１を介して第１ドリブンギヤＣＧ１Ｂに選択的に連結されるとともに第４クラッチＣ４を介して第２ドリブンギヤＣＧ２Ｂに選択的に連結され、第２サンギヤＳ２と第３サンギヤＳ３とが一体的に連結されて第２クラッチＣ２を介して第１ドリブンギヤＣＧ１Ｂに選択的に連結され、第１キャリアＣＡ１と第２リングギヤＲ２とが一体的に連結されて第３クラッチＣ３を介して第１ドリブンギヤＣＧ１Ｂに選択的に連結され、第１リングギヤＲ１と第２キャリアＣＡ２と第３キャリアＣＡ３とが一体的に連結されて前記出力回転部材としての出力歯車２８に連結され、第３リングギヤＲ３は第５クラッチＣ５を介して第２ドリブンギヤＣＧ２Ｂに選択的に連結されるとともに第１ブレーキＢ１を介して前記非回転部材としてのトランスミッションケース１２に選択的に連結されている。
【０２５２】
以上のように構成された変速機２４０では、たとえば、図７９の係合作動表と同様である図８２に示されるように、前記第１クラッチＣ１、第２クラッチＣ２、第３クラッチＣ３、第４クラッチＣ４、第５クラッチＣ５、第１ブレーキＢ１のうちから選択された２つが同時に係合作動させられることにより、第１速ギヤ段（第１変速段）乃至第８速ギヤ段（第８変速段）のいずれか或いは後進ギヤ段（後進変速段）が選択的に成立させられ、図７８乃至図８０に示す実施例と同様に略等比的に変化する変速比γ（＝入力軸回転速度ＮIN／出力軸回転速度ＮOUT ）が各ギヤ段毎に得られるようになっている。また、第１速ギヤ段の変速比γ１と第８速ギヤ段の変速比γ８との比である変速比幅（＝γ１／γ８）が比較的大きな値とされている。前記第１カウンタギヤ対ＣＧ１の減速比、第２カウンタギヤ対ＣＧ２の減速比、第１遊星歯車装置２０のギヤ比ρ１、第２遊星歯車装置２２のギヤ比ρ２、第３遊星歯車装置２４のギヤ比ρ３は、上記のような変速比が得られるように設定されているのである。
【０２５３】
図８３は、前記変速機２３０の共線図である図８０に相当する上記変速機２４０における共線図を示している。図８３の第２変速部２４８の５本の縦線Ｙ１乃至Ｙ５は、左から順に、第１回転要素ＲＥ１に対応するサンギヤＳ１を、第２回転要素ＲＥ２に対応し且つ相互に連結されたサンギヤＳ２およびサンギヤＳ３を、第３回転要素ＲＥ３に対応し且つ相互に連結されたキャリアＣＡ１およびリングギヤＲ２を、第４回転要素ＲＥ４に対応し且つ相互に連結されたリングギヤＲ１、キャリアＣＡ２およびキャリアＣＡ３を、第５回転要素ＲＥ５に対応するリングギヤＲ３をそれぞれ表している。従って、これら回転要素を基にすれば、図８３と図８０とは各回転要素の構成において相違するのみであり共線図としては同様であるので、この図８３の共線図の説明は割愛する。
【０２５４】
図８４は本発明の他の実施例の変速機２５０の構成を説明する骨子図であり、図８５はその変速機２５０の変速ギヤ段とそれを成立させるために必要な油圧式摩擦係合装置の作動との関係を示す図表であり、図８６は各ギヤ段における回転要素の回転速度を示す共線図である。本実施例は、第２変速部２５８の各装置の構成が相違する点を除けば図７８に示した変速機２３０と同様であり、図７８乃至図８０に示す実施例と同様の効果が得られる。以下に、変速機２５０と変速機２３０との相違する部分について説明する。
【０２５５】
本実施例では、上記図８４に示す変速機２５０の第２変速部２５８を構成している第１遊星歯車装置２０はダブルピニオン型の遊星歯車装置から構成されており、第２遊星歯車装置２２および第３遊星歯車装置２４はそれぞれシングルピニオン型の遊星歯車装置から構成されている。この第１遊星歯車装置２０は、第１サンギヤＳ１、互いに噛み合う複数対の第１遊星歯車Ｐ１、その第１遊星歯車Ｐ１を自転および公転可能に支持する第１キャリヤＣＡ１、第１遊星歯車Ｐ１を介して第１サンギヤＳ１と噛み合う第１リングギヤＲ１を備えており、たとえば「０．４４４」程度の所定のギヤ比ρ１を有している。第２遊星歯車装置２２は、第２サンギヤＳ２、第２遊星歯車Ｐ２、その第２遊星歯車Ｐ２を自転および公転可能に支持する第２キャリヤＣＡ２、第２遊星歯車Ｐ２を介して第２サンギヤＳ２と噛み合う第２リングギヤＲ２を備えており、たとえば「０．３５６」程度の所定のギヤ比ρ２を有している。第３遊星歯車装置２４は、第３サンギヤＳ３、第３遊星歯車Ｐ３、その第３遊星歯車Ｐ３を自転および公転可能に支持する第３キャリヤＣＡ３、第３遊星歯車Ｐ３を介して第３サンギヤＳ３と噛み合う第３リングギヤＲ３を備えており、たとえば「０．５００」程度の所定のギヤ比ρ３を有している。
【０２５６】
また、上記第１遊星歯車装置２０および第２遊星歯車装置２２は、第１キャリヤＣＡ１および第２キャリヤＣＡ２が共通の部品にて構成されているとともに、第１リングギヤＲ１および第２リングギヤＲ２が共通の部品にて構成されており、且つ第２遊星歯車Ｐ２が互いに噛み合う一対の第１遊星歯車Ｐ１のいずれか１つを兼ねているラビニヨ型の遊星歯車列とされている。これによって、変速機２５０の部品点数や軸長が一層低減される。なお、これら共通の部品で構成されているものはそれぞれ別々の部品で構成されてもよい。
【０２５７】
上記第２変速部２５８においては、第２サンギヤＳ２は第１クラッチＣ１を介して第１ドリブンギヤＣＧ１Ｂに選択的に連結されるとともに第４クラッチＣ４を介して第２ドリブンギヤＣＧ２Ｂに選択的に連結され、第３サンギヤＳ３は第２クラッチＣ２を介して第１ドリブンギヤＣＧ１Ｂに選択的に連結され、第１キャリアＣＡ１と第２キャリアＣＡ２とが一体的に連結されて第３クラッチＣ３を介して第１ドリブンギヤＣＧ１Ｂに選択的に連結され、第１リングギヤＲ１と第２リングギヤＲ２と第３キャリアＣＡ３とが一体的に連結されて前記出力回転部材としての出力歯車２８に連結され、第１サンギヤＳ１と第３リングギヤＲ３とが一体的に連結されて第５クラッチＣ５を介して第２ドリブンギヤＣＧ２Ｂに選択的に連結されるとともに第１ブレーキＢ１を介して前記非回転部材としてのトランスミッションケース１２に選択的に連結されている。
【０２５８】
以上のように構成された変速機２５０では、たとえば、図７９の係合作動表と同様である図８５に示されるように、前記第１クラッチＣ１、第２クラッチＣ２、第３クラッチＣ３、第４クラッチＣ４、第５クラッチＣ５、第１ブレーキＢ１のうちから選択された２つが同時に係合作動させられることにより、第１速ギヤ段（第１変速段）乃至第８速ギヤ段（第８変速段）のいずれか或いは後進ギヤ段（後進変速段）が選択的に成立させられ、図７８乃至図８０に示す実施例と同様に略等比的に変化する変速比γ（＝入力軸回転速度ＮIN／出力軸回転速度ＮOUT ）が各ギヤ段毎に得られるようになっている。また、第１速ギヤ段の変速比γ１と第８速ギヤ段の変速比γ８との比である変速比幅（＝γ１／γ８）が比較的大きな値とされている。前記第１カウンタギヤ対ＣＧ１の減速比、第２カウンタギヤ対ＣＧ２の減速比、第１遊星歯車装置２０のギヤ比ρ１、第２遊星歯車装置２２のギヤ比ρ２、第３遊星歯車装置２４のギヤ比ρ３は、上記のような変速比が得られるように設定されているのである。
【０２５９】
図８６は、前記変速機２３０の共線図である図８０に相当する上記変速機２５０における共線図を示している。図８６の第２変速部２５８の５本の縦線Ｙ１乃至Ｙ５は、左から順に、第１回転要素ＲＥ１に対応するサンギヤＳ２を、第２回転要素ＲＥ２に対応するサンギヤＳ３を、第３回転要素ＲＥ３に対応し且つ相互に連結されたキャリアＣＡ１およびキャリアＣＡ２を、第４回転要素ＲＥ４に対応し且つ相互に連結されたリングギヤＲ１、リングギヤＲ２およびキャリアＣＡ３を、第５回転要素ＲＥ５に対応し且つ相互に連結されたサンギヤＳ１およびリングギヤＲ３をそれぞれ表している。従って、これら回転要素を基にすれば、図８６と図８０とは各回転要素の構成において相違するのみであり共線図としては同様であるので、この図８６の共線図の説明は割愛する。
【０２６０】
図８７は本発明の他の実施例の変速機２６０の構成を説明する骨子図であり、図８８はその変速機２６０の変速ギヤ段とそれを成立させるために必要な油圧式摩擦係合装置の作動との関係を示す図表であり、図８９は各ギヤ段における回転要素の回転速度を示す共線図である。本実施例は、第２変速部２６８の各装置の構成および第１カウンタギヤ対ＣＧ１と第２カウンタギヤ対ＣＧ２との配置が相違する点を除けば図７８に示した変速機２３０と同様であり、図７８乃至図８０に示す実施例と同様の効果が得られる。以下に、変速機２６０と変速機２３０との相違する部分について説明する。
【０２６１】
本実施例の変速機２６０では、図８７に示すように第１カウンタギヤ対ＣＧ１と第２カウンタギヤ対ＣＧ２とが第２変速部２６８を挟むように配置される。このようにすれば、変速機２６０の軸長を変速機２３０と同様にコンパクトに保ちつつ、第１カウンタギヤ対ＣＧ１と第２カウンタギヤ対ＣＧ２との間の第１軸心３２ｃ上の空き空間にオイルポンプや油圧式摩擦係合装置の油圧制御回路の弁本体等を配置することができて、変速機２６０の油路の連結が容易になる。
【０２６２】
本実施例では、上記図８７に示す変速機２６０の第２変速部２６８を構成している第１遊星歯車装置２０および第２遊星歯車装置２２はそれぞれシングルピニオン型の遊星歯車装置から構成されており、第３遊星歯車装置２４はダブルピニオン型の遊星歯車装置から構成されている。この第１遊星歯車装置２０は、第１サンギヤＳ１、第１遊星歯車Ｐ１、その第１遊星歯車Ｐ１を自転および公転可能に支持する第１キャリヤＣＡ１、第１遊星歯車Ｐ１を介して第１サンギヤＳ１と噛み合う第１リングギヤＲ１を備えており、たとえば「０．３２８」程度の所定のギヤ比ρ１を有している。第２遊星歯車装置２２は、第２サンギヤＳ２、第２遊星歯車Ｐ２、その第２遊星歯車Ｐ２を自転および公転可能に支持する第２キャリヤＣＡ２、第２遊星歯車Ｐ２を介して第２サンギヤＳ２と噛み合う第２リングギヤＲ２を備えており、たとえば「０．５００」程度の所定のギヤ比ρ２を有している。第３遊星歯車装置２４は、第３サンギヤＳ３、互いに噛み合う複数対の第３遊星歯車Ｐ３、その第３遊星歯車Ｐ３を自転および公転可能に支持する第３キャリヤＣＡ３、第３遊星歯車Ｐ３を介して第３サンギヤＳ３と噛み合う第３リングギヤＲ３を備えており、たとえば「０．４００」程度の所定のギヤ比ρ３を有している。
【０２６３】
上記第２変速部２６８においては、第１サンギヤＳ１は第１クラッチＣ１を介して第１ドリブンギヤＣＧ１Ｂに選択的に連結されるとともに第４クラッチＣ４を介して第２ドリブンギヤＣＧ２Ｂに選択的に連結され、第２サンギヤＳ２と第３サンギヤＳ３とが一体的に連結されて第２クラッチＣ２を介して第１ドリブンギヤＣＧ１Ｂに選択的に連結され、第３リングギヤＲ３は第３クラッチＣ３を介して第１ドリブンギヤＣＧ１Ｂに選択的に連結され、第１キャリアＣＡ１と第２キャリアＣＡ２と第３キャリアＣＡ３とが一体的に連結されて前記出力回転部材としての出力歯車２８に連結され、第１リングギヤＲ１と第２リングギヤＲ２とが一体的に連結されて第５クラッチＣ５を介して第２ドリブンギヤＣＧ２Ｂに選択的に連結されるとともに第１ブレーキＢ１を介して前記非回転部材としてのトランスミッションケース１２に選択的に連結されている。
【０２６４】
以上のように構成された変速機２６０では、たとえば、図７９の係合作動表と同様である図８８に示されるように、前記第１クラッチＣ１、第２クラッチＣ２、第３クラッチＣ３、第４クラッチＣ４、第５クラッチＣ５、第１ブレーキＢ１のうちから選択された２つが同時に係合作動させられることにより、第１速ギヤ段（第１変速段）乃至第８速ギヤ段（第８変速段）のいずれか或いは後進ギヤ段（後進変速段）が選択的に成立させられ、図７８乃至図８０に示す実施例と同様に略等比的に変化する変速比γ（＝入力軸回転速度ＮIN／出力軸回転速度ＮOUT ）が各ギヤ段毎に得られるようになっている。また、第１速ギヤ段の変速比γ１と第８速ギヤ段の変速比γ８との比である変速比幅（＝γ１／γ８）が比較的大きな値とされている。前記第１カウンタギヤ対ＣＧ１の減速比、第２カウンタギヤ対ＣＧ２の減速比、第１遊星歯車装置２０のギヤ比ρ１、第２遊星歯車装置２２のギヤ比ρ２、第３遊星歯車装置２４のギヤ比ρ３は、上記のような変速比が得られるように設定されているのである。
【０２６５】
図８９は、前記変速機２３０の共線図である図８０に相当する上記変速機２６０における共線図を示している。図８９の第２変速部２６８の５本の縦線Ｙ１乃至Ｙ５は、左から順に、第１回転要素ＲＥ１に対応するサンギヤＳ１を、第２回転要素ＲＥ２に対応し且つ相互に連結されたサンギヤＳ２およびサンギヤＳ３を、第３回転要素ＲＥ３に対応するリングギヤＲ３を、第４回転要素ＲＥ４に対応し且つ相互に連結されたキャリアＣＡ１、キャリアＣＡ２およびキャリアＣＡ３を、第５回転要素ＲＥ５に対応し且つ相互に連結されたリングギヤＲ１およびリングギヤＲ２をそれぞれ表している。従って、これら回転要素を基にすれば、図８９と図８０とは各回転要素の構成において相違するのみであり共線図としては同様であるので、この図８９の共線図の説明は割愛する。
【０２６６】
図９０は本発明の他の実施例の変速機２７０の構成を説明する骨子図であり、図９１はその変速機２７０の変速ギヤ段とそれを成立させるために必要な油圧式摩擦係合装置の作動との関係を示す図表であり、図９２は各ギヤ段における回転要素の回転速度を示す共線図である。本実施例は、第２変速部２７８の各装置の構成および第１カウンタギヤ対ＣＧ１と第２カウンタギヤ対ＣＧ２とが反対となるように配置が相違する点を除けば図７８に示した変速機２３０と同様であり、図７８乃至図８０に示す実施例と同様の効果が得られる。以下に、変速機２７０と変速機２３０との相違する部分について説明する。
【０２６７】
本実施例では、上記図９０に示す変速機２７０の第２変速部２７８を構成している第１遊星歯車装置２０および第３遊星歯車装置２４はそれぞれシングルピニオン型の遊星歯車装置から構成されており、第２遊星歯車装置２２はダブルピニオン型の遊星歯車装置から構成されている。この第１遊星歯車装置２０は、第１サンギヤＳ１、第１遊星歯車Ｐ１、その第１遊星歯車Ｐ１を自転および公転可能に支持する第１キャリヤＣＡ１、第１遊星歯車Ｐ１を介して第１サンギヤＳ１と噛み合う第１リングギヤＲ１を備えており、たとえば「０．３５０」程度の所定のギヤ比ρ１を有している。第２遊星歯車装置２２は、第２サンギヤＳ２、互いに噛み合う複数対の第２遊星歯車Ｐ２、その第２遊星歯車Ｐ２を自転および公転可能に支持する第２キャリヤＣＡ２、第２遊星歯車Ｐ２を介して第２サンギヤＳ２と噛み合う第２リングギヤＲ２を備えており、たとえば「０．４００」程度の所定のギヤ比ρ２を有している。第３遊星歯車装置２４は、第３サンギヤＳ３、第３遊星歯車Ｐ３、その第３遊星歯車Ｐ３を自転および公転可能に支持する第３キャリヤＣＡ３、第３遊星歯車Ｐ３を介して第３サンギヤＳ３と噛み合う第３リングギヤＲ３を備えており、たとえば「０．５００」程度の所定のギヤ比ρ３を有している。
【０２６８】
また、上記第１遊星歯車装置２０および第２遊星歯車装置２２は、第１キャリヤＣＡ１および第２キャリヤＣＡ２が共通の部品にて構成されているとともに、第１サンギヤＳ１および第２サンギヤＳ２が共通の部品にて構成されており、且つ第１遊星歯車Ｐ１が互いに噛み合う一対の第２遊星歯車Ｐ２のいずれか１つを兼ねている遊星歯車列とされている。これによって、変速機２７０の部品点数や軸長が一層低減される。なお、これら共通の部品で構成されているものはそれぞれ別々の部品で構成されてもよい。
【０２６９】
上記第２変速部２７８においては、第１リングギヤＲ１は第１クラッチＣ１を介して第１ドリブンギヤＣＧ１Ｂに選択的に連結されるとともに第４クラッチＣ４を介して第２ドリブンギヤＣＧ２Ｂに選択的に連結され、第１キャリアＣＡ１と第２キャリアＣＡ２と第３サンギヤＳ３とが一体的に連結されて第２クラッチＣ２を介して第１ドリブンギヤＣＧ１Ｂに選択的に連結され、第２リングギヤＲ２は第３クラッチＣ３を介して第１ドリブンギヤＣＧ１Ｂに選択的に連結されるとともに第２ブレーキＢ２を介してトランスミッションケース１２に選択的に連結され、第３キャリアＣＡ３は前記出力回転部材としての出力歯車２８に連結され、第１サンギヤＳ１と第２サンギヤＳ２と第３リングギヤＲ３とが一体的に連結されて第５クラッチＣ５を介して第２ドリブンギヤＣＧ２Ｂに選択的に連結されるとともに第１ブレーキＢ１を介してトランスミッションケース１２に選択的に連結されている。
【０２７０】
以上のように構成された変速機２７０では、たとえば、図７９の係合作動表と比較して後進ギヤ段を成立させるための係合作動以外は同様となっている図９１に示されるように、前記第１クラッチＣ１、第２クラッチＣ２、第３クラッチＣ３、第４クラッチＣ４、第５クラッチＣ５、第１ブレーキＢ１、第２ブレーキＢ２のうちから選択された２つが同時に係合作動させられることにより、第１速ギヤ段（第１変速段）乃至第８速ギヤ段（第８変速段）のいずれか或いは後進ギヤ段（後進変速段）が選択的に成立させられ、図７８乃至図８０に示す実施例と同様に略等比的に変化する変速比γ（＝入力軸回転速度ＮIN／出力軸回転速度ＮOUT ）が各ギヤ段毎に得られるようになっている。また、第１速ギヤ段の変速比γ１と第８速ギヤ段の変速比γ８との比である変速比幅（＝γ１／γ８）が比較的大きな値とされている。後進ギヤ段について説明すると、第４クラッチＣ４および第２ブレーキＢ２の係合により、第１リングギヤＲ１と第２ドリブンギヤＣＧ２Ｂとの間、第２リングギヤＲ２とトランスミッションケース１２との間がそれぞれ連結されることにより、変速比γＲが第２速ギヤ段と第３速ギヤ段との間の値たとえば「２．８１３」程度である後進ギヤ段が成立させられる。前記第１カウンタギヤ対ＣＧ１の減速比、第２カウンタギヤ対ＣＧ２の減速比、第１遊星歯車装置２０のギヤ比ρ１、第２遊星歯車装置２２のギヤ比ρ２、第３遊星歯車装置２４のギヤ比ρ３は、上記のような変速比が得られるように設定されているのである。
【０２７１】
図９２は、前記変速機２３０の共線図である図８０に相当する上記変速機２７０における共線図を示している。図９２の第２変速部２７８の５本の縦線Ｙ１乃至Ｙ５は、左から順に、第１回転要素ＲＥ１に対応するリングギヤＲ１を、第２回転要素ＲＥ２に対応し且つ相互に連結されたキャリアＣＡ１、キャリアＣＡ２およびサンギヤＳ３を、第３回転要素ＲＥ３に対応するリングギヤＲ２を、第４回転要素ＲＥ４に対応するキャリアＣＡ３を、第５回転要素ＲＥ５に対応し且つ相互に連結されたサンギヤＳ１、サンギヤＳ２およびリングギヤＲ３をそれぞれ表している。図８０との主な違いはブレーキＢ２が追加されている点である。このブレーキＢ２は第３回転要素ＲＥ３（リングギヤＲ２）をトランスミッションケース１２に選択的に連結するように配置されている。したがって、後進ギヤ段では、第１回転要素ＲＥ１はクラッチＣ４の係合により第２ドリブンギヤＣＧ２Ｂに連結されて回転速度「Ｎx2」とされ、第３回転要素ＲＥ３はブレーキＢ２の係合によりトランスミッションケース１２に連結されて回転速度「０」とされるので、縦線Ｙ１と横線Ｘ２との交点と縦線Ｙ３と横線ＸＺとの交点とを結ぶ直線が縦線Ｙ４と交差する点（Ｒev）により、出力歯車２８の負の回転速度が示される。この点を除けば図９２と図８０とは共線図としては同様であるので、この図９２の共線図のそれ以外の部分についての説明は割愛する。
【０２７２】
図９３は本発明の他の実施例の変速機２８０の構成を説明する骨子図であり、図９４はその変速機２８０の変速ギヤ段とそれを成立させるために必要な油圧式摩擦係合装置の作動との関係を示す図表であり、図９５は各ギヤ段における回転要素の回転速度を示す共線図である。本実施例は、第２変速部２８８の各装置の構成および第１変速部２８６と第２変速部２８８との相対的な配置関係が相違する点を除けば図１に示した変速機１０と同様であり、図１乃至図３に示す実施例と同様の効果が得られる。以下に、変速機２８０と変速機１０との相違する部分について説明する。
【０２７３】
上記第１変速部２８６は第１カウンタギヤ対ＣＧ１と第２カウンタギヤ対ＣＧ２とが可及的に隣接するように並列に、且つ第１軸心３２ｃおよび第２軸心３４ｃ上においてエンジン８が配置される側に配置される。すなわち前記トルクコンバータ１４は第１変速部２８６より第１軸３２心３２ｃ上のエンジン８側となる位置に配置され、第２変速部３８は第１変速部より第２軸心３４ｃ上のエンジン８側とは反対となる位置に配置される。
【０２７４】
上記図９３に示す変速機２８０の第１変速部２８６を構成している第１カウンタギヤ対ＣＧ１および第２カウンタギヤ対ＣＧ２は、たとえば第１カウンタギヤ対ＣＧ１の減速比が「１．０００」程度、第２カウンタギヤ対ＣＧ２の減速比が「２．０００」程度とされ、第１変速部２８６は入力軸１６すなわち第１軸３２の回転を第１中間出力経路Ｍ１とその第１中間出力経路Ｍ１に対して減速回転させられる第２中間出力経路Ｍ２とで第２変速部２８８へ伝達（出力）する。
【０２７５】
本実施例では、上記図９３に示す変速機２８０の第２変速部２８８を構成している第１遊星歯車装置２０はダブルピニオン型の遊星歯車装置から構成されており、第２遊星歯車装置２２および第３遊星歯車装置２４はそれぞれシングルピニオン型の遊星歯車装置から構成されている。この第１遊星歯車装置２０は、第１サンギヤＳ１、互いに噛み合う複数対の第１遊星歯車Ｐ１、その第１遊星歯車Ｐ１を自転および公転可能に支持する第１キャリヤＣＡ１、第１遊星歯車Ｐ１を介して第１サンギヤＳ１と噛み合う第１リングギヤＲ１を備えており、たとえば「０．５４８」程度の所定のギヤ比ρ１を有している。第２遊星歯車装置２２は、第２サンギヤＳ２、第２遊星歯車Ｐ２、その第２遊星歯車Ｐ２を自転および公転可能に支持する第２キャリヤＣＡ２、第２遊星歯車Ｐ２を介して第２サンギヤＳ２と噛み合う第２リングギヤＲ２を備えており、たとえば「０．３７９」程度の所定のギヤ比ρ２を有している。第３遊星歯車装置２４は、第３サンギヤＳ３、第３遊星歯車Ｐ３、その第３遊星歯車Ｐ３を自転および公転可能に支持する第３キャリヤＣＡ３、第３遊星歯車Ｐ３を介して第３サンギヤＳ３と噛み合う第３リングギヤＲ３を備えており、たとえば「０．３９０」程度の所定のギヤ比ρ３を有している。
【０２７６】
上記第２変速部２８８においては、第２サンギヤＳ２と第３サンギヤＳ３とが一体的に連結されて第１クラッチＣ１を介して第２ドリブンギヤＣＧ２Ｂに選択的に連結され、さらに第３クラッチＣ３を介して第１ドリブンギヤＣＧ１Ｂに選択的に連結されるとともに第１ブレーキＢ１を介して前記非回転部材としてのトランスミッションケース１２に選択的に連結され、第１キャリアＣＡ１と第２キャリアＣＡ２とが一体的に連結されて第２ブレーキＢ２を介してトランスミッションケース１２に選択的に連結され、第２リングギヤＲ２と第３キャリアＣＡ３とが一体的に連結されて第４クラッチＣ４を介して第１ドリブンギヤＣＧ１Ｂに選択的に連結されるとともに第３ブレーキＢ３を介して前記非回転部材としてのトランスミッションケース１２に選択的に連結され、第１リングギヤＲ１と第３リングギヤＲ３とが一体的に連結されて前記出力回転部材としての出力歯車２８に連結され、第１サンギヤＳ１は第２クラッチＣ２を介して第２ドリブンギヤＣＧ２Ｂに選択的に連結されている。
【０２７７】
以上のように構成された変速機２８０では、たとえば、図９４の係合作動表に示されるように、前記第１クラッチＣ１、第２クラッチＣ２、第３クラッチＣ３、第４クラッチＣ４、第１ブレーキＢ１、第２ブレーキＢ２、第３ブレーキＢ３のうちから選択された２つが同時に係合作動させられることにより、第１速ギヤ段（第１変速段）乃至第９速ギヤ段（第９変速段）のいずれか或いは第１後進ギヤ段（第１後進変速段）および第２後進ギヤ段（第２後進変速段）のいずれかが選択的に成立させられ、略等比的に変化する変速比γ（＝入力軸回転速度ＮIN／出力歯車回転速度ＮOUT ）が各ギヤ段毎に得られるようになっている。
【０２７８】
すなわち、図９４に示すように、第２クラッチＣ２および第３ブレーキＢ３の係合により、第１サンギヤＳ１と第２ドリブンギヤＣＧ２Ｂとの間、第２リングギヤＲ２および第３キャリアＣＡ３とトランスミッションケース１２との間がそれぞれ連結されることにより、変速比γ１が最大値たとえば「４．８１７」である第１速ギヤ段が成立させられる。また、第２クラッチＣ２および第２ブレーキＢ２の係合により、第１サンギヤＳ１と第２ドリブンギヤＣＧ２Ｂとの間、第１キャリアＣＡ１および第２キャリアＣＡ２とトランスミッションケース１２との間がそれぞれ連結されることにより、変速比γ２が第１速ギヤ段よりも小さい値たとえば「３．６５３」程度である第２速ギヤ段が成立させられる。また、第２クラッチＣ２および第１ブレーキＢ１の係合により、第１サンギヤＳ１と第２ドリブンギヤＣＧ２Ｂとの間、第２サンギヤＳ２および第３サンギヤＳ３とトランスミッションケース１２との間がそれぞれ連結されることにより、変速比γ３が第２速ギヤ段よりも小さい値たとえば「２．７９１」程度である第３速ギヤ段が成立させられる。また、第１クラッチＣ１および第２クラッチＣ２の係合により、第２サンギヤＳ２および第３サンギヤＳ３と第２ドリブンギヤＣＧ２Ｂとの間、第１サンギヤＳ１と第２ドリブンギヤＣＧ２Ｂとの間がそれぞれ連結されることにより、変速比γ４が第３速ギヤ段よりも小さい値たとえば「２．０００」程度である第４速ギヤ段が成立させられる。また、第２クラッチＣ２および第３クラッチＣ３の係合により、第１サンギヤＳ１と第２ドリブンギヤＣＧ２Ｂとの間、第２サンギヤＳ２および第３サンギヤＳ３と第１ドリブンギヤＣＧ１Ｂとの間がそれぞれ連結されることにより、変速比γ５が第４速ギヤ段よりも小さい値たとえば「１．５５８」程度である第５速ギヤ段が成立させられる。また、第２クラッチＣ２および第４クラッチＣ４の係合により、第１サンギヤＳ１と第２ドリブンギヤＣＧ２Ｂとの間、第２リングギヤＲ２および第３キャリアＣＡ３と第１ドリブンギヤＣＧ１Ｂとの間がそれぞれ連結されることにより、変速比γ６が第５速ギヤ段よりも小さい値たとえば「１．２６２」程度である第６速ギヤ段が成立させられる。また、第３クラッチＣ３および第４クラッチＣ４の係合により、第２サンギヤＳ２および第３サンギヤＳ３と第１ドリブンギヤＣＧ１Ｂとの間、第２リングギヤＲ２および第３キャリアＣＡ３と第１ドリブンギヤＣＧ１Ｂとの間がそれぞれ連結されることにより、変速比γ７が第６速ギヤ段よりも小さい値たとえば「１．０００」である第７速ギヤ段が成立させられる。また、第１クラッチＣ１および第４クラッチＣ４の係合により、第２サンギヤＳ２および第３サンギヤＳ３と第２ドリブンギヤＣＧ２Ｂとの間、第２リングギヤＲ２および第３キャリアＣＡ３と第１ドリブンギヤＣＧ１Ｂとの間がそれぞれ連結されることにより、変速比γ８が第７速ギヤ段よりも小さい値たとえば「０．８３７」である第８速ギヤ段が成立させられる。また、第４クラッチＣ４および第１ブレーキＢ１の係合により、第２リングギヤＲ２および第３キャリアＣＡ３と第１ドリブンギヤＣＧ１Ｂとの間、第２サンギヤＳ２および第３サンギヤＳ３とトランスミッ��ョンケース１２との間がそれぞれ連結されることにより、変速比γ９が第８速ギヤ段よりも小さい値たとえば「０．７１９」程度である第９速ギヤ段が成立させられる。
【０２７９】
また、第１クラッチＣ１および第３ブレーキＢ３の係合により、第２サンギヤＳ２および第３サンギヤＳ３と第２ドリブンギヤＣＧ２Ｂとの間、第２リングギヤＲ２および第３キャリアＣＡ３とトランスミッションケース１２との間がそれぞれ連結されることにより、変速比γＲ１が第１速ギヤ段より大きな値たとえば「５．１２７」程度である第１後進ギヤ段が成立させられる。また、第１クラッチＣ１および第２ブレーキＢ２の係合により、第２サンギヤＳ２および第３サンギヤＳ３と第２ドリブンギヤＣＧ２Ｂとの間、第１キャリアＣＡ１および第２キャリアＣＡ２とトランスミッションケース１２との間がそれぞれ連結されることにより、変速比γＲ２が第１後進変速段よりも小さく、第３速ギヤ段と第４速ギヤ段との間の値たとえば「２．１８２」程度である第２後進ギヤ段が成立させられる。前記第１カウンタギヤ対ＣＧ１の減速比、第２カウンタギヤ対ＣＧ２の減速比、第１遊星歯車装置２０のギヤ比ρ１、第２遊星歯車装置２２のギヤ比ρ２、第３遊星歯車装置２４のギヤ比ρ３は、上記のような変速比が得られるように設定されているのである。
【０２８０】
上記変速機２８０において、第１速ギヤ段の変速比γ１と第２速ギヤ段の変速比γ２との比（＝γ１／γ２）が「１．３１９」とされ、第２速ギヤ段の変速比γ２と第３速ギヤ段の変速比γ３との比（＝γ２／γ３）が「１．３０９」とされ、第３速ギヤ段の変速比γ３と第４速ギヤ段の変速比γ４との比（＝γ３／γ４）が「１．３９５」とされ、第４速ギヤ段の変速比γ４と第５速ギヤ段の変速比γ５との比（＝γ４／γ５）が「１．２８３」とされ、第５速ギヤ段の変速比γ５と第６速ギヤ段の変速比γ６との比（＝γ５／γ６）が「１．２３５」とされ、第６速ギヤ段の変速比γ６と第７速ギヤ段の変速比γ７との比（＝γ６／γ７）が「１．２６２」とされ、第７速ギヤ段の変速比γ７と第８速ギヤ段の変速比γ８との比（＝γ７／γ８）が「１．１９５」とされ、第８速ギヤ段の変速比γ８と第９速ギヤ段の変速比γ９との比（＝γ８／γ９）が「１．１６３」とされ、各変速比γが略等比的に変化させられている。また、上記変速機２８０において、第１速ギヤ段の変速比γ１と第９速ギヤ段の変速比γ９との比である変速比幅（＝γ１／γ９）が比較的大きな値すなわち「６．７００」とされ、第１速ギヤ段と第８速ギヤ段とであってもその変速比幅（＝γ１／γ８）が比較的大きな値すなわち「５．７５６」とされている。
【０２８１】
図９５は、前記変速機１０の共線図である図３に相当する上記変速機２８０における共線図を示している。図９５の共線図の３本の横線のうちの下側の横線ＸＺが回転速度零を示し、上側の横線Ｘ１が回転速度「１．０」すなわち第１中間出力経路Ｍ１の回転速度を示し、中間の横線Ｘ２が第２カウンタギヤ対ＣＧ２の減速比に応じて第１中間出力経路Ｍ１に対して減速回転させられる所定の回転速度「Ｎx2」すなわち第２中間出力経路Ｍ２の回転速度を示している。また、第２変速部２８８の５本の縦線Ｙ１乃至Ｙ５は、左から順に、第１回転要素ＲＥ１に対応し且つ相互に連結されたサンギヤＳ２およびサンギヤＳ３を、第２回転要素ＲＥ２に対応し且つ相互に連結されたキャリアＣＡ１およびキャリアＣＡ２を、第３回転要素ＲＥ３に対応し且つ相互に連結されたリングギヤＲ２およびキャリアＣＡ３を、第４回転要素ＲＥ４に対応し且つ相互に連結されたリングギヤＲ１およびリングギヤＲ３を、第５回転要素ＲＥ５に対応するサンギヤＳ１をそれぞれ表している。
【０２８２】
上記共線図を利用して表現すれば、本実施例の変速機２８０は、第１変速部２８６において、入力軸１６の回転（第１軸３２の回転）を第１中間出力経路Ｍ１とその第１中間出力経路に対して減速回転させられる上記第２中間出力経路Ｍ２とを介して第２変速部２８８へ出力するように構成され、第２変速部２８８において、上記第１回転要素ＲＥ１（Ｓ２、Ｓ３）は第１クラッチＣ１を介して第２ドリブンギヤＣＧ２Ｂに選択的に連結され、さらに第３クラッチＣ３を介して第１ドリブンギヤＣＧ１Ｂに選択的に連結されるとともに第１ブレーキＢ１を介して前記非回転部材としてのトランスミッションケース１２に選択的に連結され、上記第２回転要素ＲＥ２（ＣＡ１、ＣＡ２）は第２ブレーキＢ２を介してトランスミッションケース１２に選択的に連結され、上記第３回転要素ＲＥ３（Ｒ２、ＣＡ３）は第４クラッチＣ４を介して第１ドリブンギヤＣＧ１Ｂに選択的に連結されるとともに第３ブレーキＢ３を介して前記非回転部材としてのトランスミッションケース１２に選択的に連結され、上記第４回転要素ＲＥ４（Ｒ１、Ｒ３）は前記出力回転部材としての出力歯車２８に連結され、上記第５回転要素ＲＥ５（Ｓ１）は第２クラッチＣ２を介して第２ドリブンギヤＣＧ２Ｂに選択的に連結されている。
【０２８３】
上記図９５の共線図において、第１速ギヤ段では、第５回転要素ＲＥ５はクラッチＣ２の係合により第２ドリブンギヤＣＧ２Ｂに連結されて回転速度「Ｎx2」とされ、第３回転要素ＲＥ３はブレーキＢ３の係合によりトランスミッションケース１２に連結されて回転速度「０」とされるので、縦線Ｙ５と横線Ｘ２との交点と縦線Ｙ３と横線ＸＺとの交点とを結ぶ直線が縦線Ｙ４と交差する点（１st）により、出力歯車２８の回転速度が示される。第２速ギヤ段では、第５回転要素ＲＥ５はクラッチＣ２の係合により第２ドリブンギヤＣＧ２Ｂに連結されて回転速度「Ｎx2」とされ、第２回転要素ＲＥ２はブレーキＢ２の係合によりトランスミッションケース１２に連結されて回転速度「０」とされるので、縦線Ｙ５と横線Ｘ２との交点と縦線Ｙ２と横線ＸＺとの交点とを結ぶ直線が縦線Ｙ４と交差する点（２nd）により、出力歯車２８の回転速度が示される。第３速ギヤ段では、第５回転要素ＲＥ５はクラッチＣ２の係合により第２ドリブンギヤＣＧ２Ｂに連結されて回転速度「Ｎx2」とされ、第１回転要素ＲＥ１はブレーキＢ１の係合によりトランスミッションケース１２に連結されて回転速度「０」とされるので、縦線Ｙ５と横線Ｘ２との交点と縦線Ｙ１と横線ＸＺとの交点とを結ぶ直線が縦線Ｙ４と交差する点（３rd）により、出力歯車２８の回転速度が示される。第４速ギヤ段では、第５回転要素ＲＥ５はクラッチＣ２の係合により第２ドリブンギヤＣＧ２Ｂに連結されて回転速度「Ｎx2」とされ、第１回転要素ＲＥ１はクラッチＣ１の係合により第２ドリブンギヤＣＧ２Ｂに連結されて回転速度「Ｎx2」とされるので、縦線Ｙ５と横線Ｘ２との交点と縦線Ｙ１と横線Ｘ２との交点とを結ぶ直線が縦線Ｙ４と交差する点（４th）により、出力歯車２８の回転速度が示される。第５速ギヤ段では、第５回転要素ＲＥ５はクラッチＣ２の係合により第２ドリブンギヤＣＧ２Ｂに連結されて回転速度「Ｎx2」とされ、第１回転要素ＲＥ１はクラッチＣ３の係合により第１ドリブンギヤＣＧ１Ｂに連結されて回転速度「１」とされるので、縦線Ｙ５と横線Ｘ２との交点と縦線Ｙ１と横線Ｘ１との交点とを結ぶ直線が縦線Ｙ４と交差する点（５th）により、出力歯車２８の回転速度が示される。第６速ギヤ段では、第５回転要素ＲＥ５はクラッチＣ２の係合により第２ドリブンギヤＣＧ２Ｂに連結されて回転速度「Ｎx2」とされ、第３回転要素ＲＥ３はクラッチＣ４の係合により第１ドリブンギヤＣＧ１Ｂに連結されて回転速度「１」とされるので、縦線Ｙ５と横線Ｘ２との交点と縦線Ｙ３と横線Ｘ１との交点とを結ぶ直線が縦線Ｙ４と交差する点（６th）により、出力歯車２８の回転速度が示される。第７速ギヤ段では、第１回転要素ＲＥ１はクラッチＣ３の係合により第１ドリブンギヤＣＧ１Ｂに連結されて回転速度「１」とされ、第３回転要素ＲＥ３はクラッチＣ４の係合により第１ドリブンギヤＣＧ１Ｂに連結されて回転速度「１」とされるので、縦線Ｙ１と横線Ｘ１との交点と縦線Ｙ３と横線Ｘ１との交点とを結ぶ直線が縦線Ｙ４と交差する点（７th）により、出力歯車２８の回転速度が示される。第８速ギヤ段では、第１回転要素ＲＥ１はクラッチＣ１の係合により第２ドリブンギヤＣＧ２Ｂに連結されて回転速度「Ｎx2」とされ、第３回転要素ＲＥ３はクラッチＣ４の係合により第１ドリブンギヤＣＧ１Ｂに連結されて回転速度「１」とされるので、縦線Ｙ１と横線Ｘ２との交点と縦線Ｙ３と横線Ｘ１との交点とを結ぶ直線が縦線Ｙ４と交差する点（８th）により、出力歯車２８の回転速度が示される。第９速ギヤ段では、第３回転要素ＲＥ３はクラッチＣ４の係合により第１ドリブンギヤＣＧ１Ｂに連結されて回転速度「１」とされ、第１回転要素ＲＥ１はブレーキＢ１の係合によりトランスミッションケース１２に連結されて回転速度「０」とされるので、縦線Ｙ３と横線Ｘ１との交点と縦線Ｙ１と横線ＸＺとの交点とを結ぶ直線が縦線Ｙ４と交差する点（９th）により、出力歯車２８の回転速度が示される。第１後進ギヤ段では、第１回転要素ＲＥ１はクラッチＣ１の係合により第２ドリブンギヤＣＧ２Ｂに連結されて回転速度「Ｎx2」とされ、第３回転要素ＲＥ３はブレーキＢ３の係合によりトランスミッションケース１２に連結されて回転速度「０」とされるので、縦線Ｙ１と横線Ｘ２との交点と縦線Ｙ３と横線ＸＺとの交点とを結ぶ直線が縦線Ｙ４と交差する点（Ｒev1）により、出力歯車２８の負の回転速度が示される。第２後進ギヤ段では、第１回転要素ＲＥ１はクラッチＣ１の係合により第２ドリブンギヤＣＧ２Ｂに連結されて回転速度「Ｎx2」とされ、第２回転要素ＲＥ２はブレーキＢ２の係合によりトランスミッションケース１２に連結されて回転速度「０」とされるので、縦線Ｙ１と横線Ｘ２との交点と縦線Ｙ２と横線ＸＺとの交点とを結ぶ直線が縦線Ｙ４と交差する点（Ｒev2）により、出力歯車２８の負の回転速度が示される。
【０２８４】
上述のように、本実施例によれば、図１乃至図３に示す実施例と同様の効果が得られる他に、第１クラッチＣ１および第３ブレーキＢ３が係合させられることによって第１後進変速段が成立させられ、第１クラッチＣ１および第２ブレーキＢ２が係合させられることによって第１後進変速段よりも変速比が小さい第２後進変速段が成立させられるので、前進７段以上と後進２段の変速ギヤ段が得られる。たとえば駆動力がより必要な場合たとえば登坂路の後進走行時のような場合には変速比の大きな第１後進変速段を使用し、平地等の後進走行時のような場合には第１後進変速段よりも変速比が小さい第２後進変速段を使用すれば燃費の向上に効果がある。
【０２８５】
図９６は本発明の他の実施例の変速機２９０の構成を説明する骨子図であり、図９７はその変速機２９０の変速ギヤ段とそれを成立させるために必要な油圧式摩擦係合装置の作動との関係を示す図表であり、図９８は各ギヤ段における回転要素の回転速度を示す共線図である。本実施例は、第１カウンタギヤ対ＣＧ１と第２カウンタギヤ対ＣＧ２との配置が相違する点を除けば図９３に示した変速機２８０と同様であり、図９３乃至図９５に示す実施例と同様の効果が得られる。以下に、変速機２９０と変速機２８０との相違する部分について説明する。また、図９７および図９８は図９４および図９５と同様であるのでそれらの説明を割愛する。
【０２８６】
本実施例の変速機２９０では、図９６に示すように第１変速部２９６を構成する第１カウンタギヤ対ＣＧ１と第２カウンタギヤ対ＣＧ２とが第２変速部２９８を挟むように配置される。このようにすれば、変速機２９０の軸長を変速機２８０と同様にコンパクトに保ちつつ、第１カウンタギヤ対ＣＧ１と第２カウンタギヤ対ＣＧ２との間の第１軸心３２ｃ上の空き空間にオイルポンプや油圧式摩擦係合装置の油圧制御回路の弁本体等を配置することができて、変速機２９０の油路の連結が容易になる。
【０２８７】
以上、本発明の実施例を図面に基づいて詳細に説明したが、本発明はその他の態様においても適用される。
【０２８８】
たとえば、前述の実施例の変速機１０、４０、５０、６０、７０、８０、９０、１００、１１０、１２０、１３０、１４０、１５０、１６０、１７０、１８０、１９０、２００、２１０、２２０、２３０、２４０、２５０、２６０、２７０では、前進８速の変速段が成立させられたが、その８速の変速段のうちのいずれか１つを除いて前進７速の変速段が成立させられるようにしてもよい。また、変速機２８０、２９０では、前進９速の変速段が成立させられたが、その９速の変速段のうちのいずれか１つ或いは２つを除いて前進７速或いは前進８速の変速段が成立させられるようにしてもよい。また、変速機１６０、２８０、２９０では、後進２速の変速段が成立させられたが、いずれか一方のみの後進変速段が選択されるようにしてもよい。
【０２８９】
また、前述の実施例の変速機１０、４０、５０、６０、７０、８０、９０、１００、１１０、１２０、１３０、１４０、１５０、１６０、１７０、１８０、１９０、２００、２１０、２２０、２３０、２４０、２５０、２６０、２７０、２８０、２９０では、エンジン８とトルクコンバータ１４とはクランク軸９を介して直結されていたが、たとえばギヤ、ベルト等を介して作動的に連結されておればよく、共通の軸心上に配置される必要もない。また、エンジン８は他の駆動力源たとえば電動モータ等であってもよい。
【０２９０】
また、前述の実施例の変速機１０、４０、５０、６０、７０、８０、９０、１００、１１０、１２０、１３０、１４０、１５０、１６０、１７０、１８０、１９０、２００、２１０、２２０、２３０、２４０、２５０、２６０、２７０、２８０、２９０では、第１クラッチＣ１乃至第５クラッチＣ５、第１ブレーキＢ１乃至第３ブレーキＢ３のうちのいずれかには、一方向クラッチが直列または並列に設けられてもよい。このようにすれば、変速制御が容易となる。たとえば、変速機１０において第２ブレーキＢ２と並列に一方向クラッチを設ければ、第１クラッチを係合させるだけで第１変速段が成立させられる。また、上記第１クラッチＣ１乃至第５クラッチＣ５、第１ブレーキＢ１乃至第３ブレーキＢ３のうちのいずれかが一方向クラッチに取り替えられてもよい。このようにしても一応の変速が得られる。
【０２９１】
また、前述の実施例の第１変速部３６、５６、６６、９６、１０６、１１６、１５６、１６６、１７６、１８６、２１６、２３６、２６６、２７６、２８６、２９６は動力伝達部材としてカウンタギヤ対が用いられたが、たとえば第１軸心３２ｃおよび第２軸心３４ｃにそれぞれ配設されたプーリとそれらプーリに巻き掛けられたベルトとで１組の動力伝達部材が構成されてもよい。
【０２９２】
また、前述の実施例の変速機２３０、２４０、２５０、２６０、２７０において第６速ギヤ段の成立のために第１クラッチＣ１および第３クラッチＣ３が係合されたが、第１クラッチＣ１および第３クラッチＣ３のいずれかに替えて第２クラッチＣ２が係合されてもよい。すなわち、第１クラッチＣ１、第２クラッチＣ２および第３クラッチＣ３のうちの少なくとも２つの係合により第６速ギヤ段が成立させられる。
【０２９３】
また、前述の実施例では、エンジン８と入力軸１６との間に流体伝動装置としてロックアップクラッチ１３付のトルクコンバータ１４が設けられていたが、ロックアップクラッチ１３は備えられてなくてもよい。また、そのトルクコンバータ１４に替えて、フルードカップリング、磁粉式電磁クラッチ、多板或いは単板式の油圧クラッチが設けられていてもよい。
【０２９４】
また、前述の実施例の共線図は、縦線Ｙ１乃至Ｙ５が左から右へ向かって順次配列されていたが、右から左へ向かって順次配列されていてもよい。また、回転速度零に対応する横軸ＸＺの上側に回転速度「１」に対応する横軸Ｘ１が配置されていたが、横軸ＸＺの下側に配置されていてもよい。
【０２９５】
また、前述の実施例では、変速機１０、４０、５０、６０、７０、８０、９０、１００、１１０、１２０、１３０、１４０、１５０、１６０、１７０、１８０、１９０、２００、２１０、２２０、２３０、２４０、２５０、２６０、２７０、２８０、２９０の係合要素であるクラッチＣ或いはブレーキＢは油圧式摩擦係合装置であったが、電磁式係合装置たとえば電磁クラッチや磁粉式クラッチ等であってもよい。
【０２９６】
なお、上述したのはあくまでも一実施形態であり、本発明は当業者の知識に基づいて種々の変更、改良を加えた態様で実施することができる。
【図面の簡単な説明】
【０２９７】
【図１】本発明の一実施例である車両用遊星歯車式多段変速機の要部構成を説明する骨子図である。
【図２】図１の実施例の車両用遊星歯車式多段変速機の変速ギヤ段とそれを成立させるために必要な油圧式摩擦係合装置の作動との関係を示す図表である。
【図３】図１の実施例の車両用遊星歯車式多段変速機の作動を説明する共線図である。
【図４】図１の実施例の車両用遊星歯車式多段変速機の変速ギヤ段とそれを成立させるために必要な油圧式摩擦係合装置の作動との関係の他の実施例を示す図表であって、図２に相当する図である。
【図５】図１の実施例の車両用遊星歯車式多段変速機の作動の他の実施例を説明する共線図であって、図３に相当する図である。
【図６】本発明の他の実施例である車両用遊星歯車式多段変速機の要部構成を説明する骨子図であり、図１に相当する図である。
【図７】図６の実施例の車両用遊星歯車式多段変速機の変速ギヤ段とそれを成立させるために必要な油圧式摩擦係合装置の作動との関係を示す図表であって、図２に相当する図である。
【図８】図６の実施例の車両用遊星歯車式多段変速機の作動を説明する共線図であって、図３に相当する図である。
【図９】図６の実施例の車両用遊星歯車式多段変速機の変速ギヤ段とそれを成立させるために必要な油圧式摩擦係合装置の作動との関係の他の実施例を示す図表であって、図４に相当する図である。
【図１０】図６の実施例の車両用遊星歯車式多段変速機の作動の他の実施例を説明する共線図であって、図５に相当する図である。
【図１１】本発明の他の実施例である車両用遊星歯車式多段変速機の要部構成を説明する骨子図であり、図６に相当する図である。
【図１２】図１１の実施例の車両用遊星歯車式多段変速機の変速ギヤ段とそれを成立させるために必要な油圧式摩擦係合装置の作動との関係を示す図表であって、図７に相当する図である。
【図１３】図１１の実施例の車両用遊星歯車式多段変速機の作動を説明する共線図であって、図８に相当する図である。
【図１４】図１１の実施例の車両用遊星歯車式多段変速機の変速ギヤ段とそれを成立させるために必要な油圧式摩擦係合装置の作動との関係の他の実施例を示す図表であって、図９に相当する図である。
【図１５】図１１の実施例の車両用遊星歯車式多段変速機の作動の他の実施例を説明する共線図であって、図１０に相当する図である。
【図１６】本発明の他の実施例である車両用遊星歯車式多段変速機の要部構成を説明する骨子図であり、図１に相当する図である。
【図１７】図１６の実施例の車両用遊星歯車式多段変速機の変速ギヤ段とそれを成立させるために必要な油圧式摩擦係合装置の作動との関係を示す図表であって、図２に相当する図である。
【図１８】図１６の実施例の車両用遊星歯車式多段変速機の作動を説明する共線図であって、図３に相当する図である。
【図１９】図１６の実施例の車両用遊星歯車式多段変速機の変速ギヤ段とそれを成立させるために必要な油圧式摩擦係合装置の作動との関係の他の実施例を示す図表であって、図１７に相当する図である。
【図２０】図１６の実施例の車両用遊星歯車式多段変速機の作動の他の実施例を説明する共線図であって、図１８に相当する図である。
【図２１】本発明の他の実施例である車両用遊星歯車式多段変速機の要部構成を説明する骨子図であり、図１６に相当する図である。
【図２２】図２１の実施例の車両用遊星歯車式多段変速機の変速ギヤ段とそれを成立させるために必要な油圧式摩擦係合装置の作動との関係を示す図表であって、図１７に相当する図である。
【図２３】図２１の実施例の車両用遊星歯車式多段変速機の作動を説明する共線図であって、図１８に相当する図である。
【図２４】図２１の実施例の車両用遊星歯車式多段変速機の変速ギヤ段とそれを成立させるために必要な油圧式摩擦係合装置の作動との関係の他の実施例を示す図表であって、図１９に相当する図である。
【図２５】図２１の実施例の車両用遊星歯車式多段変速機の作動の他の実施例を説明する共線図であって、図２０に相当する図である。
【図２６】本発明の他の実施例である車両用遊星歯車式多段変速機の要部構成を説明する骨子図であり、図２１に相当する図である。
【図２７】図２６の実施例の車両用遊星歯車式多段変速機の変速ギヤ段とそれを成立させるために必要な油圧式摩擦係合装置の作動との関係を示す図表であって、図２２に相当する図である。
【図２８】図２６の実施例の車両用遊星歯車式多段変速機の作動を説明する共線図であって、図２３に相当する図である。
【図２９】本発明の他の実施例である車両用遊星歯車式多段変速機の要部構成を説明する骨子図であり、図２６に相当する図である。
【図３０】図２９の実施例の車両用遊星歯車式多段変速機の変速ギヤ段とそれを成立させるために必要な油圧式摩擦係合装置の作動との関係の他の実施例を示す図表であって、図２４に相当する図である。
【図３１】図２９の実施例の車両用遊星歯車式多段変速機の作動の他の実施例を説明する共線図であって、図２５に相当する図である。
【図３２】本発明の他の実施例である車両用遊星歯車式多段変速機の要部構成を説明する骨子図であり、図２１に相当する図である。
【図３３】図３２の実施例の車両用遊星歯車式多段変速機の変速ギヤ段とそれを成立させるために必要な油圧式摩擦係合装置の作動との関係を示す図表であって、図２２に相当する図である。
【図３４】図３２の実施例の車両用遊星歯車式多段変速機の作動を説明する共線図であって、図２３に相当する図である。
【図３５】図３２の実施例の車両用遊星歯車式多段変速機の変速ギヤ段とそれを成立させるために必要な油圧式摩擦係合装置の作動との関係の他の実施例を示す図表であって、図２４に相当する図である。
【図３６】図３２の実施例の車両用遊星歯車式多段変速機の作動の他の実施例を説明する共線図であって、図２５に相当する図である。
【図３７】本発明の他の実施例である車両用遊星歯車式多段変速機の要部構成を説明する骨子図であり、図２１に相当する図である。
【図３８】図３７の実施例の車両用遊星歯車式多段変速機の変速ギヤ段とそれを成立させるために必要な油圧式摩擦係合装置の作動との関係を示す図表であって、図２２に相当する図である。
【図３９】図３７の実施例の車両用遊星歯車式多段変速機の作動を説明する共線図であって、図２３に相当する図である。
【図４０】図３７の実施例の車両用遊星歯車式多段変速機の変速ギヤ段とそれを成立させるために必要な油圧式摩擦係合装置の作動との関係の他の実施例を示す図表であって、図２４に相当する図である。
【図４１】図３７の実施例の車両用遊星歯車式多段変速機の作動の他の実施例を説明する共線図であって、図２５に相当する図である。
【図４２】本発明の他の実施例である車両用遊星歯車式多段変速機の要部構成を説明する骨子図であり、図１に相当する図である。
【図４３】図４２の実施例の車両用遊星歯車式多段変速機の変速ギヤ段とそれを成立させるために必要な油圧式摩擦係合装置の作動との関係を示す図表であって、図２に相当する図である。
【図４４】図４２の実施例の車両用遊星歯車式多段変速機の作動を説明する共線図であって、図３に相当する図である。
【図４５】本発明の他の実施例である車両用遊星歯車式多段変速機の要部構成を説明する骨子図であり、図４２に相当する図である。
【図４６】図４５の実施例の車両用遊星歯車式多段変速機の変速ギヤ段とそれを成立させるために必要な油圧式摩擦係合装置の作動との関係の他の実施例を示す図表であって、図４３に相当する図である。
【図４７】図４５の実施例の車両用遊星歯車式多段変速機の作動の他の実施例を説明する共線図であって、図４４に相当する図である。
【図４８】本発明の他の実施例である車両用遊星歯車式多段変速機の要部構成を説明する骨子図であり、図４５に相当する図である。
【図４９】図４８の実施例の車両用遊星歯車式多段変速機の変速ギヤ段とそれを成立させるために必要な油圧式摩擦係合装置の作動との関係を示す図表であって、図４６に相当する図である。
【図５０】図４８の実施例の車両用遊星歯車式多段変速機の作動を説明する共線図であって、図４７に相当する図である。
【図５１】本発明の他の実施例である車両用遊星歯車式多段変速機の要部構成を説明する骨子図であり、図４５に相当する図である。
【図５２】図５１の実施例の車両用遊星歯車式多段変速機の変速ギヤ段とそれを成立させるために必要な油圧式摩擦係合装置の作動との関係の他の実施例を示す図表であって、図４６に相当する図である。
【図５３】図５１の実施例の車両用遊星歯車式多段変速機の作動の他の実施例を説明する共線図であって、図４７に相当する図である。
【図５４】本発明の他の実施例である車両用遊星歯車式多段変速機の要部構成を説明する骨子図であり、図４５に相当する図である。
【図５５】図５４の実施例の車両用遊星歯車式多段変速機の変速ギヤ段とそれを成立させるために必要な油圧式摩擦係合装置の作動との関係を示す図表であって、図４６に相当する図である。
【図５６】図５４の実施例の車両用遊星歯車式多段変速機の作動を説明する共線図であって、図４７に相当する図である。
【図５７】本発明の他の実施例である車両用遊星歯車式多段変速機の要部構成を説明する骨子図であり、図４５に相当する図である。
【図５８】図５７の実施例の車両用遊星歯車式多段変速機の変速ギヤ段とそれを成立させるために必要な油圧式摩擦係合装置の作動との関係の他の実施例を示す図表であって、図４６に相当する図である。
【図５９】図５７の実施例の車両用遊星歯車式多段変速機の作動の他の実施例を説明する共線図であって、図４７に相当する図である。
【図６０】本発明の他の実施例である車両用遊星歯車式多段変速機の要部構成を説明する骨子図であり、図６に相当する図である。
【図６１】図６０の実施例の車両用遊星歯車式多段変速機の変速ギヤ段とそれを成立させるために必要な油圧式摩擦係合装置の作動との関係を示す図表であって、図７に相当する図である。
【図６２】図６０の実施例の車両用遊星歯車式多段変速機の作動を説明する共線図であって、図８に相当する図である。
【図６３】本発明の他の実施例である車両用遊星歯車式多段変速機の要部構成を説明する骨子図であり、図６０に相当する図である。
【図６４】図６３の実施例の車両用遊星歯車式多段変速機の変速ギヤ段とそれを成立させるために必要な油圧式摩擦係合装置の作動との関係の他の実施例を示す図表であって、図６１に相当する図である。
【図６５】図６３の実施例の車両用遊星歯車式多段変速機の作動の他の実施例を説明する共線図であって、図６２に相当する図である。
【図６６】本発明の他の実施例である車両用遊星歯車式多段変速機の要部構成を説明する骨子図であり、図６０に相当する図である。
【図６７】図６６の実施例の車両用遊星歯車式多段変速機の変速ギヤ段とそれを成立させるために必要な油圧式摩擦係合装置の作動との関係を示す図表であって、図６１に相当する図である。
【図６８】図６６の実施例の車両用遊星歯車式多段変速機の作動を説明する共線図であって、図６２に相当する図である。
【図６９】本発明の他の実施例である車両用遊星歯車式多段変速機の要部構成を説明する骨子図であり、図６０に相当する図である。
【図７０】図６９の実施例の車両用遊星歯車式多段変速機の変速ギヤ段とそれを成立させるために必要な油圧式摩擦係合装置の作動との関係の他の実施例を示す図表であって、図６１に相当する図である。
【図７１】図６９の実施例の車両用遊星歯車式多段変速機の作動の他の実施例を説明する共線図であって、図６２に相当する図である。
【図７２】本発明の他の実施例である車両用遊星歯車式多段変速機の要部構成を説明する骨子図であり、図６０に相当する図である。
【図７３】図７２の実施例の車両用遊星歯車式多段変速機の変速ギヤ段とそれを成立させるために必要な油圧式摩擦係合装置の作動との関係を示す図表であって、図６１に相当する図である。
【図７４】図７２の実施例の車両用遊星歯車式多段変速機の作動を説明する共線図であって、図６２に相当する図である。
【図７５】本発明の他の実施例である車両用遊星歯車式多段変速機の要部構成を説明する骨子図であり、図６０に相当する図である。
【図７６】図７５の実施例の車両用遊星歯車式多段変速機の変速ギヤ段とそれを成立させるために必要な油圧式摩擦係合装置の作動との関係の他の実施例を示す図表であって、図６１に相当する図である。
【図７７】図７５の実施例の車両用遊星歯車式多段変速機の作動の他の実施例を説明する共線図であって、図６２に相当する図である。
【図７８】本発明の他の実施例である車両用遊星歯車式多段変速機の要部構成を説明する骨子図であり、図６に相当する図である。
【図７９】図７８の実施例の車両用遊星歯車式多段変速機の変速ギヤ段とそれを成立させるために必要な油圧式摩擦係合装置の作動との関係を示す図表であって、図７に相当する図である。
【図８０】図７８の実施例の車両用遊星歯車式多段変速機の作動を説明する共線図であって、図８に相当する図である。
【図８１】本発明の他の実施例である車両用遊星歯車式多段変速機の要部構成を説明する骨子図であり、図７８に相当する図である。
【図８２】図８１の実施例の車両用遊星歯車式多段変速機の変速ギヤ段とそれを成立させるために必要な油圧式摩擦係合装置の作動との関係の他の実施例を示す図表であって、図７９に相当する図である。
【図８３】図８１の実施例の車両用遊星歯車式多段変速機の作動の他の実施例を説明する共線図であって、図８０に相当する図である。
【図８４】本発明の他の実施例である車両用遊星歯車式多段変速機の要部構成を説明する骨子図であり、図７８に相当する図である。
【図８５】図８４の実施例の車両用遊星歯車式多段変速機の変速ギヤ段とそれを成立させるために必要な油圧式摩擦係合装置の作動との関係の他の実施例を示す図表であって、図７９に相当する図である。
【図８６】図８４の実施例の車両用遊星歯車式多段変速機の作動の他の実施例を説明する共線図であって、図８０に相当する図である。
【図８７】本発明の他の実施例である車両用遊星歯車式多段変速機の要部構成を説明する骨子図であり、図７８に相当する図である。
【図８８】図８７の実施例の車両用遊星歯車式多段変速機の変速ギヤ段とそれを成立させるために必要な油圧式摩擦係合装置の作動との関係の他の実施例を示す図表であって、図７９に相当する図である。
【図８９】図８７の実施例の車両用遊星歯車式多段変速機の作動の他の実施例を説明する共線図であって、図８０に相当する図である。
【図９０】本発明の他の実施例である車両用遊星歯車式多段変速機の要部構成を説明する骨子図であり、図７８に相当する図である。
【図９１】図９０の実施例の車両用遊星歯車式多段変速機の変速ギヤ段とそれを成立させるために必要な油圧式摩擦係合装置の作動との関係の他の実施例を示す図表であって、図７９に相当する図である。
【図９２】図９０の実施例の車両用遊星歯車式多段変速機の作動の他の実施例を説明する共線図であって、図８０に相当する図である。
【図９３】本発明の他の実施例である車両用遊星歯車式多段変速機の要部構成を説明する骨子図であり、図１に相当する図である。
【図９４】図９３の実施例の車両用遊星歯車式多段変速機の変速ギヤ段とそれを成立させるために必要な油圧式摩擦係合装置の作動との関係の他の実施例を示す図表であって、図２に相当する図である。
【図９５】図９４の実施例の車両用遊星歯車式多段変速機の作動の他の実施例を説明する共線図であって、図３に相当する図である。
【図９６】本発明の他の実施例である車両用遊星歯車式多段変速機の要部構成を説明する骨子図であり、図９３に相当する図である。
【図９７】図９６の実施例の車両用遊星歯車式多段変速機の変速ギヤ段とそれを成立させるために必要な油圧式摩擦係合装置の作動との関係の他の実施例を示す図表であって、図９４に相当する図である。
【図９８】図９６の実施例の車両用遊星歯車式多段変速機の作動の他の実施例を説明する共線図であって、図９５に相当する図である。
【符号の説明】
【０２９８】
８：エンジン（駆動力源）
１０、４０、５０、６０、７０、８０、９０、１００、１１０、１２０、１３０、１４０、１５０、１６０、１７０、１８０、１９０、２００、２１０、２２０、２３０、２４０、２５０、２６０、２７０、２８０、２９０：車両用遊星歯車式多段変速機
１２：トランスミッションケース（非回転部材）
１４：トルクコンバータ（流体伝動装置）
１６：入力軸（入力回転部材）
２０：第１遊星歯車装置
Ｓ１：サンギヤ
Ｒ１：リングギヤ
ＣＡ１：キャリア
Ｐ１：遊星歯車
２２：第２遊星歯車装置
Ｓ２：サンギヤ
Ｒ２：リングギヤ
ＣＡ２：キャリア
Ｐ２：遊星歯車
２４：第３遊星歯車装置
Ｓ３：サンギヤ
Ｒ３：リングギヤ
ＣＡ３：キャリア
Ｐ３：遊星歯車
２６：出力軸（出力回転部材）
２８：出力歯車（出力回転部材）
３２ｃ：第１軸心
３４ｃ：第２軸心
３６、５６、６６、９６、１０６、１１６、１５６、１６６、１７６、１８６、２１６、２３６、２６６、２７６、２８６、２９６：第１変速部
３８、４８、５８、６８、７８、８８、９８、１０８、１１８、１２８、１３８、１４８、１５８、１６８、１７８、１８８、１９８、２０８、２１８、２２８、２３８、２４８、２５８、２６８、２７８、２８８、２９８：第２変速部
Ｃ１：第１クラッチ
Ｃ２：第２クラッチ
Ｃ３：第３クラッチ
Ｃ４：第４クラッチ
Ｃ５：第５クラッチ
Ｂ１：第１ブレーキ
Ｂ２：第２ブレーキ
Ｂ３：第３ブレーキ
ＲＥ１：第１回転要素
ＲＥ２：第２回転要素
ＲＥ３：第３回転要素
ＲＥ４：第４回転要素
ＲＥ５：第５回転要素
Ｍ１：第１中間出力経路
Ｍ２：第２中間出力経路
ＣＧ１：第１カウンタギヤ対
ＣＧ２：第２カウンタギヤ対
ＣＧ１Ｂ：第１ドリブンギヤ（第１ドリブン部材）
ＣＧ２Ｂ：第２ドリブンギヤ（第２ドリブン部材）
【図１】
0004635417.tif 000002
【図２】
0004635417.tif 000003
【図３】
0004635417.tif 000004
【図４】
0004635417.tif 000005
【図５】
0004635417.tif 000006
【図６】
0004635417.tif 000007
【図７】
0004635417.tif 000008
【図８】
0004635417.tif 000009
【図９】
0004635417.tif 000010
【図１０】
0004635417.tif 000011
【図１１】
0004635417.tif 000012
【図１２】
0004635417.tif 000013
【図１３】
0004635417.tif 000014
【図１４】
0004635417.tif 000015
【図１５】
0004635417.tif 000016
【図１６】
0004635417.tif 000017
【図１７】
0004635417.tif 000018
【図１８】
0004635417.tif 000019
【図１９】
0004635417.tif 000020
【図２０】
0004635417.tif 000021
【図２１】
0004635417.tif 000022
【図２２】
0004635417.tif 000023
【図２３】
0004635417.tif 000024
【図２４】
0004635417.tif 000025
【図２５】
0004635417.tif 000026
【図２６】
0004635417.tif 000027
【図２７】
0004635417.tif 000028
【図２８】
0004635417.tif 000029
【図２９】
0004635417.tif 000030
【図３０】
0004635417.tif 000031
【図３１】
0004635417.tif 000032
【図３２】
0004635417.tif 000033
【図３３】
0004635417.tif 000034
【図３４】
0004635417.tif 000035
【図３５】
0004635417.tif 000036
【図３６】
0004635417.tif 000037
【図３７】
0004635417.tif 000038
【図３８】
0004635417.tif 000039
【図３９】
0004635417.tif 000040
【図４０】
0004635417.tif 000041
【図４１】
0004635417.tif 000042
【図４２】
0004635417.tif 000043
【図４３】
0004635417.tif 000044
【図４４】
0004635417.tif 000045
【図４５】
0004635417.tif 000046
【図４６】
0004635417.tif 000047
【図４７】
0004635417.tif 000048
【図４８】
0004635417.tif 000049
【図４９】
0004635417.tif 000050
【図５０】
0004635417.tif 000051
【図５１】
0004635417.tif 000052
【図５２】
0004635417.tif 000053
【図５３】
0004635417.tif 000054
【図５４】
0004635417.tif 000055
【図５５】
0004635417.tif 000056
【図５６】
0004635417.tif 000057
【図５７】
0004635417.tif 000058
【図５８】
0004635417.tif 000059
【図５９】
0004635417.tif 000060
【図６０】
0004635417.tif 000061
【図６１】
0004635417.tif 000062
【図６２】
0004635417.tif 000063
【図６３】
0004635417.tif 000064
【図６４】
0004635417.tif 000065
【図６５】
0004635417.tif 000066
【図６６】
0004635417.tif 000067
【図６７】
0004635417.tif 000068
【図６８】
0004635417.tif 000069
【図６９】
0004635417.tif 000070
【図７０】
0004635417.tif 000071
【図７１】
0004635417.tif 000072
【図７２】
0004635417.tif 000073
【図７３】
0004635417.tif 000074
【図７４】
0004635417.tif 000075
【図７５】
0004635417.tif 000076
【図７６】
0004635417.tif 000077
【図７７】
0004635417.tif 000078
【図７８】
0004635417.tif 000079
【図７９】
0004635417.tif 000080
【図８０】
0004635417.tif 000081
【図８１】
0004635417.tif 000082
【図８２】
0004635417.tif 000083
【図８３】
0004635417.tif 000084
【図８４】
0004635417.tif 000085
【図８５】
0004635417.tif 000086
【図８６】
0004635417.tif 000087
【図８７】
0004635417.tif 000088
【図８８】
0004635417.tif 000089
【図８９】
0004635417.tif 000090
【図９０】
0004635417.tif 000091
【図９１】
0004635417.tif 000092
【図９２】
0004635417.tif 000093
【図９３】
0004635417.tif 000094
【図９４】
0004635417.tif 000095
【図９５】
0004635417.tif 000096
【図９６】
0004635417.tif 000097
【図９７】
0004635417.tif 000098
【図９８】
0004635417.tif 000099